(57)【要約】  分析物データを無線通信するためのシステム、デバイス、及び方法が開示される。１つのそのような方法は、第１の間隔中に、分析物センサシステムと表示デバイスとの間の第１の接続を確立することを含む。第１の接続中に、本方法は、分析物センサシステムと表示デバイスとの間の認証に関連する情報を交換することを含む。本方法は、第１の間隔中に認証が行われたかどうかに関する判定を行うことを含む。第２の間隔中に、本方法は、暗号化された分析物値を伝送するための、分析物センサシステムと表示デバイスとの間の第２の接続を確立することと、第１の接続中に行われた認証に関連する情報の交換をバイパスすることと、を含むことができる。本方法はまた、判定が、第１の間隔中に認証が行われたことを示す場合に、第２の間隔中に、分析物センサシステムが、表示デバイスに暗号化された分析物値を伝送することも含む。
2019537848.tif 000002
【特許請求の範囲】
【請求項１】
分析物データを無線通信するための方法であって、前記方法が、
第１の間隔中に、分析物センサシステムと表示デバイスとの間の第１の接続を確立することと、
前記第１の接続中に、前記分析物センサシステムと前記表示デバイスとの間の認証に関連する情報を交換することと、
前記第１の間隔中に認証が行われたかどうかに関する判定を行うことと、
前記判定が、前記第１の間隔中に前記認証が行われたことを示す場合、第２の間隔中に、前記分析物センサシステムが、前記表示デバイスに暗号化された分析物値を伝送することと、を含む、方法。
【請求項２】
前記認証に関連する情報が、アプリケーション鍵を含む、請求項１に記載の方法。
【請求項３】
前記アプリケーション鍵を使用して、分析物値を暗号化し、前記暗号化された分析物値を生成することをさらに含む、請求項２に記載の方法。
【請求項４】
前記アプリケーション鍵の特性が、
前記アプリケーション鍵によって暗号化されるデータ型、
ネットワーク環境、及び
ユーザ設定、のうちの１つまたは２つ以上に基づく、請求項３に記載の方法。
【請求項５】
所定の時間量の経過、
前記分析物センサシステムまたは前記表示デバイスの再開、
別のデバイスが前記分析物センサシステムへの接続を試みることに関連するトリガー、及び
ユーザ入力、のうちの１つまたは２つ以上に応答して、前記アプリケーション鍵を修正することをさらに含む、請求項２に記載の方法。
【請求項６】
前記第２の間隔中に、
前記分析物センサシステムによって前記暗号化された分析物値を前記伝送するための、前記分析物センサシステムと前記表示デバイスとの間の第２の接続を確立することと、
前記第１の接続中に行われる前記認証に関連する情報を交換することをバイパスすることと、をさらに含む、請求項１に記載の方法。
【請求項７】
前記暗号化された分析物値の少なくとも一部分は、前記分析物センサシステムによって伝送される１つまたは２つ以上のアドバタイズメントメッセージにおいて前記表示デバイスに伝送される、請求項１に記載の方法。
【請求項８】
前記暗号化された分析物値を伝送するために使用するアドバタイズメントメッセージの数を決定することをさらに含む、請求項７に記載の方法。
【請求項９】
前記暗号化された分析物値を伝送するために使用する前記アドバタイズメントメッセージの数が１より大きいと判定された場合、前記１つまたは２つ以上のアドバタイズメントメッセージのうちの第１のものが、前記暗号化された分析物値の第１の部分と、前記１つまたは２つ以上のアドバタイズメントメッセージのうちの第２のものが、前記暗号化された分析物値の第２の部分を含む旨の指示と、を含む、請求項８に記載の方法。
【請求項１０】
前記暗号化された分析物値を伝送するために使用する前記アドバタイズメントメッセージの数が１であると判定された場合、前記１つまたは２つ以上のアドバタイズメントメッセージのうちの第１のものが、前記暗号化された分析物値を含む、請求項８に記載の方法。
【請求項１１】
前記認証に関連する情報を交換することが、双方向認証を行うことを含む、請求項１に記載の方法。
【請求項１２】
前記双方向認証を行うことが、
前記分析物センサシステムが、前記表示デバイスに第１の値を伝送することと、
前記分析物センサシステムが、前記表示デバイスから第２の値及び第３の値を受信することであって、前記第２の値が、前記第１の値及びアプリケーション鍵に基づく、受信することと、
前記分析物センサシステムが、前記第２の値を検証することと、
前記分析物センサシステムが、前記第３の値を使用して第４の値を生成することと、
前記分析物センサシステムが、検証のために、前記表示デバイスに前記第４の値を伝送することと、を含む、請求項１１に記載の方法。
【請求項１３】
前記認証に関連する情報を交換することが、
前記分析物センサシステムが、前記表示デバイスから第１の値を受信することと、
前記分析物センサシステムが、前記第１の値及びアプリケーション鍵に基づいて第２の値を生成することと、
前記分析物センサシステムが、前記表示デバイスによって検証するために、前記表示デバイスに前記第２の値を伝送することと、を含む、請求項１１に記載の方法。
【請求項１４】
前記認証に関連する情報が、前記暗号化された分析物値を生成するために使用されるアプリケーション鍵を含み、前記アプリケーション鍵を使用して、前記分析物値を暗号化し、前記暗号化された分析物値を生成することが、前記第２の間隔中に、前記認証に関連する情報を交換することをバイパスすることを可能にする、請求項６に記載の方法。
【請求項１５】
前記第１の接続を確立すること、及び前記認証に関連する情報を交換することが、第１の無線プロトコルを使用して行われ、前記表示デバイスに前記暗号化された分析物値を伝送することが、前記第１の無線プロトコルとは異なる第２の無線プロトコルを使用して行われる、請求項１に記載の方法。
【請求項１６】
前記第１の無線プロトコルを使用することが、前記第２の間隔中に、前記認証に関連する情報を交換することをバイパスすることを可能にする、請求項１５に記載の方法。
【請求項１７】
前記アプリケーション鍵が、前記表示デバイスによってサーバから受信されたものである、請求項２に記載の方法。
【請求項１８】
分析物データを無線通信するための方法であって、前記方法が、
第１の間隔中に、第１の無線プロトコルを使用して、表示デバイスと、認証情報に関連する情報の交換を行うことと、
第２の間隔中に、第２の無線プロトコルを使用して、前記表示デバイスに暗号化された分析物値を伝送することによって、前記認証に関連する情報の交換をバイパスすることであって、前記暗号化された分析物値が、前記認証に関連する情報を使用して生成されたものであり、第１の無線プロトコルが、第２の無線プロトコルとは異なる、バイパスすることと、を含む、方法。
【請求項１９】
前記第１の無線プロトコルが、ＷｉＦｉまたは近距離無線通信（ＮＦＣ）であり、前記第２の無線プロトコルが、Ｂｌｕｅｔｏｏｔｈ(登録商標)低エネルギー（ＢＬＥ）である、請求項１８に記載の方法。
【請求項２０】
前記認証に関連する情報が、アプリケーション鍵を含む、請求項１８に記載の方法。
【請求項２１】
前記表示デバイスが、サーバから前記アプリケーション鍵を受信することをさらに含む、請求項２０に記載の方法。
【請求項２２】
分析物データを無線通信するように構成された分析物センサシステムであって、前記分析物センサシステムが、
分析物センサと、
無線信号を伝送及び受信するように構成されたトランシーバと、
プロセッサであって、前記分析物センサ及び前記トランシーバに動作的に結合され、また、前記分析物センサシステムに、
第１の間隔中に、前記分析物センサシステムと表示デバイスとの間の第１の接続を確立することと、
前記第１の接続中に、前記分析物センサシステムと前記表示デバイスとの間の認証に関連する情報を交換することと、
前記第１の間隔中に認証が行われたかどうかに関する判定を行うことと、
前記判定が、前記第１の間隔中に前記認証が行われたことを示す場合に、第２の間隔中に、前記表示デバイスに暗号化された分析物値を伝送することと、を行わせるように構成されたプロセッサと、を備える、分析物センサシステム。
【請求項２３】
前記認証に関連する情報が、アプリケーション鍵を含み、前記プロセッサが、前記分析物センサシステムに、分析物値を暗号化して、前記暗号化された分析物値を生成することを行わせるようにさらに構成される、請求項２２に記載の分析物センサシステム。
【請求項２４】
前記プロセッサが、前記分析物センサシステムに、
前記第２の間隔中に、前記分析物センサシステムと前記表示デバイスとの間の第２の接続を確立することと、
前記第２の接続中に、認証に関連する情報の交換をバイパスすることと、を行わせるようにさらに構成される、請求項２２に記載の分析物センサシステム。
【請求項２５】
前記認証に関連する情報が、アプリケーション鍵を含み、前記プロセッサが、前記分析物センサシステムに、前記アプリケーション鍵を使用して、分析物値を暗号化し、前記暗号化された分析物値を生成すること、を行わせるようにさらに構成され、前記アプリケーション鍵を使用することで、前記分析物センサシステムが、前記交換をバイパスすることを可能にする、請求項２４に記載の分析物センサシステム。
【請求項２６】
分析物センサシステムと分析物データを無線通信するように構成されたモバイルデバイスであって、前記モバイルデバイスが、
ユーザインターフェースと、
無線信号を伝送及び受信するように構成されたトランシーバと、
前記ユーザインターフェース及び前記トランシーバに動作的に結合された回路と、
前記回路に動作的に結合され、命令を記憶する非一時的コンピュータ可読媒体であって、該命令が実行されたときに、前記回路に、
第１の間隔中に、前記分析物センサシステムと表示デバイスとの間の第１の接続を確立することと、
前記第１の接続中に、前記分析物センサシステムと前記モバイルデバイスとの間の認証に関連する情報を交換することと、
前記第１の間隔中に認証が行われたかどうかに関する判定を取得することと、
前記判定が、前記第１の間隔中に前記認証が行われたことを示す場合に、第２の間隔中に、前記分析物センサシステムから暗号化された分析物値を受信することと、を行わせる、非一時的コンピュータ可読媒体と、を備える、モバイルデバイス。
【請求項２７】
システムであって、
表示デバイスと、
分析物センサシステムであって、
無線信号を伝送及び受信するように構成されたトランシーバと、
プロセッサであって、分析物センサ及び前記トランシーバに動作的に結合され、また、前記分析物センサシステムに、
第１の間隔中に、前記分析物センサシステムと前記表示デバイスとの間の第１の接続を確立することと、
前記第１の接続中に、前記分析物センサシステムと前記表示デバイスとの間の認証に関連する情報を交換することと、
前記第１の間隔中に認証が行われたかどうかに関する判定を行うことと、
前記判定が、前記第１の間隔中に前記認証が行われたことを示す場合に、第２の間隔中に、前記表示デバイスに暗号化された分析物値を伝送することと、を行わせるように構成されたプロセッサと、を備える分析物センサセンサシステムと、
を備える、システム。
【請求項２８】
前記認証に関連する情報の少なくとも一部を、前記分析物センサシステム及び前記表示デバイスのうちの１つまたは２つ以上に送信するように構成されたサーバをさらに備える、請求項２７に記載のシステム。
【請求項２９】
分析物データを無線通信するための方法であって、前記方法が、
分析物センサシステムと第１の表示デバイスとの間の第１の接続を確立して、前記分析物センサシステムと前記第１の表示デバイスとの間でペアリング情報を交換することと、
前記分析物センサシステムと前記第１の表示デバイスとの間でメッセージを定期的に交換することによって、前記第１の接続を維持することと、
前記分析物センサシステム及び表示デバイスが接続を維持している間、前記分析物データを伝送に利用することが可能になった時点で、前記分析物センサシステムが、前記第１の表示デバイスに前記分析物データを伝送することと、を含む、方法。
【請求項３０】
前記第１の接続を確立することが、前記分析物センサシステムと前記第１の表示デバイスの間で双方向認証を行うことを含む、請求項２９に記載の方法。
【請求項３１】
前記双方向認証を行うことが、
前記分析物センサシステムが、前記第１の表示デバイスに第１の値を伝送することと、
前記分析物センサシステムが、前記第１の表示デバイスから第２の値及び第３の値を受信することであって、前記第２の値が、前記第１の値及びアプリケーション鍵に基づく、受信することと、
前記分析物センサシステムが、前記第２の値を検証することと、
前記分析物センサシステムが、前記第３の値を使用して第４の値を生成することと、
前記分析物センサシステムが、検証のために、前記第１の表示デバイスに前記第４の値を伝送することと、を含む、請求項３０に記載の方法。
【請求項３２】
前記分析物データを伝送に利用することが可能になった時点で、前記メッセージを定期的に交換すること、及び前記第１の表示デバイスに前記分析物データを伝送することを組み合わせることが、前記第１の表示デバイスに対するユーザ選好の指示に応答して行われる、請求項２９に記載の方法。
【請求項３３】
前記分析物データを伝送に利用することが可能になった時点で、前記メッセージを定期的に交換すること、及び前記表示デバイスに前記分析物データを伝送することを組み合わせることが、適応的に行われる、請求項２９に記載の方法。
【請求項３４】
前記分析物センサシステムと前記第１の表示デバイスとの間で定期的に交換される前記メッセージが、第１のメッセージと、第２のメッセージと、を含み、前記第１及び第２のメッセージを順次交換するように構成され、前記第１のメッセージが、前記第１のメッセージ及び第２のメッセージの前記順次交換の間のスケジュールされた時間量に対応するメッセージング間隔を含む、請求項２９に記載の方法。
【請求項３５】
前記分析物センサシステムと前記第１の表示デバイスとの間で定期的に交換される前記メッセージの各々が、次に続くメッセージが交換されるまでの時間量に対応するメッセージ間隔を含む、請求項２９に記載の方法。
【請求項３６】
前記メッセージ間隔を修正する要求を送信することをさらに含む、請求項３５に記載の方法。
【請求項３７】
前記分析物センサシステムが、前記第１の表示デバイスとメッセージを定期的に交換することを終了することをさらに含み、よって、前記分析物センサシステム及び前記表示デバイスが、前記要求が拒否されたことに応答して、接続を維持しない、請求項３６に記載の方法。
【請求項３８】
前記分析物センサシステムと前記第１の表示デバイスとの間で定期的に交換される前記メッセージの各々が、タイムアウト値を含み、前記方法が、前記分析物センサシステムが、前記第１の表示デバイスとメッセージを定期的に交換することを終了することをさらに含み、よって、第１のメッセージの次に続く前記メッセージのうちの第２のメッセージが交換される前に、前記メッセージのうちの前記第１のメッセージに含まれる前記タイムアウト値を超えた場合に、前記分析物センサシステム及び前記第１の表示デバイスが、接続を維持しない、請求項２９に記載の方法。
【請求項３９】
前記プロセッサが、前記分析物センサシステムに、
前記第１の接続を確立し、第１の無線プロトコルを使用して前記認証に関連する情報を交換することと、
第２の無線プロトコルを使用して、前記暗号化された分析物データを伝送することと、を行わせるようにさらに構成され、
前記第１の無線プロトコルが、前記第２の間隔中に、前記認証に関連する情報の交換をバイパスすることを可能にする、請求項２２に記載の分析物センサシステム。
【請求項４０】
前記第１の表示デバイス及び第２の表示デバイスが接続を維持するように、前記第１の表示デバイスが、前記第２の表示デバイスとの第２の接続を確立することと、
前記第１及び第２の表示デバイスが接続を維持している間、前記分析物センサシステムから前記分析物データを受信した後に、前記第１の表示デバイスが、前記第２の表示デバイスに、前記分析物データに関連する情報を伝送することと、をさらに含む、請求項２９に記載の方法。
【請求項４１】
分析物データを無線通信するための方法であって、前記方法が、
分析物センサシステムと第１の表示デバイスとの間の第１の接続を確立して、前記分析物センサシステムと前記第１の表示デバイスとの間でペアリング情報を交換することと、
第１のモードで動作することであって、
前記分析物センサシステム及び前記第１の表示デバイスが接続を維持するように、前記分析物センサシステムが、前記第１の表示デバイスとメッセージを定期的に交換することと、
前記分析物センサシステム及び前記第１の表示デバイスが接続を維持している間、前記分析物データを伝送に利用することが可能になった時点で、前記分析物センサシステムが、前記第１の表示デバイスに前記分析物データを伝送することと、を含む、第１のモードで動作することと、
第２のモードで動作することであって、
前記分析物センサシステムと前記第１の表示デバイスとの間の第２の接続を定期的に確立することと、
前記第２の接続が確立された後に、前記第１の表示デバイスに前記分析物データを伝送することと、を含む、第２のモードで動作することと、を含む、方法。
【請求項４２】
前記第１のモードで動作することが、
前記第１の表示デバイスの使用選好に関するユーザ入力、
日時、
場所、
パケット損失、及び
前記第１の表示デバイスを含む優先順位スキーム、のうちの１つまたは２つ以上に関連する指示に応答して生じる、請求項４１に記載の方法。
【請求項４３】
前記第２のモードで動作することが、前記分析物センサシステムが、前記分析物データを伝送しており、かつ前記第１のモードで動作していない場合に生じる、請求項４１に記載の方法。
【請求項４４】
前記第１のモードで動作している間、前記分析物センサシステムが前記第１の表示デバイスに前記分析物データを伝送することが、前記分析物センサシステムが、分析物センサシステムに接続されていない第２の表示デバイスに前記分析物データを伝送することを含む、請求項４１に記載の方法。
【請求項４５】
前記第１のモードで動作することと、前記第２のモードで動作することとの間で切り換えることをさらに含む、請求項４１に記載の方法。
【請求項４６】
分析物データを無線通信するように構成された分析物センサシステムであって、前記分析物センサシステムが、
分析物センサと、
無線信号を伝送及び受信するように構成されたトランシーバと、
プロセッサであって、前記分析物センサ及び前記トランシーバに動作的に結合され、また、前記分析物センサシステムに、
前記分析物センサシステムと第１の表示デバイスとの間の第１の接続を確立して、前記分析物センサシステムと前記第１の表示デバイスとの間でペアリング情報を交換することと、
前記分析物センサシステムと前記第１の表示デバイスとの間でメッセージを定期的に交換することによって、前記第１の接続を維持することと、
前記第１の接続中に、前記分析物データを伝送に利用することが可能になった時点で、前記第１の表示デバイスに前記分析物データを伝送することと、を行わせるように構成されたプロセッサと、を備える、分析物センサシステム。
【請求項４７】
前記プロセッサが、前記分析物センサシステムに、確立されている前記第１の接続と関連して双方向認証を行わせるようにさらに構成される、請求項４６に記載の分析物センサシステム。
【請求項４８】
前記プロセッサが、前記分析物センサシステムに、前記第１の表示デバイスのユーザ選好の指示に応答して、前記分析物データを伝送に利用することが可能になった時点で、前記第１の接続を維持して、前記第１の表示デバイスに前記分析物データを伝送させるようにさらに構成される、請求項４６に記載の分析物センサシステム。
【請求項４９】
前記プロセッサが、前記分析物センサシステムに、前記分析物データを伝送に利用することが可能になった時点で、前記第１の接続を維持して、前記第１の表示デバイスに前記分析物データを適応的に伝送させるようにさらに構成される、請求項４６に記載の分析物センサシステム。
【請求項５０】
前記分析物センサシステムと前記第１の表示デバイスとの間で定期的に交換される前記メッセージが、第１のメッセージと、第２のメッセージと、を含み、前記プロセッサが、前記分析物センサシステムに、前記第１の表示デバイスと前記第１及び第２のメッセージを順次交換させるようにさらに構成され、前記第１のメッセージが、前記第１及び第２のメッセージの前記交換の間のスケジュールされた時間量に対応するメッセージング間隔を含む、請求項４６に記載の分析物センサシステム。
【請求項５１】
システムであって、
第１の表示デバイスと、
分析物センサシステムであって、
無線信号を伝送及び受信するように構成されたトランシーバと、
プロセッサであって、分析物センサ及び前記トランシーバに動作的に結合され、また、前記分析物センサシステムに、
前記分析物センサシステムと前記第１の表示デバイスとの間の第１の接続を確立して、前記分析物センサシステムと前記第１の表示デバイスとの間でペアリング情報を交換することと、
前記分析物センサシステムと前記第１の表示デバイスとの間でメッセージを定期的に交換することによって、前記第１の接続を維持することと、
前記第１の接続中に、分析物データを伝送に利用することが可能になった時点で、前記第１の表示デバイスに前記分析物データを伝送することと、を行わせるように構成された、プロセッサと、
第２の表示デバイスと、を備え、
前記第１の表示デバイスが、
前記第１及び第２の表示デバイスの接続が維持されるように、前記第２の表示デバイスとの第２の接続を確立し、また、
前記第１及び第２の表示デバイスが接続を維持している間、前記分析物センサシステムから前記分析物データを受信した後に、前記第２の表示デバイスに、前記分析物データに関連する情報を伝送するように構成される、システム。
【請求項５２】
分析物データを無線通信するように構成された分析物センサシステムであって、前記分析物センサシステムが、
分析物センサと、
無線信号を伝送及び受信するように構成されたトランシーバと、
プロセッサであって、前記分析物センサ及び前記トランシーバに動作的に結合され、また、前記分析物センサシステムに、
前記分析物センサシステムと第１の表示デバイスとの間の第１の接続を確立して、前記分析物センサシステムと前記第１の表示デバイスとの間でペアリング情報を交換することと、
第１のモードで動作することであって、前記分析物センサシステム及び前記第１の表示デバイスの接続が維持されるように、メッセージが、前記第１の表示デバイスと定期的に交換され、前記分析物データを伝送に利用することが可能になった時点で、前記分析物センサシステムが前記第１の表示デバイスに分析物データを伝送する、第１のモードで動作することと、
第２のモードで動作することであって、前記第１の表示デバイスとの第２の接続が、前記分析物データを伝送するために定期的に確立される、第２のモードで動作することと、を行わせるように構成されたプロセッサと、を備える、分析物センサシステム。
【請求項５３】
前記分析物センサシステムが、データを伝送しており、かつ前記第１のモードで動作していない場合に、前記プロセッサが、前記分析物センサシステムを前記第２のモードで動作させるようにさらに構成される、請求項５２に記載の分析物センサシステム。
【請求項５４】
前記プロセッサが、
前記第１の表示デバイスのユーザ選好に関するユーザ入力、
日時、
場所、
パケット損失、及び
前記第１の表示デバイスを含む優先順位スキーム、のうちの１つまたは２つ以上に関連する指示に応答して、前記分析物センサシステムを前記第１のモードで動作させるようにさらに構成される、請求項５２に記載の分析物センサシステム。
【請求項５５】
分析物センサシステムを分析物表示デバイス及び第２の表示デバイスに接続するための方法であって、前記方法が、
前記分析物センサシステムと前記分析物表示デバイス及び前記第２の表示デバイスとのペアリングを試みる際に、アドバタイズメント持続時間構造を使用することであって、前記アドバタイズメント持続時間構造に従って、アドバタイズメント持続時間が、第１の時間セグメントと、第２の時間セグメントと、を含み、前記第１の時間セグメントが、前記第２の表示デバイスに割り当てられ、前記第２の時間セグメントが、前記分析物表示デバイスに割り当てられ、前記第１の時間セグメントが、前記アドバタイズメント持続時間内に前記第２の時間セグメントに先行する、アドバタイズメント持続時間構造を使用することと、
前記第２の時間セグメントが前記第１の時間セグメントに先行するように、前記アドバタイズメント持続時間構造を再構成することと、を含む、方法。
【請求項５６】
前記第１の時間セグメントが、約２０秒の長さであり、前記第２の時間セグメントが、約２秒の長さである、請求項５５に記載の方法。
【請求項５７】
前記アドバタイズメント持続時間構造を再構成することが、前記アドバタイズメント持続時間の残り以下の時間の幅まで、前記第１の時間セグメントを延長することを含む、請求項５５に記載の方法。
【請求項５８】
分析物データを無線通信するように構成された分析物センサシステムであって、前記分析物センサシステムが、
分析物センサと、
無線信号を伝送及び受信するように構成されたトランシーバと、
プロセッサであって、前記分析物センサ及び前記トランシーバに動作的に結合され、また、前記分析物センサシステムに、
前記分析物センサシステムと分析物表示デバイス及び第２の表示デバイスとのペアリングを試みる際に、アドバタイズメント持続時間構造に従って、アドバタイズメントメッセージを伝送することであって、前記アドバタイズメント持続時間構造に従って、アドバタイズメント持続時間が、第１の時間セグメントと、第２の時間セグメントと、を含み、前記第１の時間セグメントが、前記第２の表示デバイスに割り当てられ、前記第２の時間セグメントが、前記分析物表示デバイスに割り当てられ、前記第１の時間セグメントが、前記アドバタイズメント持続時間内に前記第２の時間セグメントに先行する、アドバタイズメントメッセージを伝送することと、
前記第２の時間セグメントが前記第１の時間セグメントに先行するように、前記アドバタイズメント持続時間構造を再構成することと、を行わせるように構成されたプロセッサと、を備える、分析物センサシステム。
【請求項５９】
分析物センサシステムを分析物表示デバイス及び第２の表示デバイスに接続するための方法であって、前記方法が、
前記分析物センサシステムが前記第２の表示デバイスとペアリングされたかどうかを示す値を評価することと、
前記値が、前記分析物センサシステムが前記第２の表示デバイスとペアリングされたことを示す場合、第１のアドバタイズメント持続時間の第１の時間セグメントを第１の長さに設定し、前記第１の時間セグメント中に、前記第２の表示デバイスに第１の一組のアドバタイズメントメッセージを伝送することと、
前記値が、前記分析物センサシステムが前記第２の表示デバイスとペアリングされなかったことを示す場合、前記第１の時間セグメントを第２の長さに設定し、前記第２の長さが前記第１の長さよりも短くなっており、前記第２の長さがゼロ秒でない場合、前記第１の時間セグメント中に、前記第２の表示デバイスに第２の一組のアドバタイズメントメッセージを伝送することと、を含む、方法。
【請求項６０】
前記値が、前記分析物センサシステムが前記第２の表示デバイスとペアリングされなかったことを示す場合、前記第２の長さをゼロ秒に設定することをさらに含む、請求項５９に記載の方法。
【請求項６１】
前記第２の長さが、約７秒である、請求項５９に記載の方法。
【請求項６２】
前記第１の長さが、約２０秒である、請求項６０に記載の方法。
【請求項６３】
近距離無線通信を介して受信したシグナリングに応答して、前記第１の時間セグメントを前記第１の長さに設定することをさらに含む、請求項５９に記載の方法。
【請求項６４】
前記値が、リストへのエントリであり、前記エントリが、前記第２の表示デバイスに対応する、請求項５９に記載の方法。
【請求項６５】
分析物データを無線通信するように構成された分析物センサシステムであって、前記分析物センサシステムが、
分析物センサと、
無線信号を伝送及び受信するように構成されたトランシーバと、
プロセッサであって、前記分析物センサ及び前記トランシーバに動作的に結合され、また、前記分析物センサシステムに、
前記分析物センサシステムが第２の表示デバイスとペアリングされたかどうかを示す値を評価することと、
前記値が、前記分析物センサシステムが前記第２の表示デバイスとペアリングされたことを示す場合、第１のアドバタイズメント持続時間の第１の時間セグメントを第１の長さに設定し、前記第１の時間セグメント中に、前記第２の表示デバイスに第１の一組のアドバタイズメントメッセージを伝送することと、
前記値が、前記分析物センサシステムが前記第２の表示デバイスとペアリングされなかったことを示す場合、前記第１の時間セグメントを第２の長さに設定し、前記第２の長さが、前記第１の長さよりも短くなっており、前記第２の長さがゼロ秒でない場合、前記第１の時間セグメント中に、前記第２の表示デバイスに第２の一組のアドバタイズメントメッセージを伝送することと、を行わせるように構成されたプロセッサと、を備える分析物センサシステム。
【請求項６６】
分析物センサシステムを分析物表示デバイス及び第２の表示デバイスに接続するための方法であって、前記方法が、
アドバタイズメント持続時間内の第１の時間セグメント中に、第１のアドバタイズメント間隔に従って、前記第２の表示デバイスに第１の一組のアドバタイズメントメッセージを伝送することと、
前記アドバタイズメント持続時間内の第２の時間セグメント中に、第２のアドバタイズメント間隔に従って、分析物表示デバイスに第２の一組のアドバタイズメントメッセージを伝送することと、を含み、
前記第１のアドバタイズメント間隔、前記第２のアドバタイズメント間隔、前記第１の時間セグメントの長さ、前記第２の時間セグメントの長さ、前記アドバタイズメント持続時間、及び前記第１及び第２の時間セグメントのシーケンス、のうちの１つまたは２つ以上が構成可能である、方法。
【請求項６７】
前記第１のアドバタイズメント間隔が、約２０ミリ秒〜約９０ミリ秒になるように構成可能である、請求項６６に記載の方法。
【請求項６８】
前記アドバタイズメント持続時間が、約２秒〜約９０秒で構成可能である、請求項６６に記載の方法。
【請求項６９】
前記第２の時間セグメントが前記第１の時間セグメントに先行するように、前記第１及び第２の時間セグメントの前記シーケンスを変更することをさらに含む、請求項６６に記載の方法。
【請求項７０】
前記分析物センサシステムが前記第２の表示デバイスとペアリングされたかどうかを示す値に基づいて、前記第１及び第２の時間セグメントの前記シーケンスを変更することをさらに含む、請求項６６に記載の方法。
【請求項７１】
前記分析物センサシステムと前記分析物表示デバイスとの接続の質の指示を取得することと、
前記質の前記指示に基づいて、前記第２の時間セグメントの前記長さ及び前記第２のアドバタイズメント間隔のうちの１つまたは２つ以上を修正することと、をさらに含む、請求項６６に記載の方法。
【請求項７２】
前記第２の時間セグメントの前記長さ及び前記第２のアドバタイズメント間隔のうちの１つまたは２つ以上を修正することが、前記分析物表示デバイスから受信した信号に応答して、前記分析物センサシステムによって行われる、請求項７１に記載の方法。
【請求項７３】
前記質の前記指示と閾値とを比較することをさらに含み、
前記質の前記指示が前記閾値を超えた場合、前記第２の時間セグメントの前記長さ及び前記第２のアドバタイズメント間隔のうちの１つまたは２つ以上を修正することが、
前記第２の時間セグメントの前記長さを減少させること、及び
前記第２のアドバタイズメント間隔を増加させること、のうちの１つまたは２つ以上を含み、
前記質の前記指示が、前記閾値未満であった場合、前記第２の時間セグメントの前記長さ及び前記第２のアドバタイズメント間隔のうちの１つまたは２つ以上を修正することが、
前記第２の時間セグメントの前記長さを増加させること、及び
前記第２のアドバタイズメント間隔を減少させること、のうちの１つまたは２つ以上を含む、請求項７１に記載の方法。
【請求項７４】
前記質が、受信信号強度指示（ＲＳＳＩ）及びリターントリップ遅延時間（ＲＴＤＴ）のうちの１つまたは２つ以上を使用して判定されている、請求項７１に記載の方法。
【請求項７５】
ＲＳＳＩ及びＲＴＤＴのうちの１つまたは２つ以上の測定を行うことと、
前記測定に基づいて、前記質を判定することと、をさらに含む、請求項７１に記載の方法。
【請求項７６】
前記測定を行うことが、前記分析物センサシステム及び前記分析物表示デバイスのうちの１つまたは２つ以上によって行われる、請求項７５に記載の方法。
【請求項７７】
前記分析物センサシステムと前記第２の表示デバイスとの接続の質の指示を取得することと、
前記質の前記指示に基づいて、前記第１の時間セグメントの前記長さ及び前記第１のアドバタイズメント間隔のうちの１つまたは２つ以上を修正することと、をさらに含む、請求項６６に記載の方法。
【請求項７８】
前記第１の時間セグメントの前記長さ及び前記第１のアドバタイズメント間隔のうちの１つまたは２つ以上を修正することが、前記分析物表示デバイスから受信した信号に応答して、前記分析物センサシステムによって行われる、請求項７７に記載の方法。
【請求項７９】
前記質の前記指示と閾値とを比較することをさらに含み、
前記質の前記指示が前記閾値を超えた場合、前記第１の時間セグメントの前記長さ及び前記第１のアドバタイズメント間隔のうちの１つまたは２つ以上を修正することが、
前記第１の時間セグメントの前記長さを減少させること、及び
前記第１のアドバタイズメント間隔を増加させること、のうちの１つまたは２つ以上を含み、
前記質の前記指示が、前記閾値未満であった場合、前記第１の時間セグメントの前記長さ及び前記第１のアドバタイズメント間隔のうちの１つまたは２つ以上を修正することが、
前記第１の時間セグメントの前記長さを増加させること、及び
前記第１のアドバタイズメント間隔を減少させること、のうちの１つまたは２つ以上を含む、請求項７７に記載の方法。
【請求項８０】
前記質が、ＲＳＳＩ及びＲＴＤＴのうちの１つまたは２つ以上を使用して判定されている、請求項７７に記載の方法。
【請求項８１】
ＲＳＳＩ及びＲＴＤＴのうちの１つまたは２つ以上の測定を行うことと、
前記測定に基づいて、前記質を判定することと、をさらに含む、請求項７７に記載の方法。
【請求項８２】
前記測定を行うことが、前記分析物センサシステム及び前記第２の表示デバイスのうちの１つまたは２つ以上によって行われる、請求項８１に記載の方法。
【請求項８３】
前記分析物センサシステムの場所及び前記第２の表示デバイスの場所のうちの１つまたは２つ以上に関連する指示に基づいて、前記第１の時間セグメントの前記長さ、前記第１のアドバタイズメント間隔、前記第２の時間セグメントの前記長さ、前記第２のアドバタイズメント間隔、ならびに前記第１及び第２の時間セグメントの前記シーケンス、のうちの１つまたは２つ以上を修正することをさらに含む、請求項６６に記載の方法。
【請求項８４】
前記分析物センサシステムの場所及び前記分析物表示デバイスの場所のうちの１つまたは２つ以上に関連する指示に基づいて、前記第２の時間セグメントの前記長さ、前記第２のアドバタイズメント間隔、ならびに前記第１及び第２の時間セグメントの前記シーケンス、のうちの１つまたは２つ以上を修正することをさらに含む、請求項６６に記載の方法。
【請求項８５】
日時に関連する指示に基づいて、前記第１の時間セグメントの前記長さ、前記第１のアドバタイズメント間隔、前記第２の時間セグメントの前記長さ、前記第２のアドバタイズメント間隔、ならびに前記第１及び第２の時間セグメントの前記シーケンス、のうちの１つまたは２つ以上を修正することをさらに含む、請求項６６に記載の方法。
【請求項８６】
前記分析物センサシステム用のバッテリ寿命の指示を生成することと、
前記バッテリ寿命の前記指示に基づいて、前記第１の時間セグメントの前記長さ、前記第１のアドバタイズメント間隔、前記第２の時間セグメントの前記長さ、前記第２のアドバタイズメント間隔、ならびに前記第１及び第２の時間セグメントの前記シーケンス、のうちの１つまたは２つ以上を修正することと、をさらに含む、請求項６６に記載の方法。
【請求項８７】
分析物データを無線通信するように構成された分析物センサシステムであって、前記分析物センサシステムが、
分析物センサと、
無線信号を伝送及び受信するように構成されたトランシーバと、
プロセッサであって、前記分析物センサ及び前記トランシーバに動作的に結合され、また、前記分析物センサシステムに、
アドバタイズメント持続時間内の第１の時間セグメント中に、第１のアドバタイズメント間隔に従って、第２の表示デバイスに第１の一組のアドバタイズメントメッセージを伝送することと、
前記アドバタイズメント持続時間内の第２の時間セグメント中に、第２のアドバタイズメント間隔に従って、分析物表示デバイスに第２の一組のアドバタイズメントメッセージを伝送することと、を行わせるように構成されたプロセッサと、を備え、
前記第１のアドバタイズメント間隔、前記第２のアドバタイズメント間隔、前記第１の時間セグメントの長さ、前記第２の時間セグメントの長さ、前記アドバタイズメント持続時間、ならびに前記第１及び第２の時間セグメントのシーケンス、のうちの１つまたは２つ以上が構成可能である、分析物センサシステム。
【請求項８８】
前記プロセッサが、前記分析物センサシステムに、前記第１及び第２の時間セグメントの前記シーケンスを変更させるようにさらに構成される、請求項８７に記載の分析物センサシステム。
【請求項８９】
前記分析物センサシステムが、前記第２の表示デバイスがリストに存在するかどうかを示す値に基づいて、前記第１及び第２の時間セグメントの前記シーケンスを変更する、請求項８８に記載の分析物センサシステム。
【請求項９０】
前記プロセッサが、前記分析物センサシステムに、
前記分析物表示デバイスに関連する入力パラメータの値を取得することと、
前記入力パラメータの前記値に基づいて、前記第２の時間セグメントの前記長さ及び前記第２のアドバタイズメント間隔のうちの１つまたは２つ以上を修正することと、を行わせるようにさらに構成される、請求項８７に記載の分析物センサシステム。
【請求項９１】
前記プロセッサが、前記分析物センサシステムに、
前記第２の表示デバイスに関連する入力パラメータの値を取得することと、
前記入力パラメータの前記値に基づいて、前記第１の時間セグメントの前記長さ及び前記第１のアドバタイズメント間隔のうちの１つまたは２つ以上を修正することと、を行わせるようにさらに構成される、請求項８７に記載の分析物センサシステム。
【請求項９２】
分析物センサシステムを分析物表示デバイス及び第２の表示デバイスに接続するための方法であって、前記方法が、
アドバタイズメント持続時間内の第１の時間セグメント中に、前記第２の表示デバイスに第１の一組のアドバタイズメントメッセージを伝送することと、
前記アドバタイズメント持続時間内の第２の時間セグメント中に、前記第２の時間セグメントの長さがゼロ秒に設定されていない場合、分析物表示デバイスに第２の一組のアドバタイズメントメッセージを伝送することと、
前記アドバタイズメント持続時間内の第３の時間セグメント中に、条件を満たした場合、前記第２の表示デバイスに第３の一組のアドバタイズメントメッセージを伝送することと、を含む、方法。
【請求項９３】
前記第１の一組のアドバタイズメントメッセージを伝送することが、第１のアドバタイズメント間隔に従って行われる、請求項９２に記載の方法。
【請求項９４】
前記第１のアドバタイズメント間隔が、約２０ミリ秒であり、前記第１の時間セグメントの長さが、約１０秒である、請求項９３に記載の方法。
【請求項９５】
前記第３の一組のアドバタイズメントメッセージを伝送することが、第３のアドバタイズメント間隔に従って行われる、請求項９２に記載の方法。
【請求項９６】
前記第３のアドバタイズメント間隔が、約１５２．５ミリ秒であり、前記第３の時間セグメントの長さが、約６０秒である、請求項９５に記載の方法。
【請求項９７】
前記第１の時間セグメント中に前記第２の表示デバイスが前記分析物センサシステムに接続しなかった場合に、前記条件を満たす、請求項９２に記載の方法。
【請求項９８】
前記第２の時間セグメントの前記長さをゼロに設定して、前記分析物表示デバイスへの接続を無効にすることをさらに含む、請求項９２に記載の方法。
【請求項９９】
前記分析物センサシステムと前記第２の表示デバイスとの接続の質の指示を取得することと、
前記質の前記指示に基づいて、前記条件を満たしたかどうかを判定することと、をさらに含む、請求項９２に記載の方法。
【請求項１００】
前記条件を満たしたかどうかを判定することが、前記第２の表示デバイスから受信した信号に応答して、前記分析物センサシステムによって行われる、請求項９９に記載の方法。
【請求項１０１】
前記条件を満たしたかどうかを判定することが、前記質の前記指示と閾値とを比較することを含む、請求項９９に記載の方法。
【請求項１０２】
前記質が、受信信号強度指示（ＲＳＳＩ）及びリターントリップ遅延時間（ＲＴＤＴ）のうちの１つまたは２つ以上を使用して判定されている、請求項９９に記載の方法。
【請求項１０３】
ＲＳＳＩ及びＲＴＤＴのうちの１つまたは２つ以上の測定を行うことと、
前記測定に基づいて、前記質を判定することと、をさらに含む、請求項９９に記載の方法。
【請求項１０４】
前記測定を行うことが、前記分析物センサシステム及び前記第２の表示デバイスのうちの１つまたは２つ以上によって行われる、請求項１０３に記載の方法。
【請求項１０５】
前記分析物センサシステムの場所及び前記第２の表示デバイスの場所のうちの１つまたは２つ以上に関連する指示に基づいて、前記条件を満たしたかどうかを判定することをさらに含む、請求項９２に記載の方法。
【請求項１０６】
日時に関連する指示に基づいて、前記条件を満たしたかどうかを判定することをさらに含む、請求項９２に記載の方法。
【請求項１０７】
前記分析物センサシステム用のバッテリ寿命の指示を生成することと、
前記バッテリ寿命の指示に基づいて、前記条件を満たしたかどうかを判定することと、をさらに含む、請求項９２に記載の方法。
【請求項１０８】
前記第１の時間セグメントが、前記第２の時間セグメントに先行し、前記第２の時間セグメントが、前記第３の時間セグメントに先行する、請求項９２に記載の方法。
【請求項１０９】
前記第２の時間セグメントが、前記第１の時間セグメントに先行し、前記第１の時間セグメントが、前記第３の時間セグメントに先行する、請求項９２に記載の方法。
【請求項１１０】
入力パラメータに基づいて、前記第２の時間セグメントが前記第１の時間セグメントに先行するように、及び前記第１の時間セグメントが前記第３の時間セグメントに先行するように構成することをさらに含む、請求項９２に記載の方法。
【請求項１１１】
前記入力パラメータが、前記分析物表示デバイスの場所及び前記第２の表示デバイスの場所のうちの１つまたは２つ以上に基づく、請求項１１０に記載の方法。
【請求項１１２】
前記入力パラメータが、前記分析物センサシステムとの接続の質の指示に基づく、請求項１１０に記載の方法。
【請求項１１３】
前記指示が、受信信号強度及びリターントリップ遅延時間のうちの１つまたは２つ以上に基づいて決定されている、請求項１１２に記載の方法。
【請求項１１４】
前記入力パラメータが、日時に基づく、請求項１１０に記載の方法。
【請求項１１５】
前記入力パラメータが、前記分析物センサシステムのバッテリ寿命の指示に基づく、請求項１１０に記載の方法。
【請求項１１６】
分析物データを無線通信するためのシステムであって、前記システムが、
アドバタイズメント持続時間中に、複数の表示デバイスのうちの１つまたは２つ以上に分析物センサデータ及びアドバタイズメントメッセージを伝送するように構成された、分析物センサシステムと、
前記複数の表示デバイスのうちの第２の表示デバイスであって、前記第２の表示デバイスが、前記アドバタイズメント持続時間内の第１の時間セグメント中に、前記分析物センサシステムから伝送された第１の一組のアドバタイズメントメッセージを受信し、応答するように構成された、第２の表示デバイスと、
前記複数の表示デバイスのうちの分析物表示デバイスであって、前記分析物表示デバイスが、前記アドバタイズメント持続時間内の第２の時間セグメント中に、前記第２の時間セグメントの長さがゼロ秒に設定されていない場合、前記分析物センサシステムから伝送された第２の一組のアドバタイズメントメッセージを受信し、応答するように構成された、分析物表示デバイスと、を備え、
前記第２の表示デバイスが、条件を満たした場合、前記アドバタイズメント持続時間の第３の時間セグメント中に、第３の一組のアドバタイズメントメッセージを受信するようにさらに構成される、システム。
【請求項１１７】
前記第１の時間セグメント中に前記第２の表示デバイスが前記分析物センサシステムに接続しなかった場合に、前記条件を満たす、請求項１１６に記載のシステム。
【請求項１１８】
前記分析物センサシステムが、前記第２の時間セグメントの前記長さを設定して、ゼロに、前記分析物表示デバイスへの接続を無効にするようにさらに構成される、請求項１１６に記載のシステム。
【請求項１１９】
前記分析物センサシステム、前記第２の表示デバイス、及び前記分析物表示デバイス、のうちの１つまたは２つ以上が、前記分析物センサシステムに対して行われる１つまたは２つ以上の接続に関する指示を取得し、前記指示に基づいて、前記条件を満たしたかどうかを判定するようにさらに構成される、請求項１１６に記載のシステム。
【請求項１２０】
前記分析物センサシステム、前記第２の表示デバイス、及び前記分析物表示デバイス、のうちの１つまたは２つ以上が、指示と閾値とを比較することによって、前記条件を満たしたかどうかを判定するようにさらに構成される、請求項１１６に記載のシステム。
【請求項１２１】
前記第１の時間セグメントが、前記第２の時間セグメントに先行し、前記第２の時間セグメントが、前記第３の時間セグメントに先行する、請求項１１６に記載のシステム。
【請求項１２２】
前記第２の時間セグメントが、前記第１の時間セグメントに先行し、前記第１の時間セグメントが、前記第３の時間セグメントに先行する、請求項１１６に記載のシステム。
【請求項１２３】
前記分析物センサシステムが、入力パラメータに基づいて、前記第２の時間セグメントを前記第１の時間セグメントに先行して配設し、前記第１の時間セグメントを前記第３の時間セグメントに先行して配設するようにさらに構成される、請求項１１６に記載のシステム。
【請求項１２４】
前記入力パラメータが、前記分析物表示デバイスの場所及び前記第２の表示デバイスの場所のうちの１つまたは２つ以上に基づく、請求項１２３に記載のシステム。
【請求項１２５】
前記入力パラメータが、前記分析物センサシステムとの接続の質、日時、及び前記分析物センサシステムのバッテリ寿命、の１つまたは２つ以上の指示に基づく、請求項１２３に記載のシステム。
【請求項１２６】
分析物データを無線通信するように構成された分析物センサシステムであって、前記分析物センサシステムが、
分析物センサと、
無線信号を伝送及び受信するように構成されたトランシーバと、
プロセッサであって、前記分析物センサ及び前記トランシーバに動作的に結合され、また、前記分析物センサシステムに、
アドバタイズメント持続時間内の第１の時間セグメント中に、第２の表示デバイスに第１の一組のアドバタイズメントメッセージを伝送することと、
前記アドバタイズメント持続時間内の第２の時間セグメント中に、前記第２の時間セグメントの長さがゼロ秒に設定されていない場合、分析物表示デバイスに第２の一組のアドバタイズメントメッセージを伝送することと、
前記アドバタイズメント持続時間内の第３の時間セグメント中に、条件を満たした場合、前記第２の表示デバイスに第３の一組のアドバタイズメントメッセージを伝送することと、を行わせるように構成されたプロセッサと、を備える、分析物センサシステム。
【請求項１２７】
前記第１の時間セグメント中に前記第２の表示デバイスが前記分析物センサシステムに接続しなかった場合に、前記条件を満たす、請求項１２６に記載の分析物センサシステム。
【請求項１２８】
前記プロセッサが、前記分析物センサシステムに、前記第２の時間セグメントの前記長さを設定させてゼロに、前記分析物表示デバイスへの接続を無効にさせるようにさらに構成される、請求項１２６に記載の分析物センサシステム。
【請求項１２９】
前記プロセッサが、前記分析物センサシステムに、前記分析物センサシステムに対して行われる１つまたは２つ以上の接続に関する指示を取得させ、前記指示に基づいて、前記条件を満たしたかどうかを判定させるようにさらに構成される、請求項１２６に記載の分析物センサシステム。
【請求項１３０】
前記プロセッサが、前記分析物センサシステムに、前記指示と閾値とを比較することによって、前記条件を満たしたかどうかを判定させるようにさらに構成される、請求項１２９に記載の分析物センサシステム。
【請求項１３１】
前記第１の時間セグメントが、前記第２の時間セグメントに先行し、前記第２の時間セグメントが、前記第３の時間セグメントに先行する、請求項１２６に記載の分析物センサシステム。
【請求項１３２】
前記第２の時間セグメントが、前記第１の時間セグメントに先行し、前記第１の時間セグメントが、前記第３の時間セグメントに先行する、請求項１２６に記載の分析物センサシステム。
【請求項１３３】
前記プロセッサが、入力パラメータに基づいて、前記第２の時間セグメントが前記第１の時間セグメントに先行するべきであること、及び前記第１の時間セグメントが前記第３の時間セグメントに先行するべきであることを示すようにさらに構成される、請求項１２６に記載の分析物センサシステム。
【請求項１３４】
前記入力パラメータが、前記分析物センサシステムの場所及び前記第２の表示デバイスの場所のうちの１つまたは２つ以上に基づく、請求項１３３に記載の分析物センサシステム。
【請求項１３５】
前記入力パラメータが、前記分析物センサシステムとの接続の質、日時、及び前記分析物センサシステムのバッテリ寿命、の１つまたは２つ以上の指示に基づく、請求項１３３に記載の分析物センサシステム。
【請求項１３６】
分析物データを無線通信するように構成された表示デバイスであって、前記表示デバイスが、
無線信号を伝送及び受信するように構成されたトランシーバと、
プロセッサであって、前記トランシーバに動作的に結合され、また、モバイルデバイスに、
アドバタイズメント持続時間内の第１の時間セグメント中に、分析物センサシステムによって送信された第１の一組のアドバタイズメントメッセージを受信し、応答することと、
前記アドバタイズメント持続時間内の第２の時間セグメント中に、前記分析物センサシステムによって送信された第２の一組のアドバタイズメントメッセージを受信するが、応答しないことと、
前記アドバタイズメント持続時間内の第３の時間セグメント中に、前記分析物センサシステムによって送信された第３の一組のアドバタイズメントメッセージを受信し、条件を満たした場合に応答することと、を行わせるように構成されたプロセッサと、を備える、表示デバイス。
【請求項１３７】
前記第１の時間セグメント中に前記表示デバイスが前記分析物センサシステムに接続しなかった場合に、前記条件を満たす、請求項１３６に記載の表示デバイス。
【請求項１３８】
前記プロセッサが、前記表示デバイスに、前記分析物センサシステムに対して行われる１つまたは２つ以上の接続に関する指示を取得させ、前記指示に基づいて、前記条件を満たしたかどうかを判定させるようにさらに構成される、請求項１３６に記載の表示デバイス。
【請求項１３９】
前記プロセッサが、前記表示デバイスに、前記指示と閾値とを比較することによって、前記条件を満たしたかどうかを判定させるようにさらに構成される、請求項１３８に記載の表示デバイス。
【請求項１４０】
前記第１の時間セグメントが、前記第２の時間セグメントに先行し、前記第２の時間セグメントが、前記第３の時間セグメントに先行する、請求項１３６に記載の表示デバイス。
【請求項１４１】
前記第２の時間セグメントが、前記第１の時間セグメントに先行し、前記第１の時間セグメントが、前記第３の時間セグメントに先行する、請求項１３６に記載の表示デバイス。
【請求項１４２】
前記プロセッサが、入力パラメータに基づいて、表示デバイスに、前記第２の時間セグメントが前記第１の時間セグメントに先行するべきであること、及び前記第１の時間セグメントが前記第３の時間セグメントに先行するべきであることを示させるようにさらに構成される、請求項１３６に記載の表示デバイス。
【請求項１４３】
前記入力パラメータが、前記表示デバイスの場所に基づく、請求項１４２に記載の表示デバイス。
【請求項１４４】
前記入力パラメータが、前記分析物センサシステムとの接続の質、日時、及び前記分析物センサシステムのバッテリ寿命、の１つまたは２つ以上の指示に基づく、請求項１４２に記載の表示デバイス。
【請求項１４５】
分析物データを無線通信するための方法であって、前記方法が、
第１のアドバタイズメント期間中に、分析物センサシステムが、第１のアドレスを含む第１のアドバタイズメントメッセージを伝送することと、
第２のアドバタイズメント期間中に、前記分析物センサシステムと分析物表示デバイスとの間の第１の接続が確立された場合、前記分析物センサシステムが、１つまたは２つ以上の第２の表示デバイスに固有の第２のアドレスを含む第２のアドバタイズメントメッセージを伝送することと、
前記第２のアドバタイズメント期間中に、前記分析物センサシステムと前記１つまたは２つ以上の第２の表示デバイスとの間の第２の接続が確立された場合、前記分析物表示デバイスに固有の第３のアドレスを含む第３のアドバタイズメントメッセージを伝送することと、を含む、方法。
【請求項１４６】
前記第１及び第２のアドバタイズメント期間が、一般的なアドバタイジング期間である、請求項１４５に記載の方法。
【請求項１４７】
前記第１のアドレスが、前記分析物表示デバイスと前記１つまたは２つ以上の第２の表示デバイスとの間で共通である、請求項１４５に記載の方法。
【請求項１４８】
リストが、前記分析物表示デバイス及び第１の表示デバイスを含むかどうかを評価することと、
前記リストが、前記分析物表示デバイス及び前記第１の表示デバイスを含む場合、
前記１つまたは２つ以上の第２の表示デバイスに、前記第２のアドバタイズメントメッセージを伝送するための第３のアドバタイジング期間の第１の時間セグメントを割り当てることと、
前記分析物表示デバイスに、前記第３のアドバタイズメントメッセージを伝送するための前記第３のアドバタイジング期間の第２の時間セグメントを割り当てることと、をさらに含む、請求項１４５に記載の方法。
【請求項１４９】
前記リストに前記分析物表示デバイスを含むことが、前記分析物センサシステムが前記分析物表示デバイスに接続したことを示し、前記リストに前記第１の表示デバイスを含むことが、前記分析物センサシステムが前記第１の表示デバイスに接続したことを示す、請求項１４８に記載の方法。
【請求項１５０】
前記１つまたは２つ以上の第２の表示デバイスが、パーソナル電子デバイスを備える、請求項１４５に記載の方法。
【請求項１５１】
前記パーソナル電子デバイスが、スマートフォン、スマートウォッチ、タブレット、コンピュータ、及びテレビ、のうちの１つまたは２つ以上を備える、請求項１５０に記載の方法。
【請求項１５２】
分類スキームに従って、一組の前記１つまたは２つ以上の第２の表示デバイスを定義することをさらに含む、請求項１４５に記載の方法。
【請求項１５３】
前記分析物表示デバイスへの接続の予期しない損失に応答して、前記分析物センサシステムが、前記第３のアドバタイズメントメッセージを伝送することと、
第１の表示デバイスへの接続の予期しない損失に応答して、前記分析物センサシステムが、前記第２のアドバタイズメントメッセージを伝送することと、をさらに含む、請求項１４５に記載の方法。
【請求項１５４】
前記第２のアドレスが、第１の一組の前記第２の表示デバイスに固有であり、第４のアドレスが、第２の一組の前記第２の表示デバイスに固有であり、前記方法が、
前記第１及び第２の一組の前記第２の表示デバイスの間で、前記分析物センサシステムへの接続の相対的な質の指示、
前記第１の一組の前記第２の表示デバイスの場所及び前記第２の一組の前記第２の表示デバイスの場所のうちの１つまたは２つ以上に関連する指示、
日時に関連する指示、及び
前記分析物センサシステムのバッテリ寿命に関連する指示、のうちの１つまたは２つ以上に基づいて、伝送するための前記第２及び第４のアドレスの間で選択することをさらに含む、請求項１４５に記載の方法。
【請求項１５５】
分析物データを無線通信するように構成された分析物センサシステムであって、前記分析物センサシステムが、
分析物センサと、
無線信号を伝送及び受信するように構成されたトランシーバと、
プロセッサであって、前記分析物センサ及び前記トランシーバに動作的に結合され、また、前記分析物センサシステムに、
第１のアドバタイズメント期間中に、第１のアドレスを含む第１のアドバタイズメントメッセージを伝送することと、
第２のアドバタイズメント期間中に、前記分析物センサシステムと分析物表示デバイスとの間の第１の接続が確立された場合、１つまたは２つ以上の第２の表示デバイスに固有の第２のアドレスを含む第２のアドバタイズメントメッセージを伝送することと、
前記第２のアドバタイズメント期間中に、前記分析物センサシステムと前記１つまたは２つ以上の第２の表示デバイスの第１の表示デバイスとの間の第２の接続が確立された場合、前記分析物表示デバイスに固有の第３のアドレスを含む第３のアドバタイズメントメッセージを伝送することと、を行わせるように構成されたプロセッサと、を備える、分析物センサシステム。
【請求項１５６】
前記第１及び第２のアドバタイズメント期間が、一般的なアドバタイジング期間である、請求項１５５に記載の分析物センサシステム。
【請求項１５７】
前記第１のアドレスが、前記分析物表示デバイスと前記１つまたは２つ以上の第２の表示デバイスとの間で共通である、請求項１５５に記載の分析物センサシステム。
【請求項１５８】
前記プロセッサが、前記分析物センサシステムに、
リストが前記分析物表示デバイス及び前記第１の表示デバイスを含むかどうかを評価させ、前記リストが前記分析物表示デバイス及び前記第１の表示デバイスを含む場合、
前記第２のアドバタイズメントメッセージを伝送するための第３のアドバタイジング期間の第１の時間セグメントを、前記１つまたは２つ以上の第２の表示デバイスに割り当てることと、
前記第３のアドバタイズメントメッセージを伝送するための前記第３のアドバタイジング期間の第２の時間セグメントを、前記分析物表示デバイスに割り当てることと、を行わせるようにさらに構成される、請求項１５５に記載の分析物センサシステム。
【請求項１５９】
リストに前記分析物表示デバイスを含むことが、前記分析物センサシステムが前記分析物表示デバイスに以前に接続したことを示し、前記リストに前記第１の表示デバイスを含むことが、前記分析物センサシステムが前記第１の表示デバイスに以前に接続したことを示す、請求項１５５に記載の分析物センサシステム。
【請求項１６０】
前記１つまたは２つ以上の第２の表示デバイスが、パーソナル電子デバイスを備える、請求項１５５に記載の分析物センサシステム。
【請求項１６１】
前記パーソナル電子デバイスが、スマートフォン、スマートウォッチ、タブレット、コンピュータ、及びテレビ、のうちの１つまたは２つ以上を備える、請求項１６０に記載の分析物センサシステム。
【請求項１６２】
前記プロセッサが、前記分析物センサシステムに、分類スキームに従って、一組の前記１つまたは２つ以上の第２の表示デバイスを定義させるようにさらに構成される、請求項１５５に記載の分析物センサシステム。
【請求項１６３】
前記プロセッサが、前記分析物センサシステムに、
前記分析物表示デバイスへの接続の予期しない損失に応答して、前記第３のアドバタイズメントメッセージを伝送することと、
前記第１の表示デバイスへの接続の予期しない損失に応答して、前記第２のアドバタイズメントメッセージを伝送することと、を行わせるようにさらに構成される、請求項１５５に記載の分析物センサシステム。
【請求項１６４】
前記第２のアドレスが、第１の一組の前記第２の表示デバイスに固有であり、第４のアドレスが、第２の一組の前記第２の表示デバイスに固有であり、前記プロセッサが、前記分析物センサシステムに、
前記第１及び第２の一組の表示デバイスの間で、前記分析物センサシステムへの接続の相対的な質の指示、
前記第１の一組の表示デバイスの場所及び前記第２の一組の表示デバイスの場所のうちの１つまたは２つ以上に関連する指示、
日時に関連する指示、及び
前記分析物センサシステムのバッテリ寿命に関連する指示、のうちの１つまたは２つ以上に基づいて、伝送するための前記第２及び第４のアドレスの間で選択させるようにさらに構成される、請求項１５５に記載の分析物センサシステム。
【請求項１６５】
分析物データを無線通信するためのシステムであって、前記システムが、
分析物表示デバイスと、
１つまたは２つ以上の第２の表示デバイスと、
分析物センサシステムであって、無線信号を処理、伝送、及び受信するように構成された回路を備え、また、前記分析物センサシステムに、
第１のアドバタイズメント期間中に、第１のアドレスを含む第１のアドバタイズメントメッセージを伝送することと、
第２のアドバタイズメント期間中に、前記分析物センサシステムと前記分析物表示デバイスとの間の第１の接続が確立された場合、前記第２の表示デバイスの１つまたは２つ以上に固有の第２のアドレスを含む第２のアドバタイズメントメッセージを伝送することと、
第２のアドバタイズメント期間中に、前記分析物センサシステムと前記１つまたは２つ以上の第２の表示デバイスの第１の表示デバイスとの間の第２の接続が確立された場合、前記分析物表示デバイスに固有の第３のアドレスを含む第３のアドバタイズメントメッセージを伝送することと、
リストが前記分析物表示デバイス及び前記第１の表示デバイスを含むかどうかを評価させ、前記リストが前記分析物表示デバイス及び前記第１の表示デバイスを含む場合、
前記第２のアドバタイズメントメッセージを伝送するための第３のアドバタイジング期間の第１の時間セグメントを、前記１つまたは２つ以上の第２の表示デバイスに割り当てることと、
前記第３のアドバタイズメントメッセージを伝送するための前記第３のアドバタイジング期間の第２の時間セグメントを、前記分析物表示デバイスに割り当てることと、を行わせるようにさらに構成された、分析物センサシステムと、を備える、システム。
【請求項１６６】
分析物データを無線通信するための方法であって、前記方法が、
第１のアドバタイズメント期間中に、分析物センサシステムが、
第１のアドレスを備え、前記第１のアドレスが１つまたは２つ以上の表示デバイスに固有である、第１のアドバタイズメントメッセージ、及び
第２のアドレスを備え、前記第２のアドレスが分析物表示デバイスに固有である、第２のアドバタイズメントメッセージ、のうちの１つを伝送することと、
前記第１のアドバタイズメント期間の後の第２のアドバタイズメント期間中に、前記分析物センサシステムと前記１つまたは２つ以上の表示デバイスの第１の表示デバイスとの間の第１の接続が確立された場合、
前記第２のアドバタイズメントメッセージを伝送することと、
前記第１のアドバタイズメント期間の後の第３のアドバタイズメント期間中に、前記分析物センサシステムと前記分析物表示デバイスとの間の第２の接続が確立された場合、
前記第１のアドバタイズメントメッセージを伝送することと、を含む、方法。
【請求項１６７】
前記第１のアドバタイズメント期間の前に、前記分析物表示デバイス及び前記１つまたは２つ以上の表示デバイスに関する情報を受信することをさらに含む、請求項１６６に記載の方法。
【請求項１６８】
前記情報を受信することが、ＮＦＣによって行われる、請求項１６６に記載の方法。
【請求項１６９】
前記情報を受信することが、前記分析物センサシステムをプログラムすることによって行われる、請求項１６６に記載の方法。
【請求項１７０】
分析物データを無線通信するための方法であって、前記方法が、
分析物センサシステムが、前記分析物センサシステムに接続することができる複数の表示デバイスのうちの１つまたは２つ以上の選好レベルに関する指示を受信することと、
前記指示に応答して、前記選好をサポートするプロシージャを実施することと、を含む、方法。
【請求項１７１】
前記分析物センサシステムが、前記プロシージャが実施されている旨の指示を含むメッセージを伝送することをさらに含む、請求項１７０に記載の方法。
【請求項１７２】
前記プロシージャを実施することが、前記１つまたは２つ以上の表示デバイスの全体的な選好レベルのリストのメンテナンスを修正することを含む、請求項１７０に記載の方法。
【請求項１７３】
前記リストの前記メンテナンスを修正することが、
前記指示に従って、前記１つまたは２つ以上の表示デバイスをリストに保持することと、
接続に利用できなくなる前記１つまたは２つ以上の表示デバイスのうちのいずれかを、前記リストから削除することを可能にすることと、を含む、請求項１７２に記載の方法。
【請求項１７４】
前記リストの前記メンテナンスを修正することが、前記指示に従って、前記複数の表示デバイスのうちの１つまたは２つ以上を前記リストに加えることを含む、請求項１７２に記載の方法。
【請求項１７５】
前記リストの前記メンテナンスを修正することが、前記指示に従って、前記複数の表示デバイスのうちの１つまたは２つ以上を前記リストから削除することを含む、請求項１７２に記載の方法。
【請求項１７６】
前記複数の表示デバイスのうちの前記１つまたは２つ以上を前記リストから削除した旨の指示を含むメッセージを伝送することをさらに含む、請求項１７５に記載の方法。
【請求項１７７】
前記リストが、前記分析物センサシステムに以前に接続した前記複数の表示デバイスのうちの１つまたは２つ以上を表す、請求項１７２に記載の方法。
【請求項１７８】
前記リストが、ホワイトリストである、請求項１７２に記載の方法。
【請求項１７９】
前記プロシージャを実施することが、前記指示に従って、前記分析物センサシステムが、前記１つまたは２つ以上の表示デバイスのうちの少なくとも１つに固有のアドレスを含むアドバタイズメントメッセージを伝送することを含む、請求項１７０に記載の方法。
【請求項１８０】
前記プロシージャを実施することが、前記指示に従って、前記分析物センサシステムが、前記１つまたは２つ以上の表示デバイスの各々について、前記表示デバイスに固有のアドバタイズメントメッセージを伝送することを含む、請求項１７０に記載の方法。
【請求項１８１】
前記選好が、前記表示デバイスの１つまたは２つ以上の優先順位付けを含む、請求項１７０に記載の方法。
【請求項１８２】
前記プロシージャを実施することが、前記優先順位付けに基づく構成を使用して、前記分析物センサシステムが、前記１つまたは２つ以上の表示デバイスの各々について、前記表示デバイスに固有のアドバタイズメントメッセージを伝送することを含む、請求項１８１に記載の方法。
【請求項１８３】
前記プロシージャを実施することが、前記優先順位付けに基づく順序で、前記分析物センサシステムが、前記１つまたは２つ以上の表示デバイスの各々について、前記表示デバイスに固有のアドバタイズメントメッセージを伝送することを含む、請求項１８１に記載の方法。
【請求項１８４】
前記指示が、前記複数の表示デバイスのうちの１つで動作するモバイルアプリケーションを介して、ユーザから受信されている、請求項１７０に記載の方法。
【請求項１８５】
前記指示が、前記複数の表示デバイスのうちの第１から第２に切り換える命令を含み、前記命令が、グラフィカルユーザインターフェース（ＧＵＩ）を介して生成されたものである、請求項１７０に記載の方法。
【請求項１８６】
分析物データを無線通信するように構成された分析物センサシステムであって、前記分析物センサシステムが、
分析物センサと、
無線信号を伝送及び受信するように構成されたトランシーバと、
プロセッサであって、前記分析物センサ及び前記トランシーバに動作的に結合され、また、前記分析物センサシステムに、
前記分析物センサシステムに接続することができる複数の表示デバイスのうちの１つまたは２つ以上の選好レベルに関する指示を受信することと、
前記指示に応答して、前記選好をサポートするプロシージャを実施することと、を行わせるように構成されたプロセッサと、を含む、分析物センサシステム。
【請求項１８７】
前記プロセッサが、前記分析物センサシステムに、前記プロシージャが実施されている旨の指示を含むメッセージを伝送させるようにさらに構成される、請求項１８６に記載の分析物センサシステム。
【請求項１８８】
前記プロシージャを実施するために、前記プロセッサが、前記分析物センサシステムに、前記１つまたは２つ以上の表示デバイスの全体的な選好レベルのリストのメンテナンスを修正させるようにさらに構成される、請求項１８６に記載の分析物センサシステム。
【請求項１８９】
前記リストの前記メンテナンスを修正するために、前記プロセッサが、
前記指示に従って、前記１つまたは２つ以上の表示デバイスをリストに保持し、
接続に利用できなくなる前記１つまたは２つ以上の表示デバイスのうちのいずれかを、前記リストから削除することを可能にするようにさらに構成される、請求項１８８に記載の分析物センサシステム。
【請求項１９０】
前記リストの前記メンテナンスを修正するために、前記プロセッサが、前記指示に従って、前記複数の表示デバイスのうちの１つまたは２つ以上を前記リストに加えるようにさらに構成される、請求項１８８に記載の分析物センサシステム。
【請求項１９１】
前記リストの前記メンテナンスを修正するために、前記プロセッサが、前記指示に従って、前記複数の表示デバイスのうちの１つまたは２つ以上を前記リストから削除するようにさらに構成される、請求項１８８に記載の分析物センサシステム。
【請求項１９２】
前記プロセッサが、前記複数の表示デバイスのうちの前記１つまたは２つ以上を前記リストから削除した旨の指示を含むメッセージを伝送するようにさらに構成される、請求項１９１に記載の分析物センサシステム。
【請求項１９３】
前記リストが、前記分析物センサシステムに以前に接続した前記複数の表示デバイスのうちの１つまたは２つ以上を表す、請求項１８８に記載の分析物センサシステム。
【請求項１９４】
前記リストが、ホワイトリストである、請求項１８８に記載の分析物センサシステム。
【請求項１９５】
前記プロシージャを実施するために、前記プロセッサが、前記指示に従って、前記１つまたは２つ以上の表示デバイスのうちの少なくとも１つに固有のアドレスを含むアドバタイズメントメッセージを伝送するようにさらに構成される、請求項１８６に記載の分析物センサシステム。
【請求項１９６】
前記プロシージャを実施するために、前記プロセッサが、前記指示に従って、前記１つまたは２つ以上の表示デバイスの各々について、前記表示デバイスに固有のアドバタイズメントメッセージを伝送するようにさらに構成される、請求項１８６に記載の分析物センサシステム。
【請求項１９７】
前記選好が、前記表示デバイスの１つまたは２つ以上の優先順位付けを含む、請求項１８６に記載の分析物センサシステム。
【請求項１９８】
前記プロシージャを実施するために、前記プロセッサが、前記優先順位付けに基づく構成に従って、前記１つまたは２つ以上の表示デバイスの各々について、前記表示デバイスに固有のアドバタイズメントメッセージを伝送するようにさらに構成される、請求項１９７に記載の分析物センサシステム。
【請求項１９９】
前記プロシージャを実施するために、前記プロセッサが、前記優先順位付けに基づく順序で、前記１つまたは２つ以上の表示デバイスの各々について、前記表示デバイスに固有のアドバタイズメントメッセージを伝送するようにさらに構成される、請求項１９７に記載の分析物センサシステム。
【請求項２００】
前記指示が、前記複数の表示デバイスのうちの１つで動作するモバイルアプリケーションを介して、ユーザから受信されている、請求項１８６に記載の分析物センサシステム。
【請求項２０１】
前記指示が、前記複数の表示デバイスのうちの第１から第２に切り換える命令を含み、前記命令が、グラフィカルユーザインターフェース（ＧＵＩ）を介して生成されたものである、請求項１８６に記載の分析物センサシステム。
【請求項２０２】
分析物データを無線通信するための方法であって、前記方法が、
モバイルデバイスが、分析物センサシステムに接続することができる複数の表示デバイスのうちの１つまたは２つ以上の選好レベルに関する指示を受信することと、
前記指示に応答して、前記選好をサポートするプロシージャを実施することと、を含む、方法。
【請求項２０３】
前記プロシージャを開始することが、前記モバイルデバイスが、前記分析物センサシステムにメッセージを伝送することを含み、前記メッセージが、前記プロシージャを実施するべきである旨の指示を含む、請求項２０２に記載の方法。
【請求項２０４】
前記モバイルデバイスが、前記プロシージャが実施されている旨の指示を含むメッセージを前記分析物センサシステムから受信することをさらに含む、請求項２０２に記載の方法。
【請求項２０５】
前記プロシージャが、前記モバイルデバイスによって表示されるＧＵＩを介して受信したユーザ入力に応答して、前記１つまたは２つ以上の表示デバイスの全体的な選好レベルのリストのメンテナンスを修正することを含む、請求項２０２に記載の方法。
【請求項２０６】
前記リストの前記メンテナンスを修正することが、前記ユーザ入力に従って、前記複数の表示デバイスのうちの１つまたは２つ以上を前記リストに加えることを含む、請求項２０５に記載の方法。
【請求項２０７】
前記リストの前記メンテナンスを修正することが、前記ユーザ入力に従って、前記複数の表示デバイスのうちの１つまたは２つ以上をリストから削除することを含む、請求項２０６に記載の方法。
【請求項２０８】
前記モバイルデバイスが、前記ユーザ入力に基づいて、前記複数の表示デバイスのうちの前記１つまたは２つ以上が前記リストに加えられた、または該リストから削除された旨の指示を含むメッセージを受信することをさらに含む、請求項２０７に記載の方法。
【請求項２０９】
前記プロシージャが、前記モバイルデバイスによって表示されるＧＵＩを介して受信したユーザ入力に基づいて、前記モバイルデバイスが、前記１つまたは２つ以上の表示デバイスの各々について、前記表示デバイスに固有のアドバタイズメントメッセージを受信することを含む、請求項２０２に記載の方法。
【請求項２１０】
前記指示が、前記モバイルデバイスで動作するモバイルアプリケーションによって前記モバイルデバイスのディスプレイに提示されるＧＵＩを介して、ユーザから受信されている、請求項２０２に記載の方法。
【請求項２１１】
前記指示が、前記複数の表示デバイスのうちの第１から第２に切り換える命令を含む、請求項２１０に記載の方法。
【請求項２１２】
前記モバイルデバイスが、前記複数の表示デバイスのうちの前記第１または前記第２のうちの１つである、請求項２１１に記載の方法。
【請求項２１３】
分析物データを無線通信するように構成されたモバイルデバイスであって、前記モバイルデバイスが、
前記モバイルデバイスのユーザにＧＵＩを提示するように構成されたディスプレイと、
無線信号を伝送及び受信するように構成されたトランシーバと、
プロセッサであって、前記ディスプレイ及び前記トランシーバに動作的に結合され、また、前記モバイルデバイスに、
分析物センサシステムに接続することができる複数の表示デバイスのうちの１つまたは２つ以上の選好レベルに関する指示を受信することと、
前記指示に応答して、前記選好をサポートするプロシージャを実施することと、を行わせるように構成されたプロセッサと、を備える、モバイルデバイス。
【請求項２１４】
前記プロセッサが、前記モバイルデバイスに、前記分析物センサシステムにメッセージを伝送させるようにさらに構成され、前記メッセージが、前記プロシージャを実施するべきである旨の指示を含む、請求項２１３に記載のモバイルデバイス。
【請求項２１５】
前記プロセッサが、前記モバイルデバイスに、前記プロシージャが実施されている旨の指示を含むメッセージを前記分析物センサシステムから受信させるようにさらに構成される、請求項２１３に記載のモバイルデバイス。
【請求項２１６】
前記プロセッサが、前記モバイルデバイスに、前記モバイルデバイスによって表示されるＧＵＩを介して受信したユーザ入力に応答して、前記１つまたは２つ以上の表示デバイスの全体的な選好レベルのリストのメンテナンスの修正を開始させるようにさらに構成される、請求項２１３に記載のモバイルデバイス。
【請求項２１７】
前記リストのメンテナンスの修正と関連して、前記プロセッサが、前記ユーザ入力に従って、前記モバイルデバイスに、前記複数の表示デバイスのうちの１つまたは２つ以上を前記リストに加えるための命令を生成させるようにさらに構成される、請求項２１６に記載のモバイルデバイス。
【請求項２１８】
前記リストのメンテナンスの修正と関連して、前記プロセッサが、前記ユーザ入力に従って、前記モバイルデバイスに、前記複数の表示デバイスのうちの１つまたは２つ以上を前記リストから削除するための命令を生成させるようにさらに構成される、請求項２１７に記載のモバイルデバイス。
【請求項２１９】
前記プロセッサが、前記モバイルデバイスに、前記ユーザ入力に基づいて、前記複数の表示デバイスのうちの前記１つまたは２つ以上が前記リストに加えられた、または該リストから削除された旨の指示を含むメッセージを受信させるようにさらに構成される、請求項２１６に記載のモバイルデバイス。
【請求項２２０】
前記リストのメンテナンスの修正と関連して、前記プロセッサが、前記ＧＵＩを介して受信したユーザ入力に基づいて、前記モバイルデバイスに、前記モバイルデバイスに固有のアドバタイズメントメッセージを受信させるようにさらに構成される、請求項２１６に記載のモバイルデバイス。
【請求項２２１】
前記指示が、前記モバイルデバイスで動作するモバイルアプリケーションによって前記モバイルデバイスのディスプレイに提示されるＧＵＩを介して、ユーザから受信されている、請求項２１３に記載のモバイルデバイス。
【請求項２２２】
前記指示が、前記複数の表示デバイスのうちの第１から第２に切り換える命令を含む、請求項２２１に記載のモバイルデバイス。
【請求項２２３】
前記モバイルデバイスが、前記複数の表示デバイスのうちの前記第１または前記第２のうちの１つである、請求項２２２に記載のモバイルデバイス。
【請求項２２４】
分析物データを無線通信するための方法であって、前記方法が、
モバイルデバイスが、分析物センサシステムに接続することができる複数の表示デバイスのうちの１つまたは２つ以上の選好レベルに関する指示を受信することと、
前記モバイルデバイスが、分析物センサシステムに前記指示を伝送することと、
前記分析物センサシステムが、前記指示を受信することと、
前記指示に応答して、前記分析物センサシステムが、前記選好をサポートするプロシージャを実施することと、を含む、方法。
【請求項２２５】
前記分析物センサシステムが、前記モバイルデバイスにメッセージを伝送することをさらに含み、前記メッセージが、前記プロシージャが実施されている旨の指示を含む、請求項２２４に記載の方法。
【請求項２２６】
前記分析物センサシステムが、前記モバイルデバイスにメッセージを伝送することをさらに含み、前記メッセージが、前記プロシージャを実施することと関連して維持されるリストに関する情報を含む、請求項２２４に記載の方法。
【請求項２２７】
前記リストが、前記分析物センサシステムのホワイトリストである、請求項２２６に記載の方法。
【請求項２２８】
前記プロシージャを実施することが、前記分析物センサシステムが、前記指示に従って、前記モバイルデバイスに固有のアドレスを含むアドバタイズメントメッセージを伝送することを含む、請求項２２４に記載の方法。
【請求項２２９】
前記複数の表示デバイスが、前記モバイルデバイスを備え、前記プロシージャを実施することが、前記指示に従って、前記分析物センサシステムが、前記１つまたは２つ以上の表示デバイスの各々について、前記表示デバイスに固有のアドバタイズメントメッセージを伝送することを含む、請求項２２４に記載の方法。
【請求項２３０】
前記選好が、前記表示デバイスの１つまたは２つ以上の優先順位付けを含む、請求項２２４に記載の方法。
【請求項２３１】
前記優先順位付けが、前記モバイルデバイスによって表示されるＧＵＩを介して受信したユーザ入力に基づいて決定される、請求項２３０に記載の方法。
【請求項２３２】
前記プロシージャを実施することが、前記優先順位付けに基づく構成を使用して、前記分析物センサシステムが、前記１つまたは２つ以上の表示デバイスの各々について、前記表示デバイスに固有のアドバタイズメントメッセージを伝送することを含む、請求項２３０に記載の方法。
【請求項２３３】
前記指示が、前記モバイルデバイスで動作するモバイルアプリケーションを介して、ユーザから受信されている、請求項２２４に記載の方法。
【請求項２３４】
前記指示が、前記複数の表示デバイスのうちの第１から第２に切り換える命令を含み、前記命令が、前記モバイルアプリケーションによって提示されるＧＵＩを使用して生成されたものである、請求項２３３に記載の方法。
【請求項２３５】
分析物データを無線通信するための方法であって、前記方法が、
第１の無線プロトコルを介して、分析物センサシステムと第１の表示デバイスとの間の第１の接続を確立することと、
前記分析物センサシステムから前記第１の表示デバイスに前記第１の接続に関連する情報を転送することと、
第２の表示デバイスが、第２の無線プロトコルを介して、前記第１の表示デバイスへの第２の接続を確立することと、
前記第２の無線プロトコルを使用して、前記第１の表示デバイスから前記第２の表示デバイスに前記第１の接続に関連する前記情報を転送することと、を含む、方法。
【請求項２３６】
前記分析物センサシステムと前記第２の表示デバイスとの間で分析物データを通信するために、前記第１の無線プロトコル及び前記第１の表示デバイスから伝送された前記情報を使用して、前記第２の表示デバイスと前記分析物センサシステムとの間の第３の接続を確立することをさらに含む、請求項２３５に記載の方法。
【請求項２３７】
前記第１の無線プロトコルが、ＢＬＥである、請求項２３５に記載の方法。
【請求項２３８】
前記第２の無線プロトコルが、ＮＦＣまたはＷｉＦｉである、請求項２３７に記載の方法。
【請求項２３９】
前記第１の接続に関連する前記情報が、
トランスミッタ識別情報、
アラート設定情報、
連続グルコース監視データの履歴、
今度の伝送のスケジュール情報、
現在のＥＧＶ、
アクティブアラートに関する情報、
較正データ、
アプリケーション鍵に関する情報、及び
暗号化に関する情報、のうちの１つまたは２つ以上を含む、請求項２３５に記載の方法。
【請求項２４０】
分析物データを無線通信するための方法であって、前記方法が、
第１の無線プロトコルを介して、分析物センサシステムと第１の表示デバイスとの間の第１の接続を確立することと、
前記分析物センサシステムが、前記第１の表示デバイスに前記第１の接続に関連する情報を転送することと、
前記分析物センサシステムが、前記第１の接続に関連する前記情報の少なくとも一部を使用して、前記第１の無線プロトコルを介して、前記分析物センサシステムと第２の表示デバイスとの間の第２の接続を確立することであって、前記第２の表示デバイスが、第２の無線プロトコルを介して、前記第１の表示デバイスから前記接続に関連する前記情報の前記少なくとも一部を受信している、第２の接続を確立することと、を含む、方法。
【請求項２４１】
前記第１の無線プロトコルが、ＢＬＥであり、前記第２の無線プロトコルが、ＮＦＣまたはＷｉＦｉである、請求項２４０に記載の方法。
【請求項２４２】
前記第１の接続に関連する前記情報が、
トランスミッタ識別情報、
アラート設定情報、
連続グルコース監視データの履歴、
今度の伝送のスケジュール情報、
現在のＥＧＶ、
アクティブアラートに関する情報、
較正データ、及び
アプリケーション鍵に関する情報、及び
暗号化に関する情報、のうちの１つまたは２つ以上を含む、請求項２４０に記載の方法。
【請求項２４３】
分析物データを無線通信するように構成された分析物センサシステムであって、前記分析物センサシステムが、
分析物センサと、
無線信号を伝送及び受信するように構成されたトランシーバと、
プロセッサであって、前記分析物センサ及び前記トランシーバに動作的に結合され、また、前記分析物センサシステムに、
第１の無線プロトコルを介して第１の表示デバイスとの第１の接続を確立することと、
前記第１の表示デバイスに前記第１の接続に関連する情報を転送することと、
前記第１の接続に関連する前記情報の少なくとも一部を使用して、前記第１の無線プロトコルを介して、第２の表示デバイスへの第２の接続を確立することであって、前記第２の表示デバイスが、第２の無線プロトコルを介して、前記第１の表示デバイスから前記第１の接続に関連する前記情報の前記少なくとも一部を受信している、第２の接続を確立することと、を含む、分析物センサシステム。
【請求項２４４】
前記第１の無線プロトコルが、ＢＬＥである、請求項２４３に記載の分析物センサシステム。
【請求項２４５】
前記第２の無線プロトコルが、ＮＦＣまたはＷｉＦｉである、請求項２４３に記載の分析物センサシステム。
【請求項２４６】
前記第１の接続に関連する前記情報が、
トランスミッタ識別情報、
アラート設定情報、
連続グルコース監視データの履歴、
今度の伝送のスケジュール情報、
現在のＥＧＶ、
アクティブアラートに関する情報、
較正データ、
アプリケーション鍵に関する情報、及び
暗号化に関する情報、のうちの１つまたは２つ以上を含む、請求項２４３に記載の分析物センサシステム。
【請求項２４７】
分析物データを無線通信するように構成されたモバイルデバイスであって、前記モバイルデバイスが、
無線信号を伝送及び受信するように構成されたトランシーバと、
プロセッサであって、前記トランシーバに動作的に結合され、また、前記モバイルデバイスに、
表示デバイスから、第１の無線プロトコルを介して、前記表示デバイスと分析物センサシステムとの間の第１の接続に関連する情報を受信することと、
前記第１の接続に関連する前記情報を使用して、第２の無線プロトコルを介して、前記分析物センサシステムとの第２の接続を確立することと、を行わせるように構成されたプロセッサと、を備える、モバイルデバイス。
【請求項２４８】
前記第１の無線プロトコルが、ＮＦＣまたはＷｉＦｉであり、前記第２の無線プロトコルが、ＢＬＥである、請求項２４７に記載のモバイルデバイス。
【請求項２４９】
前記第１の接続に関連する前記情報が、
トランスミッタ識別情報、
アラート設定情報、
連続グルコース監視データの履歴、
今度の伝送のスケジュール情報、
現在のＥＧＶ、
アクティブアラートに関する情報、
較正データ、
アプリケーション鍵に関する情報、及び
暗号化に関する情報、のうちの１つまたは２つ以上を含む、請求項２４７に記載のモバイルデバイス。
【請求項２５０】
分析物データを無線通信するための方法であって、前記方法が、
第１の無線プロトコルを介して、分析物センサシステムと第１の表示デバイスとの間の第１の接続を確立することと、
前記分析物センサシステムが、前記第１の表示デバイスに前記第１の接続に関連する情報を転送することと、
前記第１の表示デバイスが、第２の無線プロトコルを介して、第２の表示デバイスとの第２の接続を確立することと、
前記第１の表示デバイスが、前記第２の無線プロトコルを介して、前記第２の表示デバイスに前記第１の接続に関連する前記情報を転送することと、
前記分析物センサシステムが、前記第１の接続に関連する前記情報の少なくとも一部を使用して、前記第１の無線プロトコルを介して、前記分析物センサシステムと前記第２の表示デバイスとの間の第３の接続を確立することと、を含む、方法。
【請求項２５１】
前記プロシージャを実施することが、前記優先順位付けに基づく順序で、前記分析物センサシステムが、前記１つまたは２つ以上の表示デバイスの各々について、前記表示デバイスに固有のアドバタイズメントメッセージを伝送することを含む、請求項２３０に記載の方法。
【発明の詳細な説明】
【技術分野】
【０００１】
関連出願の参照による組み込み
出願データシートに特定されるありとあらゆる優先権の主張またはそれに対するあらゆる補正は、３７  ＣＦＲ  １．５７の下に参照により本明細書に組み込まれる。本出願は、２０１６年７月２０日に出願された米国仮出願第第６２／３６４，７７１号の利益を主張する。前述の出願は、参照によりその全体が本明細書に組み込まれ、本明細書において明示的に本明細書の一部をなす。
【０００２】
本開示は、一般に、分析物センサシステムから受信される分析物値の連続監視に関する。より具体的には、本開示は、ブドウ糖データを無線通信するためのシステム、方法、装置、及びデバイスを対象とする。
【背景技術】
【０００３】
真性糖尿病は、膵臓が十分なインスリンを作成することができない（Ｉ型もしくはインスリン依存性）、かつ／またはインスリンが有効でない（２型もしくは非インスリン依存性）障害である。糖尿病状態において、罹患者は、高血糖を患い、これは、微小血管の劣化と関連付けられる数々の生理的異常（腎不全、皮膚潰瘍、または眼の硝子体への出血）を生じさせる。低血糖反応（低血糖）は、インスリンの不注意な過剰摂取、またはインスリンもしくはグルコース低下剤の通常投薬後の極端な運動もしくは不十分な食物摂取によって誘発され得る。
【０００４】
従来的には、糖尿病患者は、自己監視血中グルコース（ＳＭＢＧ）モニタを担持し、これは、典型的に、不快な指穿刺法を必要とする。快適さ及び便利さの欠如のため、糖尿病患者は、通常、１日に２〜４回自分のグルコースレベルを測定するだけとなる。残念なことに、これらの時間間隔は、あまりに離れて分散されるため、糖尿病患者に、高血糖または低血糖状態を知らせることが手遅れになる可能性があり、その結果、ときには危険な副作用を招くことがある。実際に、糖尿病患者は、ＳＭＢＧ値を適時に取れなくなる恐れがあるだけでなく、糖尿病患者は、従来の方法の制約のため、自分の血中グルコース値が上昇している（より高い）のか、または低下している（より低い）のかも分からなくなる。
【０００５】
結果的に、血中グルコース値を連続的に検出する及び／または定量化するための、様々な非侵襲性の、経皮性の（例えば、経皮的）、及び／または埋め込み可能な電気化学的センサが開発されている。これらのデバイスは、一般に、未処理のまたは最小限処理したデータを、その後の分析のために、ディスプレイを含み得る遠隔デバイスで伝送する。無線表示デバイスへの伝送は、無線とすることができる。
【０００６】
埋め込まれたセンサを使用して収集されたグルコース及び他の分析物データの無線伝送に関して、センサと併せて作用するトランスミッタのバッテリ寿命は、典型的に、懸案事項である。バッテリ寿命を節約するために、またはグルコース及び他の分析物データの伝送と関連付けられた効率を高めるために、伝送は、例えば、断続的にしなければならない場合がある。しかしながら、監視されるデータの断続的な伝送は、信頼性の問題をもたらす場合がある。したがって、いくつかの事例では、従来のセンサシステムのバッテリ寿命に関して、信頼性が犠牲になっている。
【発明の概要】
【課題を解決するための手段】
【０００７】
第１の態様において、分析物データを無線通信するための方法は、第１の間隔中に、分析物センサシステムと表示デバイスとの間の第１の接続を確立することを含む。本方法は、第１の接続中に、分析物センサシステムと表示デバイスとの間の認証に関連する情報を交換することさらに含む。加えて、本方法は、第１の間隔中に認証が行われたかどうかに関する判定を行うことを含む。本方法はまた、判定が、第１の間隔中に認証が行われたことを示す場合に、第２の間隔中に、分析物センサシステムが、表示デバイスに暗号化された分析物値を伝送することも含む。
【０００８】
一般に適用可能であり得るが、また、第１の態様の任意の他の実現形態と関連して特に適用可能でもある、第１の態様の特定の実現形態において、認証に関連する情報は、アプリケーション鍵を含む。実施形態において、本方法は、アプリケーション鍵を使用して、分析物値を暗号化し、暗号化された分析物値を生成することを含む。実施形態において、アプリケーション鍵の特性は、アプリケーション鍵によって暗号化されるデータ型、ネットワーク環境、及びユーザ設定、のうちの１つまたは２つ以上に基づく。実施形態において、本方法は、所定の時間量の経過、分析物センサシステムまたは表示デバイスの再開、別のデバイスが分析物センサシステムへの接続を試みることに関連するトリガー、及びユーザ入力、のうちの１つまたは２つ以上に応答して、アプリケーション鍵を修正することをさらに含む。実施形態において、アプリケーション鍵は、サーバから表示デバイスによって受信されたものである。
【０００９】
一般に適用可能であり得るが、また、第１の態様の任意の他の実現形態と関連して特に適用可能でもある、第１の態様の特定の実現形態において、本方法は、第２の間隔中に、分析物センサシステムによって暗号化された分析物値を伝送するための、分析物センサシステムと表示デバイスとの間の第２の接続を確立することと、第１の接続中に行われる認証に関連する情報を交換することをバイパスすることと、をさらに含む。
【００１０】
一般に適用可能であり得るが、また、第１の態様の任意の他の実現形態と関連して特に適用可能でもある、第１の態様の特定の実現形態において、暗号化された分析物値の少なくとも一部分は、分析物センサシステムによって伝送される１つまたは２つ以上のアドバタイズメントメッセージにおいて表示デバイスに伝送される。実施形態において、本方法は、暗号化された分析物値を伝送するために使用するアドバタイズメントメッセージの数を決定することをさらに含む。実施形態において、暗号化された分析物値を伝送するために使用するアドバタイズメントメッセージの数が１より大きいと判定された場合、１つまたは２つ以上のアドバタイズメントメッセージのうちの第１のものは、暗号化された分析物値の第１の部分と、１つまたは２つ以上のアドバタイズメントメッセージのうちの第２のものが、暗号化された分析物値の第２の部分を含む旨の指示と、を含む。暗号化された分析物値を伝送するために使用するアドバタイズメントメッセージの数が１であると判定された場合、１つまたは２つ以上のアドバタイズメントメッセージのうちの第１のものは、暗号化された分析物値を含むことができる。
【００１１】
一般に適用可能であり得るが、また、第１の態様の任意の他の実現形態と関連して特に適用可能でもある、第１の態様の特定の実現形態において、認証に関連する情報を交換することは、双方向認証を行うことを含む。実施形態において、双方向認証を行うことは、複数の動作を含む。そのような動作は、分析物センサシステムが、表示デバイスに第１の値を伝送することを含む。そのような動作は、分析物センサシステムが、表示デバイスから第２の値及び第３の値を受信することを含む。第２の値は、第１の値及びアプリケーション鍵に基づく。そのような動作は、分析物センサシステムが、第２の値を検証することを含む。他のそのような動作は、分析物センサシステムが、第３の値を使用して第４の値を生成することを含む。さらに、そのような動作は、分析物センサシステムが、検証のために、表示デバイスに第４の値を伝送することを含む。
【００１２】
一般に適用可能であり得るが、また、第１の態様の任意の他の実現形態と関連して特に適用可能でもある、第１の態様の特定の実現形態において、認証に関連する情報を交換することは、複数の動作を含む。そのような動作は、分析物センサシステムが、表示デバイスから第１の値を受信することを含む。追加的な動作は、分析物センサシステムが、第１の値及びアプリケーション鍵に基づいて第２の値を生成することを含む。さらなる動作は、分析物センサシステムが、表示デバイスによって検証するために、表示デバイスに第２の値を伝送することを含む。
【００１３】
一般に適用可能であり得るが、また、第１の態様の任意の他の実現形態と関連して特に適用可能でもある、第１の態様の特定の実現形態において、認証に関連する情報は、暗号化された分析物値を生成するために使用されるアプリケーション鍵を含む。そのようないくつかの事例において、アプリケーション鍵を使用して、分析物値を暗号化し、暗号化された分析物値を生成することは、第２の間隔中に、認証に関連する情報を交換することをバイパスすることを可能にする。
【００１４】
一般に適用可能であり得るが、また、第１の態様の任意の他の実現形態と関連して特に適用可能でもある、第１の態様の特定の実現形態において、第１の接続を確立すること、及び認証に関連する情報を交換することは、第１の無線プロトコルを使用して行われる。そのようないくつかの事例において、表示デバイスに暗号化された分析物値を伝送することは、第１の無線プロトコルとは異なる第２の無線プロトコルを使用して行われる。実施形態において、第１の無線プロトコルを使用することは、第２の間隔中に、認証に関連する情報を交換することをバイパスすることを可能にする。
【００１５】
第２の態様において、分析物データを無線通信するための方法は、第１の間隔中に、第１の無線プロトコルを使用して、表示デバイスと、認証情報に関連する情報の交換を行うことを含む。方法はまた、第２の間隔中に、第２の無線プロトコルを使用して、表示デバイスに暗号化された分析物値を伝送することによって、認証に関連する情報の交換をバイパスすることを含む。暗号化された分析物値は、認証に関連する情報を使用して生成されたものである。第１の無線プロトコルは、第２の無線プロトコルとは異なる。第１の無線プロトコルは、ＷｉＦｉまたは近距離無線通信（ＮＦＣ）とすることができる。第２の無線プロトコルは、Ｂｌｕｅｔｏｏｔｈ(登録商標)低エネルギー（ＢＬＥ）とすることができる。
【００１６】
一般に適用可能であり得るが、また、第２の態様の任意の他の実現形態と関連して特に適用可能でもある、第２の態様の特定の実現形態において、認証に関連する情報は、アプリケーション鍵を含む。そのようないくつかの実現形態において、本方法は、表示デバイスが、サーバからアプリケーション鍵を受信することをさらに含む。
【００１７】
第３の態様において、分析物データを無線通信するように構成された分析物センサシステムは、分析物センサを含む。分析物センサシステムはまた、無線信号を伝送及び受信するように構成されたトランシーバも含む。さらに、分析物センサシステムは、分析物センサ及びトランシーバに動作的に結合され、また、分析物センサシステムに特定の動作を行わせるように構成されたプロセッサを含む。そのような動作は、第１の間隔中に、分析物センサシステムと表示デバイスとの間の第１の接続を確立することを含む。そのような動作は、第１の接続中に、分析物センサシステムと表示デバイスとの間の認証に関連する情報を交換することを含む。そのような動作は、第１の間隔中に認証が行われたかどうかに関する判定を行うことを含む。さらに、そのような動作は、判定が、第１の間隔中に認証が行われたことを示す場合に、第２の間隔中に、表示デバイスに暗号化された分析物値を伝送することを含む。
【００１８】
一般に適用可能であり得るが、また、第３の態様の任意の他の実現形態と関連して特に適用可能でもある、第３の態様の特定の実現形態において、認証に関連する情報は、アプリケーション鍵を含み、プロセッサは、分析物センサシステムに、分析物値を暗号化して、暗号化された分析物値を生成することを行わせるようにさらに構成される。
【００１９】
一般に適用可能であり得るが、また、第３の態様の任意の他の実現形態と関連して特に適用可能でもある、第３の態様の特定の実現形態において、プロセッサは、分析物センサシステムに特定の動作を行わせるようにさらに構成される。そのような動作は、第２の間隔中に、分析物センサシステムと表示デバイスとの間の第２の接続を確立することを含む。そのような動作は、第２の接続中に、認証に関連する情報の交換をバイパスすることを含む。
【００２０】
一般に適用可能であり得るが、また、第３の態様の任意の他の実現形態と関連して特に適用可能でもある、第３の態様の特定の実現形態において、認証に関連する情報は、アプリケーション鍵を含み、プロセッサは、分析物センサシステムに、アプリケーション鍵を使用して、分析物値を暗号化し、暗号化された分析物値を生成することを行わせるようにさらに構成される。アプリケーション鍵を使用することで、分析物センサシステムが、交換をバイパスすることを可能にすることができる。
【００２１】
一般に適用可能であり得るが、また、第３の態様の任意の他の実現形態と関連して特に適用可能でもある、第３の態様の特定の実現形態において、プロセッサは、分析物センサシステムに特定の動作を行わせるようにさらに構成される。そのような動作は、第１の接続を確立することと、第１の無線プロトコルを使用して、認証に関連する情報を交換することと、を含む。そのような動作は、第２の無線プロトコルを使用して、暗号化された分析物データを伝送することを含む。第１の無線プロトコルは、第２の間隔中に、認証に関連する情報の交換をバイパスすることを可能にすることができる。
【００２２】
第４の態様において、分析物センサシステムと分析物データを無線通信するように構成されたモバイルデバイスは、ユーザインターフェースを含む。モバイルデバイスはまた、無線信号を伝送及び受信するように構成されたトランシーバも含む。さらに、モバイルデバイスは、ユーザインターフェース及びトランシーバに動作的に結合された回路を含む。モバイルデバイスは、回路に動作的に結合され、実行されたときに回路特定の動作を行わせる命令を記憶する、非一時的コンピュータ可読媒体を含む。そのような動作は、第１の間隔中に、分析物センサシステムとモバイルデバイスとの間の第１の接続を確立することを含む。そのような動作は、第１の接続中に、分析物センサシステムとモバイルデバイスとの間の認証に関連する情報を交換することを含む。その上、そのような動作は、第１の間隔中に認証が行われたかどうかに関する判定を取得することを含む。そのような動作はまた、判定が、第１の間隔中に認証が行われたことを示す場合に、第２の間隔中に、分析物センサシステムから暗号化された分析物値を受信することを含む。
【００２３】
第５の態様において、システムは、表示デバイスを含む。システムはまた、分析物センサシステムも含む。分析物センサシステムは、無線信号を伝送及び受信するように構成されたトランシーバ含む。分析物センサシステムはまた、分析物センサ及びトランシーバに動作的に結合され、また、分析物センサシステムに、特定の動作を行わせるように構成されたプロセッサも含む。そのような動作は、第１の間隔中に、分析物センサシステムと表示デバイスとの間の第１の接続を確立することを含む。そのような動作は、第１の接続中に、分析物センサシステムと表示デバイスとの間の認証に関連する情報を交換することを含む。さらに、そのような動作は、第１の間隔中に認証が行われたかどうかに関する判定を行うこと含む。そのような動作はまた、判定が、第１の間隔中に認証が行われたことを示す場合に、第２の間隔中に、表示デバイスに暗号化された分析物値を伝送すること含む。
【００２４】
一般に適用可能であり得るが、また、第５の態様の任意の他の実現形態と関連して特に適用可能でもある、第５の態様の特定の実現形態において、システムは、認証に関連する情報の少なくとも一部を、分析物センサシステム及び表示デバイスのうちの１つまたは２つ以上に送信するように構成されたサーバをさらに含む。
【００２５】
第６の態様において、分析物データを無線通信するための方法は、分析物センサシステムと第１の表示デバイスとの間の第１の接続を確立して、分析物センサシステムと第１の表示デバイスとの間でペアリング情報を交換することを含む。本方法はまた、分析物センサシステムと第１の表示デバイスとの間でメッセージを定期的に交換することによって、第１の接続を維持することを含む。また、本方法は、分析物センサシステム及び表示デバイスが接続を維持している間、分析物データを伝送に利用することが可能になった時点で、分析物センサシステムは、第１の表示デバイスに分析物データを伝送することも含む。
【００２６】
一般に適用可能であり得るが、また、第６の態様の任意の他の実現形態と関連して特に適用可能でもある、第６の態様の特定の実現形態において、第１の接続を確立することが、分析物センサシステムと第１の表示デバイスとの間で双方向認証を行うことを含む。双方向認証を行うことは、１つまたは２つ以上の追加的な動作を含むことができる。そのような動作は、分析物センサシステムが、第１の表示デバイスに第１の値を伝送することを含む。そのような動作は、分析物センサシステムが、第１の表示デバイスから第２の値及び第３の値を受信することを含む。第２の値は、第１の値及びアプリケーション鍵に基づく。そのような動作は、分析物センサシステムが、第２の値を検証することを含む。そのような動作は、分析物センサシステムが、第３の値を使用して第４の値を生成することを含む。また、そのような動作は、分析物センサシステムが、検証のために、第１の表示デバイスに第４の値を伝送することも含む。
【００２７】
一般に適用可能であり得るが、また、第６の態様の任意の他の実現形態と関連して特に適用可能でもある、第６の態様の特定の実現形態において、分析物データを伝送に利用することが可能になった時点で、メッセージを定期的に交換すること、及び第１の表示デバイスに分析物データを伝送することを組み合わせることは、第１の表示デバイスに対するユーザ選好の指示に応答して行われる。
【００２８】
一般に適用可能であり得るが、また、第６の態様の任意の他の実現形態と関連して特に適用可能でもある、第６の態様の特定の実現形態において、分析物データを伝送に利用することが可能になった時点で、メッセージを定期的に交換すること、及び表示デバイスに分析物データを伝送することを組み合わせることが、適応的に行われる。
【００２９】
一般に適用可能であり得るが、また、第６の態様の任意の他の実現形態と関連して特に適用可能でもある、第６の態様の特定の実現形態において、分析物センサシステムと第１の表示デバイスとの間で定期的に交換されるメッセージは、第１のメッセージと、第２のメッセージと、を含み、第１及び第２のメッセージは、順次交換するように構成される。第１のメッセージは、第１のメッセージ及び第２のメッセージの順次交換の間のスケジュールされた時間量に対応するメッセージング間隔を含む。
【００３０】
一般に適用可能であり得るが、また、第６の態様の任意の他の実現形態と関連して特に適用可能でもある、第６の態様の特定の実現形態において、分析物センサシステムと第１の表示デバイスとの間で定期的に交換されるメッセージの各々が、次に続くメッセージが交換されるまでの時間量に対応するメッセージ間隔を含む。
【００３１】
一般に適用可能であり得るが、また、第６の態様の任意の他の実現形態と関連して特に適用可能でもある、第６の態様の特定の実現形態において、本方法は、メッセージ間隔を修正する要求を送信することをさらに含む。本方法はまた、分析物センサシステムが、第１の表示デバイスとメッセージを定期的に交換することを終了することも含み、よって、分析物センサシステム及び表示デバイスが、要求が拒否されたことに応答して、接続を維持しない。
【００３２】
一般に適用可能であり得るが、また、第６の態様の任意の他の実現形態と関連して特に適用可能でもある、第６の態様の特定の実現形態において、分析物センサシステムと第１の表示デバイスとの間で定期的に交換されるメッセージの各々が、タイムアウト値を含む。本方法は、分析物センサシステムが、第１の表示デバイスとメッセージを定期的に交換することを終了することをさらに含み得、よって、第１のメッセージの次に続くメッセージのうちの第２のメッセージが交換される前に、メッセージのうちの第１のメッセージに含まれるタイムアウト値を超えた場合に、分析物センサシステム及び第１の表示デバイスは、接続を維持しない。
【００３３】
一般に適用可能であり得るが、また、第６の態様の任意の他の実現形態と関連して特に適用可能でもある、第６の態様の特定の実現形態において、本方法は、第１の表示デバイス及び第２の表示デバイスが接続を維持するように、第１の表示デバイスが、第２の表示デバイスとの第２の接続を確立することをさらに含む。本方法はまた、第１及び第２の表示デバイスが接続を維持している間、分析物センサシステムから分析物データを受信した後に、第１の表示デバイスが、第２の表示デバイスに、分析物データに関連する情報を伝送することも含む。
【００３４】
第７の態様において、分析物データを無線通信するための方法は、分析物センサシステムと第１の表示デバイスとの間の第１の接続を確立して、分析物センサシステムと第１の表示デバイスとの間でペアリング情報を交換することを含む。本方法はまた、第１のモードで動作することを含む。第１のモードで動作することは、分析物センサシステム及び第１の表示デバイスが接続を維持するように、分析物センサシステムが、第１の表示デバイスとメッセージを定期的に交換することを含む。分析物センサシステム及び第１の表示デバイスが接続を維持している間、第１のモードで動作することは、分析物データを伝送に利用することが可能になった時点で、分析物センサシステムが、第１の表示デバイスに分析物データを伝送することを含む。加えて、本方法は、第２のモードで動作することを含む。第２のモードで動作することは、分析物センサシステムと第１の表示デバイスとの間の第２の接続を定期的に確立することを含む。第２の接続が確立された後に、第２のモードで動作することは、第１の表示デバイスに分析物データを伝送することを含む。
【００３５】
一般に適用可能であり得るが、また、第７の態様の任意の他の実現形態と関連して特に適用可能でもある、第７の態様の特定の実現形態において、第１のモードで動作することは、第１の表示デバイスの使用選好に関するユーザ入力、日時、場所、パケット損失、及び第１の表示デバイスを含む優先順位スキーム、のうちの１つまたは２つ以上に関連する指示に応答して生じる。
【００３６】
一般に適用可能であり得るが、また、第７の態様の任意の他の実現形態と関連して特に適用可能でもある、第７の態様の特定の実現形態において、第２のモードで動作することが、分析物センサシステムが、分析物データを伝送しており、かつ第１のモードで動作していない場合に生じる。
【００３７】
一般に適用可能であり得るが、また、第７の態様の任意の他の実現形態と関連して特に適用可能でもある、第７の態様の特定の実現形態において、本方法は、第１のモードで動作している間、分析物センサシステムが第１の表示デバイスに分析物データを伝送することは、分析物センサシステムが、分析物センサシステムに接続されていない第２の表示デバイスに分析物データを伝送することを含む。
【００３８】
一般に適用可能であり得るが、また、第７の態様の任意の他の実現形態と関連して特に適用可能でもある、第７の態様の特定の実現形態において、本方法は、第１のモードで動作することと、第２のモードで動作することとの間で切り換えることをさらに含む。
【００３９】
第８の態様において、分析物データを無線通信するように構成された分析物センサシステムは、分析物センサを含む。分析物センサシステムはまた、無線信号を伝送及び受信するように構成されたトランシーバも含む。その上、分析物センサシステムは、分析物センサ及びトランシーバに動作的に結合され、また、分析物センサシステムにいくつかの動作を行わせるように構成されたプロセッサを含む。そのような動作は、分析物センサシステムと第１の表示デバイスとの間の第１の接続を確立して、分析物センサシステムと第１の表示デバイスとの間でペアリング情報を交換すること含む。そのような動作は、分析物センサシステムと第１の表示デバイスとの間でメッセージを定期的に交換することによって、第１の接続を維持することを含む。その上、第１の接続中に、分析物データを伝送に利用することが可能になった時点で、第１の表示デバイスに分析物データを伝送することを含む。
【００４０】
一般に適用可能であり得るが、また、第８の態様の任意の他の実現形態と関連して特に適用可能でもある、第８の態様の特定の実現形態において、プロセッサは、分析物センサシステムに、確立されている第１の接続と関連して双方向認証を行わせるようにさらに構成される。
【００４１】
一般に適用可能であり得るが、また、第８の態様の任意の他の実現形態と関連して特に適用可能でもある、第８の態様の特定の実現形態において、プロセッサは、分析物センサシステムに、第１の表示デバイスのユーザ選好の指示に応答して、分析物データを伝送に利用することが可能になった時点で、第１の接続を維持して、第１の表示デバイスに分析物データを伝送させるようにさらに構成される。
【００４２】
一般に適用可能であり得るが、また、第８の態様の任意の他の実現形態と関連して特に適用可能でもある、第８の態様の特定の実現形態において、プロセッサは、分析物センサシステムに、分析物データを伝送に利用することが可能になった時点で、第１の接続を維持して、第１の表示デバイスに分析物データを適応的に伝送させるようにさらに構成される。
【００４３】
一般に適用可能であり得るが、また、第８の態様の任意の他の実現形態と関連して特に適用可能でもある、第８の態様の特定の実現形態において、分析物センサシステムと第１の表示デバイスとの間で定期的に交換されるメッセージは、第１のメッセージと、第２のメッセージと、を含む。その上、プロセッサは、分析物センサシステムに、第１の表示デバイスと第１及び第２のメッセージを順次交換させるようにさらに構成される。第１のメッセージは、第１及び第２のメッセージの交換の間のスケジュールされた時間量に対応するメッセージング間隔を含む。プロセッサは、分析物センサシステムに、メッセージング間隔を修正させるようにさらに構成されることができる
【００４４】
第９の態様において、システムは、第１の表示デバイスと、分析物センサシステムと、を含む。分析物センサシステムは、無線信号を伝送及び受信するように構成されたトランシーバ含む。分析物センサシステムはまた、分析物センサ及びトランシーバに動作的に結合され、また、分析物センサシステムに、特定の動作を行わせるように構成されたプロセッサも含む。１つのそのような動作は、分析物センサシステムと第１の表示デバイスの間の第１の接続を確立して、分析物センサシステムと第１の表示デバイスとの間でペアリング情報を交換することである。１つのそのような動作は、分析物センサシステムと第１の表示デバイスとの間でメッセージを定期的に交換することによって、第１の接続を維持することである。そのような別の動作は、第１の接続中に、分析物データを伝送に利用することが可能になった時点で、第１の表示デバイスに分析物データを伝送することである。分析物センサシステムはまた、第２の表示デバイスも含む。第１の表示デバイスは、第１及び第２の表示デバイスの接続が維持されるように、第２の表示デバイスとの第２の接続を確立するように構成される。第１の表示デバイスは、第１及び第２の表示デバイスが接続を維持している間、分析物センサシステムから分析物データを受信した後に、第２の表示デバイスに、分析物データに関連する情報を伝送するようにさらに構成される。
【００４５】
第１０の態様において、分析物データを無線通信するように構成された分析物センサシステムは、分析物センサを含む。分析物センサシステムはまた、無線信号を伝送及び受信するように構成されたトランシーバも含む。また、分析物センサシステムは、分析物センサ及びトランシーバに動作的に結合され、また、分析物センサシステムに特定の動作を行わせるように構成されたプロセッサも含む。１つのそのような動作は、分析物センサシステムと第１の表示デバイスとの間の第１の接続を確立して、分析物センサシステムと第１の表示デバイスとの間でペアリング情報を交換することである。別のそのような動作は、第１のモードで動作することであって、分析物センサシステム及び第１の表示デバイスの接続が維持されるように、メッセージが、第１の表示デバイスと定期的に交換され、分析物データを伝送に利用することが可能になった時点で、分析物センサシステムが第１の表示デバイスに分析物データを伝送する、第１のモードで動作することである。そのような別の動作は、第２のモードで動作することであって、第１の表示デバイスとの第２の接続が、分析物データを伝送するために定期的に確立される、第２のモードで動作することである。
【００４６】
一般に適用可能であり得るが、また、第１０の態様の任意の他の実現形態と関連して特に適用可能でもある、第１０の態様の特定の実現形態において、分析物センサシステムが、データを伝送しており、かつ第１のモードで動作していない場合に、プロセッサは、分析物センサシステムを第２のモードで動作させるようにさらに構成される。
【００４７】
一般に適用可能であり得るが、また、第１０の態様の任意の他の実現形態と関連して特に適用可能でもある、第１０の態様の特定の実現形態において、プロセッサは、第１の表示デバイスのユーザ選好に関するユーザ入力、日時、場所、パケット損失、及び第１の表示デバイスを含む優先順位スキーム、のうちの１つまたは２つ以上に関連する指示に応答して、分析物センサシステムを第１のモードで動作させるようにさらに構成される。
【００４８】
第１１の態様において、分析物センサシステムを分析物表示デバイス及び第２の表示デバイスに接続するための方法は、分析物センサシステムと分析物表示デバイス及び第２の表示デバイスとのペアリングを試みる際に、アドバタイズメント持続時間構造を使用することを含む。アドバタイズメント持続時間構造に従って、アドバタイズメント持続時間は、第１の時間セグメント及び第２の時間セグメントを含む。第１の時間セグメントは、第２の表示デバイスに割り当てられる。第２の時間セグメントは、分析物表示デバイスに割り当てられる。第１の時間セグメントは、アドバタイズメント持続時間内に第２の時間セグメントに先行する。本方法はまた、第２の時間セグメントが第１の時間セグメントに先行するように、アドバタイズメント持続時間構造を再構成することも含む。第１の時間セグメントは、約２０秒の長さとすることができ、第２の時間セグメントは、約２秒の長さとすることができる。
【００４９】
一般に適用可能であり得るが、また、第１１の態様の任意の他の実現形態と関連して特に適用可能でもある、第１１の態様の特定の実現形態において、アドバタイズメント持続時間構造を再構成することは、アドバタイズメント持続時間の残り以下の時間の幅まで、第１の時間セグメントを延長することを含む。
【００５０】
第１２の態様において、分析物データを無線通信するように構成された分析物センサシステムは、分析物センサと、無線信号を伝送及び受信するように構成されたトランシーバと、を含む。分析物センサシステムはまた、分析物センサ及びトランシーバに動作的に結合され、また、分析物センサシステムに、特定の動作を行わせるように構成されたプロセッサも含む。１つのそのような動作は、分析物センサシステムと分析物表示デバイス及び第２の表示デバイスとのペアリングを試みる際に、アドバタイズメント持続時間構造に従って、アドバタイズメントメッセージを伝送することである。アドバタイズメント持続時間構造に従って、アドバタイズメント持続時間は、第１の時間セグメント及び第２の時間セグメントを含む。第１の時間セグメントは、第２の表示デバイスに割り当てられる。第２の時間セグメントは、分析物表示デバイスに割り当てられる。第１の時間セグメントは、アドバタイズメント持続時間内に第２の時間セグメントに先行する。そのような別の動作は、第２の時間セグメントが第１の時間セグメントに先行するように、アドバタイズメント持続時間構造を再構成することである。
【００５１】
第１３の態様において、分析物センサシステムを分析物表示デバイス及び第２の表示デバイスに接続するための方法は、分析物センサシステムが第２の表示デバイスとペアリングされたかどうかを示す値を評価することを含む。値が、分析物センサシステムが第２の表示デバイスとペアリングされたことを示す場合、本方法は、第１のアドバタイズメント持続時間の第１の時間セグメントを第１の長さに設定し、第１の時間セグメント中に、第２の表示デバイスに第１の一組のアドバタイズメントメッセージを伝送することを含む。値が、分析物センサシステムが第２の表示デバイスとペアリングされなかったことを示す場合、本方法は、第１の時間セグメントを第２の長さに設定し、第２の長さが第１の長さよりも短くなっており、第２の長さがゼロ秒でない場合、第１の時間セグメント中に、第２の表示デバイスに第２の一組のアドバタイズメントメッセージを伝送することを含む。第２の長さは、約７秒とすることができる。第１の長さは、約２０秒とすることができる。値は、リスト上のエントリとすることができ、エントリは、第２の表示デバイスに対応することができる。
【００５２】
一般に適用可能であり得るが、また、第１３の態様の任意の他の実現形態と関連して特に適用可能でもある、第１３の態様の特定の実現形態において、本方法は、値が、分析物センサシステムが第２の表示デバイスとペアリングされなかったことを示す場合、第２の長さをゼロ秒に設定することをさらに含む。
【００５３】
一般に適用可能であり得るが、また、第１３の態様の任意の他の実現形態と関連して特に適用可能でもある、第１３の態様の特定の実現形態において、本方法は、近距離無線通信を介して受信したシグナリングに応答して、第１の時間セグメントを第１の長さに設定することをさらに含む。
【００５４】
第１４の態様において、分析物データを無線通信するように構成された分析物センサシステムは、分析物センサを含む。分析物センサシステムはまた、無線信号を伝送及び受信するように構成されたトランシーバも含む。分析物センサシステムはまた、分析物センサ及びトランシーバに動作的に結合され、また、分析物センサシステムに、特定の動作を行わせるように構成されたプロセッサも含む。そのような動作は、分析物センサシステムが第２の表示デバイスとペアリングされたかどうかを示す値を評価することを含む。そのような動作は、分析物センサシステムが第２の表示デバイスとペアリングされたことを示す場合、第１のアドバタイズメント持続時間の第１の時間セグメントを第１の長さに設定し、第１の時間セグメント中に、第２の表示デバイスに第１の一組のアドバタイズメントメッセージを伝送することを含む。そのような動作はまた、値が、分析物センサシステムが第２の表示デバイスとペアリングされなかったことを示す場合、第１の時間セグメントを第２の長さに設定し、第２の長さがゼロ秒でない場合、第１の時間セグメント中に、第２の表示デバイスに第２の一組のアドバタイズメントメッセージを伝送することも含む。第２の長さは、第１の長さよりも短い。
【００５５】
第１５の態様において、分析物センサシステムを分析物表示デバイス及び第２の表示デバイスに接続するための方法は、アドバタイズメント持続時間内の第１の時間セグメント中に、第１のアドバタイズメント間隔に従って、第２の表示デバイスに第１の一組のアドバタイズメントメッセージを伝送することを含む。アドバタイズメント持続時間内の第２の時間セグメント中に、本方法は、第２のアドバタイズメント間隔に従って、分析物表示デバイスに第２の一組のアドバタイズメントメッセージを伝送することを含む。第１のアドバタイズメント間隔、第２のアドバタイズメント間隔、第１の時間セグメントの長さ、第２の時間セグメントの長さ、アドバタイズメント持続時間、及び第１及び第２の時間セグメントのシーケンス、のうちの１つまたは２つ以上は、構成可能である。第１のアドバタイズメント間隔は、約２０ミリ秒〜約９０ミリ秒になるように構成可能とすることができる。アドバタイズメント持続時間は、約２秒〜約９０秒で構成可能とすることができる。
【００５６】
一般に適用可能であり得るが、また、第１５の態様の任意の他の実現形態と関連して特に適用可能でもある、第１５の態様の特定の実現形態において、本方法は、第２の時間セグメントが第１の時間セグメントに先行するように、第１及び第２の時間セグメントのシーケンスを変更することをさらに含む。
【００５７】
一般に適用可能であり得るが、また、第１５の態様の任意の他の実現形態と関連して特に適用可能でもある、第１５の態様の特定の実現形態において、本方法は、分析物センサシステムが第２の表示デバイスとペアリングされたかどうかを示す値に基づいて、第１及び第２の時間セグメントのシーケンスを変更することをさらに含む。
【００５８】
一般に適用可能であり得るが、また、第１５の態様の任意の他の実現形態と関連して特に適用可能でもある、第１５の態様の特定の実現形態において、本方法は、分析物センサシステムと分析物表示デバイスとの接続の質の指示を取得することをさらに含む。本方法は、質の指示に基づいて、第２の時間セグメントの長さ及び第２のアドバタイズメント間隔のうちの１つまたは２つ以上を修正することをさらに含む。
【００５９】
一般に適用可能であり得るが、また、第１５の態様の任意の他の実現形態と関連して特に適用可能でもある、第１５の態様の特定の実現形態において、第２の時間セグメントの長さ及び第２のアドバタイズメント間隔のうちの１つまたは２つ以上を修正することは、分析物表示デバイスから受信した信号に応答して、分析物センサシステムによって行われる。
【００６０】
一般に適用可能であり得るが、また、第１５の態様の任意の他の実現形態と関連して特に適用可能でもある、第１５の態様の特定の実現形態において、本方法は、質の指示と閾値とを比較することをさらに含む。質の指示が閾値を超えた場合、第２の時間セグメントの長さ及び第２のアドバタイズメント間隔のうちの１つまたは２つ以上を修正することは、第２の時間セグメントの長さを減少させること、及び第２のアドバタイズメント間隔を増加させること、のうちの１つまたは２つ以上を含む。質の指示が、閾値未満であった場合、第２の時間セグメントの長さ及び第２のアドバタイズメント間隔のうちの１つまたは２つ以上を修正することは、第２の時間セグメントの長さを増加させること、及び第２のアドバタイズメント間隔を減少させること、のうちの１つまたは２つ以上を含む。質は、受信信号強度指示（ＲＳＳＩ）及びリターントリップ遅延時間（ＲＴＤＴ）のうちの１つまたは２つ以上を使用して判定されている。
【００６１】
一般に適用可能であり得るが、また、第１５の態様の任意の他の実現形態と関連して特に適用可能でもある、第１５の態様の特定の実現形態において、本方法は、ＲＳＳＩ及びＲＴＤＴのうちの１つまたは２つ以上の測定を行うことをさらに含む。測定を行うことは、分析物センサシステム及び分析物表示デバイスのうちの１つまたは２つ以上によって行うことができる。本方法はまた、測定に基づいて質を判定することも含む。
【００６２】
一般に適用可能であり得るが、また、第１５の態様の任意の他の実現形態と関連して特に適用可能でもある、第１５の態様の特定の実現形態において、本方法は、分析物センサシステムと第２の表示デバイスとの接続の質の指示を取得することをさらに含む。方法はまた、質の指示に基づいて、第１の時間セグメントの長さ及び第１のアドバタイズメント間隔のうちの１つまたは２つ以上を修正することも含む。
【００６３】
一般に適用可能であり得るが、また、第１５の態様の任意の他の実現形態と関連して特に適用可能でもある、第１５の態様の特定の実現形態において、第１の時間セグメントの長さ及び第１のアドバタイズメント間隔のうちの１つまたは２つ以上を修正することは、分析物表示デバイスから受信した信号に応答して、分析物センサシステムによって行われる。
【００６４】
一般に適用可能であり得るが、また、第１５の態様の任意の他の実現形態と関連して特に適用可能でもある、第１５の態様の特定の実現形態において、本方法は、質の指示と閾値とを比較することをさらに含む。質の指示が閾値を超えた場合、第１の時間セグメントの長さ及び第１のアドバタイズメント間隔のうちの１つまたは２つ以上を修正することは、第１の時間セグメントの長さを減少させること、及び第１のアドバタイズメント間隔を増加させること、のうちの１つまたは２つ以上を含む。質の指示が、閾値未満であった場合、第１の時間セグメントの長さ及び第１のアドバタイズメント間隔のうちの１つまたは２つ以上を修正することは、第１の時間セグメントの長さを増加させること、及び第１のアドバタイズメント間隔を減少させること、のうちの１つまたは２つ以上を含む。質は、ＲＳＳＩ及びＲＴＤＴのうちの１つまたは２つ以上を使用して判定されている。
【００６５】
一般に適用可能であり得るが、また、第１５の態様の任意の他の実現形態と関連して特に適用可能でもある、第１５の態様の特定の実現形態において、本方法は、ＲＳＳＩ及びＲＴＤＴのうちの１つまたは２つ以上の測定を行うことをさらに含む。本方法はまた、測定に基づいて質を判定することも含む。測定を行うことは、分析物センサシステム及び第２の表示デバイスのうちの１つまたは２つ以上によって行うことができる。
【００６６】
一般に適用可能であり得るが、また、第１５の態様の任意の他の実現形態と関連して特に適用可能でもある、第１５の態様の特定の実現形態において、本方法は、分析物センサシステムの場所及び第２の表示デバイスの場所のうちの１つまたは２つ以上に関連する指示に基づいて、第１の時間セグメントの長さ、第１のアドバタイズメント間隔、第２の時間セグメントの長さ、第２のアドバタイズメント間隔、ならびに第１及び第２の時間セグメントのシーケンス、のうちの１つまたは２つ以上を修正することをさらに含む。
【００６７】
一般に適用可能であり得るが、また、第１５の態様の任意の他の実現形態と関連して特に適用可能でもある、第１５の態様の特定の実現形態において、本方法は、分析物センサシステムの場所及び分析物表示デバイスの場所のうちの１つまたは２つ以上に関連する指示に基づいて、第２の時間セグメントの長さ、第２のアドバタイズメント間隔、ならびに第１及び第２の時間セグメントのシーケンス、のうちの１つまたは２つ以上を修正することをさらに含む。
【００６８】
一般に適用可能であり得るが、また、第１５の態様の任意の他の実現形態と関連して特に適用可能でもある、第１５の態様の特定の実現形態において、本方法は、日時に関連する指示に基づいて、第１の時間セグメントの長さ、第１のアドバタイズメント間隔、第２の時間セグメントの長さ、第２のアドバタイズメント間隔、ならびに第１及び第２の時間セグメントのシーケンス、のうちの１つまたは２つ以上を修正することをさらに含む。
【００６９】
一般に適用可能であり得るが、また、第１５の態様の任意の他の実現形態と関連して特に適用可能でもある、第１５の態様の特定の実現形態において、本方法は、分析物センサシステム用のバッテリ寿命の指示を生成することをさらに含む。方法はまた、バッテリ寿命の指示に基づいて、第１の時間セグメントの長さ、第１のアドバタイズメント間隔、第２の時間セグメントの長さ、第２のアドバタイズメント間隔、ならびに第１及び第２の時間セグメントのシーケンス、のうちの１つまたは２つ以上を修正することとも含む。
【００７０】
第１６の態様において、分析物データを無線通信するように構成された分析物センサシステムは、分析物センサを含む。分析物センサシステムはまた、無線信号を伝送及び受信するように構成されたトランシーバも含む。加えて、分析物センサシステムは、分析物センサ及びトランシーバに動作的に結合され、また、分析物センサシステムに特定の動作を行わせるように構成されたプロセッサを含む。１つのそのような動作は、アドバタイズメント持続時間内の第１の時間セグメント中に、第１のアドバタイズメント間隔に従って、第２の表示デバイスに第１の一組のアドバタイズメントメッセージを伝送することである。別のそのような動作は、アドバタイズメント持続時間内の第２の時間セグメント中に、第２のアドバタイズメント間隔に従って、分析物表示デバイスに第２の一組のアドバタイズメントメッセージを伝送することである。第１のアドバタイズメント間隔、第２のアドバタイズメント間隔、第１の時間セグメントの長さ、第２の時間セグメントの長さ、アドバタイズメント持続時間、ならびに第１及び第２の時間セグメントのシーケンス、のうちの１つまたは２つ以上が構成可能である。
【００７１】
一般に適用可能であり得るが、また、第１６の態様の任意の他の実現形態と関連して特に適用可能でもある、第１６の態様の特定の実現形態において、プロセッサは、分析物センサシステムに、第１及び第２の時間セグメントのシーケンスを変更させるようにさらに構成される。分析物センサシステムは、第２の表示デバイスがリストに存在するかどうかを示す値に基づいて、第１及び第２の時間セグメントのシーケンスを変更することができる。
【００７２】
一般に適用可能であり得るが、また、第１６の態様の任意の他の実現形態と関連して特に適用可能でもある、第１６の態様の特定の実現形態において、プロセッサは、分析物センサシステムに、分析物表示デバイスに関連する入力パラメータの値を取得することを行わせるようにさらに構成される。加えて、プロセッサは、入力パラメータの値に基づいて、第２の時間セグメントの長さ及び第２のアドバタイズメント間隔のうちの１つまたは２つ以上を修正することを行わせるように構成される。
【００７３】
一般に適用可能であり得るが、また、第１６の態様の任意の他の実現形態と関連して特に適用可能でもある、第１６の態様の特定の実現形態において、プロセッサは、分析物センサシステムに、第２の表示デバイスに関連する入力パラメータの値を取得することを行わせるようにさらに構成される。加えて、プロセッサは、分析物センサシステムに、入力パラメータの値に基づいて、第１の時間セグメントの長さ及び第１のアドバタイズメント間隔のうちの１つまたは２つ以上を修正することを行わせるように構成される。
【００７４】
第１７の態様において、分析物センサシステムを分析物表示デバイス及び第２の表示デバイスに接続するための方法は、アドバタイズメント持続時間内の第１の時間セグメント中に、第２の表示デバイスに第１の一組のアドバタイズメントメッセージを伝送すること含む。本方法はまた、アドバタイズメント持続時間内の第２の時間セグメント中に、第２の時間セグメントの長さがゼロ秒に設定されていない場合、分析物表示デバイスに第２の一組のアドバタイズメントメッセージを伝送することも含む。本方法はまた、アドバタイズメント持続時間内の第３の時間セグメント中に、条件を満たした場合、第２の表示デバイスに第３の一組のアドバタイズメントメッセージを伝送することも含む。
【００７５】
一般に適用可能であり得るが、また、第１７の態様の任意の他の実現形態と関連して特に適用可能でもある、第１７の態様の特定の実現形態において、第１の一組のアドバタイズメントメッセージを伝送することは、第１のアドバタイズメント間隔に従って行われる。第１のアドバタイズメント間隔は、約２０ミリ秒とすることができる。第１の時間セグメントの長さは、約１０秒とすることができる。
【００７６】
一般に適用可能であり得るが、また、第１７の態様の任意の他の実現形態と関連して特に適用可能でもある、第１７の態様の特定の実現形態において、第３の一組のアドバタイズメントメッセージを伝送することは、第３のアドバタイズメント間隔に従って行われる。第３のアドバタイズメント間隔は、約１５２．５ミリ秒とすることができる。第３の時間セグメントの長さは、約６０秒とすることができる。
【００７７】
一般に適用可能であり得るが、また、第１７の態様の任意の他の実現形態と関連して特に適用可能でもある、第１７の態様の特定の実現形態において、第１の時間セグメント中に第２の表示デバイスが分析物センサシステムに接続しなかった場合に、条件を満たす。
【００７８】
一般に適用可能であり得るが、また、第１７の態様の任意の他の実現形態と関連して特に適用可能でもある、第１７の態様の特定の実現形態において、本方法は、第２の時間セグメントの長さをゼロに設定して、分析物表示デバイスへの接続を無効にすることをさらに含む。
【００７９】
一般に適用可能であり得るが、また、第１７の態様の任意の他の実現形態と関連して特に適用可能でもある、第１７の態様の特定の実現形態において、本方法は、分析物センサシステムと第２の表示デバイスとの接続の質の指示を取得することをさらに含む。方法はまた、質の指示に基づいて、条件を満たしたかどうかを判定することも含む。条件を満たしたかどうかを判定することは、第２の表示デバイスから受信した信号に応答して、分析物センサシステムによって行うことができる。条件を満たしたかどうかを判定することは、質の指示と閾値とを比較することを含むことができる。質は、受信信号強度指示（ＲＳＳＩ）及びリターントリップ遅延時間（ＲＴＤＴ）のうちの１つまたは２つ以上を使用して判定されたものであり得る。
【００８０】
一般に適用可能であり得るが、また、第１７の態様の任意の他の実現形態と関連して特に適用可能でもある、第１７の態様の特定の実現形態において、本方法は、ＲＳＳＩ及びＲＴＤＴのうちの１つまたは２つ以上の測定を行うことをさらに含む。本方法はまた、測定値に基づいて質を決定することも含む。測定を行うことは、分析物センサシステム及び第２の表示デバイスのうちの１つまたは２つ以上によって行うことができる。
【００８１】
一般に適用可能であり得るが、また、第１７の態様の任意の他の実現形態と関連して特に適用可能でもある、第１７の態様の特定の実現形態において、本方法は、分析物センサシステムの場所及び第２の表示デバイスの場所のうちの１つまたは２つ以上に関連する指示に基づいて、条件を満たしたかどうかを判定することをさらに含む。
【００８２】
一般に適用可能であり得るが、また、第１７の態様の任意の他の実現形態と関連して特に適用可能でもある、第１７の態様の特定の実現形態において、本方法は、日時に関連する指示に基づいて、条件を満たしたかどうかを判定することをさらに含む。
【００８３】
一般に適用可能であり得るが、また、第１７の態様の任意の他の実現形態と関連して特に適用可能でもある、第１７の態様の特定の実現形態において、本方法は、分析物センサシステム用のバッテリ寿命の指示を生成することをさらに含む。本方法は、バッテリ寿命の指示に基づいて、条件を満たしたかどうかを判定することをさらに含む。
【００８４】
一般に適用可能であり得るが、また、第１７の態様の任意の他の実現形態と関連して特に適用可能でもある、第１７の態様の特定の実現形態において、第１の時間セグメントは、第２の時間セグメントに先行し、第２の時間セグメントは、第３の時間セグメントに先行する。
【００８５】
一般に適用可能であり得るが、また、第１７の態様の任意の他の実現形態と関連して特に適用可能でもある、第１７の態様の特定の実現形態において、第２の時間セグメントは、第１の時間セグメントに先行し、第１の時間セグメントは、第３の時間セグメントに先行する。
【００８６】
一般に適用可能であり得るが、また、第１７の態様の任意の他の実現形態と関連して特に適用可能でもある、第１７の態様の特定の実現形態において、本方法は、入力パラメータに基づいて、第２の時間セグメントが第１の時間セグメントに先行するように、及び第１の時間セグメントが第３の時間セグメントに先行するように構成することをさらに含む。入力パラメータは、分析物表示デバイスの場所及び第２の表示デバイスの場所のうちの１つまたは２つ以上に基づくことができる。入力パラメータは、分析物センサシステムとの接続の質の指示に基づくことができる。指示は、受信信号強度及びリターントリップ遅延時間のうちの１つまたは２つ以上に基づいて決定されたものであり得る。入力パラメータは、日時に基づくことができる。入力パラメータは、分析物センサシステムのバッテリ寿命の指示に基づくことができる。
【００８７】
第１８の態様において、分析物データを無線通信するためのシステムは、アドバタイズメント持続時間中に、複数の表示デバイスのうちの１つまたは２つ以上に分析物センサデータ及びアドバタイズメントメッセージを伝送するように構成された、分析物センサシステムを含む。本システムはまた、複数の表示デバイスのうちの第２の表示デバイスも含む。第２の表示デバイスは、アドバタイズメント持続時間内の第１の時間セグメント中に、分析物センサシステムから伝送された第１の一組のアドバタイズメントメッセージを受信し、応答するように構成される。本システムはまた、複数の表示デバイスの分析物表示デバイスも含む。分析物表示デバイスは、アドバタイズメント持続時間内の第２の時間セグメント中に、第２の時間セグメントの長さがゼロ秒に設定されていない場合、分析物センサシステムから伝送された第２の一組のアドバタイズメントメッセージを受信し、応答するように構成される。第２の表示デバイスは、条件を満たした場合、アドバタイズメント持続時間の第３の時間セグメント中に、第３の一組のアドバタイズメントメッセージを受信するようにさらに構成される。
【００８８】
一般に適用可能であり得るが、また、第１８の態様の任意の他の実現形態と関連して特に適用可能でもある、第１８の態様の特定の実現形態において、第１の時間セグメント中に第２の表示デバイスが分析物センサシステムに接続しなかった場合に、条件を満たす。
【００８９】
一般に適用可能であり得るが、また、第１８の態様の任意の他の実現形態と関連して特に適用可能でもある、第１８の態様の特定の実現形態において、分析物センサシステムは、第２の時間セグメントの長さを設定して、ゼロに、分析物表示デバイスへの接続を無効にするようにさらに構成される。
【００９０】
一般に適用可能であり得るが、また、第１８の態様の任意の他の実現形態と関連して特に適用可能でもある、第１８の態様の特定の実現形態において、分析物センサシステム、第２の表示デバイス、及び分析物表示デバイス、のうちの１つまたは２つ以上は、分析物センサシステムに対して行われる１つまたは２つ以上の接続に関する指示を取得し、指示に基づいて、条件を満たしたかどうかを判定するようにさらに構成される。
【００９１】
一般に適用可能であり得るが、また、第１８の態様の任意の他の実現形態と関連して特に適用可能でもある、第１８の態様の特定の実現形態において、分析物センサシステム、第２の表示デバイス、及び分析物表示デバイス、のうちの１つまたは２つ以上は、指示と閾値とを比較することによって、条件を満たしたかどうかを判定するようにさらに構成される。
【００９２】
一般に適用可能であり得るが、また、第１８の態様の任意の他の実現形態と関連して特に適用可能でもある、第１８の態様の特定の実現形態において、第１の時間セグメントは、第２の時間セグメントに先行し、第２の時間セグメントは、第３の時間セグメントに先行する。
【００９３】
一般に適用可能であり得るが、また、第１８の態様の任意の他の実現形態と関連して特に適用可能でもある、第１８の態様の特定の実現形態において、第２の時間セグメントが、第１の時間セグメントに先行し、第１の時間セグメントが、第３の時間セグメントに先行する。
【００９４】
一般に適用可能であり得るが、また、第１８の態様の任意の他の実現形態と関連して特に適用可能でもある、第１８の態様の特定の実現形態において、分析物センサシステムは、入力パラメータに基づいて、第２の時間セグメントを第１の時間セグメントに先行して配設し、第１の時間セグメントを第３の時間セグメントに先行して配設するようにさらに構成される。入力パラメータは、分析物表示デバイスの場所及び第２の表示デバイスの場所のうちの１つまたは２つ以上に基づくことができる。入力パラメータは、分析物センサシステムとの接続の質、日時、及び分析物センサシステムのバッテリ寿命、の１つまたは２つ以上の指示に基づくことができる。
【００９５】
第１９の態様において、分析物データを無線通信するように構成された分析物センサシステムであって、分析物センサシステムは、分析物センサを含む。分析物センサシステムはまた、無線信号を伝送及び受信するように構成されたトランシーバも含む。加えて、分析物センサシステムは、分析物センサ及びトランシーバに動作的に結合され、また、分析物センサシステムに特定の動作を行わせるように構成されたプロセッサを含む。１つのそのような動作は、アドバタイズメント持続時間内の第１の時間セグメント中に、第２の表示デバイスに第１の一組のアドバタイズメントメッセージを伝送することである。１つのそのような動作は、アドバタイズメント持続時間内の第２の時間セグメント中に、第２の時間セグメントの長さがゼロ秒に設定されていない場合、分析物表示デバイスに第２の一組のアドバタイズメントメッセージを伝送することである。別のそのような動作は、アドバタイズメント持続時間内の第３の時間セグメント中に、条件を満たした場合、第２の表示デバイスに第３の一組のアドバタイズメントメッセージを伝送することである。
【００９６】
一般に適用可能であり得るが、また、第１９の態様の任意の他の実現形態と関連して特に適用可能でもある、第１９の態様の特定の実現形態において、第１の時間セグメント中に第２の表示デバイスが分析物センサシステムに接続しなかった場合に、条件を満たす。
【００９７】
一般に適用可能であり得るが、また、第１９の態様の任意の他の実現形態と関連して特に適用可能でもある、第１９の態様の特定の実現形態において、プロセッサは、分析物センサシステムに、第２の時間セグメントの長さを設定させて、ゼロに、分析物表示デバイスへの接続を無効にさせるようにさらに構成される。
【００９８】
一般に適用可能であり得るが、また、第１９の態様の任意の他の実現形態と関連して特に適用可能でもある、第１９の態様の特定の実現形態において、プロセッサは、分析物センサシステムに、分析物センサシステムに対して行われる１つまたは２つ以上の接続に関する指示を取得させ、指示に基づいて、条件を満たしたかどうかを判定させるようにさらに構成される。
【００９９】
一般に適用可能であり得るが、また、第１９の態様の任意の他の実現形態と関連して特に適用可能でもある、第１９の態様の特定の実現形態において、プロセッサは、分析物センサシステムに、指示と閾値とを比較することによって、条件を満たしたかどうかを判定させるようにさらに構成される。
【０１００】
一般に適用可能であり得るが、また、第１９の態様の任意の他の実現形態と関連して特に適用可能でもある、第１９の態様の特定の実現形態において、第１の時間セグメントは、第２の時間セグメントに先行し、第２の時間セグメントは、第３の時間セグメントに先行する。
【０１０１】
一般に適用可能であり得るが、また、第１９の態様の任意の他の実現形態と関連して特に適用可能でもある、第１９の態様の特定の実現形態において、第２の時間セグメントが、第１の時間セグメントに先行し、第１の時間セグメントが、第３の時間セグメントに先行する。
【０１０２】
一般に適用可能であり得るが、また、第１９の態様の任意の他の実現形態と関連して特に適用可能でもある、第１９の態様の特定の実現形態において、プロセッサは、入力パラメータに基づいて、第２の時間セグメントが第１の時間セグメントに先行するべきであること、及び第１の時間セグメントが第３の時間セグメントに先行するべきであることを示すようにさらに構成される。入力パラメータは、分析物センサシステムの場所及び第２の表示デバイスの場所のうちの１つまたは２つ以上に基づく。入力パラメータは、分析物センサシステムとの接続の質、日時、及び分析物センサシステムのバッテリ寿命、の１つまたは２つ以上の指示に基づくことができる。
【０１０３】
第２０の態様において、分析物データを無線通信するように構成された表示デバイスは、無線信号を伝送及び受信するように構成されたトランシーバを含む。表示デバイスはまた、トランシーバに動作的に結合され、また、モバイルデバイスに、特定の動作を行わせるように構成されたプロセッサも含む。１つのそのような動作は、アドバタイズメント持続時間内の第１の時間セグメント中に、分析物センサシステムによって送信された第１の一組のアドバタイズメントメッセージを受信し、応答することである。別のそのような動作は、アドバタイズメント持続時間内の第２の時間セグメント中に、分析物センサシステムによって送信された第２の一組のアドバタイズメントメッセージを受信するが、応答しないことである。別のそのような動作は、アドバタイズメント持続時間内の第３の時間セグメント中に、分析物センサシステムによって送信された第３の一組のアドバタイズメントメッセージを受信し、条件を満たした場合に応答することである。条件は、第１の時間セグメント中に表示デバイスが分析物センサシステムに接続しなかった場合に満たすことができる。
【０１０４】
一般に適用可能であり得るが、また、第２０の態様の任意の他の実現形態と関連して特に適用可能でもある、第２０の態様の特定の実現形態において、プロセッサは、表示デバイスに、分析物センサシステムに対して行われる１つまたは２つ以上の接続に関する指示を取得させ、指示に基づいて、条件を満たしたかどうかを判定させるようにさらに構成される。
【０１０５】
一般に適用可能であり得るが、また、第２０の態様の任意の他の実現形態と関連して特に適用可能でもある、第２０の態様の特定の実現形態において、プロセッサは、表示デバイスに、指示と閾値とを比較することによって、条件を満たしたかどうかを判定させるようにさらに構成される。
【０１０６】
一般に適用可能であり得るが、また、第２０の態様の任意の他の実現形態と関連して特に適用可能でもある、第２０の態様の特定の実現形態において、第１の時間セグメントは、第２の時間セグメントに先行し、第２の時間セグメントは、第３の時間セグメントに先行する。
【０１０７】
一般に適用可能であり得るが、また、第２０の態様の任意の他の実現形態と関連して特に適用可能でもある、第２０の態様の特定の実現形態において、第２の時間セグメントは、第１の時間セグメントに先行し、第１の時間セグメントは、第３の時間セグメントに先行する。
【０１０８】
一般に適用可能であり得るが、また、第２０の態様の任意の他の実現形態と関連して特に適用可能でもある、第２０の態様の特定の実現形態において、プロセッサは、入力パラメータに基づいて、表示デバイスに、第２の時間セグメントが第１の時間セグメントに先行するべきであること、及び第１の時間セグメントが第３の時間セグメントに先行するべきであることを示させるようにさらに構成される入力パラメータは、表示デバイスの場所に基づくことができる。入力パラメータは、分析物センサシステムとの接続の質、日時、及び分析物センサシステムのバッテリ寿命、の１つまたは２つ以上の指示に基づくことができる。
【０１０９】
第２１の態様において、分析物データを無線通信するための方法は、第１のアドバタイズメント期間中に、分析物センサシステムが、第１のアドレスを含む第１のアドバタイズメントメッセージを伝送することを含む。本方法はまた、第２のアドバタイズメント期間中に、分析物センサシステムと分析物表示デバイスとの間の第１の接続が確立された場合、分析物センサシステムが、１つまたは２つ以上の第２の表示デバイスに固有の第２のアドレスを含む第２のアドバタイズメントメッセージを伝送することも含む。加えて、本方法は、第２のアドバタイズメント期間中に、分析物センサシステムと１つまたは２つ以上の第２の表示デバイスとの間の第２の接続が確立された場合、分析物表示デバイスに固有の第３のアドレスを含む第３のアドバタイズメントメッセージを伝送することを含む。第１及び第２のアドバタイズメント期間は、一般的なアドバタイジング期間とすることができる。第１のアドレスは、分析物表示デバイスと１つまたは２つ以上の第２の表示デバイスとの間で共通とすることができる。
【０１１０】
一般に適用可能であり得るが、また、第２１の態様の任意の他の実現形態と関連して特に適用可能でもある、第２１の態様の特定の実現形態において、本方法は、リストが、分析物表示デバイス及び第１の表示デバイスを含むかどうかを評価することをさらに含む。リストが、分析物表示デバイス及び第１の表示デバイスを含む場合、本方法は、１つまたは２つ以上の第２の表示デバイスに、第２のアドバタイズメントメッセージを伝送するための第３のアドバタイジング期間の第１の時間セグメントを割り当てることと、分析物表示デバイスに、第３のアドバタイズメントメッセージを伝送するための第３のアドバタイジング期間の第２の時間セグメントを割り当てることと、を含む。リストに分析物表示デバイスを含むことが、分析物センサシステムが分析物表示デバイスに接続したことを示すことができる。リストに第１の表示デバイスを含むことが、分析物センサシステムが第１の表示デバイスに接続したことを示すことができる。
【０１１１】
一般に適用可能であり得るが、また、第２１の態様の任意の他の実現形態と関連して特に適用可能でもある、第２１の態様の特定の実現形態において、１つまたは２つ以上の第２の表示デバイスは、パーソナル電子デバイスを含む。
【０１１２】
一般に適用可能であり得るが、また、第２１の態様の任意の他の実現形態と関連して特に適用可能でもある、第２１の態様の特定の実現形態において、パーソナル電子デバイスは、スマートフォン、スマートウォッチ、タブレット、コンピュータ、及びテレビ、のうちの１つまたは２つ以上を含む。
【０１１３】
一般に適用可能であり得るが、また、第２１の態様の任意の他の実現形態と関連して特に適用可能でもある、第２１の態様の特定の実現形態において、本方法は、分類スキームに従って、一組の１つまたは２つ以上の第２の表示デバイスを定義することをさらに含む。
【０１１４】
一般に適用可能であり得るが、また、第２１の態様の任意の他の実現形態と関連して特に適用可能でもある、第２１の態様の特定の実現形態において、本方法は、分析物表示デバイスへの接続の予期しない損失に応答して、分析物センサシステムが、第３のアドバタイズメントメッセージを伝送することをさらに含む。本方法は、第１の表示デバイスへの接続の予期しない損失に応答して、分析物センサシステムが、第２のアドバタイズメントメッセージを伝送することをさらに含む。
【０１１５】
一般に適用可能であり得るが、また、第２１の態様の任意の他の実現形態と関連して特に適用可能でもある、第２１の態様の特定の実現形態において、第２のアドレスは、第１の一組の第２の表示デバイスに固有である。第４のアドレスは、第２の一組の第２の表示デバイスに固有であり得る。本方法は、以下の指示のうちの１つまたは２つ以上に基づいて、伝送するための第２及び第４のアドレスの間で選択することをさらに含む。第１及び第２の一組の第２の表示デバイスの間で、分析物センサシステムへの接続の相対的な質の指示。第１の一組の第２の表示デバイスの場所及び第２の一組の第２の表示デバイスの場所のうちの１つまたは２つ以上に関連する指示。日時に関連する指示。及び、分析物センサシステムのバッテリ寿命に関連する指示。
【０１１６】
第２２の態様において、分析物データを無線通信するように構成された分析物センサシステムは、分析物センサを含む。分析物センサシステムはまた、無線信号を伝送及び受信するように構成されたトランシーバも含む。分析物センサシステムはまた、分析物センサ及びトランシーバに動作的に結合され、また、分析物センサシステムに、特定の動作を行わせるように構成されたプロセッサも含む。１つのそのような動作は、第１のアドバタイズメント期間中に、第１のアドレスを含む第１のアドバタイズメントメッセージを伝送することである。１つのそのような動作は、第２のアドバタイズメント期間中に、分析物センサシステムと分析物表示デバイスとの間の第１の接続が確立された場合、１つまたは２つ以上の第２の表示デバイスに固有の第２のアドレスを含む第２のアドバタイズメントメッセージを伝送することである。別のそのような動作は、第２のアドバタイズメント期間中に、分析物センサシステムと１つまたは２つ以上の第２の表示デバイスの第１の表示デバイスとの間の第２の接続が確立された場合、分析物表示デバイスに固有の第３のアドレスを含む第３のアドバタイズメントメッセージを伝送することである。第１及び第２のアドバタイズメント期間は、一般的なアドバタイジング期間とすることができる。第１のアドレスは、分析物表示デバイスと１つまたは２つ以上の第２の表示デバイスとの間で共通とすることができる。
【０１１７】
一般に適用可能であり得るが、また、第２２の態様の任意の他の実現形態と関連して特に適用可能でもある、第２２の態様の特定の実現形態において、プロセッサは、分析物センサシステムに、リストが分析物表示デバイス及び第１の表示デバイスを含むかどうかを評価させるようにさらに構成される。リストが分析物表示デバイス及び第１の表示デバイスを含む場合、分析物センサシステムは、第２のアドバタイズメントメッセージを伝送するための第３のアドバタイジング期間の第１の時間セグメントを、１つまたは２つ以上の第２の表示デバイスに割り当て、また、第３のアドバタイズメントメッセージを伝送するための第３のアドバタイジング期間の第２の時間セグメントを、分析物表示デバイスに割り当てる。リストに分析物表示デバイスを含むことが、分析物センサシステムが分析物表示デバイスに以前に接続したことを示す。リストに第１の表示デバイスを含むことが、分析物センサシステムが第１の表示デバイスに以前に接続したことを示す。
【０１１８】
一般に適用可能であり得るが、また、第２２の態様の任意の他の実現形態と関連して特に適用可能でもある、第２２の態様の特定の実現形態において、１つまたは２つ以上の第２の表示デバイスが、パーソナル電子デバイスを含む。
【０１１９】
一般に適用可能であり得るが、また、第２２の態様の任意の他の実現形態と関連して特に適用可能でもある、第２２の態様の特定の実現形態において、パーソナル電子デバイスは、スマートフォン、スマートウォッチ、タブレット、コンピュータ、及びテレビ、のうちの１つまたは２つ以上を備える。
【０１２０】
一般に適用可能であり得るが、また、第２２の態様の任意の他の実現形態と関連して特に適用可能でもある、第２２の態様の特定の実現形態において、プロセッサは、分析物センサシステムに、分類スキームに従って、一組の１つまたは２つ以上の第２の表示デバイスを定義させるようにさらに構成される。
【０１２１】
一般に適用可能であり得るが、また、第２２の態様の任意の他の実現形態と関連して特に適用可能でもある、第２２の態様の特定の実現形態において、プロセッサは、分析物センサシステムに、分析物表示デバイスへの接続の予期しない損失に応答して、第３のアドバタイズメントメッセージを伝送することを行わせるようにさらに構成される。プロセッサは、分析物センサシステムに、第１の表示デバイスへの接続の予期しない損失に応答して、第２のアドバタイズメントメッセージを伝送することを行わせるようにさらに構成される。
【０１２２】
一般に適用可能であり得るが、また、第２２の態様の任意の他の実現形態と関連して特に適用可能でもある、第２２の態様の特定の実現形態において、第２のアドレスは、第１の一組の第２の表示デバイスに固有である。第４のアドレスは、第２の一組の第２の表示デバイスに固有であり得る。プロセッサは、分析物センサシステムに、以下の指示の１つまたは２つ以上に基づいて、伝送するための第２及び第４のアドレスの間で選択することを行わせるようにさらに構成される。第１及び第２の一組の表示デバイスの間で、分析物センサシステムへの接続の相対的な質の指示。第１の一組の表示デバイスの場所及び第２の一組の表示デバイスの場所のうちの１つまたは２つ以上に関連する指示。日時に関連する指示。及び、分析物センサシステムのバッテリ寿命に関連する指示。
【０１２３】
第２３の態様において、分析物データを無線通信するためのシステムは、分析物表示デバイスを含む。システムはまた、１つまたは２つ以上の第２の表示デバイスを含む。加えて、システムは、分析物センサシステムを含む。分析物感覚のシステムは、無線信号を処理、伝送、及び受信するように構成され、また、分析物センサシステムに、特定の動作を行わせるようにさらに構成された回路を含む。１つのそのような動作は、第１のアドバタイズメント期間中に、第１のアドレスを含む第１のアドバタイズメントメッセージを伝送することである。別のそのような動作は、第２のアドバタイズメント期間中に、分析物センサシステムと分析物表示デバイスとの間の第１の接続が確立された場合、第２の表示デバイスの１つまたは２つ以上に固有の第２のアドレスを含む第２のアドバタイズメントメッセージを伝送することである。１つのそのような動作は、第２のアドバタイズメント期間中に、分析物センサシステムと１つまたは２つ以上の第２の表示デバイスの第１の表示デバイスとの間の第２の接続が確立された場合、分析物表示デバイスに固有の第３のアドレスを含む第３のアドバタイズメントメッセージを伝送することである。別のそのような動作は、リストが分析物表示デバイス及び第１の表示デバイスを含むかどうかを評価することである。リストが分析物表示デバイス及び第１の表示デバイスを備える場合、分析物センサシステムは、第２のアドバタイズメントメッセージを伝送するための第３のアドバタイジング期間の第１の時間セグメントを、１つまたは２つ以上の第２の表示デバイスに割り当て、また、第３のアドバタイズメントメッセージを伝送するための第３のアドバタイジング期間の第２の時間セグメントを、分析物表示デバイスに割り当てる。
【０１２４】
第２４の態様において、分析物データを無線通信するための方法は、第１のアドバタイズメント期間中に、分析物センサシステムが、第１のアドレスを含み、第１のアドレスが１つまたは２つ以上の表示デバイスに固有である、第１のアドバタイズメントメッセージ、及び第２のアドレスを備え、第２のアドレスが分析物表示デバイスに固有である、第２のアドバタイズメントメッセージ、のうちの１つを伝送することを含む。本方法はまた、第１のアドバタイズメント期間の後の第２のアドバタイズメント期間中に、分析物センサシステムと１つまたは２つ以上の表示デバイスの第１の表示デバイスとの間の第１の接続が確立された場合、第２のアドバタイズメントメッセージを伝送することも含む。加えて、本方法は、第１のアドバタイズメント期間の後の第３のアドバタイズメント期間中に、分析物センサシステムと分析物表示デバイスとの間の第２の接続が確立された場合、第１のアドバタイズメントメッセージを伝送することを含む。
【０１２５】
一般に適用可能であり得るが、また、第２４の態様の任意の他の実現形態と関連して特に適用可能でもある、第２４の態様の特定の実現形態において、本方法は、第１のアドバタイズメント期間の前に、分析物表示デバイス及び１つまたは２つ以上の表示デバイスに関する情報を受信することをさらに含む。情報を受信することは、ＮＦＣによって行うことができる。情報を受信することは、分析物センサシステムをプログラムすることによって行うことができる。
【０１２６】
第２５の態様において、分析物データを無線通信するための方法は、分析物センサシステムが、分析物センサシステムに接続することができる複数の表示デバイスのうちの１つまたは２つ以上の選好レベルに関する指示を受信することを含む。指示に応答して、本方法は、選好をサポートするプロシージャを実施することを含む。１８４．前記指示が、前記複数の表示デバイスのうちの１つで動作するモバイルアプリケーションを介して、ユーザから受信されている、請求項１７０に記載の方法。指示は、複数の表示デバイスのうちの第１から第２に切り換える命令を含むことができる。命令は、グラフィカルユーザインターフェース（ＧＵＩ）を介して生成することができる。
【０１２７】
一般に適用可能であり得るが、また、第２５の態様の任意の他の実現形態と関連して特に適用可能でもある、第２５の態様の特定の実現形態において、本方法は、分析物センサシステムが、プロシージャが実施されている旨の指示を含むメッセージを伝送することをさらに含む。
【０１２８】
一般に適用可能であり得るが、また、第２５の態様の任意の他の実現形態と関連して特に適用可能でもある、第２５の態様の特定の実現形態において、プロシージャを実施することが、１つまたは２つ以上の表示デバイスの全体的な選好レベルのリストのメンテナンスを修正することを含む。
【０１２９】
一般に適用可能であり得るが、また、第２５の態様の任意の他の実現形態と関連して特に適用可能でもある、第２５の態様の特定の実現形態において、リストのメンテナンスを修正することは、指示に従って、１つまたは２つ以上の表示デバイスをリストに保持することと、接続に利用できなくなる１つまたは２つ以上の表示デバイスのうちのいずれかを、リストから削除することを可能にすることと、を含む。
【０１３０】
一般に適用可能であり得るが、また、第２５の態様の任意の他の実現形態と関連して特に適用可能でもある、第２５の態様の特定の実現形態において、リストのメンテナンスを修正することは、指示に従って、複数の表示デバイスのうちの１つまたは２つ以上をリストに加えることを含む。
【０１３１】
一般に適用可能であり得るが、また、第２５の態様の任意の他の実現形態と関連して特に適用可能でもある、第２５の態様の特定の実現形態において、リストのメンテナンスを修正することは、指示に従って、複数の表示デバイスのうちの１つまたは２つ以上をリストから削除することを含む。
【０１３２】
一般に適用可能であり得るが、また、第２５の態様の任意の他の実現形態と関連して特に適用可能でもある、第２５の態様の特定の実現形態において、本方法は、複数の表示デバイスのうちの１つまたは２つ以上をリストから削除した旨の指示を含むメッセージを伝送することをさらに含む。
【０１３３】
一般に適用可能であり得るが、また、第２５の態様の任意の他の実現形態と関連して特に適用可能でもある、第２５の態様の特定の実現形態において、リストは、分析物センサシステムに以前に接続した複数の表示デバイスのうちの１つまたは２つ以上を表す。リストは、ホワイトリストとすることができる。
【０１３４】
一般に適用可能であり得るが、また、第２５の態様の任意の他の実現形態と関連して特に適用可能でもある、第２５の態様の特定の実現形態において、プロシージャを実施することは、指示に従って、分析物センサシステムが、１つまたは２つ以上の表示デバイスのうちの少なくとも１つに固有のアドレスを含むアドバタイズメントメッセージを伝送することを含む。
【０１３５】
一般に適用可能であり得るが、また、第２５の態様の任意の他の実現形態と関連して特に適用可能でもある、第２５の態様の特定の実現形態において、プロシージャを実施することは、指示に従って、分析物センサシステムが、１つまたは２つ以上の表示デバイスの各々について、表示デバイスに固有のアドバタイズメントメッセージを伝送することを含む。
【０１３６】
一般に適用可能であり得るが、また、第２５の態様の任意の他の実現形態と関連して特に適用可能でもある、第２５の態様の特定の実現形態において、選好は、表示デバイスの１つまたは２つ以上の優先順位付けを含む。
【０１３７】
一般に適用可能であり得るが、また、第２５の態様の任意の他の実現形態と関連して特に適用可能でもある、第２５の態様の特定の実現形態において、プロシージャを実施することは、優先順位付けに基づく構成を使用して、分析物センサシステムが、１つまたは２つ以上の表示デバイスの各々について、表示デバイスに固有のアドバタイズメントメッセージを伝送することを含む。
【０１３８】
一般に適用可能であり得るが、また、第２５の態様の任意の他の実現形態と関連して特に適用可能でもある、第２５の態様の特定の実現形態において、プロシージャを実施することは、優先順位付けに基づく順序で、分析物センサシステムが、１つまたは２つ以上の表示デバイスの各々について、表示デバイスに固有のアドバタイズメントメッセージを伝送することを含む。
【０１３９】
第２６の態様において、分析物データを無線通信するように構成された分析物センサシステムは、分析物センサを含む。分析物センサシステムはまた、無線信号を伝送及び受信するように構成されたトランシーバも含む。加えて、分析物センサシステムは、分析物センサ及びトランシーバに動作的に結合され、また、分析物センサシステムに特定の動作を行わせるように構成されたプロセッサを含む。１つのそのような動作は、分析物センサシステムに接続することができる複数の表示デバイスのうちの１つまたは２つ以上の選好レベルに関する指示を受信することである。別のそのような動作は、指示に応答して、選好をサポートするプロシージャを実施することである。
【０１４０】
一般に適用可能であり得るが、また、第２６の態様の任意の他の実現形態と関連して特に適用可能でもある、第２６の態様の特定の実現形態において、プロセッサは、分析物センサシステムに、プロシージャが実施されている旨の指示を含むメッセージを伝送させるようにさらに構成される。
【０１４１】
一般に適用可能であり得るが、また、第２６の態様の任意の他の実現形態と関連して特に適用可能でもある、第２６の態様の特定の実現形態において、プロシージャを実施するために、プロセッサは、分析物センサシステムに、１つまたは２つ以上の表示デバイスの全体的な選好レベルのリストのメンテナンスを修正させるようにさらに構成される。
【０１４２】
一般に適用可能であり得るが、また、第２６の態様の任意の他の実現形態と関連して特に適用可能でもある、第２６の態様の特定の実現形態において、リストのメンテナンスを修正するために、プロセッサは、指示に従って、１つまたは２つ以上の表示デバイスをリストに保持し、接続に利用できなくなる１つまたは２つ以上の表示デバイスのうちのいずれかを、リストから削除することを可能にするようにさらに構成される。
【０１４３】
一般に適用可能であり得るが、また、第２６の態様の任意の他の実現形態と関連して特に適用可能でもある、第２６の態様の特定の実現形態において、リストのメンテナンスを修正するために、プロセッサは、指示に従って、複数の表示デバイスのうちの１つまたは２つ以上をリストに加えるようにさらに構成される。
【０１４４】
一般に適用可能であり得るが、また、第２６の態様の任意の他の実現形態と関連して特に適用可能でもある、第２６の態様の特定の実現形態において、リストのメンテナンスを修正するために、プロセッサは、指示に従って、複数の表示デバイスのうちの１つまたは２つ以上をリストから削除するようにさらに構成される。
【０１４５】
一般に適用可能であり得るが、また、第２６の態様の任意の他の実現形態と関連して特に適用可能でもある、第２６の態様の特定の実現形態において、プロセッサは、複数の表示デバイスのうちの１つまたは２つ以上をリストから削除した旨の指示を含むメッセージを伝送するようにさらに構成される。
【０１４６】
一般に適用可能であり得るが、また、第２６の態様の任意の他の実現形態と関連して特に適用可能でもある、第２６の態様の特定の実現形態において、リストは、分析物センサシステムに以前に接続した複数の表示デバイスのうちの１つまたは２つ以上を表す。リストは、ホワイトリストとすることができる。
【０１４７】
一般に適用可能であり得るが、また、第２６の態様の任意の他の実現形態と関連して特に適用可能でもある、第２６の態様の特定の実現形態において、プロシージャを実施するために、プロセッサは、指示に従って、１つまたは２つ以上の表示デバイスのうちの少なくとも１つに固有のアドレスを含むアドバタイズメントメッセージを伝送するようにさらに構成される。
【０１４８】
一般に適用可能であり得るが、また、第２６の態様の任意の他の実現形態と関連して特に適用可能でもある、第２６の態様の特定の実現形態において、プロシージャを実施するために、プロセッサは、指示に従って、１つまたは２つ以上の表示デバイスの各々について、表示デバイスに固有のアドバタイズメントメッセージを伝送するようにさらに構成される。
【０１４９】
一般に適用可能であり得るが、また、第２６の態様の任意の他の実現形態と関連して特に適用可能でもある、第２６の態様の特定の実現形態において、選好は、表示デバイスの１つまたは２つ以上の優先順位付けを含む。
【０１５０】
一般に適用可能であり得るが、また、第２６の態様の任意の他の実現形態と関連して特に適用可能でもある、第２６の態様の特定の実現形態において、プロシージャを実施するために、プロセッサは、優先順位付けに基づく構成に従って、１つまたは２つ以上の表示デバイスの各々について、表示デバイスに固有のアドバタイズメントメッセージを伝送するようにさらに構成される。
【０１５１】
一般に適用可能であり得るが、また、第２６の態様の任意の他の実現形態と関連して特に適用可能でもある、第２６の態様の特定の実現形態において、プロシージャを実施するために、プロセッサは、優先順位付けに基づく順序で、１つまたは２つ以上の表示デバイスの各々について、表示デバイスに固有のアドバタイズメントメッセージを伝送するようにさらに構成される。
【０１５２】
一般に適用可能であり得るが、また、第２６の態様の任意の他の実現形態と関連して特に適用可能でもある、第２６の態様の特定の実現形態において、指示は、複数の表示デバイスのうちの１つで動作するモバイルアプリケーションを介して、ユーザから受信されている。指示は、複数の表示デバイスのうちの第１から第２に切り換える命令を含むことができる。命令は、グラフィカルユーザインターフェース（ＧＵＩ）を介して生成されたものであり得る。
【０１５３】
第２７の態様において、分析物データを無線通信するための方法は、モバイルデバイスが、分析物センサシステムに接続することができる複数の表示デバイスのうちの１つまたは２つ以上の選好レベルに関する指示を受信することを含む。方法はまた、指示に応答して、選好をサポートするプロシージャを実施することも含む。
【０１５４】
一般に適用可能であり得るが、また、第２７の態様の任意の他の実現形態と関連して特に適用可能でもある、第２７の態様の特定の実現形態において、プロシージャを開始することは、モバイルデバイスが、分析物センサシステムにメッセージを伝送することを含む。メッセージは、プロシージャを実施するべきである旨の指示を含む。
【０１５５】
一般に適用可能であり得るが、また、第２７の態様の任意の他の実現形態と関連して特に適用可能でもある、第２７の態様の特定の実現形態において、本方法は、モバイルデバイスが、プロシージャが実施されている旨の指示を含むメッセージを分析物センサシステムから受信することをさらに含む。
【０１５６】
一般に適用可能であり得るが、また、第２７の態様の任意の他の実現形態と関連して特に適用可能でもある、第２７の態様の特定の実現形態において、プロシージャは、モバイルデバイスによって表示される（グラフィカルユーザインターフェース）ＧＵＩを介して受信したユーザ入力に応答して、１つまたは２つ以上の表示デバイスの全体的な選好レベルのリストのメンテナンスを修正することを含む。
【０１５７】
一般に適用可能であり得るが、また、第２７の態様の任意の他の実現形態と関連して特に適用可能でもある、第２７の態様の特定の実現形態において、リストのメンテナンスを修正することは、ユーザ入力に従って、複数の表示デバイスのうちの１つまたは２つ以上をリストに加えることを含む。
【０１５８】
一般に適用可能であり得るが、また、第２７の態様の任意の他の実現形態と関連して特に適用可能でもある、第２７の態様の特定の実現形態において、リストのメンテナンスを修正することは、ユーザ入力に従って、複数の表示デバイスのうちの１つまたは２つ以上をリストから削除することを含む。
【０１５９】
一般に適用可能であり得るが、また、第２７の態様の任意の他の実現形態と関連して特に適用可能でもある、第２７の態様の特定の実現形態において、本方法は、モバイルデバイスが、ユーザ入力に基づいて、複数の表示デバイスのうちの１つまたは２つ以上がリストに加えられた、または該リストから削除された旨の指示を含むメッセージを受信することをさらに含む。
【０１６０】
一般に適用可能であり得るが、また、第２７の態様の任意の他の実現形態と関連して特に適用可能でもある、第２７の態様の特定の実現形態において、プロシージャは、モバイルデバイスによって表示されるＧＵＩを介して受信したユーザ入力に基づいて、モバイルデバイスが、１つまたは２つ以上の表示デバイスの各々について、表示デバイスに固有のアドバタイズメントメッセージを受信することを含む。
【０１６１】
一般に適用可能であり得るが、また、第２７の態様の任意の他の実現形態と関連して特に適用可能でもある、第２７の態様の特定の実現形態において、指示は、モバイルデバイスで動作するモバイルアプリケーションによってモバイルデバイスのディスプレイに提示されるＧＵＩを介して、ユーザから受信されている。指示は、複数の表示デバイスのうちの第１から第２に切り換える命令を含むことができる。モバイルデバイスは、複数の表示デバイスのうちの第１または第２のうちの１つとすることができる。
【０１６２】
第２８の態様において、分析物データを無線通信するように構成されたモバイルデバイスは、モバイルデバイスのユーザにＧＵＩを提示するように構成されたディスプレイを含む。モバイルデバイスはまた、無線信号を伝送及び受信するように構成されたトランシーバも含む。さらに、モバイルデバイスは、ディスプレイ及びトランシーバに動作的に結合され、また、モバイルデバイスに、特定の動作を行わせるように構成されたプロセッサを含む。１つのそのような動作は、分析物センサシステムに接続することができる複数の表示デバイスのうちの１つまたは２つ以上の選好レベルに関する指示を受信することである。別のそのような動作は、指示に応答して、選好をサポートするプロシージャを実施することである。
【０１６３】
一般に適用可能であり得るが、また、第２８の態様の任意の他の実現形態と関連して特に適用可能でもある、第２８の態様の特定の実現形態において、プロセッサは、モバイルデバイスに、分析物センサシステムにメッセージを伝送させるようにさらに構成される。メッセージは、プロシージャを実施するべきである旨の指示を含む。
【０１６４】
一般に適用可能であり得るが、また、第２８の態様の任意の他の実現形態と関連して特に適用可能でもある、第２８の態様の特定の実現形態において、プロセッサは、モバイルデバイスに、プロシージャが実施されている旨の指示を含むメッセージを分析物センサシステムから受信させるようにさらに構成される。
【０１６５】
一般に適用可能であり得るが、また、第２８の態様の任意の他の実現形態と関連して特に適用可能でもある、第２８の態様の特定の実現形態において、プロセッサは、モバイルデバイスに、モバイルデバイスによって表示されるＧＵＩを介して受信したユーザ入力に応答して、１つまたは２つ以上の表示デバイスの全体的な選好レベルのリストのメンテナンスの修正を開始させるようにさらに構成される。
【０１６６】
一般に適用可能であり得るが、また、第２８の態様の任意の他の実現形態と関連して特に適用可能でもある、第２８の態様の特定の実現形態において、リストのメンテナンスの修正と関連して、プロセッサは、ユーザ入力に従って、モバイルデバイスに、複数の表示デバイスのうちの１つまたは２つ以上をリストに加えるための命令を生成させるようにさらに構成される。
【０１６７】
一般に適用可能であり得るが、また、第２８の態様の任意の他の実現形態と関連して特に適用可能でもある、第２８の態様の特定の実現形態において、リストのメンテナンスの修正と関連して、プロセッサは、ユーザ入力に従って、モバイルデバイスに、複数の表示デバイスのうちの１つまたは２つ以上をリストから削除するための命令を生成させるようにさらに構成される。
【０１６８】
一般に適用可能であり得るが、また、第２８の態様の任意の他の実現形態と関連して特に適用可能でもある、第２８の態様の特定の実現形態において、プロセッサは、モバイルデバイスに、ユーザ入力に基づいて、複数の表示デバイスのうちの１つまたは２つ以上がリストに加えられた、または該リストから削除された旨の指示を含むメッセージを受信させるようにさらに構成される。
【０１６９】
一般に適用可能であり得るが、また、第２８の態様の任意の他の実現形態と関連して特に適用可能でもある、第２８の態様の特定の実現形態において、リストのメンテナンスの修正と関連して、プロセッサは、ＧＵＩを介して受信したユーザ入力に基づいて、モバイルデバイスに、モバイルデバイスに固有のアドバタイズメントメッセージを受信させるようにさらに構成される。
【０１７０】
一般に適用可能であり得るが、また、第２８の態様の任意の他の実現形態と関連して特に適用可能でもある、第２８の態様の特定の実現形態において、指示は、モバイルデバイスで動作するモバイルアプリケーションによってモバイルデバイスのディスプレイに提示されるＧＵＩを介して、ユーザから受信されている。
【０１７１】
一般に適用可能であり得るが、また、第２８の態様の任意の他の実現形態と関連して特に適用可能でもある、第２８の態様の特定の実現形態において、指示は、複数の表示デバイスのうちの第１から第２に切り換える命令を含む。モバイルデバイスは、複数の表示デバイスのうちの第１または第２のうちの１つとすることができる。
【０１７２】
第２９の態様において、分析物データを無線通信するための方法は、モバイルデバイスが、分析物センサシステムに接続することができる複数の表示デバイスのうちの１つまたは２つ以上の選好レベルに関する指示を受信することを含む。本方法はまた、モバイルデバイスが、分析物センサシステムに指示を伝送することも含む。本方法は、分析物センサシステムが、指示を受信することをさらに含む。指示に応答して、本方法は、分析物センサシステムが、選好をサポートするプロシージャを実施することを含む。
【０１７３】
一般に適用可能であり得るが、また、第２９の態様の任意の他の実現形態と関連して特に適用可能でもある、第２９の態様の特定の実現形態において、本方法は、分析物センサシステムが、モバイルデバイスにメッセージを伝送することをさらに含む。メッセージは、プロシージャが実施されている旨の指示を含む。
【０１７４】
一般に適用可能であり得るが、また、第２９の態様の任意の他の実現形態と関連して特に適用可能でもある、第２９の態様の特定の実現形態において、本方法は、分析物センサシステムが、モバイルデバイスにメッセージを伝送することをさらに含む。メッセージは、プロシージャを実施することと関連して維持されるリストに関する情報を含む。リストは、分析物センサシステムのホワイトリストとすることができる。
【０１７５】
一般に適用可能であり得るが、また、第２９の態様の任意の他の実現形態と関連して特に適用可能でもある、第２９の態様の特定の実現形態において、プロシージャを実施することは、分析物センサシステムが、指示に従って、モバイルデバイスに固有のアドレスを含むアドバタイズメントメッセージを伝送することを含む。
【０１７６】
一般に適用可能であり得るが、また、第２９の態様の任意の他の実現形態と関連して特に適用可能でもある、第２９の態様の特定の実現形態において、複数の表示デバイスは、モバイルデバイスを備え、プロシージャを実施することは、指示に従って、分析物センサシステムが、１つまたは２つ以上の表示デバイスの各々について、表示デバイスに固有のアドバタイズメントメッセージを伝送することを含む。
【０１７７】
一般に適用可能であり得るが、また、第２９の態様の任意の他の実現形態と関連して特に適用可能でもある、第２９の態様の特定の実現形態において、選好は、表示デバイスの１つまたは２つ以上の優先順位付けを含む。優先順位付けは、モバイルデバイスによって表示されるＧＵＩを介して受信したユーザ入力に基づいて決定することができる。
【０１７８】
一般に適用可能であり得るが、また、第２９の態様の任意の他の実現形態と関連して特に適用可能でもある、第２９の態様の特定の実現形態において、プロシージャを実施することは、優先順位付けに基づく構成を使用して、分析物センサシステムが、１つまたは２つ以上の表示デバイスの各々について、表示デバイスに固有のアドバタイズメントメッセージを伝送することを含む。
【０１７９】
一般に適用可能であり得るが、また、第２９の態様の任意の他の実現形態と関連して特に適用可能でもある、第２９の態様の特定の実現形態において、プロシージャを実施することは、優先順位付けに基づく順序で、分析物センサシステムが、１つまたは２つ以上の表示デバイスの各々について、表示デバイスに固有のアドバタイズメントメッセージを伝送することを含む。
【０１８０】
一般に適用可能であり得るが、また、第２９の態様の任意の他の実現形態と関連して特に適用可能でもある、第２９の態様の特定の実現形態において、指示は、モバイルデバイスで動作するモバイルアプリケーションを介して、ユーザから受信されている。指示は、複数の表示デバイスのうちの第１から第２に切り換える命令を含むことができる。命令は、モバイルアプリケーションによって提示されるＧＵＩを使用して生成されたものであり得る。
【０１８１】
第３０の態様において、分析物データを無線通信するための方法は、第１の無線プロトコルを介して、分析物センサシステムと第１の表示デバイスとの間の第１の接続を確立することを含む。方法はまた、分析物センサシステムから第１の表示デバイスに第１の接続に関連する情報を転送することも含む。加えて、本方法は、第２の表示デバイスが、第２の無線プロトコルを介して、第１の表示デバイスへの第２の接続を確立することを含む。その上、本方法は、第２の無線プロトコルを使用して、第１の表示デバイスから第２の表示デバイスに第１の接続に関連する情報を転送することを含む。
【０１８２】
一般に適用可能であり得るが、また、第３０の態様の任意の他の実現形態と関連して特に適用可能でもある、第３０の態様の特定の実現形態において、本方法は、分析物センサシステムと第２の表示デバイスとの間で分析物データを通信するために、第１の無線プロトコル及び第１の表示デバイスから伝送された情報を使用して、第２の表示デバイスと分析物センサシステムとの間の第３の接続を確立することをさらに含む。
【０１８３】
一般に適用可能であり得るが、また、第３０の態様の任意の他の実現形態と関連して特に適用可能でもある、第３０の態様の特定の実現形態において、第１の無線プロトコルは、ＢＬＥである。第２の無線プロトコルは、ＮＦＣまたはＷｉＦｉとすることができる。
【０１８４】
一般に適用可能であり得るが、また、第３０の態様の任意の他の実現形態と関連して特に適用可能でもある、第３０の態様の特定の実現形態において、第１の接続に関連する情報は、トランスミッタ識別情報、アラート設定情報、連続グルコース監視データの履歴、今度の伝送のスケジュール情報、現在のＥＧＶ、アクティブアラートに関する情報、較正データ、アプリケーション鍵に関する情報、及び暗号化に関する情報、のうちの１つまたは２つ以上を含む。
【０１８５】
第３１の態様において、分析物データを無線通信するための方法は、第１の無線プロトコルを介して、分析物センサシステムと第１の表示デバイスとの間の第１の接続を確立することを含む。本方法はまた、分析物センサシステムが、第１の表示デバイスに第１の接続に関連する情報を転送することも含む。加えて、本方法は、分析物センサシステムが、第１の接続に関連する情報の少なくとも一部を使用して、第１の無線プロトコルを介して、分析物センサシステムと第２の表示デバイスとの間の第２の接続を確立することを含む。第２の表示デバイスは、第２の無線プロトコルを介して、第１の表示デバイスから接続に関連する情報の少なくとも一部を受信していることがあり得る。
【０１８６】
一般に適用可能であり得るが、また、第３１の態様の任意の他の実現形態と関連して特に適用可能でもある、第３１の態様の特定の実現形態において、第１の無線プロトコルは、ＢＬＥであり、第２の無線プロトコルは、ＮＦＣまたはＷｉＦｉである。
【０１８７】
一般に適用可能であり得るが、また、第３１の態様の任意の他の実現形態と関連して特に適用可能でもある、第３１の態様の特定の実現形態において、第１の接続に関連する情報は、トランスミッタ識別情報、アラート設定情報、連続グルコース監視データの履歴、今度の伝送のスケジュール情報、現在のＥＧＶ、アクティブアラートに関する情報、較正データ、及びアプリケーション鍵に関する情報、及び暗号化に関する情報、のうちの１つまたは２つ以上を含む。
【０１８８】
第３２の態様において、分析物データを無線通信するように構成された分析物センサシステムは、分析物センサを含む。分析物センサシステムはまた、無線信号を伝送及び受信するように構成されたトランシーバも含む。さらに、分析物センサシステムは、分析物センサ及びトランシーバに動作的に結合され、また、分析物センサシステムに特定の動作を行わせるように構成されたプロセッサを含む。１つのそのような動作は、第１の無線プロトコルを介して第１の表示デバイスとの第１の接続を確立することである。別のそのような動作は、第１の表示デバイスに第１の接続に関連する情報を転送することである。別のそのような動作は、第１の接続に関連する情報の少なくとも一部を使用して、第１の無線プロトコルを介して、第２の表示デバイスへの第２の接続を確立することである。第２の表示デバイスは、２の無線プロトコルを介して、第１の表示デバイスから第１の接続に関連する情報の少なくとも一部を受信していることがあり得る。
【０１８９】
一般に適用可能であり得るが、また、第３２の態様の任意の他の実現形態と関連して特に適用可能でもある、第３２の態様の特定の実現形態において、第１の無線プロトコルは、ＢＬＥであり、及び／または第２の無線プロトコルは、ＮＦＣもしくはＷｉＦｉである。
【０１９０】
一般に適用可能であり得るが、また、第３２の態様の任意の他の実現形態と関連して特に適用可能でもある、第３２の態様の特定の実現形態において、第１の接続に関連する情報は、トランスミッタ識別情報、アラート設定情報、連続グルコース監視データの履歴、今度の伝送のスケジュール情報、現在のＥＧＶ、アクティブアラートに関する情報、較正データ、アプリケーション鍵に関する情報、及び暗号化に関する情報、のうちの１つまたは２つ以上を含む。
【０１９１】
第３３の態様において、分析物データを無線通信するように構成されたモバイルデバイスは、無線信号を伝送及び受信するように構成されたトランシーバを含む。モバイルデバイスはまた、トランシーバに動作的に結合され、また、モバイルデバイスに、特定の動作を行わせるように構成されたプロセッサも含む。１つのそのような動作は、表示デバイスから、第１の無線プロトコルを介して、表示デバイスと分析物センサシステムとの間の第１の接続に関連する情報を受信することである。別のそのような動作は、第１の接続に関連する情報を使用して、第２の無線プロトコルを介して、分析物センサシステムとの第２の接続を確立することである。
【０１９２】
一般に適用可能であり得るが、また、第３３の態様の任意の他の実現形態と関連して特に適用可能でもある、第３３の態様の特定の実現形態において、第１の無線プロトコルは、ＮＦＣもしくはＷｉＦｉであり、及び／または第２の無線プロトコルは、ＢＬＥである。
【０１９３】
一般に適用可能であり得るが、また、第３３の態様の任意の他の実現形態と関連して特に適用可能でもある、第３３の態様の特定の実現形態において、第１の接続に関連する情報は、トランスミッタ識別情報、アラート設定情報、連続グルコース監視データの履歴、今度の伝送のスケジュール情報、現在のＥＧＶ、アクティブアラートに関する情報、較正データ、アプリケーション鍵に関する情報、及び暗号化に関する情報、のうちの１つまたは２つ以上を含む。
【０１９４】
第３４の態様において、分析物データを無線通信するための方法は、第１の無線プロトコルを介して、分析物センサシステムと第１の表示デバイスとの間の第１の接続を確立することを含む。本方法はまた、分析物センサシステムが、第１の表示デバイスに第１の接続に関連する情報を転送することも含む。加えて、本方法は、第１の表示デバイスが、第２の無線プロトコルを介して、第２の表示デバイスとの第２の接続を確立することを含む。その上、本方法は、第１の表示デバイスが、第２の無線プロトコルを介して、第２の表示デバイスに第１の接続に関連する情報を転送することを含む。本方法はまた、分析物センサシステムが、第１の接続に関連する情報の少なくとも一部を使用して、第１の無線プロトコルを介して、分析物センサシステムと第２の表示デバイスとの間の第３の接続を確立することも含む。
【０１９５】
さらなる本開示の態様は、添付図面を参照しながら、下で説明される種々の開示された実施形態の詳細な説明を考察したときに、より容易に認識されるであろう。
【図面の簡単な説明】
【０１９６】
【図１Ａ】本開示の実施形態の実施と関連して使用することができる例示的なシステムの態様を例示する図である。
【図１Ｂ】本開示の実施形態の実施と関連して使用することができる例示的なシステムの態様を例示する図である。
【図２Ａ】分析物センサシステムの実施形態の実施と関連して使用することができる例示的な筐体の斜視図である。
【図２Ｂ】分析物センサシステムの実施形態の実施と関連して使用することができる例示的な筐体の側面図である。
【図３Ａ】本開示の実施形態の実施形態の実施と関連して使用することができる例示的なシステムの態様を例示する図である。
【図３Ｂ】本開示の実施形態の実施と関連して使用することができる例示的なシステムの態様を例示する図である。
【図３Ｃ】本開示の実施形態の実施と関連して使用することができる例示的なシステムの態様を例示する図である。
【図３Ｄ】本開示の実施形態による、例示的なユーザインターフェースの態様を例示する図である。
【図３Ｅ】本開示の実施形態による、例示的なユーザインターフェースの態様を例示する図である。
【図４】本開示の実施形態による、例示的な分析物センサシステムの態様を例示するブロック図である。
【図５】本開示の実施形態による、例示的な分析物センサシステムの態様を例示するブロック図である。
【図６】本開示の実施形態に従って行うことができる種々の動作を例示する動作フロー図である。
【図７Ａ】本開示の実施形態に従って行うことができる種々の動作を例示する動作フロー図である。
【図７Ｂ】本開示の実施形態に従って行うことができる種々の動作を例示する動作フロー図である。
【図７Ｃ】本開示の実施形態に従って行うことができる種々の動作を例示する動作フロー図である。
【図７Ｄ】本開示の実施形態に従って行うことができる種々の動作を例示する動作フロー図である。
【図７Ｅ】本開示の実施形態に従って行うことができる種々の動作を例示する動作フロー図である。
【図７Ｆ】本開示の実施形態に従って行うことができる種々の動作を例示する動作フロー図である。
【図７Ｇ】本開示の実施形態に従って行うことができる種々の動作を例示する動作フロー図である。
【図７Ｈ】本開示の実施形態に従って行うことができる種々の動作を例示する動作フロー図である。
【図７Ｊ】本開示の実施形態に従って行うことができる種々の動作を例示する動作フロー図である。
【図７Ｋ】本開示の実施形態に従って行うことができる種々の動作を例示する動作フロー図である。
【図７Ｌ】本開示の実施形態に従って行うことができる種々の動作を例示する動作フロー図である。
【図８】本開示の実施形態に従う、アドバタイズメントメッセージの例示的な構造を例示する図である。
【図９Ａ】本開示の実施形態に従う、アドバタイズメントメッセージの伝送を例示するタイミング図である。
【図９Ｂ】本開示の実施形態に従う、アドバタイズメントメッセージの伝送の例示的な態様を例示するタイミング図である。
【図９Ｃ】本開示の実施形態に従う、アドバタイズメントメッセージの伝送の例示的な態様を例示するタイミング図である。
【図９Ｄ】本開示の実施形態に従う、アドバタイズメントメッセージの伝送の例示的な態様を例示するタイミング図である。
【図９Ｅ】本開示の実施形態に従う、アドバタイズメントメッセージの伝送の例示的な態様を例示するタイミング図である。
【図９Ｆ】本開示の実施形態に従う、アドバタイズメントメッセージの伝送の例示的な態様を例示するタイミング図である。
【図１０Ａ】本開示の実施形態に従って行うことができる種々の動作を例示する動作フロー図である。
【図１０Ｂ】本開示の実施形態に従って行うことができる種々の動作を例示する動作フロー図である。
【図１１】本開示の実施形態に従う、例示的なコンピューティングモジュールを例示する図である。
【図１２Ａ】本開示の実施形態に従って行うことができる種々の動作を例示する動作フロー図である。
【図１２Ｂ】本開示の実施形態に従って行うことができる種々の動作を例示する動作フロー図である。
【図１２Ｃ】本開示の実施形態に従って行うことができる種々の動作を例示する動作フロー図である。
【図１２Ｄ】本開示の実施形態に従って行うことができる種々の動作を例示する動作フロー図である。
【図１３Ａ】本開示の実施形態に従って行うことができる種々の動作を例示する動作フロー図である。
【図１３Ｂ】本開示の実施形態に従って行うことができる種々の動作を例示する動作フロー図である。
【図１３Ｃ】本開示の実施形態に従って行うことができる種々の動作を例示する動作フロー図である。
【図１４Ａ】本開示の実施形態に従って行うことができる種々の動作を例示する動作フロー図である。
【図１４Ｂ】本開示の実施形態に従って行うことができる種々の動作を例示する動作フロー図である。
【図１４Ｃ】本開示の実施形態に従って行うことができる種々の動作を例示する動作フロー図である。
【図１４Ｄ】本開示の実施形態に従って行うことができる種々の動作を例示する動作フロー図である。
【図１４Ｅ】本開示の実施形態に従って行うことができる種々の動作を例示する動作フロー図である。
【図１４Ｆ】本開示の実施形態に従って行うことができる種々の動作を例示する動作フロー図である。
【図１５Ａ】本開示の実施形態に従って行うことができる種々の動作を例示する動作フロー図である。
【図１５Ｂ】本開示の実施形態に従って行うことができる種々の動作を例示する動作フロー図である。
【図１６Ａ】本開示の実施形態に従って行うことができる種々の動作を例示する動作フロー図である。
【図１６Ｂ】本開示の実施形態に従って行うことができる種々の動作を例示する動作フロー図である。
【図１７】本開示の実施形態に従って行うことができる種々の動作を例示する動作フロー図である。
【発明を実施するための形態】
【０１９７】
図は、下の説明及び実施例においてさらに詳細に説明され、例示の目的でのみ提供されており、また、単に本開示の典型的または例示的な実施形態を表すだけのものである。図は、包括的であることを意図せず、または本開示を開示される正確な形態に限定することを意図しない。また、本開示は、修正または変更を伴って実践され得ること、及び本開示は、特許請求の範囲及びその等価物だけによって限定され得ることも理解されたい。
【０１９８】
本開示の実施形態は、分析物データを無線通信するためのシステム、方法、及びデバイスを対象とする。本明細書で説明される種々の配置において、分析物データは、表示デバイス及び同類のものに接続するように構成された分析物センサシステムによって生成される、グルコースデータである。本明細書で詳細に説明するように、本開示の態様を実施することで、分析物センサシステム及び他のデバイス無線通信に関する分析物センサシステムの効率を高めることによって、その電力消費を低減させることができる。その上、本開示の態様を実施することはまた、電力消費の低減も可能にし、一方で、無線通信の信頼性、速度、及び精度に関する性能、ならびにそれらと関連付けられる接続プロトコルを維持及び／または改善することも可能にすることができる。特に、本開示の当該の態様は、例えば、認証及び暗号化、デバイスの接続プロトコル及びタイミング、アドバタイズメントメッセージの構造及びコンテンツ、ならびにデバイスのペアリングに関する。
【０１９９】
本開示のシステム、方法、及びデバイスのいくつかの例示的な実施形態の詳細は、この説明の中に記載され、またいくつかの事例では、本開示の他の部分に記載される。本開示のその他の特徴、目的、及び利点は、本開示、説明、図面、実施例、及び特許請求の範囲を検討した時点で当業者に明らかになるであろう。全ての当該の追加的なシステム、方法、デバイス、特徴、及び利点は、（明示的に、または参照によって）本説明に含まれること、本開示の範囲内であること、及び添付の請求項のうちの１つまたは２つ以上によって保護されることを意図する。
【０２００】
Ａ．概要
いくつかの実施形態において、システムは、ホストの分析物の連続測定に提供される。本システムは、ホストの分析物の濃度を連続的に測定するように構成された連続分析物センサと、センサの使用中に連続分析物センサに物理的に接続されるセンサ電子機器モジュールと、を含むことができる。特定の実施形態において、センサ電子機器モジュールは、例えば、未処理のセンサデータ、変換されたセンサデータ、及び／または任意の他のセンサデータを含むセンサ情報を生成するために、連続分析物センサによって測定した分析物濃度と関連付けられたデータストリームを処理するように構成された電子機器を含む。センサ電子機器モジュールは、異なる表示デバイスが異なるセンサ情報を受信することができるように、それぞれの表示デバイス用にカスタマイズされたセンサ情報を生成するようにさらに構成されることができる。
【０２０１】
本明細書で使用される場合、「分析物」という用語は、広義の用語であり、その通常の、かつ慣例的な意味が当業者に示されるものであり（かつ特別な、またはカスタマイズされた意味に限定されるものではなく）、さらに、分析することができる生体液（例えば、血液、間質液、脳脊髄液、リンパ液、または尿）中の物質または化学成分を指すが、これらに限定されない。分析物としては、自然発生物質、人工物質、代謝物質、及び／または反応生成物を挙げることができる。いくつかの実施形態において、センサヘッド、デバイス、及び方法による測定のための分析物は、分析物である。しかしながら、他の分析物も同様に企図され、アカルボキシプロトロンビン、アシルカルニチン、アデニンホスホリボシルトランスフェラーゼ、アデノシンデアミナーゼ、アルブミン、アルファ−フェトプロテイン、アミノ酸プロファイル（アルギニン（クレブス回路）、ヒスチジン／ウロカニン酸、ホモシステイン、フェニルアラニン／チロシン、トリプトファン）、アンドレノステンジオン、アンチピリン、アラビニトールエナンチオマー、アルギナーゼ、ベンゾイルエクゴニン（コカイン）、ビオチニダーゼ、ビオプテリン、Ｃ−反応性タンパク質、カルニチン、カルノシナーゼ、ＣＤ４、セルロプラスミン、ケノデオキシコール酸、クロロキン、コレステロール、コリンエステラーゼ、抱合型１−βヒドロキシコール酸、コルチゾール、クレアチンキナーゼ、クレアチンキナーゼＭＭアイソザイム、シクロスポリンＡ、ｄ−ペニシラミン、デ−エチルクロロキン、デヒドロエピアンドロステロンサルフェート、ＤＮＡ（アセチル化多型、アルコール脱水素酵素、α１−抗トリプシン、嚢胞性線維症、デュシェンヌ型／ベッカー型筋ジストロフィー、分析物−６−リン酸デヒドロゲナーゼ、ヘモグロビンＡ、ヘモグロビンＳ、ヘモグロビンＣ、ヘモグロビンＤ、ヘモグロビンＥ、ヘモグロビンＦ、Ｄパンジャブ、β−サラセミア、Ｂ型肝炎ウイルス、ＨＣＭＶ、ＨＩＶ−１、ＨＴＬＶ−１、レーベル遺伝性視神経症、ＭＣＡＤ、ＲＮＡ、ＰＫＵ、三日熱マラリア原虫、性分化、２１−デオキシコルチゾール）、デスブチルハロファントリン、ジヒドロプテリジン還元酵素、ジフテリア／破傷風抗毒素、赤血球アルギナーゼ、赤血球プロトポルフィリン、エステラーゼＤ、脂肪酸／アシルグリシン、遊離β−ヒト絨毛性ゴナドトロピン、遊離赤血球ポルフィリン、遊離チロキシン（ＦＴ４）、遊離トリ−ヨードチロニン（ＦＴ３）、フマリルアセトアセターゼ、ガラクトース／ｇａｌ−１−リン酸塩、ガラクトース−１−リン酸ウリジルトランスフェラーゼ、ゲンタマイシン、アナライト−６−リン酸デヒドロゲナーゼ、グルタチオン、グルタチオンペリオキシダーゼ、グリココール酸、グリコシル化ヘモグロビン、ハロファントリン、ヘモグロビン変異体、ヘキソサミニダーゼＡ、ヒト赤血球炭酸脱水酵素Ｉ、１７−α−ヒドロキシプロゲステロン、ヒポキサンチンホスホリボシルトランスフェラーゼ、免疫反応性トリプシン、乳酸塩、鉛、リポタンパク質（（ａ）、Ｂ／Ａ−１、β）、リゾチーム、メフロキン、ネチルマイシン、フェノバルビトン、フェニトイン、フィタン酸／プリスタン酸、プロゲステロン、プロラクチン、プロリダーゼ、プリンヌクレオシドホスホリラーゼ、キニン、逆位トリ−ヨードチロニン（ｒＴ３）、セレン、血清膵臓リパーゼ、シソマイシン、ソマトメジンＣ、特異的抗体（アデノウイルス、抗核抗体、抗ゼータ抗体、アルボウイルス、オーエスキー病ウイルス、デング熱ウイルス、メジナ虫、単包条虫、赤痢アメーバ、エンテロウイルス、ランブル鞭毛虫（Ｇｉａｒｄｉａ  ｄｕｏｄｅｎａｌｉｓａ）、ヘリコバクターピロリ、Ｂ型肝炎ウイルス、ヘルペスウイルス、ＨＩＶ−１、ＩｇＥ（アトピー性疾患）、インフルエンザウイルス、ドノバンリーシュマニア、レプトスピラ、麻疹／流行性耳下腺炎／風疹、らい菌、肺炎マイコプラズマ、ミオグロビン、回旋糸状虫、パラインフルエンザウイルス、熱帯熱マラリア原虫、ポリオウイルス、緑膿菌、呼吸系発疹ウイルス、リケッチア（ツツガムシ病）、マンソン住血吸虫、トキソプラズマ原虫、梅毒トレポネーマ（Ｔｒｅｐｅｎｏｍａ  ｐａｌｌｉｄｉｕｍ）、クルーズ／ランゲルトリパノソーマ、水疱性口炎ウイルス（ｖｅｓｉｃｕｌａｒ  ｓｔｏｍａｔｉｓ  ｖｉｒｕｓ）、バンクロフト糸状虫、黄熱病ウイルス）、特異的抗原（Ｂ型肝炎ウイルス、ＨＩＶ−１）、スクシニルアセトンスルファドキシン、テオフィリン、チロトロピン（ＴＳＨ）、チロキシン（Ｔ４）、チロキシン結合グロブリン、微量元素、トランスフェリン、ＵＤＰ−ガラクトース−４−エピメラーゼ、尿素、ウロポルフィリノーゲンＩシンターゼ、ビタミンＡ、白血球、及び亜鉛プロトポルフィリンが挙げられるが、これらに限定されない。血液または腸液中に天然に存在する塩、糖、タンパク質、脂質、ビタミン、及びホルモンもまた、特定の実施形態において分析物を構成し得る。分析物は、生体液中に天然に存在し得、例えば、代謝産物、ホルモン、抗原、抗体等である。あるいは、分析物は、体内に導入され得、例えば、撮像のための造影剤、放射性同位体、化学薬剤、フルオロカーボン系合成血液、または薬物もしくは薬学的組成物であり、インスリン、エタノール、大麻（マリファナ、テトラヒドロカンナビノール、ハシッシュ）、吸入剤（亜酸化窒素、亜硝酸アミル、亜硝酸ブチル、塩化炭化水素、炭化水素）、コカイン（クラックコカイン）、興奮剤（アンフェタミン、メタンフェタミン、Ｒｉｔａｌｉｎ、Ｃｙｌｅｒｔ、Ｐｒｅｌｕｄｉｎ、Ｄｉｄｒｅｘ、ＰｒｅＳｔａｔｅ、Ｖｏｒａｎｉｌ、Ｓａｎｄｒｅｘ、Ｐｌｅｇｉｎｅ）、抑制剤（バルビツール酸塩、メタカロン、Ｖａｌｉｕｍ、Ｌｉｂｒｉｕｍ、Ｍｉｌｔｏｗｎ、Ｓｅｒａｘ、Ｅｑｕａｎｉｌ、Ｔｒａｎｘｅｎｅ等の精神安定剤）、幻覚剤（フェンシクリジン、リセルグ酸、メスカリン、ペヨーテ、シロシビン）、麻薬（ヘロイン、コデイン、モルヒネ、アヘン、メペリジン、Ｐｅｒｃｏｃｅｔ、Ｐｅｒｃｏｄａｎ、Ｔｕｓｓｉｏｎｅｘ、Ｆｅｎｔａｎｙｌ、Ｄａｒｖｏｎ、Ｔａｌｗｉｎ、Ｌｏｍｏｔｉｌ）、デザイナードラッグ（フェンタニル、メペリジン、アンフェタミン、メタンフェタミン、及びフェンシクリジンの類似体、例えば、Ｅｃｓｔａｓｙ）、タンパク質同化ステロイド、ならびにニコチンが挙げられるが、これらに限定されない。薬物及び薬学的組成物の代謝産物もまた、企図される分析物である。例えば、ア���コルビン酸、尿酸、ドーパミン、ノルアドレナリン、３−メトキシチラミン（３ＭＴ）、３，４−ジヒドロキシフェニル酢酸（ＤＯＰＡＣ）、ホモバニリン酸（ＨＶＡ）、５−ヒドロキシトリプタミン（５ＨＴ）、及び５−ヒドロキシインドール酢酸（ＦＨＩＡＡ）等の、神経化学物質及び体内で生成される他の化学物質等の分析物もまた、分析することができる。
【０２０２】
Ｂ．アラート
特定の実施形態では、１つまたは２つ以上のアラートがセンサ電子機器モジュールと関連付けられる。例えば、各アラートは、それぞれのアラートをいつトリガーされたのかを示す、１つまたは２つ以上のアラート条件を含むことができる。例えば、低血糖アラートは、最小値グルコースレベルを示すアラート条件を含むことができる。アラート条件はまた、傾向データ等の変換されたセンサデータ、及び／または多数の異なるセンサからのセンサデータにも基づくことができる（例えば、アラートは、グルコースセンサ及び温度センサの両方からのセンサデータに基づくことができる）。例えば、低血糖アラートは、アラートをトリガーする前に存在していなければならないホストのグルコースレベルにおける最小限必要な傾向を示すアラート条件を含むことができる。「傾向」という用語は、本明細書で使用される場合、一般に、例えば連続的グルコースセンサからの較正またはフィルタリングされたデータ等の、経時的に獲得されるデータの何らかの属性を示すデータを指す。傾向は、変換済みのまたは未処理のセンサデータを含む、センサデータ等のデータの振幅、変化率、加速度、方向等を示すことができる。
【０２０３】
特定の実施形態において、アラートの各々は、アラートをトリガーすることに応答して行われるべき１つまたは２つ以上のアクションと関連付けられる。アラートアクションとしては、例えば、センサ電子機器モジュールのディスプレイに情報を表示すること、またはセンサ電子機器モジュールに結合された可聴もしくは振動によるアラームを起動すること等の、アラームを起動すること、ならびに／またはセンサ電子機器モジュールの外部にある１つもしくは２つ以上の表示デバイスにデータを伝送すること、を挙げることができる。トリガーされたアラートと関連付けられる送達アクションの場合、１つまたは２つ以上の送達オプションは、伝送されるべきデータのコンテンツ及び／もしくはフォーマット、データが伝送されるべきデバイス、いつデータを伝送するべきか、ならびに／またはデータを送達するための通信プロトコルを定義する。
【０２０４】
特定の実施形態では、多数の送達アクション（各々が、それぞれの送達オプションを有する）を単一のアラートと関連付けることができ、よって、異なるコンテンツ及びフォーマットを有する表示可能なセンサ情報が、例えば、単一のアラートのトリガーに応答して、それぞれの表示デバイスに伝送される。例えば、携帯電話は、（特に、携帯電話に表示するようにフォーマットすることができる）最小限の表示可能なセンサ情報を含むデータパッケージを受信することができ、一方で、デスクトップコンピュータは、共通のアラートをトリガーすることに応答してセンサ電子機器モジュールによって生成される表示可能なセンサ情報の大部分（または全て）を含むデータパッケージを受信することができる。好都合に、センサ電子機器モジュールは、単一の表示デバイスに結び付けられているのではなく、むしろ、直接的に、系統的に、同時に（例えば、ブロードキャスティングを介して）、規則的に、定期的に、ランダムに、オンデマンドで、クエリに応答して、アラートもしくはアラームに基づいて、ならびに／または同類のもので、複数の異なる表示デバイスと通信するように構成される。
【０２０５】
いくつかの実施形態において、現在のまたは予測される危険性を推定するインテリジェントで動的な推定アルゴリズムと、より高い精度、差し迫った危険における適時性、誤アラームの回避、より少ない患者の不快感とを組み合わせたアラート条件を含む、臨床的リスクのアラートが提供される。一般に、臨床リスクのアラートは、分析物値、変化率、加速度、臨床的リスク、統計学的確立、既知の生理学的制約、及び／または個々の生理学的パターンに基づく、動的でインテリジェントな推定アルゴリズムを含み、それによって、より適切で、臨床的に安全で、かつ患者に優しいアラームを提供する。参照によりその全体が本明細書に組み込まれる、米国特許出願公開第２００７／０２０８２４６号は、本明細書で説明される臨床的リスクのアラート（またはアラーム）と関連付けられたいくつかのシステム及び方法を記載している。いくつかの実施形態において、臨床的リスクのアラートは、ユーザが自分の状態に注意を払うことを可能にするために、所定の期間にわたってトリガーすることができる。加えて、臨床的リスクのアラートは、患者の状態が改善しているときに、臨床的アラーム（例えば、視覚的、聴覚的、または振動的）が繰り返されることによって患者を不快にさせないように、臨床的リスクの領域を出たときに停止することができる。いくつかの実施形態において、動的でインテリジェントな評価は、分析物濃度、変化率、及び動的でインテリジェントな評価アルゴリズムの他の態様に基づいて、患者が臨床的リスクを回避する可能性を判定する。臨床的リスクを回避する可能性が最小であるか、または全くない場合、臨床的リスクのアラートがトリガーされることになる。しかしながら、臨床的リスクを回避する可能性がある場合、本システムは、所定の時間量待機し、臨床的リスクを回避する可能性を再分析するように構成される。いくつかの実施形態において、臨床的リスクを回避する可能性がある場合、本システムは、目標、治療の推奨、または患者が積極的に臨床的リスクを回避することを支援することができる他の情報を提供するようにさらに構成される。
【０２０６】
いくつかの実施形態において、センサ電子機器モジュールは、センサ電子機器モジュールの通信範囲内の１つまたは２つ以上の表示デバイスを検索し、該表示デバイスにセンサ情報（例えば、表示可能なセンサ情報、１つまたは２つ以上のアラーム条件、及び／または他のアラーム情報を含むデータパッケージ）を無線で通信するように構成される。故に、表示デバイスは、センサ情報の少なくともいくつか及び／またはアラームをホスト（及び／または看護者）に表示するように構成され、アラーム機構は、表示デバイス上に位置付けられる。
【０２０７】
いくつかの実施形態において、センサ電子機器モジュールは、センサ電子機器モジュールを介して、及び／またはデータパッケージの伝送を介して、アラームが１つまたは複数の表示デバイスによって（例えば、順次及び／または同時に）開始されるべきであることを示す、１つまたは複数の異なるアラームを提供するように構成される。特定の実施形態において、センサ電子機器モジュールは、単にアラーム条件が存在することを示すデータフィールドを提供するに過ぎず、表示デバイスは、アラーム条件の存在を示すデータフィールドを読み出した時点で、アラームをトリガーすることを決定することができる。いくつかの実施形態において、センサ電子機器モジュールは、トリガーされる１つまたは２つ以上のアラートに基づいて、１つまたは２つ以上のアラートのうちのどれをトリガーするのかを決定する。例えば、アラートトリガーが重度の低血糖を示すときに、センサ電子機器モジュールは、センサ電子機器モジュール上のアラームを起動すること、監視デバイスにディスプレイ上のアラームの起動を示すデータパッケージを伝送すること、及び文字メッセージとして介護担当者にデータパッケージを伝送すること、等の、多数のアクションを行うことができる。一例として、ホストの状態（例えば、「重度の低血糖」）を示す表示可能なセンサ情報を含む文字メッセージを、カスタム監視デバイス、携帯電話、ページャーデバイス、及び／または同類のものに出現させることができる。
【０２０８】
いくつかの実施形態において、センサ電子機器モジュールは、（例えば、センサ電子機器モジュール及び／または表示デバイス上のスヌーズ及び／またはオフ機能及び／またはボタンを押すこと、または選択することによって）トリガーされたアラートにホストが応答するのをある期間待機し、その後に、１つまたは２つ以上のアラートに応答するまで、（例えば、増大する様式で）追加的なアラートをトリガーするように構成される。いくつかの実施形態において、センサ電子機器モジュールは、インスリンポンプ等の、アラーム条件（例えば、低血糖）と関連付けられた医療用デバイスに制御信号（例えば、停止信号）を送信するように構成され、停止アラートは、ポンプを介したインスリン送達の停止をトリガーする。
【０２０９】
いくつかの実施形態において、センサ電子機器モジュールは、直接的に、系統的に、同時に（例えば、ブロードキャスティングを介して）、規則的に、定期的に、ランダムに、オンデマンドで、（表示デバイスからの）クエリに応答して、アラートもしくはアラームに基づいて、ならびに／または同類のものにより、アラート情報を伝送するように構成される。いくつかの実施形態において、本システムは、センサ電子機器モジュールの無線通信距離が、例えば１０、２０、３０、５０、７５、１００、１５０、または２００メートル以上に増加させることができるように、リピータをさらに含み、該リピータは、センサ電子機器モジュールから、センサ電子機器から遠隔に位置付けられた表示デバイスへの無線通信を繰り返すように構成される。リピータは、糖尿病を患う子供のいる家族にとって有用であり得る。例えば、親が子供から離れて睡眠をとる大きい家等において、親が、表示デバイスを担持すること、または固定位置に置くことを可能にする。
【０２１０】
Ｃ．表示デバイス
いくつかの実施形態において、センサ電子機器モジュールは、表示デバイスのリストから表示デバイスを検索するように、及び／または該表示デバイスとの無線通信を試みるように構成される。いくつかの実施形態において、センサ電子機器モジュールは、所定の順序及び／またはプログラム可能な順序（例えば、等級付け及び／または段階的増大）で、表示デバイスのリストを検索するように、及び／または該表示デバイスとの無線通信を試行するように構成され、例えば、第１の表示デバイスとの通信及び／または該第１の表示デバイスへのアラーミングの試行の失敗が、第２の表示デバイスとの通信及び／または該第２の表示デバイスへのアラーミングの試行をトリガーする、その他である。１つの例示的な実施形態において、センサ電子機器モジュールは、（１）デフォルト表示デバイスまたはカスタム分析物監視デバイス、（２）ホスト及び／もしくは介護担当者への文字メッセージ、ホスト及び／もしくは介護担当者への音声メッセージ、ならびに／または９１１等の、聴覚的及び／または視覚的方法を介した携帯電話、（３）タブレット、（４）スマートウォッチ、等の、表示デバイスのリストを逐次的に使用して、ホストまたは介護担当者を検索し、それらへのアラームを試行するように構成される。
【０２１１】
実施形態に応じて、センサ電子機器モジュールからデータパッケージを受信する１つまたは２つ以上の表示デバイスは、「ダミーディスプレイ」であり、該表示デバイスは、追加的な処理（例えば、センサ情報のリアルタイム表示に必要な予測アルゴリズム処理）を行うことなく、センサ電子機器モジュールから受信した表示可能なセンサ情報を表示する。いくつかの実施形態において、表示可能なセンサ情報は、表示可能なセンサ情報を表示する前に、表示デバイスによる処理を必要としない、変換されたセンサデータを含む。いくつかの表示デバイスは、表示可能なセンサ情報をそこに表示することを可能にするように構成された表示命令（表示可能なセンサ情報を表示し、また随意に、表示可能なセンサ情報を取得するようにセンサ電子機器モジュールにクエリを行うように構成された命令を含み、ソフトウェアプログラミング）を含むソフトウェアを含むことができる。いくつかの実施形態において、表示デバイスは、製造業者において表示命令でプログラムされ、また、表示デバイスの盗用を回避するためにセキュリティ及び／または認証を含むことができる。いくつかの実施形態において、表示デバイスは、ダウンロード可能なプログラム（例えば、インターネットを介してダウンロード可能なＪａｖａ  Ｓｃｒｉｐｔ(登録商標)）を介して、表示可能なセンサ情報を表示するように構成され、よって、プログラムのダウンロードをサポートする任意の表示デバイス（例えば、Ｊａｖａ(登録商標)アプレットをサポートする任意の表示デバイス）が、それによって、表示可能なセンサ情報を表示するように構成することができる（例えば、携帯電話、タブレット、ＰＤＡ、ＰＣ、及び同類のもの）。
【０２１２】
いくつかの実施形態において、特定の表示デバイスは、センサ電子機器モジュールと直接無線通信することができるが、中間ネットワークハードウェア、ファームウェア、及び／またはソフトウェアを直接無線通信に含むことができる。いくつかの実施形態において、リピータ（例えば、Ｂｌｕｅｔｏｏｔｈ(登録商標)リピータ）を使用して、伝送された表示可能なセンサ情報を、センサ電子機器モジュールのテレメトリモジュールの隣接する範囲から遠く離れた場所に再伝送することができ、リピータは、表示可能なセンサ情報の実質的な処理が生じないときに、直接無線通信を可能にする。いくつかの実施形態において、受信機（例えば、Ｂｌｕｅｔｏｏｔｈ(登録商標)受信機）を使用して、伝送された表示可能なセンサ情報を、ＴＶ画面への文字メッセージ等の、場合により異なる形式で再伝送することができ、受信機は、センサ情報の実質的な処理が生じないときに、直接無線通信を可能にする。特定の実施形態において、センサ電子機器モジュールは、１つまたは複数の表示デバイスに表示可能なセンサ情報を直接無線で伝送し、よって、センサ電子機器モジュールから伝送された表示可能なセンサ情報が、表示可能なセンサ情報の中間処理を行うことなく、表示デバイスによって受信される。
【０２１３】
特定の実施形態において、１つまたは２つ以上の表示デバイスは、内蔵型認証機構を含み、センサ電子機器モジュールと表示デバイスとの間の通信には、認証が必要とされる。いくつかの実施形態において、センサ電子機器モジュールと表示デバイスとの間のデータ通信を認証するために、鍵認証等のチャレンジ−応答プロトコルが提供され、チャレンジは、鍵または鍵に基づくもしくは鍵に由来するハッシュもしくは他の値の要求であり、有効な応答は、正しい鍵または鍵に基づくもしくは鍵に由来するハッシュもしくは他の値であり、よって、センサ電子機器モジュールと表示デバイスとのペアリングは、鍵を介してユーザ及び／または製造業者によって達成することができる。これは、いくつかの事例において、双方向認証と称され得る。鍵は、ソフトウェアまたはハードウェアレベルの鍵とすることができる。加えて、鍵は、パスワード（例えば、ユーザまたは他のエンティティによってランダムに生成または設定される）とすることができ、及び／または特徴（例えば、指紋または網膜情報）または情報、その他を一意的に識別することから導出することができる。
【０２１４】
いくつかの実施形態において、１つまたは２つ以上の表示デバイスは、表示可能なセンサ情報についてセンサ電子機器モジュールにクエリを行うように構成され、表示デバイスは、例えばクエリに応答して、センサ電子機器モジュール（例えば、スレーブデバイス）からオンデマンドでセンサ情報を要求するマスターデバイスとして機能する。いくつかの事例では、表示デバイスがマスターとして作用し、センサ電子機器モジュールがスレーブとして作用するが、他の事例では、これらの役割を逆にすることができる。例えば、役割は、通信の性質、その他に依存して、役割を逆にすることができる。いくつかの実施形態において、センサ電子機器モジュールは、定期的に、系統的に、規則的に、及び／または定期的に（例えば、１、２、５、または１０分またはそれ以上毎に）、１つまたは２つ以上の表示デバイスにセンサ情報を伝送するように構成される。いくつかの実施形態において、センサ電子機器モジュールは、（例えば、１つ以上のアラート条件によってトリガーされた）トリガーされたアラートと関連付けられたデータパッケージを伝送するように構成される。しかしながら、上で説明したデータ伝送のステータスの任意の組み合わせを、ペアリングしたセンサ電子機器モジュール及び表示デバイス（複数可）の任意の組み合わせで実施することができる。例えば、１つまたは２つ以上の表示デバイスを、センサ電子機器モジュールのデータベースにクエリを行うように、及び１つまたは２つ以上のアラーム条件を満たすことによってトリガーされるアラーム情報を受信するように構成することができる。加えて、センサ電子機器モジュールは、１つまたは２つ以上の表示デバイス（先の例で説明したものと同じまたは異なる表示デバイス）にセンサ情報を定期的に伝送するように構成することができ、それによって、システムは、センサ情報を取得する方法に関して異なって機能する表示デバイスを含むことができる。
【０２１５】
いくつかの実施形態において、表示デバイスは、センサ電子機器モジュールのメモリ内のデータベースへの直接クエリ及び／またはそこからのデータコンテンツの構成されたもしくは構成可能なパッケージに対する要求を含む、特定の種類のデータコンテンツについて、センサ電子機器モジュール内のデータ記憶メモリにクエリを行うように構成され、すなわち、センサ電子機器モジュールに記憶されたデータは、センサ電子機器モジュールが通信している表示デバイスに基づいて、構成すること、クエリを行うこと、予め定めること、及び／または予めパッケージ化することができる。いくつかの追加または代替の実施形態において、センサ電子機器モジュールは、どの表示デバイスが特定の伝送を受信するのかというその知識に基づいて、表示可能なセンサ情報を生成する。加えて、いくつかの表示デバイスは、較正情報の手動入力、較正情報の自動送達、及び／または表示デバイスに組み込まれた統合型基準分析物モニタ等を通して、較正情報を取得し、較正情報をセンサ電子機器モジュールに無線で伝送することができる。米国特許出願公開第２００６／０２２２５６６号、同第２００７／０２０３９６６号、同第２００７／０２０８２４５号、及び同第２００５／０１５４２７１号（これらの全ては、参照によりその全体が本明細書に組み込まれる）は、表示デバイスに組み込まれた統合型基準分析物モニタ、及び／または本明細書で開示される実施形態によって実施することができる他の較正方法を提供するためのシステム及び方法を説明する。
【０２１６】
一般に、複数の表示デバイス（例えば、カスタム分析物監視デバイス（分析物表示デバイスとも称され得る）、携帯電話、タブレット、スマートウォッチ、基準分析物モニタ、薬物送達デバイス、医療用デバイス、及びパーソナルコンピュータ）は、センサ電子機器モジュールと無線通信するように構成することができる。複数の表示デバイスは、センサ電子機器モジュールから無線通信される表示可能なセンサ情報のうちの少なくとも一部を表示するように構成することができる。表示可能なセンサ情報としては、例えば、分析物濃度値、変化率情報、傾向情報、アラート情報、センサ診断情報、及び／または較正情報等の、未処理データ及び／または変換されたセンサデータ等のセンサデータを挙げることができる。
【０２１７】
Ｄ．連続センサ
図１Ａを参照すると、いくつかの実施形態において、分析物センサ１０は、連続グルコースセンサ、例えば、皮下、経皮性の（例えば、経皮的）、または血管内デバイスを含む。いくつかの実施形態において、そのようなセンサまたはデバイスは、複数の断続的血液サンプルを分析することができる。グルコースセンサは、酵素的、化学的、物理的、電気化学的、分光光度的、偏光測定的、熱量測定的、イオン泳動的、放射測定的、免疫化学的、及び同類のものを含む、任意のグルコース測定方法を使用することができる。
【０２１８】
グルコースセンサは、侵襲性、最小侵襲性、及び非侵襲性の検知技術（例えば、蛍光モニタリング）を含む、任意の既知の方法を使用して、ホストにおけるグルコースの濃度を示すデータストリームを提供することができる。データストリームは、典型的には、未処理データ信号であり、これは、有用なグルコース値を、患者または看護者（例えば、患者、親戚、保護者、教師、医師、看護師、またはホストの健康状態に関心がある任意の他の個人）等のユーザに提供するために使用される、較正された及び／またはフィルタリングされたデータストリームに変換される。
【０２１９】
グルコースセンサは、グルコースの濃度を測定することができる任意のデバイスとすることができる。下で説明される１つの例示的な実施形態によれば、埋め込み可能なグルコースセンサを使用することができる。しかしながら、本明細書で説明されるデバイス及び方法は、グルコースの濃度を検出し、（例えば、分析物データの形態として）グルコースの濃度を表す出力信号を提供することができる任意のデバイスに適用することができることを理解されたい。
【０２２０】
特定の実施形態において、分析物センサ１０は、米国特許第６，００１，０６７号及び米国特許出願公開第２００５／００２７４６３−Ａ１号を参照して説明されるような、埋め込み可能なグルコースセンサである。実施形態において、分析物センサ１０は、米国特許出願公開第２００６／００２０１８７−Ａ１号を参照して説明されるような、経皮的なグルコースセンサである。実施形態において、分析物センサ１０は、米国特許出願公開第２００７／００２７３８５−Ａ１号、２００６年１０月４日に出願された同時係属の米国特許出願公開第２００８／０１１９７０３−Ａ１号、２００７年３月２６日に出願された米国特許出願公開第２００８／０１０８９４２−Ａ１号、及び２００７年２月１４日に出願された米国特許出願第２００７／０１９７８９０−Ａ１号で説明されるように、ホストの血管内に、または体外に埋め込むように構成される。実施形態において、連続グルコースセンサは、例えば、Ｓａｙ他に対する米国特許第６，５６５，５０９号で説明されるような、経皮的センサを含む。実施形態において、分析物センサ１０は、例えば、Ｂｏｎｎｅｃａｚｅ他に対する米国特許第６，５７９，６９０号またはＳａｙ他に対する米国特許第６，４８４，０４６号を参照して説明するような皮下センサを含む、連続グルコースセンサである。実施形態において、連続グルコースセンサは、例えば、Ｃｏｌｖｉｎ他に対する米国特許第６，５１２，９３９号を参照して説明するような、補充可能な皮下センサを含む。連続グルコースセンサは、例えば、Ｓｃｈｕｌｍａｎ他に対する米国特許第６，４７７，３９５号を参照して説明するような、血管内センサを含むことができる。連続グルコースセンサは、例えば、Ｍａｓｔｒｏｔｏｔａｒｏ他に対する米国特許第６，４２４，８４７号を参照して説明するような、血管内センサを含むことができる。
【０２２１】
図２Ａ及び２Ｂは、本開示の特定の態様による、分析物センサシステム８の実施形態の実施と関連して使用することができる筐体２００の斜視図及び側面図である。筐体２００は、特定の実施形態において該筐体に取り付けられた載置ユニット２１４及びセンサ電子機器モジュール１２を含む。筐体２００は、機能的位置に示され、該筐体内で噛合係合された載置ユニット２１４及びセンサ電子機器モジュール１２を含む。いくつかの実施形態において、ハウジングまたはセンサポッドとも称される載置ユニット２１４は、ホストまたはユーザの皮膚に締結するように適合された基部２３４を含む。基部２３４は、様々な硬質または軟質材料から形成することができ、また、使用中にホストからデバイスが突出することを最小にするための低プロファイルを含むことができる。いくつかの実施形態において、基部２３４は、可撓性材料から少なくとも部分的に形成され、これは、残念ながらホストがデバイスを使用しているときにホストの運動と関連付けられた運動関連のアーチファクトを被る可能性がある他の経皮的センサに勝る、多数の利点を提供することができる。載置ユニット２１４及び／またはセンサ電子機器モジュール１２は、センサ挿入部位の上に位置付けて、その部位を保護すること、及び／または最小のフットプリント（ホストの皮膚の表面積の利用）を提供することができる。
【０２２２】
いくつかの実施形態において、載置ユニット２１４とセンサ電子機器モジュール１２との間の取り外し可能な接続部が提供され、これは、製造性の向上を可能にし、すなわち、潜在的に比較的安価な載置ユニット２１４は、分析物センサシステム８を改良または保守するときに廃棄することができ、一方で、比較的高価なセンサ電子機器モジュール１２は、多数のセンサシステムと共に再使用することができる。いくつかの実施形態において、センサ電子機器モジュール１２は、例えばフィルタリングするように、較正するように、ならびに／またはセンサ情報を較正及び／もしくは表示するのに有用な他のアルゴリズムを実行するように構成された、信号処理（プログラミング）によって構成される。しかしながら、統合型の（取り外し不可能な）センサ電子機器モジュールを構成することができる。
【０２２３】
いくつかの実施形態において、接点２３８は、載置ユニット２１４の基部２３４及びヒンジ２４８内で嵌合するように構成された、以下本明細書で接点サブアセンブリ２３６と称されるサブアセンブリ上に、またはその中に載置され、該ヒンジは、接点サブアセンブリ２３６が、載置ユニット２１４に対して第１の位置（挿入時）と第２の位置（使用時）との間で枢動することを可能にする。「ヒンジ」という用語は、本明細書で使用される場合、広義の用語であり、限定されないが、接着ヒンジ、摺動ジョイント、及び同類のもの等の、様々な枢動、関節、及び／またはヒンジング機構のうちのいずれかを指すことを含み、ヒンジという用語は、必ずしもそこを中心に関節動作が生じる支点または固定点を意味するわけではない。いくつかの実施形態において、接点２３８は、センサ１０がそこを通って延在する、カーボンブラックエラストマー等の導電性エラストマー材料から形成される。
【０２２４】
図２Ａ及び２Ｂをさらに参照すると、特定の実施形態において、載置ユニット２１４は、載置ユニットの背面に配置され、解放可能なバッキング層を含む、接着パッド２０８を備える。したがって、バッキング層を取り外し、載置ユニット２１４の基部２３４の少なくとも一部分をホストの皮膚に押圧することで、載置ユニット２１４をホストの皮膚に接着させる。追加的または代替的に、接着パッドは、センサ挿入が完了した後に、センサシステム８及び／または１０の一部または全てを覆って配置して、接着を確実にすることができ、また随意に、傷口の出口部位（またはセンサ挿入部位）（図示せず）の周囲の気密封止または水密封止を確実にすることができる。適切な接着パッドは、その領域（例えば、ホストの皮膚）に対して、伸縮、伸長、合致、及び／または通気するように選択し、設計することができる。図２Ａ及び２Ｂを参照して説明される実施形態は、米国特許第７，３１０，５４４号を参照してより詳細に説明され、参照によりその全体が本明細書に組み込まれる。構成及び配設は、本明細書で説明される載置ユニット／センサ電子機器モジュールの実施形態と関連付けられる耐水、防水、及び／または密閉特性を提供することができる。
【０２２５】
いくつかの実施形態の態様と併せて使用するのに適した種々の方法及びデバイスは、米国特許公開第２００９／０２４０１２０−Ａ１号に開示され、全ての目的に対して参照によりその全体が本明細書に組み込まれる。
【０２２６】
Ｅ．例示的な構成
図１Ａを再度参照すると、分析物センサシステムの態様の実施と関連して使用することができるシステム１００が表される。いくつかの事例では、システム１００を使用して、本明細書で説明される種々のシステムを実施することができる。実施形態のシステム１００は、本開示の特定の態様によれば、分析物センサシステム８と、表示デバイス１１０、１２０、１３０、及び１４０と、を含む。分析物センサシステム８は、例示される実施形態において、センサ電子機器モジュール１２と、センサ電子機器モジュール１２と関連付けられた連続分析物センサ１０と、を含む。センサ電子機器モジュール１２は、表示デバイス１１０、１２０、１３０、及び１４０のうちの１つまたは２つ以上と（例えば、直接的または間接的に）無線通信することができる。実施形態において、システム１００はまた、医療用デバイス１３６及びサーバシステム１３４も含む。センサ電子機器モジュール１２はまた、医療用デバイス１３６及び／またはサーバシステム１３４と（例えば、直接的または間接的に）無線通信することもできる。同様に、いくつかの実施例において、表示デバイス１１０〜１４０もまた、医療用デバイス１３６及び／またはサーバシステム１３４と（例えば、直接的または間接的に）無線通信することができる。図１Ａに示される種々の結合は、下で言及されるように、無線アクセスポイント１３８によって容易にすることができる。
【０２２７】
特定の実施形態において、センサ電子機器モジュール１２は、センサデータの処理及び較正と関連付けられた予測アルゴリズムを含む、連続分析物センサデータの測定及び処理と関連付けられた電子回路を含む。センサ電子機器モジュール１２は、連続分析物センサ１０に物理的に接続することができ、また、連続分析物センサ１０と統合する（そこに解放不可能に取り付ける）こと、または解放可能に取り付けることができる。センサ電子機器モジュール１２は、グルコースセンサを介して分析物レベルの測定を可能にする、ハードウェア、ファームウェア、及び／またはソフトウェアを含むことができる。例えば、センサ電子機器モジュール１２は、ポテンショスタットと、センサに電力を供給するための電源と、信号処理及びデータ記憶に有用な他の構成要素と、センサ電子機器モジュールから１つまたは２つ以上の表示デバイスにデータを伝送するためのテレメトリモジュールと、を含むことができる。電子機器は、プリント回路基板（ＰＣＢ）または同類のものに固定することができ、また、様々な形態をとることができる。例えば、電子機器は、特定用途向け集積回路（ＡＳＩＣ）、マイクロコントローラ、及び／またはプロセッサ等の、集積回路（ＩＣ）の形態をとることができる。
【０２２８】
センサ電子機器モジュール１２は、センサデータ等のセンサ情報を処理し、変換されたセンサデータ及び表示可能なセンサ情報を生成するように構成される、センサ電子機器を含むことができる。センサ分析物データを処理するためのシステム及び方法の実施例は、本明細書で、ならびに米国特許第７，３１０，５４４号及び同第６，９３１，３２７号、ならびに米国特許公開第２００５／００４３５９８号、同第２００７／００３２７０６号、同第２００７／００１６３８１号、同第２００８／００３３２５４号、同第２００５／０２０３３６０号、同第２００５／０１５４２７１号、同第２００５／０１９２５５７号、同第２００６／０２２２５６６号、同第２００７／０２０３９６６号、及び同第２００７／０２０８２４５号でさらに詳細に説明されており、これらの全ては、全ての目的に対して参照によりその全体が本明細書に組み込まれる。
【０２２９】
図１Ａを再度参照すると、表示デバイス１１０、１２０、１３０、及び／または１４０は、（例えば、それぞれの選好に基づいて、表示デバイスに伝送されるカスタマイズされたデータパッケージで）センサ電子機器モジュール１２によって伝送することができる表示可能なセンサ情報を表示する（及び／またはアラームする）ように構成される。表示デバイス１１０、１２０、１３０、または１４０の各々は、ユーザにセンサ情報及び／または分析物データを表示する、及び／またはユーザから入力を受信するための、タッチスクリーンディスプレイ１１２、１２２、１３２、及び／または１４２等の、ディスプレイを含むことができる。例えば、そのような目的で、グラフィカルユーザインターフェースをユーザに提示することができる。いくつかの実現形態において、表示デバイスは、タッチスクリーンディスプレイの代わりに、またはそれに加えて、センサ情報を表示デバイスのユーザに通信し、及び／またはユーザ入力を受信するための、音声ユーザインターフェース等の他の種類のユーザインターフェースを含むことができる。いくつかの実施形態において、表示デバイスのうちの１つ、いくつか、または全ては、（例えば、それぞれの表示デバイスに伝送されるデータパッケージで）センサ電子機器モジュールから通信されたときに、センサ情報の較正及びリアルタイム表示に必要とされるいかなる追加的な予測的処理も伴わずに、センサ情報を表示または別様には通信するように構成することができる。
【０２３０】
医療用デバイス１３６は、本開示の例示的な実施形態において、パッシブデバイスとすることができる。例えば、医療用デバイス１３６は、図１Ｂに示されるように、ユーザにインスリンを投与するためのインスリンポンプとすることができる。様々な理由で、そのようなインスリンポンプは、分析物センサシステム８から伝送されるグルコース値を受信し、追跡することが望ましくなり得る。１つの理由は、グルコース値が閾値よりも低い／高いことに基づいて、インスリン投与を停止／起動する能力をインスリンポンプに提供することである。分析物センサシステム８に接合することなくパッシブデバイス（例えば、医療用デバイス１３６）が分析物データ（例えば、グルコース値）を受信することを可能にする１つの解決策は、分析物センサシステム８から伝送されるアドバタイズメントメッセージに分析物データを含むことである。アドバタイズメントメッセージに含まれるデータは、分析物センサシステム８と関連付けられた識別情報を有するデバイスだけが分析物データを復号化することができるように、コード化することができる。医療用デバイス１３６は、入力／出力部分１３６ａを含むことができ、該部分では、グルコース及び他の値を表示することができ、また、ボタン、無線接続、または他の機構を介して入力を受信することができる。医療用デバイス１３６はまた、取り付け部分１３６ｂも含むことができ、該取り付け部分は、ユーザとインターフェースして、例えば、入力／出力部分１３６ａで受信した入力に応答してインスリンを管理することができる。いくつかの事例において、取り付け部分１３６ｂは、例えば入力／出力部分１３６ａにおいて受信した入力及び／または算出した値に基づいて、ユーザに感覚的アラートまたは他の通知を提供することができる。
【０２３１】
図１Ａをさらに参照すると、複数の表示デバイスは、センサ電子機器モジュール１２から受信した分析物値と関連付けられた特定の種類の表示可能なセンサ情報（例えば、いくつかの実施形態では、数値及び矢印）を表示するように特別に設計されたカスタム表示デバイスを含むことができる。分析物表示デバイス１１０は、そのようなカスタムデバイスの一例である。いくつかの実施形態において、複数の表示デバイスのうちの１つは、Ａｎｄｒｏｉｄ、ｉＯＳ、または他のオペレーティングシステムに基づく携帯電話１２０等のスマートフォンであり、また、連続センサデータ（例えば、現在及び過去のデータを含む）のグラフィカル表現を表示するように構成される。他の表示デバイスとしては、タブレット１３０、スマートウォッチ１４０、医療用デバイス１３６（例えば、インスリン送達デバイス、または、血中グルコースメーター）、及び／またはデスクトップもしくはラップトップコンピュータ等の、他のハンドヘルドデバイスを挙げることができる。
【０２３２】
異なる表示デバイスは、異なるユーザインターフェースを提供するので、データパッケージのコンテンツ（例えば、表示されるデータの量、フォーマット、及び／または種類、アラーム、及び同類のもの）は、それぞれの特定の表示デバイス毎にカスタマイズする（例えば、製造業者によって、及び／またはユーザによって、異なってプログラムする）ことができる。故に、図１Ａの実施形態において、複数の異なる表示デバイスは、センサセッション中に、センサ電子機器モジュール（例えば、連続分析物センサ１０に物理的に接続される皮膚上のセンサ電子機器モジュール１２）と直接無線通信して、複数の異なる種類及び／またはレベルの、表示可能なセンサ情報と関連付けられた表示及び／または機能を可能にすることができ、これは、本明細書の他の場所でより詳細に説明される。
【０２３３】
図１Ａにさらに例示されるように、システム１００はまた、無線アクセスポイント（ＷＡＰ）１３８も含むことができ、これを使用して、分析物センサシステム８、複数の表示デバイス、サーバシステム１３４、及び医療用デバイス１３６のうちの１つまたは２つ以上に互いに結合することができる。例えば、ＷＡＰ１３８は、システム１００内にＷｉＦｉ及び／またはセルラー接続性を提供することができる。近距離無線通信（ＮＦＣ）もまた、システム１００のデバイスの間で使用することができる。サーバシステム１３４は、分析物センサシステム８及び／または複数の表示デバイスから分析物データを収集するために使用して、例えば、該分析物データの分析、グルコースレベル及びプロファイルに関する汎用または個別モデルの生成、その他を行うことができる。
【０２３４】
以下、図３Ａを参照すると、システム３００が表される。システム３００は、開示されるシステム、方法、及びデバイスの実施形態の実施と関連して使用することができる。一例として、図３Ａの種々の後述する構成要素を使用して、例えば分析物センサシステムと複数の表示デバイス、医療用デバイス、サーバ、その他との間に、グルコースデータの無線通信を提供することができる。
【０２３５】
図３Ａに示されるように、システム１００は、分析物センサシステム３０８と、１つまたは２つ以上の表示デバイス３１０と、を含むことができる。加えて、例示される実施形態において、システム３００は、サーバシステム３３４を含み、これが次に、プロセッサ３３４ｃ及び記憶装置３３４ｂに結合されたサーバ３３４ａを含む。分析物センサシステム３０８は、通信媒体３０５を介して、表示デバイス３１０及び／またはサーバシステム３３４に結合することができる。分析物センサシステム３０８及び／または表示デバイス３１０、その他によるデータの処理、収集、及び交換の数多くの詳細は、例えば図６を参照して、下で提供される。
【０２３６】
本明細書において下で詳細に説明するように、分析物センサシステム３０８及び表示デバイス３１０は、通信媒体３０５を介してメッセージングを交換することができ、通信媒体３０５はまた、分析物データを表示デバイス３１０及び／またはサーバシステム３３４に送達するために使用することもできる。上で暗に言及したように、表示デバイス３１０としては、例えば、スマートフォン、タブレット、ラップトップ、ウェアラブルデバイス、その他等の、様々な電子コンピューティングデバイスを挙げることができる。表示デバイス３１０はまた、分析物表示デバイス１１０と、医療用デバイス１３６と、を含むことができる。ここで、表示デバイス３１０のＧＵＩは、ユーザ入力を受け付けたときに当該の機能を行い、メニューならびに分析物データから導出された情報を表示することができることに気が付くであろう。ＧＵＩは、例えばｉＯＳ、Ａｎｄｒｏｉｄ、Ｗｉｎｄｏｗｓ  Ｍｏｂｉｌｅ、Ｗｉｎｄｏｗｓ、Ｍａｃ  ＯＳ、Ｃｈｒｏｍｅ  ＯＳ、Ｌｉｎｕｘ(登録商標)、Ｕｎｉｘ、ゲーミングプラットフォームＯＳ（例えば、Ｘｂｏｘ、ＰｌａｙＳｔａｔｉｏｎ、Ｗｉｉ）、その他等の、当技術分野で知られている種々のオペレーティングシステムによって提供することができる。種々の実施形態において、通信媒体３０５は、Ｂｌｕｅｔｏｏｔｈ(登録商標)、Ｂｌｕｅｔｏｏｔｈ(登録商標)低エネルギー（ＢＬＥ）、ＺｉｇＢｅｅ、ＷｉＦｉ、８０２．１１プロトコル、赤外線（ＩＲ）、無線周波数（ＲＦ）、２Ｇ、３Ｇ、４Ｇ、その他等の１つまたは２つ以上の無線通信プロトコル、ならびに／または有線プロトコル及び媒体に基づくことができる。
【０２３７】
種々の実施形態において、システム３００の要素を使用して、本明細書で説明される種々のプロセスを行うことができ、また、及び／または該要素を使用して、１つまたは２つ以上の開示されるシステム及び方法に関して本明細書で説明される種々の動作を実行することができる。本開示を研究すれば、当業者は、システム３００が、多数の分析物センサシステム、通信媒体３０５、及び／またはサーバシステム３３４を含むことができることを認識するであろう。
【０２３８】
上で述べたように、通信媒体３０５を使用して、分析物センサシステム３０８、表示デバイス３１０、及び／またはサーバシステム３３４を互いに、またはネットワークに接続すること、または通信的に結合することができ、通信媒体３０５は、様々な形態で実施することができる。例えば、通信媒体３０５は、ローカルエリアネットワーク（ＬＡＮ）、ワイドエリアネットワーク（ＷＡＮ）、光ファイバネットワーク、電力線を通じたインターネット、ハードワイヤード接続（例えば、バス）、及び同類のもの等のインターネット接続、または任意の他の種類のネットワーク接続を含むことができる。通信媒体３０５は、ルータ、ケーブル、モデム、スイッチ、光ファイバ、ワイヤ、無線（例えば、マイクロ波／ＲＦリンク）、及び同類のものの任意の組み合わせを使用して実施することができる。さらに、通信媒体３０５は、Ｂｌｕｅｔｏｏｔｈ（登録商標）、ＢＬＥ、Ｗｉ−Ｆｉ、３ＧＰＰ規格（例えば、２Ｇ  ＧＳＭ(登録商標)／ＧＰＲＳ／ＥＤＧＥ、３Ｇ  ＵＭＴＳ／ＣＤＭＡ２０００、または４Ｇ  ＬＴＥ／ＬＴＥ−Ｕ）、その他等の、種々の無線標準を使用して実施することができる。本開示を一読すれば、当業者は、通信する目的で通信媒体３０５を実施するための他の方式を認識するであろう。
【０２３９】
サーバ３３４ａは、分析物データに応答した入力、または分析物センサシステムもしくは表示デバイス３１０で動作する分析物監視アプリケーションと関連して受信した入力等の、分析物センサシステム３０８及び／または表示デバイス３１０から、分析物データ及び関連する情報を含む情報を受信、収集、または監視することができる。そのような事例において、サーバ３３４ａは、通信媒体３０５を介してそのような情報を受信するように構成することができる。この情報は、記憶装置３３４ｂに記憶することができ、また、プロセッサ３３４ｃによって処理することができる。例えば、プロセッサ３３４ｃは、通信媒体３０５を介してサーバ３３４ａが収集、受信、その他を行った情報の分析を行うことができる分析エンジンを含むことができる。実施形態において、サーバ３３４ａ、記憶装置３３４ｂ、及び／またはプロセッサ３３４ｃは、Ｈａｄｏｏｐ（登録商標）ネットワーク等の分散型コンピューティングネットワークとして、またはリレーショナルデータベースもしくは同類のものとして実施することができる。
【０２４０】
サーバ３３４ａは、例えば、インターネットサーバ、ルータ、デスクトップもしくはラップトップコンピュータ、スマートフォン、タブレット、プロセッサ、モジュール、または同類のものを含むことができ、また、例えば集積回路もしくはその集合体、プリント回路基板もしくはその集合体を含む種々の形態で、または別々のハウジング／パッケージ／ラック、またはそれらの複合物で実施することができる。実施形態において、サーバ３３４ａは、通信媒体３０５を通じて行われる通信を少なくとも部分的に対象とする。そのような通信は、送達及び／またはメッセージング（例えば、アドバタイズメント、コマンド、または他のメッセージング）、ならびに分析物データを含む。例えば、サーバ３３４ａは、周波数帯域、伝送のタイミング、セキュリティ、アラーム、及びその他に関連するメッセージを処理し、分析物センサシステム３０８と表示デバイス３１０との間で交換することができる。サーバ３３４ａは、例えばアプリケーションをそこに送達することによって、分析物センサシステム３０８及び／または表示デバイス３１０に記憶された情報を更新することができる。サーバ３３４ａは、分析物センサシステム３０８及び／または表示デバイス３１０に／からリアルタイムで、または散発的に情報を送信／受信することができる。さらに、サーバ３３４ａは、分析物センサシステム３０８及び／または表示デバイス３１０に対するクラウド計算能力を実施することができる。
【０２４１】
図３Ｂは、分析物センサシステムを実施する接続で使用することができる追加的な本開示の態様の実施例を含む、システム３０２を表す。分析物センサシステム３０８及び／または表示デバイス３１０、その他によるデータの処理、収集、及び交換の数多くの詳細は、例えば図６を参照して、下で提供される。図３Ｂに例示されるように、システム３０２は、分析物センサシステム３０８を含むことができる。示されるように、分析物センサシステム３０８は、センサデータを処理し、管理するためのセンサ測定回路３７０に結合された分析物センサ３７５（例えば、図１Ａでは数字１０で示すことができる）を含むことができる。センサ測定回路３７０は、プロセッサ／マイクロプロセッサ３８０（例えば、図１Ａのアイテム１２の一部とすることができる）に結合することができる。いくつかの実施形態において、プロセッサ３８０は、センサ３７５からセンサ測定値を取得し、処理するためのセンサ測定回路３７０の機能の一部または全体を行うことができる。プロセッサ３８０は、センサデータを送信するための、ならびに表示デバイス３１０等の外部デバイスからの要求及びコマンドを受信するための無線ユニットまたはトランシーバ３２０（例えば、図１Ａのアイテム１２の一部とすることができる）にさらに結合することができ、これを使用して、ユーザにセンサデータ（または、分析物データ）を表示すること、または別様には提供することができる。本明細書で使用される場合、「無線ユニット」及び「トランシーバ」という用語は、交換可能に使用され、また、一般に、データを無線で伝送及び受信することができるデバイスを指す。分析物センサシステム３０８は、センサデータを記憶し、追跡するための、記憶装置３６５（例えば、図１Ａのアイテム１２の一部とすることができる）と、リアルタイムクロック（ＲＴＣ）３８０（例えば、図１Ａの項目１２の一部とすることができる）と、をさらに含むことができる。
【０２４２】
上で暗に言及したように、無線通信プロトコルは、通信媒体３０５を介して、分析物センサシステム３０８と表示デバイス３１０との間でデータを伝送及び受信するために使用することができる。そのような無線プロトコルは、近距離にある多数のデバイスに対する定期的で小規模なデータ転送（必要な場合に、低速で伝送することができる）のために最適化される無線ネットワーク（例えば、パーソナルエリアネットワーク（ＰＡＮ））で使用するように設計することができる。例えば、１つのこのようなプロトコルは、定期的なデータ転送に最適化することができ、その場合、トランシーバは、短い間隔にわたってデータを伝送し、次いで、長い間隔にわたって低電力モードに入るように構成することができる。プロトコルは、電力消費を低減させるために、通常のデータ転送及び（例えば、オーバーヘッドを低減させることによって）通信チャネルの初期セットアップ設定の両方に関して、低いオーバーヘッド要件を有する場合がある。いくつかの実施形態では、バーストブロードキャスティングスキーム（例えば、一方向通信）を使用することができる。これは、肯定応答信号に必要とされるオーバーヘッドを排除することができ、ほとんど電力を消費しない定期的な伝送を可能にすることができる。他の実施形態において、パッシブまたはアクティブの近接度に基づくプロトコルを用いて、オーバーヘッド（例えば、典型的なペアリング動作と関連付けられたオーバーヘッド）を低減させることができ、及び／またはセキュリティを低減させることができ、ＮＦＣがその１つの具体的な例である。
【０２４３】
プロトコルは、多数のデバイスとの通信チャネルを確立し、一方で、干渉回避スキームを実施するようにさらに構成されることができる。いくつかの実施形態において、プロトコルは、複数のデバイスとの通信のための種々のタイムスロット及び周波数帯域を定義する、適応型等時性ネットワークトポロジを使用することができる。したがって、プロトコルは、干渉に応答して、及び多数のデバイスとの通信をサポートするために、伝送ウインドウ及び周波数を修正することができる。故に、無線プロトコルは、時間及び周波数分割多重化（ＴＤＭＡ）に基づくスキームを使用することができる。無線プロトコルはまた、直接シーケンススペクトラム拡散（ＤＳＳＳ）及び周波数ホッピングスペクトラム拡散スキームも用いることができる。種々のネットワークトポロジを使用して、ＷｉＦｉ、Ｂｌｕｅｔｏｏｔｈ(登録商標)、及びＢｌｕｅｔｏｏｔｈ(登録商標)  Ｌｏｗ  Ｅｎｅｒｇｙ（ＢＬＥ）等の、ピアツーピア、スター、ツリー、またはメッシュネットワークトポロジ等の、近距離及び／または低電力の無線通信をサポートすることができる。無線プロトコルは、２．４ＧＨｚ等のオープンＩＳＭ帯域等の、種々の周波数帯域で動作することができる。さらに、電力使用を低減させるために、無線プロトコルは、電力消費に従ってデータ速度を適応的に構成することができる。
【０２４４】
図３Ｂをさらに参照すると、システム３０２は、通信媒体３０５を介して、分析物センサシステム３０８に通信的に結合された表示デバイス３１０を含むことができる。例示される実施形態において、表示デバイス３１０は、接続性インターフェース３１５（これが次に、トランシーバ３２０を含む）と、記憶装置３２５（これが次に、分析物センサアプリケーション３３０及び／または追加的なアプリケーションを記憶する）と、プロセッサ／マイクロプロセッサ３３５と、表示デバイス３１０のディスプレイ３４５を使用して提示することができるグラフィカルユーザインターフェース（ＧＵＩ）３４０と、リアルタイムクロック（ＲＴＣ）３５０と、を含む。バス（図示せず）を使用して、表示デバイス３１０の種々の要素を相互接続し、これらの要素間でデータを転送することができる。
【０２４５】
表示デバイス３１０は、ユーザにセンサ情報または分析物データをアラートし、提供するために使用することができ、また、センサデータを処理し、管理するためのプロセッサ／マイクロプロセッサ３３５を含むことができる。表示デバイス３１０は、センサデータを表示、記憶、及び追跡するための、ディスプレイ３４５と、記憶装置３２５と、分析物センサアプリケーション３３０と、及びリアルタイムクロック３５０と、を含むことができる。表示デバイス３１０は、接続性インターフェース３１５及び／またはバスを介して、表示デバイス３１０の他の要素に結合された無線ユニットまたはトランシーバ３２０をさらに含むことができる。トランシーバ３２０は、センサデータを受信するために、及び分析物センサシステム３０８に要求、命令、及び／またはデータを送信するために使用することができる。トランシーバ３２０は、通信プロトコルをさらに用いることができる。記憶装置３２５はまた、表示デバイス３１０、及び／またはトランシーバと表示デバイス３１０との間でデータを無線通信するように設計されたカスタム（例えば、専用）アプリケーションのためのオペレーティングシステムを記憶するためにも使用される。記憶装置３２５は、単一のメモリデバイスまたは多数のメモリデバイスとすることができ、また、ソフトウェアプログラム及びアプリケーションのデータ及び／または命令を記憶するための揮発性または不揮発性メモリとすることができる。命令は、プロセッサ３３５によって実行して、トランシーバ３２０を制御し、管理することができる。
【０２４６】
いくつかの実施形態において、標準化された通信プロトコルが使用されるときには、市販のトランシーバ回路を利用することができ、該回路は、データのコード化、伝送周波数、ハンドシェイクプロトコル、及び同類のものの管理等の、低レベルのデータ通信機能を扱うために、処理回路を組み込む。これらの実施形態において、プロセッサ３３５、３８０は、これらの活動を管理する必要はなく、むしろ、伝送に望ましいデータ値を提供し、また、電力を上げるまたは下げる、メッセージが伝送される速度を設定する、及び同類のもの等の、高レベルの機能を管理する。これらの高レベル機能を行うための命令及びデータ値は、トランシーバ３２０、３６０の製造業者によって確立されたデータバス及び転送プロトコルを介して、トランシーバ回路に提供することができる。
【０２４７】
分析物センサシステム３０８の構成要素は、定期的な交換が必要であり得る。例えば、分析物センサシステム３０８は、センサ電子機器モジュールに取り付けることができる埋め込み可能なセンサ３７５を含むことができ、該モジュールは、センサ測定回路３７０と、プロセッサ３８０と、記憶装置３６５と、トランシーバ３６０と、バッテリ（図示せず）と、を含む。センサ３７５は、定期的な交換（例えば、７〜３０日毎）が必要であり得る。センサ電子機器モジュールは、バッテリの交換が必要になるまで、センサ３７５よりもはるかに長い間（例えば、３〜６か月、またはそれ以上）にわたって給電され、起動するように構成することができる。これらの構成要素を交換することは、困難であり得、また、訓練された人員の支援を必要とし得る。そのような構成要素、特にバッテリを交換する必要性を低減させることで、ユーザも含めて、分析物センサシステム３０８を使用する便利さ及びコストを大幅に改善する。いくつかの実施形態において、センサ電子機器モジュールは、初めて使用する（またはいくつかの事例において、バッテリを交換した後に再起動した）ときに、センサ３７５に接続し、センサセッションを確立することができる。下でさらに説明するように、モジュールを初めて使用するまたは再起動する（例えば、バッテリを交換した）ときには、最初に、表示デバイス３１０とセンサ電子機器モジュールとの間の通信を確立するためのプロセスが存在し得る。表示デバイス３１０及びセンサ電子機器モジュールが通信を確立すると、表示デバイス３１０及びセンサ電子機器モジュールは、例えばバッテリの交換が必要になるまで、複数のセンサ３７５の寿命を通じて定期的及び／または連続的に通信することができる。センサ３７５が交換されるたびに、新しいセンサセッションを確立することができる。新しいセンサセッションは、表示デバイス３１０を使用して完了したプロセスを通して開始することができ、プロセスは、センサセッション全体にわたって持続し得るセンサ電子機器モジュールと表示デバイス３１０との間の通信を介した新しいセンサの通知によってトリガーすることができる。
【０２４８】
分析物センサシステム３０８は、典型的に、センサ３７５から分析物データを収集し、それを表示デバイス３１０に伝送する。分析物値に関するデータ点は、センサ３７５の寿命（例えば、１〜３０日以上の範囲）を通じて収集し、伝送することができる。新しい測定値は、しばしば、グルコースレベルを適切に監視するのに十分伝送することができる。分析物センサシステム３０８及び表示デバイス３１０の各々の伝送及び受信回路に連続的に通信させるのではなく、分析物センサシステム３０８及び表示デバイス３１０は、それらの間で通信チャネルを規則的及び／または定期的に確立することができる。したがって、分析物センサシステム３０８は、いくつかの事例において、所定の時間間隔で、表示デバイス３１０（例えば、ハンドヘルドコンピューティングデバイス、医療用デバイス、または専用のデバイス）との無線伝送を介して通信することができる。所定の時間間隔の持続時間は、分析物センサシステム３０８が必要とされるよりも頻繁にデータを伝送することによって過剰な電力を消費しないよう、十分長くなるように、それでも、実質的にリアルタイムでセンサ情報（例えば、測定されたグルコース値または分析物データ）を、（例えば、ディスプレイ３４５を介して）ユーザに出力するための表示デバイス３１０に提供するのに十分高い頻度になるように選択することができる。いくつかの実施形態において、所定の時間間隔は、５分毎であるが、この時間間隔は、任意の所望の時間になるように変動し得ることが認識される。
【０２４９】
引き続き図３Ｂを参照すると、示されるように、接続性インターフェース３１５は、通信媒体３０５に表示デバイス３１０をインターフェースし、よって、表示デバイス３１０は、通信媒体３０５を介して、分析物センサシステム３０８に通信的に結合することができる。接続性インターフェース３１５のトランシーバ３２０は、異なる無線規格で動作可能な多数のトランシーバモジュールを含むことができる。トランシーバ３２０は、分析物センサシステム３０８から、分析物データならびに関連付けられたコマンド及びメッセージを受信するために使用することができる。加えて、接続性インターフェース３１５は、いくつかの事例において、ベースバンド及び／またはイーサネット(登録商標)モデム、オーディオ／ビデオコーデック、ならびにその他等の、無線及び／または有線接続を制御するための追加的な構成要素を含むことができる。
【０２５０】
記憶装置３２５は、揮発性メモリ（例えば、ＲＡＭ）及び／または不揮発性メモリ（例えば、フラッシュストレージ）を含むことができ、ＥＰＲＯＭ、ＥＥＰＲＯＭ、キャッシュのうちのいずれかを含むことができ、またはこれらのいくつかの組み合わせ／バリエーションを含むことができる。種々の実施形態において、記憶装置３２５は、表示デバイス３１０によって収集されたユーザ入力データ及び／または他のデータ（例えば、分析物センサアプリケーション３３０を介して収集された、他のユーザからの入力）を記憶することができる。記憶装置３２５はまた、後の検索及び使用のために、例えば傾向を判定し、アラートをトリガーするために、分析物センサシステム３０８から受信した大量の分析物データを記憶するために使用することもできる。加えて、本明細書において下でさらに詳細に説明するように、記憶装置３２５は、分析物センサアプリケーション３３０を記憶することができ、該アプリケーションは、プロセッサ３３５を使用して実行されたときに、例えば、（例えば、従来のハード／ソフトキーまたはタッチスクリーン、音声検出、または他の入力機構によって）入力を受信し、ユーザが、ＧＵＩ３４０を介して、分析物データ及び関連するコンテンツと相互作用することを可能にする。
【０２５１】
種々の実施形態において、ユーザは、ＧＵＩ３４０を介して、分析物センサアプリケーション３３０と相互作用することができ、該ＧＵＩは、表示デバイス３１０のディスプレイ３４５によって提供することができる。一例として、ディスプレイ３４５は、種々のハンドジェスチャーを入力として受け付ける、タッチスクリーンディスプレイとすることができる。アプリケーション３３０は、本明細書で説明される種々の動作に従って、表示デバイス３１０によって受信した分析物に関連するデータを処理及び／または提示することができ、また、ディスプレイ３４５を介してそのようなデータを提示することができる。加えて、アプリケーション３３０は、本明細書でさらに詳細に説明するように、分析物センサシステム３０８と関連付けられた分析物データならびに関連するメッセージング及びプロセスに関して、取得、アクセス、表示、制御、及び／またはインターフェースするために使用することができる。
【０２５２】
アプリケーション３３０は、ディスプレイデバイス３１０にダウンロードし、インストールし、初期構成／セットアップすることができる。例えば、表示デバイス３１０は、サーバシステム３３４から、またはアプリケーションストアもしくは同類のもの等の通信媒体（例えば、通信媒体３０５）を介してアクセスした別のソースから、アプリケーション３３０を取得することができる。インストレーション及びセットアップに続いて、アプリケーション３３０を使用して、（例えば、サーバシステム３３４への記憶、記憶装置３２５からローカルに記憶、または分析物センサシステム３０８からの記憶にかかわらず）分析物データに関して、アクセス及び／またはインターフェースすることができる。例示として、アプリケーション３３０は、分析物センサシステム３０８及び１つまたは２つ以上の表示デバイス３１０の動作と関連して実行することができる種々の制御またはコマンドを含むメニューを提示することができる。アプリケーション３３０はまた、本明細書で説明されるように、他の表示デバイス３１０をインターフェースまたは制御して、例えば、他の表示デバイス３１０に対して分析物データを直接受信／送信することによって、ならびに／または接続されるべき分析物センサシステム３０８及び他の表示デバイス３１０に対する命令を送信することによって、その他を含めて、例えば、該表示デバイスに分析物データを送達すること、それらが該分析物データを利用できるようにすることもできる。加えて、アプリケーション３３０は、いくつかの実現形態において、例えば関連するデータを検索または供給するように、表示デバイス３１０によってサポートされる１つまたは２つ以上の追加的なアプリケーションと相互作用することができる。そのようなアプリケーションとしては、一例として、フィットネス／ライフスタイル監視アプリケーション、ソーシャルメディアアプリケーション、その他を挙げることができる。
【０２５３】
分析物センサアプリケーション３３０は、（例えば、開示される方法に関連して）本明細書の種々の機能の説明に照らして明らかになるように、ディスプレイモジュール、メニューモジュール、リストモジュール、その他等の、種々のコード／機能モジュールを含むことができる。これらのモジュールは、別個にまたは組み合わせて実施することができる。各モジュールは、コンピュータ可読媒体を含むことができ、またそこに記憶されたコンピュータ実行可能コードを有することができ、よって、プロセッサ３３５（例えば、当該の実行のための回路を含むことができる）にコードを動作的に結合して、及び／または該プロセッサによって実行して、分析物データとインターフェースすること、及びそれに関連するタスクを行うことに関する（例えば、種々の動作及びフローチャートに関して本明細書で説明されるような）特定の機能を行うことができる。下でさらに説明されるように、表示モジュールは、（例えば、ディスプレイ３４５を介して）ユーザに種々の画面を提示することができ、画面は、アプリケーション３３０によって提供される情報のグラフィカル表現を含む。さらなる実施形態では、アプリケーション３３０を使用して、ユーザに、分析物センサシステム３０８に接続可能であり得る種々の表示デバイス、ならびに分析物センサシステム３０８自体を閲覧し、相互作用するための環境を表示することができる。センサアプリケーション３３０は、本明細書で説明される機能／特徴を実行するために、（例えば、オペレーティングシステムに依存する）ソフトウェア設計キットによって修正されたネイティブアプリケーションを含むことができる。
【０２５４】
図３Ｂを再度参照すると、表示デバイス３１０はまた、プロセッサ／マイクロコントローラ３３５も含む。プロセッサ３３５は、プロセッササブモジュールを含むことができ、これは、一例として、表示デバイス３１０の他の要素（例えば、接続性インターフェース３１５、アプリケーション３３０、ＧＵＩ３４０、ディスプレイ３４５、ＲＴＣ３５０、その他）とインターフェースし、及び／または該要素を制御するアプリケーションプロセッサを含む。プロセッサ３３５は、コントローラ及び／またはマイクロコントローラを含むことができ、これは、（例えば、利用可能なまたは以前にペアリングされていたデバイスのリスト、測定値に関連する情報、ネットワークの状態（例えば、リンクの質、及び同類のもの）に関連する情報、分析物センサシステム３０８と表示デバイス３１０の間で交換されるメッセージングのタイミング、種類、及び／または構造に関連する情報、その他等の、デバイス管理に関連する種々の制御（例えば、ボタン及びスイッチとのインターフェース）を提供する。加えて、コントローラは、例えば（例えば、データに対するユーザのアクセスを許可するための、または分析物データを含むデータの許可／暗号化に使用するための）ユーザの指紋等のユーザ入力、ならびに分析物データの収集に関連する種々の制御を含むことができる。
【０２５５】
プロセッサ３３５は、周辺構成要素及び音声構成要素のための論理回路、メモリ、バッテリ及び電力回路、ならびに他の回路ドライバ等の、回路を含むことができる。プロセッサ３３５及びその任意のサブプロセッサは、表示デバイス３１０に対して受信及び／または入力されたデータ、ならびに表示デバイス３１０によって伝送または送達されるデータを受信、処理、及び／または記憶するための論理回路を含むことができる。プロセッサ３３５は、バスによって、ディスプレイ３４５に、ならびに接続性インターフェース３１５及び記憶装置３２５（アプリケーション３３０を含む）に結合することができる。したがって、プロセッサ３３５は、これらのそれぞれの要素によって生成された電気信号を受信し、処理し、したがって、種々の機能を行うことができる。一例として、プロセッサ３３５は、アプリケーション３３０の指示で、記憶装置３２５からの記憶されたコンテンツにアクセスし、記憶されたコンテンツを処理して、ディスプレイ３４５によって表示及び／または出力することができる。加えて、プロセッサ３３５は、記憶されたコンテンツを処理して、接続性インターフェース３１５及び通信媒体３０５を介して、他の表示デバイス３１０、分析物センサシステム３０８、またはサーバシステム３３４に伝送することができる。表示デバイス３１０は、図３Ｂに詳細に示されない、他の周辺構成要素を含むことができる。
【０２５６】
さらなる実施形態において、プロセッサ３３５は、ある期間を通じて、ディスプレイ３４５もしくはＧＵＩ３４０を介してユーザによって入力されたデータ、または分析物センサシステム３０８から受信したデータ（例えば、分析物センサデータまたは関連するメッセージング）を、さらに取得、検出、算出、及び／または記憶することができる。プロセッサ３３５は、この入力を使用して、データ及び／または他の要因（例えば、日時、場所、その他）に対するユーザの肉体的及び／または精神的応答を測定することができる。種々の実施形態において、本明細書において下でさらに詳細に説明されるように、ユーザの応答または他の要因は、特定の状況下での特定の表示デバイス３１０の使用、及び／または種々の条件下での特定の接続／伝送スキームの使用に関して選好を示すことができる。
【０２５７】
現時点で、表示デバイス３１０と分析物センサシステム３０８との間の同じ名前の要素は、同じ特徴、構造、及び／または能力を含み得ることに留意されたい。したがって、そのような要素に関して、上での表示デバイス３１０の説明は、いくつかの事例において、分析物センサシステム３０８に適用することができる。
【０２５８】
以下、図３Ｃを参照すると、システム３０４が、本開示の実施形態に従って表される。示されるように、システム３０４は、通信媒体３０５ａを介して表示デバイス３１０ａ、３１０ｂに通信的に結合された、分析物センサシステム３０８を含む。表示デバイス３１０ａはまた、通信媒体３０５ｂを介して表示デバイス３１０ｂに通信的に結合される。一例として、図３Ｃは、本開示の例示的な実現形態において、表示デバイス３１０ａが、第１の接続スキーム及び第１の無線プロトコル（例えば、ＢＬＥ）を使用して、分析物センサシステム３０８に接続することができることを例示する。次に、表示デバイス３１０ａはまた、第２の接続スキーム及び第２の無線プロトコル（例えば、Ｗｉ−Ｆｉ、ＮＦＣ、その他）を使用して、表示デバイス３１０ｂに接続することができる。実施形態において、表示デバイス３１０ａと分析物センサシステム３０８との間の接続は、その後に閉じることができ、表示デバイス３１０ｂは、分析物センサシステム３０８との接続を確立し、一方で、表示デバイス３１０ａとの接続を維持することができる。さらに、例えば、表示デバイス３１０ａ及び３１０ｂは、通信媒体３０５ｂを介して、分析物データを交換することができ、各表示デバイス３１０ａ、３１０ｂは、通信媒体３０５ａを介して、すなわち、分析物センサシステム３０８から、分析物データを受信する。図３Ｃによって表される追加的な態様及び特徴は、本開示の全体を研究すれば明らかになるであろう。
【０２５９】
以下、図１７を参照すると、例えば方法７０４、７０６、７１２、７１４、７１６、７１８、７２２、７２４、及び７２６等の、種々の方法の特徴の例示的な実現形態が例示される。１つのそのような例示的な実現形態は、分析物データを無線通信するための方法１７００の態様を含む。動作１７０５Ａで、方法１７００は、第１の無線プロトコルを介して、分析物センサシステム３０８（図３Ｃを参照されたい）と第１の表示デバイスとの間の第１の接続を確立することを含む。一例として、第１の表示デバイスは、例えば、図１Ａ及び図３Ｃを参照して、表示デバイス３１０ａ及び３１０ｂ、分析物センサシステム１１０、医療用デバイス１３６、その他を含む、本明細書で参照される表示デバイスのうちのいずれかとすることができる。動作１７０５Ｂで、方法１７００は、分析物センサシステム３０８から第１の表示デバイスに、第１の接続に関連する情報を転送すること含む。そのような情報の例は、本明細書で説明される。いくつかの事例において、情報は、分析物センサシステム３０８から第１の表示デバイスに転送されるのではなく、例えば第１の接続及び／または別の機構（例えば、プレプログラミング、手動入力、その他）を確立することによって、第１のディスプレイにおいて生成され、及び／またはそこに常駐する。
【０２６０】
動作１７０５Ｃで、方法１７００は、第２の表示デバイスが、第２の無線プロトコルを介して、第１の表示デバイスへの第２の接続を確立することを含む。一例として、第２の表示デバイスは、図１Ａ及び図３Ｃを参照して、例えば表示デバイス３１０ａ及び３１０ｂ、分析物センサシステム１１０、医療用デバイス１３６、その他を含む、本明細書で参照される表示デバイスのうちのいずれかとすることができる。動作１７０５Ｄで、方法１７００は、第２の無線プロトコルを使用して、第１の表示デバイスから第２の表示デバイスに、第１の接続に関連する情報を転送することを含む。現時点で、本明細書で説明される無線プロトコルのうちのいずれかを、本開示の趣旨または範囲を逸脱することなく、有線通信プロトコルと置換すること、またはそれによって拡張することができることは、言及するに値する。
【０２６１】
方法１７００の実施形態は、動作１７０５Ｅで、分析物データを分析物センサシステム３０８と第２の表示デバイスとの間で通信するために、第１の無線プロトコル及び第１の表示デバイスから転送される情報を使用して、第２の表示デバイスと分析物センサシステム３０８との間の第３の接続を確立することを含む。例えば、転送された情報を使用して、別の場合であれば第３の接続を確立することと関連付けられたものであり得るセットアップ時間を減少させることができる。例示的な実現形態において、第１の無線プロトコルは、ＢＬＥであり、第２の無線プロトコルは、ＮＦＣまたはＷｉＦｉである。
【０２６２】
図３Ｄは、本開示の実施形態に従って用いることができる、ＧＵＩ３４０の例示的な実現形態を例示する。図３Ｄに示されるように、ＧＵＩ３４０は、例えばセンサアプリケーション３３０と関連して、表示デバイス３１０のディスプレイ３４５を介して提示することができる。全般的に言えば、ＧＵＩ３４０の機能及び特徴は、本明細書で説明されるシステム及び方法を参照してさらに詳細に説明される。例示として、ＧＵＩ３４０は、表示デバイスマネージャを提示することができる。示されるように、表示デバイスマネージャは、分析物センサシステム３０８に結合することができる（図３Ａ及び３Ｂを参照されたい）１つまたは２つ以上の表示デバイス３１０の各々のインターフェースモジュールを含むことができる。インターフェースモジュール３９０ａは、表示デバイス３１０のうちの第１の表示デバイス（「表示デバイス１」または「ＤＤ１」）とインターフェースするために使用することができ、インターフェースモジュール３９０ｂは、表示デバイス３１０のうちの分析物表示デバイス（「分析物表示」）とインターフェースするために使用することができ、インターフェースモジュール３９０ｃは、表示デバイス３１０のうちの第２の表示デバイス（「表示デバイス２」または「ＤＤ２」）とインターフェースするために使用することができる。各インターフェースモジュール３９０ａ、３９０ｂ、３９０ｃは、次に、構成メニュー３９５を含むことができ、これは、管理されているデバイスの種々の設定を構成するためのいくつかのボタン（例えば、タッチセンシティブソフトキー）を含むことができる。構成メニュー３９５及びそれらの機能の利用可能なボタンは、例えば管理されている表示デバイスの特性ならびに他のパラメータに基づいて、修正することができる。
【０２６３】
図３Ｅと関連して説明されるように、構成メニュー３９５を使用して、対象の表示デバイスの特定の管理オプションを選択するために使用することができるサブメニューにアクセスすることができる。ＧＵＩ３４０に含むことができる追加的なボタンは、ボタン３１２ａ〜ｅである。例えば、ボタン３１２ａは、デバイスをデバイスマネージャに加えるために使用することができ、ボタン３１２ｂは、予め設定された構成をデバイスマネージャに適用するために使用することができ、ボタン３１２ｃは、ユーザにアラートを通知するために、または設定の変更を管理するために使用することができ、ボタン３１２ｄは、（例えば、アプリケーション３３０と関連して）ＧＵＩ３４０に示される前画面に戻ることをナビゲートするために使用することができ、ボタン３１２ｅは、表示デバイス３１０のホーム画面に戻るためのソフトキーとして使用することができる。
【０２６４】
以下、図３Ｅを参照すると、ＧＵＩ３４０と関連して実施することができる追加的な態様が提供される。図３Ｅに示されるように、ＧＵＩ３４０の実施形態は、インターフェースモジュール３９０ａと、３９０ｂと、３９０ｃのサブメニュー３１４ａ〜ｆと、を含む。サブメニュー３１４ａは、インターフェースモジュール３９０ａの構成メニュー３９５を介してアクセスすることができる。この事例において、サブメニュー３１４ａは、「テザー」オプションに対応する。これに関して、（例えば、ディスプレイ３４５上のタッチジェスチャーを介して）選択されたときに、サブメニュー３１４ａは、「表示デバイス１」を「分析物表示」、「表示デバイス２」、または「他のデバイス」にテザリングするためのオプション３１６ａを提示する。オプション３１６ａを使用して、テザリングするデバイスを選択することができる。具体的な実施例として図３Ｃを参照すると、テザリングは、この事例において、例えば、通信媒体３０５ｂを介して接続している２つの表示デバイス３１０ａ及び３１０ｂを含むことができる。ここで、「分析物表示」及び「表示デバイス２」は、既知のデバイスに対応することができるのに対して、「他のデバイス」オプションを選択することで、接続に利用可能な他の表示デバイス３１０のスキャンを開始することができる。サブメニュー３１４ａは、任意の他のインターフェースモジュール（例えば、３９０ｂ、その他）と関連して実施できることが認識されるであろう。
【０２６５】
サブメニュー３１４ｂは、「交換／削除」オプションに対応する。これに関して、（例えば、ディスプレイ３４５上のタッチジェスチャーを介して）選択されたときに、サブメニュー３１４ｂは、オプション３１６ｂを提示し、これは、分析物表示を別の表示デバイス３１０と、すなわち、「表示デバイス３」（「ＤＤ３」）または他のデバイスと交換するためのオプションを含む。オプション３１６ｂ内で、本明細書でさらに説明されるように、サブメニュー３１４ｂはまた、デバイスのリスト（例えば、ホワイトリスト）から「分析物表示」を「削除」するためのオプションも提示する（例えば、図１０Ｂを参照されたい）。ここでも同じく、「表示デバイス３」は、既知のデバイスに対応することができるのに対して、「他のデバイス」オプションを選択することで、「分析物表示」への接続が利用可能な他の表示デバイス３１０のスキャンを開始することができる。サブメニュー３１４ｂは、任意の他のインターフェースモジュール（例えば、３９０ａ、その他）と関連して実施できることが認識されるであろう。例えば、サブメニューを使用して、分析物センサシステム３０８との使用に関して、ユーザの古いスマートフォンをユーザの新しいスマートフォンと交換することができる。
【０２６６】
サブメニュー３１４ｃは、「構成パラメータ（Ｃｏｎｆｉｇ．Ｐａｒａｍｓ．）」または「構成パラメータ（Ｃｏｎｆｉｇｕｒａｔｉｏｎ  Ｐａｒａｍｅｔｅｒｓ）」オプションに対応する。これに関して、（例えば、ディスプレイ３４５上のタッチジェスチャーを介して）選択されたときに、サブメニュー３１４ｃは、オプション３１６ｃを提示し、これは、分析物センサシステム８との接続及びそこからのデータの伝送に関する種々の構成パラメータを修正または設定するためのオプションを含む。オプション３１６ｃ内で、サブメニュー３１４ｃは、「設定パラメータ」が「有効」であるかどうかに関するオプションを提示し、次いで、ユーザによって特に制御することができる「設定パラメータ」に関連する追加的なオプションを列記する。いくつかの実施例において、これらのパラメータは、例えば監視パラメータ値と所定の及び／または構成可能な／適合可能な閾値とを比較することによって、（例えば、表示デバイス３１０及び／または分析物センサシステム３０８による）ユーザの介入を伴わずに、追加的または代替的に監視し、調整することができる。これに関して、ユーザは、表示デバイス３１０によってどのパラメータを監視／調整するべきかを選択することが可能であり得る。他の事例において、選択は、監視パラメータ値及び／または他の入力に基づいてオンザフライで行うことができる。
【０２６７】
「質」オプションは、本明細書でさらに説明されるように、サービスの質（ＱｏＳ）に関連する「構成パラメータ」を制御またはインターフェースするように、ユーザによって調整することができる。さらに、本明細書の他の場所でさらに詳細に言及されるように、ＱｏＳ関連のパラメータはまた、例えばリンクの質、その他に関連する閾値に基づいて、分析物センサシステム３０８及び／または表示デバイス３１０によって監視／調整することができる。「場所」オプションは、本明細書でさらに説明されるように、場所に関連する「構成パラメータ」を制御またはインターフェースするように、ユーザによって調整することができる。「時間」オプションは、本明細書でさらに説明されるように、日時に関連する「構成パラメータ」を制御またはインターフェースするように、ユーザによって調整することができる。「電力」オプションは、本明細書でさらに説明されるように、バッテリ電力に関連する「構成パラメータ」を制御またはインターフェースするように、ユーザによって調整することができる。サブメニュー３１４ｃは、任意の他のインターフェースモジュール（例えば、３９０ａ、その他）と関連して実施できることが認識されるであろう。
【０２６８】
サブメニュー３１４ｄは、インターフェースモジュール３９０ａが関係するデバイス（すなわち、この実施例では、「表示デバイス１」（ＤＤ１））に関連するポップアップウインドウオプションに対応する。より具体的には、本明細書でさらに説明されるように、サブメニュー３１４ｄは、グレー表示したオプション３１６ｄを介して、対象のデバイスがホワイトリストにあるかどうかを示す。オプション３１６ｄは、この実施例において、グレー表示されて、オプションが選択可能であることではなく、ホワイトリストステータスに関する情報を提示するために使用されることを示す。図３Ｅを参照して具体的に参照されない、異なるサブメニュー（「ホワイトリスト／ブラックリスト」）は、ホワイトリストに対して（またはブラックリストに対して）特定のデバイスを加える／削除するために使用することができる。サブメニュー３１４ｄは、任意の他のインターフェースモジュール（例えば、３９０ａ、その他）と関連して実施できることが認識されるであろう。
【０２６９】
サブメニュー３１４ｅは、「専用」オプションに対応する。これに関して、（例えば、ディスプレイ３４５上のタッチジェスチャーを介して）選択されたときに、サブメニュー３１４ｃは、オプション３１６ｅを提示し、これは、分析物センサシステム８への接続及びそこからのデータの伝送に関して、対象の表示デバイス（ここでは、「分析物ディスプレイ」）を専用の表示デバイスにするためのオプションを含む。オプション３１６ｅ内で、本明細書でさらに説明されるように、サブメニュー３１４ｅは、「分析物表示」が専用の表示デバイスであるかどうかに関する「はい」または「いいえ」を示すためのオプションを提示する。サブメニュー３１４ｅは、任意の他のインターフェースモジュール（例えば、３９０ａ、その他）と関連して実施できることが認識されるであろう。
【０２７０】
サブメニュー３１４ｆは、「モード」オプションに対応する。これに関して、（例えば、ディスプレイ３４５上のタッチジェスチャーを介して）選択されたときに、サブメニュー３１４ｆは、オプション３１６ｆを提示し、これは、対象の表示デバイス（ここでは、「表示デバイス２」）と分析物センサシステム８との間の接続モードを設定するためのオプションを含む。オプション３１６ｆ内で、本明細書でさらに説明されるように、サブメニュー３１４ｆは、接続モードの動作に関する「接続／切断」、接続済、及び「その他」のオプションを提示する。サブメニュー３１４ｆは、任意の他のインターフェースモジュール（例えば、３９０ａ、その他）と関連して実施できることが認識されるであろう。
【０２７１】
特定のサブメニューは、図３Ｅを参照して本明細書で詳細に説明されていない。それでもやはり、当業者は、本開示を研究すれば、ＧＵＩ３４０がこれらのサブメニューに関して種々の追加的なオプションを提示することができることを認識するであろうし、また、追加的なサブメニューが本開示の範囲及び趣旨の範囲内であることも認識するであろう。例えば「優先順位」オプション（例えば、方法１０００の議論を参照されたい）等の、例えば、いくつかのそのようなサブメニュー／オプションは、方法及び／またはシステムと関連して本明細書の他の場所で説明される。
【０２７２】
図４は、本開示の実施形態による、分析物センサシステム４０８の潜在的態様を例示しているブロック図である。図４で示される分析物センサシステム４０８の態様は、分析物センサシステム４０８のサブシステム４００内で実施することができ、また、一般に、ＢＬＥ等の無線プロトコルを介して通信的に結合された分析物センサシステム４０８と任意の表示デバイスとの間の無線インターフェースを管理するために使用することができる。例えば、アプリケーションプログラミングインタフェース（ＡＰＩ）４５０は、無線４２５を介して表示デバイスがプロセッサ４２０（例えば、プロセッサ３８０）と通信するために提供することができ、該無線としては、ＢＬＥもしくは他のＲＦ、またはマイクロ波トランシーバ（例えば、トランシーバ３６０）を挙げることができる。プロセッサ４２０は、センサ４０５（例えば、センサ３７５）によって収集された分析物データを処理するために使用することができる。
【０２７３】
示されるように、分析物センサシステム４０８内で、サブシステム４００は、センサ４０５（例えば、センサ１０）と、アナログフロントエンド（ＡＦＥ）４１０（例えば、センサ電子機器モジュール１２）と、バッテリ４１５と、プロセッサ４２０と、無線４２５と、を含むことができる。サブシステム４００ならびに関連するソフトウェアに関するものを含む、分析物センサシステム４０８の設計は、そのようなマルチチップ動作及び／または管理を可能にし、特にその場合、そのような動作及び管理は、本明細書で説明される電力節約の原理に従って実行され、また、電力節約をサポートする／最大にするシステム構成を実施することを含み得る。例えば、本設計は、システムの起動、チップ間の通信、アプリケーションタスクのスケジューリング、記憶ならびに起動モードにおけるバッテリ寿命の最大化、ならびに無線４２５と関連付けられたＡＰＩ４５０による制御点及び指示の利用を可能にする。
【０２７４】
記憶モードは、分析物センサシステム４０８がホストの中へ挿入される前に、分析物センサシステム４０８を動作させるために使用することができる。例えば、センサ４０５がホストの中へ挿入されたことを検出すると、分析物センサシステム４０８は、自動的に記憶モードを出て、起動モードに入ることができる。記憶モードにおいて、無線４２５は、電力を節約するために、少なくとも部分的に無効にすることができる。同様に、プロセッサ４２０は、例えばプロセッサ４２０によって使用されるクロック（例えば、ＲＴＣ３５０）を無効にすることによって、少なくとも部分的に無効にすることができる。さらに、記憶モードにおいて、無線４２５は、ディープスリープモードになるように構成できることが企図される。これは、分析物センサシステム４０８のバッテリ寿命を好都合に延長する／最大にすることができる。実現形態において、例えばＮＦＣを介して表示デバイス３１０と相互作用した時点で、分析物センサシステム４０８が記憶モードを出ることができることがさらに企図される。
【０２７５】
起動モードでは、（例えば、バッテリ寿命を延長する／最大にするために）依然として低電力モード（ＬＰＭ）を使用することができるが、ＲＴＣ３５０を起動する／有効にすることができる。これは、プロセッサ４２０が、時間を正確に追跡し、他のクロックに基づく機能を行うことを可能にし、それでも、電力節約を可能にすることができる。例えば、ＲＴＣ３５０は、時間に基づくカウンタ及び割り込みを使用してエラー回復を行うために使用することができる。以下のエラー回復のシナリオは、例示として提供される。１つの例において、所与の時間量にわたっていかなる応答メッセージも無線４２５から受信されなかった場合、プロセッサ４２０は、無線４２５をリセットすることができる。別の例では、定期的な割り込みを使用することができ、そこで、ＲＴＣ３５０の論理が機能しない場合、分析物センサシステム４０８は、ハードウェア論理によってリセットすることができる。追加的な実現形態において、ウェークソース４３５（または、ＡＦＥ４１０）と関連付けられたメッセージまたは信号が受信されない、または機能しない場合は、割り込み（例えば、ＲＴＣ割り込み）を使用して、プロセッサ４２０のＬＰＭを解除して、通信機能を行うことができる。
【０２７６】
プロセッサ４２０は、分析物センサシステム４０８内のサブシステム４００のシステムコントローラとして作用することができる。例えば、初期化した後に、無線４２５は、スリープ状態に入り、プロセッサ４２０からの命令を待機することができる。ＡＦＥ４１０は、デフォルト状態に初期化し、同様に、プロセッサ４２０から構成命令／コマンドを待機することができる。プロセッサ４２０は、エラーが検出された場合に、ＡＦＥ４１０及び／または無線４２５のリセットを制御することができる。プロセッサ４２０はまた、（例えば、ハードウェアウォッチドッグを使用して）内部エラー条件が検出された場合に、自己リセットすることもできる。
【０２７７】
分析物センサシステム８のサブシステム４００は、マルチチップ（またはマルチモジュール）設計を利用することができ、その場合、ハードウェア通信バスは、種々のチップ（またはモジュール）間でのデータ交換に使用することができる。ハードウェア通信バスの有望なオプションの例としては、Ｉｎｔｅｒ−Ｉｎｔｅｇｒａｔｅｄ  Ｃｉｒｃｕｉｔ（Ｉ２ＣまたはＩ２Ｃ）及びシリアル周辺機器インターフェース（ＳＰＩ）が挙げられる。ＳＰＩは、電力の低減ならびにＩ２Ｃに対する速度の増加を達成するために使用することができる。
【０２７８】
ウェークソース４３５及び未処理のセンサデータ４３０を使用して、分析物センサシステム４０８のバッテリ寿命を最大にすることができる。ＡＦＥ４１０は、典型的に、サブシステム４００の構成要素のためのウェークソースとし使用することができる。それでもやはり、他のウェークソースを利用することができる。通常動作中に、ＡＦＥ４１０は、プロセッサ４２０が、エネルギー効率の良い低電力モード（ＬＰＭ）に入ることを可能にする。ウェークソース４３５は、例えばＬＰＭ中には典型的に利用できない動作をプロセッサ４２０が実行することができるように、ＬＰＭを出るようにプロセッサ４２０にシグナリングするために使用することができる。ウェークソース４３５は、この様態で定期的にプロセッサ４２０にシグナリングし、プロセッサ４２０処理または実行動作の開始をトリガーすることができる。分析物センサシステム４０８は、多数のプロセッサを含むことができ、図５を参照して下で述べるように、全てのプロセッサが同時にアクティブにならないように、いくつかの事例においてウェークソース４３５と関連して、段階的なタスク処理を実施することができる。この技法は、電力消費を低減させることができ、そのため、バッテリ寿命を延長することができる。一例として、ウェークソース４３５は、最初に、ＬＰＭを出るようにプロセッサ４２０にシグナリングし、そして、分析物センサシステム４０８の関連するハードウェア及びソフトウェアを構成し始めて、ＡＦＥ４１０から未処理のセンサ（分析物）データの転送を開始することができる。
【０２７９】
未処理のセンサデータ４３０は、センサ４０５によって収集されたセンサデータをＡＦＥ４１０からプロセッサ４２０に転送する、ハードウェアを含むことができる。そのようなデータは、本明細書において、未処理のセンサデータまたは未処理の分析物データと称することができる。構成４４０は、プロセッサ４２０とＡＦＥ４１０との間の双方向インターフェースとすることができる。いくつかの事例において、構成４４０は、Ｉ２Ｃを使用して実施することができるが、ＳＰＩまたは別のインターフェース構成も使用することができる。プロセッサ４２０及び無線４２５は、同様に、通信及びデータ転送のために、ＳＰＩ及び／またはＩ２Ｃバスを使用することができる。いくつかの事例において、追加的なハードウェア及びソフトウェアを使用して、同期プロトコル（例えば、ＳＰＩ及び同類のもの）を使用するときに、プロセッサ４２０と無線４２５との間の非同期インターフェースを作成することができる。
【０２８０】
以下、図５を参照すると、本開示の実施形態に従う、分析物センサシステム５０８の潜在的態様を例示するブロック図が提供される。図５に示される分析物センサシステム５０８の態様は、分析物センサシステム５０８のサブシステム５００内で実施することができる。特に、サブシステム５００は、プロセッサ５２０及び無線５２５を含むことができ、これらは、通信インターフェース４４５に対するＳＰＩバス及び追加的な汎用の入力／出力（ＧＰＩＯ）を含み、したがって、プロセッサ５２０を無線５２５に結合する非同期インターフェース５４５を作成するように修正することができる。非同期インターフェース５４５は、いくつかの事例において、メッセージ転送層と称され得る。
【０２８１】
図５の実施例に示されるように、非同期インターフェース５４５は、プロセッサ５２０のチップ選択（ＣＳ）入力５０５ａに無線５２５のＣＳ出力５０５ｃを提供する、接続５０５ｂを含む。さらに、非同期インターフェース５４５は、プロセッサ５２０のＣＬＫ入力５１０ａに無線５２５のＳＰＩクロックアウト５１５ｃを提供する、接続５１０ｂを含む。非同期インターフェース５４５は、無線５２５のＭＩＳＯ（多入力単一出力）入力５３０ｃにプロセッサ５２０のＭＩＳＯ５３０ａを提供する、接続５１５ｂを含む。非同期インターフェース５４５は、プロセッサ５２０のＭＯＳＩ（多出力単一入力）入力５３０ａに無線５２５のＭＯＳＩ出力５３０ｃを提供する、接続５３０ｂをさらに含む。加えて、非同期インターフェース５４５は、無線５２５の要求入力５３５ｃにプロセッサ５２０の要求出力５３５ａを提供する、接続５３５ｂを含む。非同期インターフェース５４５はまた、プロセッサ５２０のＡＣＫ／ＮＡＣＫ入力５４０ａに無線５２５のＡＣＫ／ＮＡＣＫ（肯定応答／否定応答）出力５４０ｃを提供する、接続５４５ｂも含む。
【０２８２】
非同期インターフェース５４５は、プロセッサ５２０（プロセス分析物データに使用することができる）と無線５２５内の無線プロセッサ（例えば、ベースバンドプロセッサ）との間の非同期通信リンクを提供することができる。さらに、非同期インターフェース５４５は、アプリケーション層論理からのマスター／スレーブトポロジの削除を可能にすることができる。非同期インターフェース５４５はまた、インターフェースを通じて完了メッセージを通信する準備ができるまでプロセッサ５２０及び／または無線プロセッサが低電力モードを維持するように、割り込みコンテキストにおいてメッセージを送信／受信することを可能にする。典型的に、プロセッサ５２０によって送信されるメッセージは、ＡＣＫ／ＮＡＣＫならびに応答パケットを使用して、メッセージの受信を確認／拒否する。サブシステム５００に関して、できる限りランタイムのオーバーラップが少なくなるように、プロセッサ５２０及び無線５２５内のプロセッサ各々のランタイムを制限するために、段階的なタスク処理も使用することができる。これは、バッテリ４１５に対するストレスを低減させ、また、非同期メッセージングの課題を最小にすることができる。
【０２８３】
図４を再度参照すると、ＡＦＥ４１０は、ある期間（例えば、５分）にわたってセンサ４０５から未処理の分析物データをサンプリングする。サンプリング中に、プロセッサ４２０及び無線４２５内のプロセッサ（例えば、ベースバンドプロセッサ）は、低電力モード（ＬＰＭ）に保持することができる。ＡＦＥ４１０がサンプリングを完了すると、ＡＦＥ４１０は、プロセッサ４２０がＬＰＭから出るべきである（すなわち、ウェークアップするべきである）ことを示す信号をプロセッサ４２０に送信することができる。ＡＦＥ４１０は、次いで、構成４４０を介して、プロセッサ４２０に未処理の分析物データを転送することができる。ＡＦＥ４１０は、次いで、再度ＬＰＭに入ることができる。次いで、プロセッサ４２０は、（例えば、推定グルコース値を生成するために）未処理の分析物データを処理し、処理された分析物データを記憶することができる。プロセッサ４２０は、通信インターフェース４４５を介して、無線４２５のプロセッサにシグナリングして、無線４２５に処理された分析物データを通信することができる。その後に、無線４２５が表示デバイス（例えば、表示デバイス３１０）への接続を待機している間、プロセッサ４２０は、ＬＰＭに入ることができる。そのような接続が行われると、プロセッサ４２０は、ＬＰＭから出ることができ、表示デバイス及びプロセッサ４２０は、無線４２５を介して、データ、コマンド、及び／またはメッセージングを交換することができる。
【０２８４】
ＡＰＩ４５０は、種々の無線プロトコルを通じて、分析物センサシステム４０８から離れたデバイスとインターフェースするために使用することができる。そのようなプロトコルの１つの例は、ＢＬＥである。これに関して、ＡＰＩ４５０は、分析物センサアプリケーション３３０等のアプリケーションを動作させる表示デバイス（例えば、表示デバイス３１０）のユーザによって、分析物センサシステム４０８を構成することを可能にする。分析物センサアプリケーション３３０は、分析物センサシステム４０８及び／または表示デバイス３１０の製造業者によって開発されたものであり得、または任意の個人またはエンティティによって開発することができる。表示デバイスを分析物センサシステム４０８に結合するためにＢＬＥ規格が使用される事例において、ＢＬＥ特性は、システム設計パラメータに従って構成することができる。
【０２８５】
図６は、本開示による方法６００の実施形態と関連して、例えば分析物センサシステム４０８によって実施することができる、種々の動作を例示する動作フロー図である。コンテキストの目的で、図６は、分析物センサシステム６０８及びサブシステム６０２を含む。示されるように、サブシステム６０２内で、分析物センサシステム６０８は、ＡＦＥ６１０と、プロセッサ６２０（ＣＧＭデータを処理するために使用することができる）と、無線６２５と、を含むことができる。分析物センサシステム６０８は、図６で示される種々の動作を実行して、表示デバイス（例えば、表示デバイス３１０または医療用デバイス１３６）等の遠隔デバイスに（例えば、無線で）接続することができる。この様態で、分析物データを表示デバイスに伝送し、そこで処理することができる。さらに、分析物センサシステム６０８及び表示デバイスは、分析物センサシステムと表示デバイスとの接続に使用される通信プロトコルを構成することに関連するメッセージングを交換することができる。図６に示される動作は、ＢＬＥプロトコルを参照して本明細書のいくつかの事例において説明することができるが、いずれの事例においても、当業者は、本開示を研究すれば、図６に示され、説明される態様を他の通信プロトコルに適用することができることを認識するであろう。
【０２８６】
動作６１０ａの前に、分析物センサシステム６０８は、ＬＰＭまたは電力消費が低減される関連するモード、例えば「スリープモード」であり得る。動作６１０ａで、ＡＦＥ６１０は、プロセッサ６２０に処理を開始するようにシグナリングする。例えば、ＡＦＥ６１０は、プロセッサ６２０に低電力モードから出るように指示するウェークイベントで、プロセッサ６２０にシグナリングすることができる。上で暗に言及したように、ＡＦＥ６１０は、ウェークソースとして作用することができ、動作６１０ａは、図４で参照されるウェークソース４３５に対応することができる。動作６１０ｂで、ＡＦＥ６１０は、プロセッサ６２０にセンサデータ（例えば、未処理の分析物またはセンサデータ）を渡す。分析物データがグルコースデータに関連する例示的な実現形態において、プロセッサ６２０は、連続グルコースモニタ（ＣＧＭ）プロセッサと称することができる。
【０２８７】
処理を開始するように（例えば、動作６１０ａで）シグナリングされると、プロセッサ６２０は、動作６２０ａで、動作６１０ｂでそこに渡されたセンサデータを処理することができる。例えば、図６で参照されるように、プロセッサ６２０は、センサデータから推定グルコース値（ＥＧＶ）を算出することができる。プロセッサ６２０はまた、センサデータ及び／またはそこから導出された別の値（例えば、ＥＧＶ）を、記憶装置及び／またはデータベース（例えば、図３Ｂで示される、いくつかの事例においてフラッシュメモリである、記憶装置３６５）に記憶することもできる。動作６２０ｂで、プロセッサ６２０は、無線６２５（いくつかの事例では、ＢＬＥ無線とすることができる）に通信を開始するようシグナリングすることができる。動作６２０ｃで、プロセッサ６２０は、次いで、ＬＰＭまたは電力消費が低減される関連するモード、例えば「スリープモード」に入ることができる。動作６２０ｂで送信された、通信を開始する信号に応答して、無線６２５は、動作６２５ａで、表示デバイスにアドバタイズ及び／または接続することができる。アドバタイズメントメッセージング及び関連付けられた接続／切断プロトコルの例は、本明細書でさらに詳細に説明される。
【０２８８】
動作６２５ａでのアドバタイズメント／接続の後、無線６２５は、動作６３０ａで、要求シグナリング（例えば、コマンド要求）を受信することができる。要求シグナリングは、表示デバイスから受信することができ、また、分析物データの伝送の要求とすることができ、ならびに／またはアドバタイズメント及び／もしくはデータ伝送と関連付けられた分析物センサシステム６０８の種々の構成パラメータに関連し得る。シグナリングを受信することに応答して、動作６２５ｂで、無線６２５は、プロセッサ６２０にシグナリングを渡すことができる。これは、インターフェース４４５または５４５（例えば、メッセージ転送層）を使用して行うことができる。換言すれば、無線６２５は、メッセージ転送層を使用してプロセッサ６２０へそのようなシグナリングを渡すように構成することができ、よって、例えば、分析物センサシステム６０８は、シグナリングを送信する表示デバイスに対して、マルチチップシステムであるように見えない。プロセッサ６２０に（動作６２５ｂで）シグナリングを渡した後に、動作６２５ｃで、無線６２５は、電力消費が低減されるＬＰＭまたは関連するモード、例えば「スリープモード」に入ることができる。
【０２８９】
動作６２５ｄで、無線６２５から要求シグナリングを受信した後に（動作６２５ｂ）、プロセッサ６２０は、シグナリングを処理して、応答シグナリング（例えば、コマンド応答）を生成することができる。応答シグナリングは、動作６２０ｅで、無線６２５に渡すことができる。これは、インターフェース４４５または５４５（例えば、メッセージ転送層）を使用して行うことができる。換言すれば、プロセッサ６２０は、メッセージ転送層を使用して無線６２５へそのような信号を渡すように構成することができる。応答シグナリング（動作６２０ｅで送信したもの）を受信すると、無線６２５は、（動作６２５ｃで入った）ＬＰＭまたは関連するモードから出て、表示デバイスに応答シグナリングを送信することができる。簡潔には、一例として、（動作６３０ａで）表示デバイスからの分析物データの要求を受信した後に、分析物センサシステム６０８は、応答シグナリング（動作６２５ｄで）を伝送することができる。
【０２９０】
動作６２０ｆで、プロセッサ６２０は、無線６２５にシグナリングして通信を停止させる。この様態で、応答シグナリング（動作６２５ｄで）を伝送した後、無線６２５は、表示デバイスとの接続を閉じて、動作６２５ｅで、ＬＰＭまたは同類のものに入ることができる。同様に、プロセッサ６２０は、無線６２５にシグナリングして通信を停止させた後に、動作６２０ｇで、ＬＰＭまたは同類のものに入ることができる。分析物センサシステム６０８は、ＡＦＥ６１０がその後に、プロセッサ６２０がシグナリングして上で説明した種々の動作の実現形態を再度開始するまで、ＬＰＭまたは同類のものを維持することができる。
【０２９１】
分析物データを無線通信するための本開示のシステム及び方法の態様の上の説明によって、以下、いくつかの特定の改善が提供される。当業者は、本開示を研究すれば、これらの改善が、上で説明した例示的な構成の特徴及び特徴の組み合わせに対する明示的な参照が行われるかどうかにかかわらず、それらを使用して実施することができることを認識するであろう。
【０２９２】
Ｆ．認証
ネットワーク（無線または他の）を通じた２つのデバイスの接続を対象とするシナリオでは、無許可のデバイスが接続を行うことを防止しようとする際に、認証を使用することができる。例えば、機密データが交換されている場合は、無許可のデバイスまたはエンティティがデータへのアクセスを得ることを防止しようとする際に、認証を使用することができる。これに関して、認証プロトコルを使用して、接続デバイスの識別情報を確立または検証することができる。
【０２９３】
図７Ａは、分析物センサシステム７０８と表示デバイス７１０との間の分析物データの無線通信のための方法７００の実施形態と関連して、ならびに関連するシステム、装置、及びデバイスの実施形態と関連して行うことができる種々の動作を例示する動作フロー図である。いくつかの場合において、方法７００は、（例えば、双方向認証において）表示デバイス７１０及び／または分析物センサシステム７０８を認証することと関連して使用することができ、よって、許可された条件下で分析物データを交換することができる。
【０２９４】
図７Ａで例示されるプロシージャに関連して行われる種々のタスクは、例えば、非一時的コンピュータ可読媒体で具現化された命令を実行するプロセッサによって行うことができる。プロシージャと関連して行われるタスクまたは動作は、分析物センサシステム７０８及び表示デバイス７１０のうちの１つまたは２つ以上等の、コンピューティングデバイスの１つまたは２つ以上に組み込まれたハードウェア、ソフトウェア、ファームウェア、またはそれらの任意の組み合わせによって行うことができる。本開示を研究すれば、プロシージャが、任意の数の追加または代替のタスクまたは動作を含むことができることが認識されるであろう。図７Ａで一例として示される動作は、例示された順序で行う必要はなく、プロシージャは、図７Ａを特に参照して本明細書で詳細に説明されない追加的な機能を有する、より総合的なプロシージャまたはプロセスに組み込むことができる。
【０２９５】
下で説明されるいくつかの実施例において、分析物値は、例示の目的で、（図１Ａ、図２Ａ、及び２Ｂを参照して）分析物センサ１０によって、及び／または（図４を参照して）センサ４０５によって行われる１つまたは２つ以上の測定値に基づくグルコース値である。それでもやはり、本開示を研究すれば、分析物値は、本明細書で説明される任意の他の分析物値とすることができることが理解されるはずである。分析物センサシステム７０８と表示デバイス７１０の１つまたは２つ以上との間の無線データ通信は、「Ｔ間隔」として示される更新間隔によって分離された時間で定期的に生じさせることができ、該更新間隔は、（図３Ｂを参照して）分析物センサシステム７０８のトランシーバ３６０と表示デバイス７１０のトランシーバ３２０との間の２つの連続する無線通信セッション間の持続時間に対応することができる。代替的または追加的に、更新間隔は、最近測定されたグルコース値を取得し、送信する期間とみなすことができる。アドバタイズメント信号またはメッセージの伝送、データ接続（例えば、通信チャネル）の確立し、ならびにデータの要求及び送信は、各々が更新間隔のＴ間隔内で「Ｔ起動」で示される起動時間または期間の間持続する、無線通信セッション中に生じ得る。ここで１つ注意すべきは、Ｔ間隔及び／またはＴ起動がセッション間で変動し得ることである。２つの連続する無線通信セッションの間に、分析物センサシステム７０８（例えば、トランシーバ３６０）の構成要素は、「Ｔ停止」として表される停止期間にわたる停止またはスリープモード等の、ＬＰＭまたは同様なモードに入ることができる。これは、例えば、バッテリ寿命の保護を可能にすること、及び／またはピーク電圧要件を低減させることができる。
【０２９６】
故に、分析物データの通信に使用されるいくつかの認証及び接続スキームにおいて、分析物センサシステム７０８は、表示デバイス７１０に定期的に接続することができる。例えば、通信セッション７２０は、１つのこのような認証及び接続スキームを実施することができる。より具体的には、図７Ａに示されるように、通信セッション７２０は、時間間隔Ｔ間隔中に実施することができる。上で暗に言及したように、Ｔ間隔は、Ｔ起動に対応する起動部分と、Ｔ停止に対応する停止部分と、を含むことができる。全般的に言えば、Ｔ起動中には、分析物センサシステム７０８及び表示デバイス７１０が接続され、（例えば、動作７０５及び／またはそのサブ動作に従って）メッセージングをアクティブに交換しているが、上で説明したように、Ｔ起動中には、システム７０８がＬＰＭまたは同類のものに入る期間が存在し得る。
【０２９７】
接続の観点から、典型的に、分析物センサシステムは、動作７０５で、通信セッション７２０中に１つまたは２つ以上のアドバタイズメントメッセージを伝送することができる。アドバタイズメントメッセージは、表示デバイス７１０が（例えば、トランシーバ３６０を介して）分析物センサシステム７０８とのデータ接続を確立するための招待とみなすことができる。次いで、伝送されたアドバタイズメントメッセージは、（例えば、トランシーバ３２０を介して）表示デバイス７１０において受信することができる。認証の目的で、分析物センサシステムは、表示デバイスと識別番号を共有することができ、識別番号は、分析物センサシステムと関連付けられる。
【０２９８】
図７Ａで一例として例示されるいくつかの実施形態では、例えば、分析物センサシステム８が最近初めてオンにさたものであり、及び／または現在いかなる表示デバイス７１０ともペアリングされていないので、分析物センサシステム７０８が初期のシステム設定に従事しなければならないことが想定される。典型的には、ディスプレイ３４５（例えば、タッチスクリーンディスプレイ）に提示することができるＧＵＩ３４０を使用して、表示デバイス７１０で動作するカスタムアプリケーション（例えば、アプリケーション３３０）を介して、分析物センサシステム７０８と関連付けられた識別情報（例えば、シリアル番号）を入力することによって、表示デバイス７１０のユーザは、分析物センサシステム７０８が新しいのか、または表示デバイス７１０とのペアリングに今まで使用されたことがないのかを確認することができる。
【０２９９】
上で暗に言及したように、通信セッション７２０中に、認証プロシージャは、動作７０５ｂに対応するデータ接続プロセス及び／または動作７０５ｄに対応するデータ伝送プロセスと関連して行う必要があり得る。分析物センサシステム７０８とのデータ接続を確立するために、分析物センサシステム７０８によって伝送されたアドバタイズメントメッセージを受信するまで、表示デバイス７１０は、連続的にリッスンまたはスキャンすることができる。動作７０５ａで、分析物センサシステムがアドバタイズメントメッセージを伝送し始めると、表示デバイス７１０がアドバタイズメントメッセージを受信し、それに応答するために、１つ、２つ、またはそれ以上のアドバタイズメントメッセージを受け取ることができる。いくつかの実施形態において、表示デバイス７１０のうちの１つが、例えば（例えば、動作７０５ｂの一部として）肯定応答を介して、及び／または接続要求を送信することによって、アドバタイズメントメッセージを受信し、それに応答すると、分析物センサシステム７０８は、追加的なアドバタイズメントメッセージの送信を停止する。他の実施形態において、分析物センサシステムは、１つの表示デバイス７１０から応答を受信した後であっても、追加的なアドバタイズメントメッセージの送信を継続することができ、よって、別の表示デバイス７１０が、追加的なアドバタイズメントメッセージの１つを受信し、応答することができる。
【０３００】
故に、動作７０５ｂは、分析物センサシステムが、表示デバイス７１０から接続要求を受信し、要求を許可または拒否することによって、該接続要求に応答することを含むことができる。分析物センサシステム７０８が接続要求を許可した場合は、動作７０５ｂの一部として、肯定応答または他のメッセージを表示デバイス７１０に伝送することができる。次いで、分析物センサシステム７０８と表示デバイス７１０との間のデータ接続を確立することができる。それでもやはり、動作７０５ｃに従って、動作７０５ｄでデータが実際に交換される前に、認証プロシージャを用いることができる。認証は、一方向または双方向ハンドシェイクプロセスに従って、分析物センサシステムと表示デバイスとの間で、チャレンジ及びハッシュ値、ならびにそれらに関連するシグナリングを含む種々のメッセージを交換することを含むことができる。
【０３０１】
例えば、動作７０５ｃの一部として、表示デバイス７１０は、分析物センサシステム７０８からチャレンジ値を要求することができる。この要求に応答して、分析物センサシステム７０８は、表示デバイス７１０にチャレンジ値を送信する。次いで、表示デバイスは、分析物センサシステム７０８から受信したチャレンジ値及び分析物センサシステム７０８と関連付けられた識別情報の両方に基づいて、ハッシュ値を生成することができる。動作７０５ｃのさらに別の一部として、表示デバイスは、次いで、分析物センサシステム７０８にハッシュ値を伝送することができる。表示デバイス７１０は、追加的な情報（例えば、表示デバイスが医療用デバイスであるか、パーソナル電子デバイスであるかといった、例えば、表示デバイス７１０の種類に関連する情報）も伝送することができる。
【０３０２】
分析物センサシステム７０８は、（例えば、トランシーバ３６０を介して）表示デバイス７１０からハッシュ値を受信し、ハッシュ値から識別情報を復号化し、そして、受信した識別情報が、分析物センサシステム７０８の記憶装置３６５に事前（分析物センサシステム７０８の製造／セットアップ中等）に記憶されたものであり得る分析物センサシステム７０８と関連付けられた識別情報にマッチすることを検証する。分析物センサシステム７０８はまた、（例えば、以前に送信したチャレンジ値に基づいて）受信したハッシュ値と分析物センサ７０８が生成したミラーハッシュ値とを比較することによって、表示デバイス７１０から受信したハッシュ値を検証することができる。検証に応じて、分析物センサシステム７０８は、表示デバイス７１０に、認証の成功を確認する信号を送信することができる。認証されると、分析物センサシステム８及び表示デバイス１１０、１２０、１３０、１４０は、情報を交換して、データをどのように交換するのか（例えば、特定の周波数、タイムスロットの割り当て、暗号化、その他）を決定することができる。図１２Ｃはまた、上で説明したハンドシェイクプロセスの態様も例示する。
【０３０３】
上で説明したプロセスは、一方向認証プロシージャとみなすことができる。双方向認証プロシージャ（図７Ａには特に図示しないが、例えば、図１２Ｂを参照されたい）中に、動作７０５ｃの一部として追加的な動作を行うことができる。例えば、表示デバイス７１０から分析物センサシステム７０８に伝送されるハッシュ値に加えて、表示デバイス７１０はまた、分析物センサシステム７０８に新しいチャレンジ値を送信することができる。次いで、分析物センサシステム７０８は、表示デバイス７１０から受信した新しいチャレンジ値を使用して、追加的なハッシュ値を生成し、表示デバイス７１０に追加的なハッシュ値を伝送し戻すことができる。追加的なハッシュ値を受信すると、表示デバイス７１０は、追加的なハッシュ値を検証することができる。例示的な実現形態において、分析物センサシステム７０８から受信した追加的なハッシュ値の検証は、表示デバイス７１０によって、受信した追加的なハッシュ値と（例えば、以前に送信した新しいチャレンジ値に基づいて）表示デバイス７１０が生成したミラーハッシュ値とを比較することによって行うことができる。この様態で、双方向認証を分析物センサシステム７０８と表示デバイス７１０との間で行うことができる。認証に続いて、データが有効な（または、承認された）デバイスによって、及びそこから受信されているという理解の下で、データを交換することができる。数多くの様々な動作７０５ｃ及びそのサブ動作が本開示において企図されることが認識されるであろう。例えば、分析物センサシステム７０８及び表示デバイス７１０は、動作７０５ｃに関する役割を逆にすることができる。すなわち、動作７０５ｃは、分析物センサシステム７０８が表示デバイス７１０からチャレンジ値を要求することによって開始し、したがって、上で説明した動作をトリガーすることができるが、分析物センサシステム７０８と表示デバイス７１０との間で逆の方向である。
【０３０４】
さらに、通信セッション７２０はまた、分析物センサシステム７０８と表示デバイス７１０との間でアプリケーション鍵を交換することも含むことができる。例えば、上で述べた認証プロセスにおいて、分析物センサシステム７０８と関連付けられた識別情報は、分析物センサシステム７０８と表示デバイス７１０との間で伝送されるデータ及び他のシグナリングを暗号化するために、アプリケーション鍵として使用することができる。動作７０５ｃと関連して説明したチャレンジ及びハッシュ値の交換によって、そのようなアプリケーション鍵は、分析物センサシステム７０８と表示デバイス７１０との間で効果的に共有することができる。したがって、本開示の実施形態において、アプリケーション鍵は、認証及び暗号化両方の目的で使用することができる。アプリケーション鍵は、いくつかの事例において、乱数とすることができる。いくつかの場合において、アプリケーション鍵は、（例えば、チャレンジ値、その他として）分析物センサシステム７０８と表示デバイス７１０との間で（暗号化または非暗号化にかかわらず）そのまま交換することができる。他の事例では、実際のアプリケーション鍵が交換されるのではなく、チャレンジ及びハッシュ値を交換することによって、アプリケーション鍵を、分析物センサシステム７０８及び表示デバイス７１０によってそれぞれ導出することができる。このように、例えば、アプリケーション鍵は、例えば分析物センサシステム７０８によって使用して、表示デバイス７１０に伝送する分析物データを暗号化することができ、表示デバイス７１０は、アプリケーション鍵を使用して、受信した分析物データを解読することができる。当然ながら、他の交換情報も同様に暗号化することができる。
【０３０５】
例示的な配置において、アプリケーション鍵は、分析物センサシステム７０８及び／または表示デバイス７１０のソフトウェア／アプリケーションレベルで生成することができる。いくつかのそのような配置では、アプリケーション鍵だけを交換し（すなわち、いかなるハッシュ及びチャレンジも交換しない）、次いで、認証及び暗号化に使用することができる。アプリケーション鍵は、例えば、ランダムに生成された数とすることができる。代替的に、ソフトウェア生成のアプリケーション鍵を、認証及び暗号化の目的で、ハッシュ／チャレンジ値に加えて交換することができる。暗号化は、例えば上で説明したように、種々の実施形態において、認証中に、または認証後に、またはその両方において、並行して行うことができる。
【０３０６】
アプリケーション鍵は、例示的な実施形態において、サーバシステム３３４から取得することができる。いくつかのそのような実施形態において、記憶装置３３４ｂは、分析物センサシステム７０８（例えば、識別番号）及びアプリケーション鍵と関連付けられた識別情報を含むことができる。表示デバイス７１０は、サーバシステム３３４にメッセージを送信することによって、そのような情報を要求することができ、該メッセージは、識別情報の少なくとも一部を含む。一例として、表示デバイス７１０は、サーバシステム３３４に、特定の分析物センサシステム７０８の識別番号を含むアドバタイズメントメッセージを送信することができる（この識別番号は、分析物センサシステム７０８との少なくとも部分的なペアリングを通して受信したものであり得る）。それに応じて、サーバシステム３３４は、表示デバイス７１０に、関連する分析物センサシステム７０８のアプリケーション鍵を提供することができる。アプリケーション鍵を受信した後に、表示デバイス７１０は、この鍵を使用して、分析物センサシステム７０８を認証／通信し、そこから受信した暗号化された情報を解読することができる（さらに、そこに送信される情報を暗号化することもできる）。
【０３０７】
いくつかの事例において、分析物センサシステム７０８は、分析物センサシステム７０８の識別情報に基づいて、特定のアプリケーション鍵を特定の表示デバイス７１０と関連付けるマッピングを（例えば、記憶装置３６５に）を含むことができる。このように、認証は、サーバシステム３３４から表示デバイス７１０によって受信したアプリケーション鍵に基づいて行うことができ、アプリケーション鍵は、分析物センサシステム７０８によって送信した分析物データの暗号化／解読のために使用することができる。このようにして、分析物センサ７０８と所与の表示デバイス７１０との間の通信（暗号化されたデータの共有を含む）に関する許可を管理／確立することができる。
【０３０８】
代替的または追加的に、アプリケーション鍵を交換することは、ＷｉＦｉまたはＮＦＣを使用して、分析物センサシステム７０８と表示デバイス７１０との間で直接行うことができる。アプリケーション鍵を交換することは、外来または未知のデバイスによる傍受を回避するために、隔離した及び／または安全な領域（ユーザの家等の）において、分析物センサシステム７０８と表示デバイス７１０との間でアプリケーション鍵を共有することを含むことができる。加えて、アプリケーション鍵は、次に、さらなるセキュリティのために、追加的な鍵によって暗号化することができる。鍵の特性は、暗号化されるデータの種類、ネットワーク環境、及びユーザ設定、のうちの１つまたは２つ以上に基づくことができる。一例として、アプリケーション鍵を使用して適用される暗号化方法は、高度暗号化規格（ＡＥＳ）１２８に基づくことができる。代替的または追加的に、専用の暗号化方法を使用することができる。そのような暗号化方法は、いくつかの事例では表示デバイス７１０上で動作するアプリケーション（例えば、アプリケーション３３０）上を含む、表示デバイス７１０上で動作することができる。
【０３０９】
用いられる暗号化スキームの複雑さは、所望のセキュリティのレベルに基づくことができる。例えば、異なるレベルの複雑さを、異なる種類のデータに用いることができる。例えば較正データまたは時間同期化データと比較して、より複雑な暗号化スキームを、分析物データ（例えば、推定されたグルコース値）を交換するために用いることができる。アプリケーション鍵の特性はまた、異なるシナリオによって変動させることもできる。一例として、アプリケーション鍵の長さは、所望のセキュリティの量及び／または用いられている暗号化スキームもしくはプロトコルに基づいて選択することができる。暗号化スキームは、いくつかの事例において、ハッシュ値の交換と関連して使用することができるソルトを用いることができ、ソルトは、暗号化し、分析物センサシステム７０８と表示デバイス７１０との間で交換することができる。
【０３１０】
アプリケーション鍵はまた、適宜、トリガーされたイベントに基づいて、ランダムに、及び／または定期的に修正することもできる。これは、例えば、所定の時間量の経過、そのサブシステムの分析物センサシステム７０８、または表示デバイス７１０の再起動、分析物センサシステム７０８に接続しようとする別のデバイス（例えば、ルージュデバイス）に関連するトリガー、及び／またはユーザ入力、に応答して行うことができる。例えば、アプリケーション鍵は、所定の時間量の経過後に期限切れになるように構成することができ、また、その後にリフレッシュまたは新しくすることができる。代替的または追加的に、分析物センサシステム７０８及び／または表示デバイス７１０が再起動した、または遮断を経験した場合、新しいアプリケーション／暗号化キーを生成し、分析物センサシステム７０８と表示デバイス７１０との間で共有することができる。いくつかの事例において、アプリケーション鍵は、鍵ローテーションスキームに従って修正することができる。その上、アプリケーション鍵を修正することができる頻度は、所望のセキュリティレベルに従って変動させることができる（例えば、より頻繁な修正が、増加したセキュリティレベルに対応する）。
【０３１１】
さらに図７Ａを参照すると、動作７０５ｃによる認証プロセスの完了後に、分析物センサシステム７０８及び接続された表示デバイス７１０は、動作７０５ｄで、データ通信に従事し、その間、接続された表示デバイス７１０は、分析物センサシステム７０８から所望の情報（例えば、分析物データ、制御情報、識別情報、及び／または命令）を要求し、受信することができる。動作７０５ｄのデータ通信が完了したときに、動作７１５で、（例えば、確立した通信チャネルを閉じることによって）データ接続を終了することができる。この時点で、分析物センサシステム７０８のトランシーバ３６０及び／またはプロセッサ３８０（または図４を参照して、無線４２５及びプロセッサ４２０）を停止することができる。これは、例えば、トランシーバ３６０及び／またはプロセッサ３８０（その他）をＬＰＭモードまたは同類のもの、例えばスリープもしくは停止モードに入らせることによって行うことができる。いくつかの実施形態において、トランシーバ３６０（または無線４２５）は、スリープモード中に、完全に電力が遮断される。他の実施形態において、トランシーバ３６０は、通常の電流／電力のごくわずかな割合（例えば、１〜１０％）だけを使用する低電力モードである。図７Ａにおいて、一般に動作７１５に対応するこの期間は、Ｔ停止として表される。
【０３１２】
図７Ｂは、例示として、分析物センサシステム７０８と表示デバイス７１０との間で分析物データを無線通信するための方法７０２による、分析物センサシステム７０８と表示デバイス７１０との間の典型的な断続通信スキームの一実施例を提供する。図７Ｂに示されるように、方法７０２は、通信セッション７２０の多数の発生を含む。通信セッション７２０は、Ｔ間隔の時間長さを有して生じる。その後に、本明細書で説明される種々の実施形態において、Ｔ間隔と同じであり得るか、または異なり得る、Ｔ間隔´ の時間長さを有する通信セッション７２０´ が生じる。
【０３１３】
したがって、分析物センサシステム７０８と表示デバイス７１０との間の典型的な断続通信スキームにおいて、上で述べた接続及び認証プロセスは、その後のデータ通信のそれぞれについて（例えば、Ｔ間隔によって表される時間に従って）定期的に繰り返すことができることが認識されるであろう。例えば、プロセスは、任意のデータ（例えば、分析物値）が通信される前に、最高で２０以上のメッセージの交換を含むことができる。さらに、プロセスは、メッセージの交換に失敗した場合、またはパケットをドロップした場合に再起動することができる。これは、分析物センサシステム７０８のバッテリの消耗をもたらす場合がある。
【０３１４】
故に、本開示の態様は、改善された認証スキームを含む。本開示の改善された認証スキームは、分析物センサシステム７０８とそれに接続している表示デバイス７１０との間で交換されるメッセージングの量を低減させ、一方で、分析物センサシステム７０８と表示デバイス７１０との間で通信される分析物及び他のデータに対する十分なセキュリティレベルを維持する。この様態で、分析物センサシステム７０８と表示デバイス７１０との間の通信と関係する複雑さ及びネットワーク負荷を低減させることができ、したがって、そのような通信と関係する全体的な信頼性及び電力消費を改善させることができる。一般に、改善された認証スキームは、分析物センサシステム７０８と表示デバイス７１０との間の認証及び接続に、ならびに実施形態におけるデータの暗号化にアプリケーション鍵を少なくとも使用する、上で述べた（例えば、動作７０５ｃでの）通信セッション７２０の認証プロセスを通してステップを進めることと、次いで、その後の接続及び／または通信セッションの認証プロセスをバイパスすることと、を含む。
【０３１５】
以下、図７Ｃを参照すると、分析物センサシステム７０８と表示デバイス７１０との間で分析物データを無線通信するための方法７０４が、上で暗に言及した、改善された認証スキームの実現形態と関連して例示される。方法７０４は、分析物センサシステム７０８と表示デバイス７１０との間の第１の接続を確立することを含む。これは、通信セッション７２０と関連して生じ得る。このように、第１の接続を確立することは、（例えば、例えば動作７０５ｃで、アプリケーション鍵に関連する情報の交換に基づいて）分析物センサシステム７０８と表示デバイス７１０との間で双方向認証を行うことを含むことができる。
【０３１６】
方法７０４はまた、分析物センサシステムと表示デバイス７１０との間の第２の接続を確立することを含む。図７Ｃに示されるように、実施形態において、これは、通信セッション７２５と関連して生じさせることができる。より具体的には、図７Ｃに示されるように、通信セッション７２５は、Ｔ間隔と同じであり得るか、または異なり得る、時間間隔Ｔ間隔´ 中に実施することができる。Ｔ間隔´ は、Ｔ起動´ に対応する起動部分を含むことができ、停止部分は、Ｔ停止´ に対応する。Ｔ起動´ 中に、通信セッション７２５は、動作７３５及びそのサブ動作を含むことができる。
【０３１７】
ここで、通信セッション７２５において、第２の接続を確立することが、（例えば、動作７０５ｃで）通信セッション７２０に含まれ得る認証プロセスを含む必要がないことに留意されたい。むしろ、動作７３５ａ及び７３５ｂで、アドバタイズメント及び接続を生じさせることができ、この様態で第２の接続を確立した時点で、方法７０４は、動作７３５ｄでのデータ伝送を含む。より具体的には、動作７３５ｄで、分析物センサシステム７０８は、例えば、表示デバイス７１０によって送信されたデータの要求に応答して、表示デバイス７１０に暗号化された分析物値及び他のデータを伝送することができる。暗号化された分析物値は、通信セッション７２０の認証プロセスにおいて、認証に使用されるアプリケーション鍵を使用して暗号化されたものであり得、及び／または暗号鍵の使用を含むことができる。アプリケーション鍵を使用して伝送を暗号化することで、典型的に、通信セッション７２５中に行われている認証プロシージャがない場合であっても、プライバシー／セキュリティを維持することができる。換言すれば、通信セッション７２５において、双方向認証を含む、上で説明した認証プロセスをバイパスすることができる。この様態で、第２の接続を確立する際に交換されるメッセージの数（したがって、電力消費）を低減させることができる。その上、アプリケーション鍵はまた、分析物センサ７０８と表示デバイス７１０との間で交換される暗号化されたデータを解読するためにも使用することができる。例えば、動作７３５ｄ中に、表示デバイス７１０は、分析物センサ７０８から受信した暗号化されたデータ（例えば、暗号化されたグルコースデータを含み得る、暗号化された分析物データ）を解読することができ、逆もまた同じである。
【０３１８】
動作７３５ｄで、データ通信が完了すると、動作７４５で、データ接続を終了することができる。この時点で、分析物センサシステム７０８のトランシーバ３６０及び／またはプロセッサ３８０（または図４を参照して、無線４２５及びプロセッサ４２０）を停止することができる。図７Ｃにおいて、一般に動作７４５に対応するこの期間は、Ｔ停止´ として表される。
【０３１９】
以下、図１２Ａを参照すると、例えば方法７０４、７０６、７１２、７１４、７１６、７１８、７２２、７２４、及び７２６等の、種々の方法の特徴の例示的な実現形態が例示される。１つのそのような例示的な実現形態は、分析物データを無線通信するための方法１２００の態様を含む。図１２Ａに示されるように、動作１２０５Ａで、方法１２００は、第１の間隔中に第１の接続を確立することを含む。例えば、第１の接続は、分析物センサシステム７０８と表示デバイス７１０との間で確立することができる。動作１２０５Ａは、インスタンスにおいて、図７Ａを参照して、動作７０５ａ及び／もしくは７０５ｂ、または同類のものに対応することができる。第１の接続中に、動作１２０５Ｂで、方法１２００は、分析物センサシステム７０８と表示デバイス７１０との間で、認証に関連する情報を交換することを含む。動作１２０５Ｂは、実施例において、動作７０５ｃまたは同類のものに対応することができる。動作１２０５Ｃで、方法１２００は、認証が第１の間隔中に行われたかどうかを判定することを含む。
【０３２０】
以下、図１２Ｂを参照すると、方法１２０２ａは、双方向認証プロシージャの例示的な態様を例示する。さらに、方法１２０２ａは、認証に関連する情報が双方向認証の一部として交換される、動作１２０５Ｂの例示的な実現形態を例示す。動作１２１０Ａで、方法１２０２ａは、分析物センサシステム７０８が、表示デバイス７１０に第１の値を伝送することを含む。第１の値は、例えば、ランダムな、または所定の値とすることができ、また、いくつかの事例において、チャレンジ値と称され得る。動作１２１０Ｂは、表示デバイス７１０が、第１の値及びアプリケーション鍵から第２の値を生成することを含む。例えば、第２の値は、第１の値及びアプリケーション鍵のハッシュとすることができる。動作１２１０Ｃで、表示デバイス７１０は、分析物センサシステム７０８に第２の値及び第３の値を送信する。第３の値は、例えば、ランダムな、または所定の値とすることができ、また、いくつかの事例において、チャレンジ値と称され得る。動作１２１０Ｄで、方法１２０２ａは、分析物センサシステム７０８が、第２の値を検証することを含む。動作１２１０Ｅは、分析物センサシステム７０８が、第３の値を使用して第４の値を生成することを伴う。例えば、第３の値は、アプリケーション鍵でハッシュして、第４の値を生成することができる。動作１２１０Ｆは、検証のために、の表示デバイス７１０に第４の値を伝送することを含む。動作１２１０Ｇで、表示デバイス７１０は、第４の値を検証して、双方向認証を確立または完了する。ここで、方法１２０２ａの動作は、種々のタスクを行う分析物センサシステム７０８及び表示デバイス７１０に関して説明されるが、分析物センサシステム７０８及び表示デバイス７１０の役割は、本開示の範囲から逸脱することなく逆にすることができることに留意されたい。
【０３２１】
以下、図１２Ｃを参照すると、方法１２０２ｂは、一方向認証プロシージャの例示的な態様を例示する。その点で、方法１２０２ｂは、動作１２０５Ｂの例示的な実現形態を例示し、認証に関連する情報が一方向認証の一部として交換される。動作１２１５Ａで、方法１２０２ｂは、分析物センサシステム７０８が、表示デバイス７１０から第１の値を受信することを含む。第１の値は、例えば、ランダムな、または所定の値とすることができ、また、いくつかの事例において、チャレンジ値と称され得る。動作１２１５Ｂは、分析物センサシステム７０８が、第１の値及びアプリケーション鍵から第２の値を生成することを含む。例えば、第２の値は、第１の値及びアプリケーション鍵のハッシュとすることができる。動作１２１５Ｃで、分析物センサシステム７０８は、表示デバイス７１０に第２の値を送信する。動作１２１５Ｄで、方法１２０２ａは、分析物センサシステム７０８が、第２の値を検証して、一方向認証を確立または完了することを含む。ここで、方法１２０２ｂの動作は、種々のタスクを行う分析物センサシステム７０８及び表示デバイス７１０に関して説明されるが、分析物センサシステム７０８及び表示デバイス７１０の役割は、本開示の範囲から逸脱することなく逆にすることができることに留意されたい。
【０３２２】
図１２Ａを再度参照すると、動作１２０５Ｄで、方法１２００は、第２の間隔中に、分析物センサシステム７０８と表示デバイス７１０との間の第２の接続を確立することを含むことができる。動作１２０５Ｄは、図７Ｃを参照して、実施例において、動作７３５ｂまたは同類のものに対応することができる。動作１２０５Ｅで、方法１２００は、第１の接続中に行われた認証に関連する情報を交換することをバイパスすることを含むことができる。動作１２０５Ｆで、方法１２００の実施形態は、アプリケーション鍵を使用して、分析物値を暗号化し、暗号化された分析物値を生成することを含む。動作１２０５Ｈで、方法１２００は、動作１２０５Ｃの判定が、認証が第１の間隔中に行われたことを示す場合に、分析物センサシステム７０８が、表示デバイス７１０に暗号化された分析物値を伝送することを含む。動作１２０５Ｈは、図７Ｃを参照して、動作７３５ｄに対応することができる。動作１２０５Ｊで、方法１２００の実施形態は、アプリケーション鍵を修正することを含む。一例として、動作１２０５Ｊは、所定の時間量の経過、分析物センサシステム７０８または表示デバイス７１０の再起動、センサシステム７０８への接続を試みる別のデバイスに関連するトリガー、及び（例えば、ＧＵＩ３４０を介して受信する）ユーザ入力、のうちの１つまたは２つ以上に応答して行うことができる。
【０３２３】
図７Ｄは、上に論じられる改善された認証スキームの実現形態と関連して、分析物センサシステム７０８と表示デバイス７１０との間で分析物データを無線通信するための方法７０６の例示的な実現形態を例示する。図７Ｄに示されるように、方法７０６は、通信セッション７２０を含む。通信セッション７２０は、Ｔ間隔の時間長さを有して生じる。その後に、本明細書で説明される種々の実施形態において、Ｔ間隔と同じであり得るか、または異なり得る、Ｔ間隔´ の時間長さを有する通信セッション７２５のインスタンスが生じる。次いで、本明細書で説明される種々の実施形態において、Ｔ間隔´ と同じであり得るか、または異なり得る、Ｔ間隔´ ´ の時間長さを有する通信セッション７２５´ のインスタンスが生じる。通信セッション７２５´ は、潜在的に異なるインターバル長を有することを除いて、通信７２５と実質的に類似し得る。
【０３２４】
通信７２５、７２５´ 、その他の１つまたは２つ以上のインスタンスを有する通信セッション７２０に従うことによって、分析物データの通信中に交換されるメッセージの全体的な数（したがって、電力消費）を低減させることができる。しかしながら、ここで、いくつかの事例において、１つまたは２つ以上の接続について通信セッション７２５、７２５´ 、その他を実施した後に、方法７０６が通信セッション７２０に復帰することを含み得ることに気付くであろう。これは、適応的に、またはユーザ入力に基づいて行うことができ、また、セキュリティの目的で、ネットワーク状況またはトリガーされたイベント（例えば、危険なデバイスによる接続の試行）に基づいて行うことができる。換言すれば、上で論じたように、時々通信セッション７２０に復帰して、例えば新しい／修正されたアプリケーション鍵に関する情報を交換することは、セキュリティの強化を可能にすることができる。
【０３２５】
以下、図７Ｅを参照すると、分析物センサシステム７０８と表示デバイス７１０との間で分析物データを無線通信するための方法７１２が、上で暗に言及した、改善された認証スキームの実現形態と関連して例示される。方法７１２は、分析物センサシステム７０８と表示デバイス７１０との間の第１の接続を確立することを含む。これは、Ｔ間隔に対応する通信セッション７２０と関連して生じ得る。このように、第１の接続を確立することは、分析物センサシステム７０８と表示デバイス７１０と間で双方向認証を行うことを含むことができる。
【０３２６】
方法７０４はまた、Ｔ間隔と同じであり得るか、または異なり得る、時間間隔Ｔ間隔中に実施することができる、通信セッション７４０を確立することも含む。Ｔ間隔´ は、Ｔ起動´ に対応する起動部分を含むことができ、停止部分は、Ｔ停止´ に対応する。Ｔ起動´ 中に、通信セッション７４０は、動作７６５及びそのサブ動作を含むことができる。
【０３２７】
ここで、通信セッション７４０が、分析物センサシステム７０８と表示デバイス７１０との間の第２の接続を確立することを含まない場合があることに留意されたい。例えば、通信セッション７４０は、例示されるように、通信セッション７２５と関連して図７Ｃに示される動作７３５ｂのデータ接続態様を含まない。通信セッション７４０はまた、例示されるように、（例えば、動作７０５ｃで）通信セッション７２０に含まれ得る認証プロセスも含まない。むしろ、動作７６５ａで、方法７１２は、表示デバイス７１０に１つまたは２つ以上のアドバタイズメントメッセージを送信することを含む。
【０３２８】
このように、通信セッション７４０の一部として、分析物センサシステム７０８は、（例えば、動作７６５ａ中に）第１のアドバタイズメントメッセージを伝送することができる。第１のアドバタイズメントメッセージは、少なくとも分析物値の第１の部分を含むことができる。分析物値は、伝送の前に（例えば、アプリケーション鍵を用いて）暗号化されている必要がない場合がある。換言すれば、通信セッション７４０に関して、分析物センサシステム７０８は、１つまたは２つ以上のアドバタイズメントメッセージを使用して、典型的にアドバタイズメントメッセージに含まれる他の情報に加えて、暗号化されたもしくは暗号化されていない分析物値もしくは分析物データ、ならびに／または他のシグナリング（例えば、例えばタイミング及び制御情報）を伝送することができる。
【０３２９】
いくつかの事例において、図８を参照してさらに詳細に説明されるように、例えば、アドバタイズメントメッセージは、パケットの形態をとることができる。一例として、分析物値（暗号化されているかどうかにかかわらず）は、アドバタイズメントメッセージパケット内の予約済みフィールドに含むことができる。具体的には、いくつかの事例において、パケット内の製造データまたは他のスロットは、１バイト以上の予約済みフィールドを含むことができる。この予約済みフィールドは、分析物データまたはペイロードの他の形態をアドバタイズメントメッセージに含むことができる方法の１つの例である。上で暗に言及したように、分析物値に加えて、またはその代わりに、アドバタイズメントメッセージはまた、分析物値と関連付けられたタイムスタンプも含むことができる。
【０３３０】
しかしながら、いくつかの例示的な実現形態では、分析物値及び関連付けられたタイムスタンプの両方のアドバタイズメントメッセージ／パケットの空間が不足する場合がある。いくつかのそのような事例において、方法７１２は、これは、（暗号化された）分析物値及び関連付けられたデータを含み得るペイロードを多数の部分に分割することを含むことができる。次いで、第１のアドバタイズメントメッセージは、第２のアドバタイズメントメッセージが分析物値及び／または関連付けられたデータの第２の部分を含むことを示すことができる。第１のアドバタイズメントは、ペイロードの第１の部分にタグ付けすることによってそのように示すことができ、タグは、表示デバイス７１０が、その後のアドバタイズメントメッセージがペイロードの第２の部分を含むことができるアドバタイズメントメッセージを受信することを表す。
【０３３１】
上で述べた、ペイロードの第１の部分にタグ付けすることは、種々の形態をとることができる。例えば、比較的シンプルなタグは、その後のアドバタイズメントメッセージがペイロードの第２の部分を含むことだけを示すことができる。比較的複雑なタグは、ペイロードの第２の部分に含まれるコンテンツの種類、またはアドバタイズメントメッセージの間でペイロードがどのように分割または分散されているのかを追加的に示すことができる。第１の部分は、例えば、暗号化された分析物値を含むことができ、適用されたタグは、その後のアドバタイズメントメッセージが、関連付けられたタイムスタンプを含むことを示すことができる。
【０３３２】
換言すれば、通信セッション７４０に従って、表示デバイス７１０に分析物データを通信する目的で、動作７６５ａ中に、アドバタイズメントメッセージを伝送することができる。アプリケーション鍵を使用してペイロードを暗号化することで、典型的に、通信セッション７４０中に行われている認証プロシージャがない場合であっても、プライバシー／セキュリティを維持することができる。換言すれば、通信セッション７４０において、双方向認証を含む、上で説明した認証プロセスをバイパスすることができる。同様に、ペイロードがアドバタイズメントメッセージに含まれるので、データ接続要求及びデータ伝送プロセス（例えば、それぞれ、動作７３５ｂ及び７３５ｄ）もバイパスまたは回避することができる。この様態で、通信セッション７４０に従って交換されるメッセージの数（したがって、電力消費）を、他の通信セッションと比較して低減させることができる。
【０３３３】
図７Ｅに戻ると、通信セッション７４０はまた、動作７６５ｂで、肯定応答（ＡＣＫ）メッセージを送信することによって、表示デバイス７１０が、動作７６５ａ中に送信されたアドバタイズメントメッセージ（複数可）の確認応答を受信することを含むことができる。いくつかの事例において、この肯定応答は、分析物センサシステム７０８と確認応答する表示デバイス７１０との間のデータ接続プロセスをトリガーすることができる。例えば、分析物センサシステム７０８は、次に、表示デバイス７１０にＡＣＫを送信し、したがって、接続を形成することができる。動作７６５ｂと関連して確立されたデータ接続プロセスは、例示的な配置において、アプリケーション及び／もしくは暗号化キー（複数可）を新しくするために、ならびに／または較正データ、タイミング情報、及び同類のもの等の他のデータを交換するために使用することができる。動作７６５で通信が完了すると、データ伝送は、動作７７５で、終了することができる。この時点で、分析物センサシステム７０８のトランシーバ３６０及び／またはプロセッサ３８０（または図４を参照して、無線４２５及びプロセッサ４２０）を停止することができる。図７Ｅにおいて、一般に動作７７５に対応するこの期間は、Ｔ停止´ として表される。
【０３３４】
さらに図１２Ａを参照すると、方法１２００の実施形態は、動作１２０５Ｇで、暗号化された分析物値を伝送するために使用するアドバタイズメントメッセージの数を決定することを含む。例えば、動作１２０５Ｇは、図７Ｅを参照して、方法７１２と関連して使用することができる。上で述べたように、方法１２００の動作１２０５Ｈは、動作１２０５Ｃの判定が、認証が第１の間隔中に行われたことを示す場合に、分析物センサシステム７０８が、（例えば、アドバタイズメントメッセージの一部として）表示デバイス７１０に暗号化された分析物値を伝送することを含む。動作１２０５Ｈは、図７Ｅを参照して、動作７６５ａに対応することができる。しかしながら、いくつかの事例において、伝送は、認証が以前に行われた旨の指示を条件にしない。
【０３３５】
図７Ｆは、上に論じられる改善された認証スキームの実現形態と関連して、分析物センサシステム７０８と表示デバイス７１０との間で分析物データを無線通信するための方法７１４の例示的な実現形態を例示する。図７Ｆに示されるように、方法７１４は、通信セッション７２０を含む。通信セッション７２０は、Ｔ間隔の時間長さを有して生じる。その後に、本明細書で説明される種々の実施形態において、Ｔ間隔と同じであり得るか、または異なり得る、Ｔ間隔´ の時間長さを有する通信セッション７４０のインスタンスが生じる。次いで、本明細書で説明される種々の実施形態において、Ｔ間隔´ と同じであり得るか、または異なり得る、Ｔ間隔´ ´ の時間長さを有する通信セッション７４０´ のインスタンスが生じる。通信セッション７２５´ は、潜在的に異なるインターバル長を有することを除いて、通信７２５と実質的に類似し得る。
【０３３６】
通信セッション７４０、７４０´ 、その他の１つまたは２つ以上のインスタンスを有する通信セッション７２０に従うことによって、分析物データの通信中に交換されるメッセージの全体的な数（したがって、電力消費）を低減させることができる。しかしながら、ここで、いくつかの事例において、１つまたは２つ以上の接続について通信セッション７４０、７４０´ 、その他を実施した後に、方法７１４が通信セッション７２０に復帰することを含み得ることに留意されたい。これは、適応的に、またはユーザ入力に基づいて行うことができ、また、セキュリティの目的で、ネットワーク状況またはトリガーされたイベント（例えば、危険なデバイスによる接続の試行）に基づいて行うことができる。換言すれば、時々通信セッション７２０に復帰することは、セキュリティの強化を可能にすることができる。
【０３３７】
図７Ｇは、上に論じられる改善された認証スキームの実現形態と関連して、分析物センサシステム７０８と表示デバイス７１０との間で分析物データを無線通信するための方法７１６の例示的な実現形態を例示する。図７Ｇに示されるように、方法７１６は、通信セッション７６０を含む。方法７１６の例示的な配置において、通信セッション７６０は、第１の無線プロトコルを使用して、分析物センサシステム７０８と表示デバイス７１０との間の潜在的な通信に関連する、ペアリング、アプリケーション鍵、及びタイミングパラメータに関連する情報の交換を含む。しかし、そのような交換は、特定の種類の無線プロトコルを使用して合理化することができる。一例として、第１の無線プロトコルは、ＷｉＦｉまたは近距離無線通信（ＮＦＣ）とすることができる。他の例において、第１の無線プロトコルは、ＲＦＩＤ、別の近接度に基づく無線接続、または同類のものを利用することができる。
【０３３８】
この様態においては、（例えば、図７Ａを参照して、動作７０５ｃに従って）ＢＬＥを使用して生じ得るような認証を、多数のメッセージの典型的に関連付けられた交換とともに、迂回することができる。例示として、ＮＦＣは、分析物センサシステム７０８と表示デバイス７１０との間で使用して、ペアリング、暗号化情報（例えば、アプリケーション鍵情報及び／またはスキーム）、アドバタイジングパラメータ（例えば、頻度／期間、持続時間、タイミング、及び／またはアドバタイズメントの性質を含む）、接続間隔情報、及び表示デバイス７１０に関連する情報（例えば、表示デバイスの種類、選好、その他）等の情報を交換することができる。次いで、交換した情報を、表示デバイス７１０によって使用して、分析物センサシステム７０８によって伝送された分析物値を受信し、解読する（適用可能な場合）ことができる。この様式で、ＮＦＣを使用して、認証関連の情報を交換することで、分析物センサシステム７０８のバッテリ寿命を延ばすことができ、また、分析物センサシステム７０８と表示デバイス７１０との間の通信の信頼性を高めることができる。
【０３３９】
図７Ｇに示されるように、通信セッション７６０を使用して、情報を交換した後に、Ｔ間隔の時間長さを有する通信セッション７４０が生じる。いくつかの配置において、例えば接続を確立し、分析物値を伝送することを含む、通信セッション７４０は、通信セッション７６０と関連して使用される第１の無線プロトコルとは異なる、第２の無線プロトコルを使用して実行することができる。第２の無線プロトコルは、例えば、Ｂｌｕｅｔｏｏｔｈ(登録商標)低エネルギー（ＢＬＥ）とすることができる。本明細書で説明される種々の実施形態において、Ｔ間隔と同じであり得るか、または異なり得る、Ｔ間隔´ の時間長さを有する通信セッション７４０が生じる。次いで、本明細書で説明される種々の実施形態において、Ｔ間隔と同じであり得るか、または異なり得る、Ｔ間隔´ ´ の時間長さを有する通信セッション７４０´ のインスタンスが生じ得る。
【０３４０】
以下、図１２Ｄを参照すると、方法７０４、７０６、７１２、７１４、７１６、７１８、７２２、７２４、及び７２６等の種々の方法の特徴の例示的な実現形態が例示される。１つのそのような例示的な実現形態は、分析物データを無線通信するための方法１２０４の態様を含む。図１２Ｄに示されるように、動作１２２０Ａで、方法１２０４は、第１の無線プロトコルを使用して、認証情報に関連する情報の交換を行うことを含む。情報の交換は、第１の間隔中に、分析物センサシステム７０８と表示デバイス７１０との間で行うことができる。動作１２２０Ａは、図７Ａ、図１２Ａ、１２Ｂ、及び１２Ｃに関連して上で説明したような、一方向または双方向認証を含まない場合がある。むしろ、上で述べたように、例えば、（例えば、図７Ａを参照して、動作７０５ｃに従って）ＢＬＥを使用して生じ得るような認証を迂回することができる。例示として、方法１２０４の実施形態は、表示デバイス７１０が、サーバ（例えば、サーバシステム３３４）から認証に関連するアプリケーション鍵及び／または他の情報を受信することを含む。動作１２２０Ｃで、方法１２０４は、動作１２２０Ａで交換された認証に関連する情報を使用して、分析物値を暗号化して、暗号化された分析物値を生成することを含む。動作１２２０Ｄで、方法１２０４は、（例えば、動作７０５ｃと関連して上で説明したように）認証に関連する情報の交換をバイパスすることを含む。動作１２２０Ｅで、方法１２０４は、第２の無線プロトコルを使用して、表示デバイス７１０に暗号化された分析物値を伝送することを含む。
【０３４１】
図７Ｇをさらに参照すると、通信セッション７４０、７４０´ 、その他の１つまたは２つ以上のインスタンスの前に通信セッション７６０を使用することに従うことによって、特に上で説明した認証プロセス、及びペアリング情報の交換、及び同類のものをペアリングすることの交換に関して、分析物データを通信するために交換される全体的なメッセージの数（したがって、電力消費）を低減させることができる。しかしながら、ここで、いくつかの事例において、１つまたは２つ以上の接続について通信セッション７４０、７４０´ 、その他を実施した後に、方法７１６が通信セッション７６０に復帰することを含み得ることに留意されたい。これは、適応的に、またはユーザ入力に基づいて行うことができ、また、セキュリティの目的で、ネットワーク状況またはトリガーされたイベント（例えば、危険なデバイスによる接続の試行）に基づいて行うことができる。換言すれば、時々通信セッション７６０に復帰することは、セキュリティの強化を可能にすることができる。
【０３４２】
図７Ｈは、上に論じられる改善された認証スキームの実現形態と関連して、分析物センサシステム７０８と表示デバイス７１０との間で分析物データを無線通信するための方法７１８の例示的な実現形態を例示する。いくつかの点において、方法７１８は、方法７１６に実質的に類似する。１つの違いは、通信セッション７６０を実施した後に、方法７１８が、通信セッション７４０ではなく、通信セッション７２５を実施することを含むことである。その後に、これは、本明細書で説明される種々の実施形態において、Ｔ間隔と同じであり得るか、または異なり得る、Ｔ間隔´ ´ の時間長さを有する通信セッション７２５´ のインスタンスが生じ得る。しかしながら、上で説明した種々の通信セッション（例えば、７２０、７２５、７４０、７６０）は、上で説明した方法に従って混合し、マッチさせることができることが認識されるであろう。
【０３４３】
Ｇ．接続モデル
本開示の態様はまた、分析物センサシステム７０８と表示デバイス７１０との間で通信するための種々の被接続モデルモデルも含む。通信の１つの接続モデルは、接続／切断または断続的／定期的な接続モデルと称することができる。接続／切断スキームによれば、分析物センサシステム７０８と表示デバイス７１０との間の通信は、事実上定期的または断続的とすることができ、その後に、定義された、またはイベントに基づく／非同期スケジュールが続く。例えば、表示デバイス７１０は、分析物センサシステム７０８との接続を定期的に（例えば、５分に１回）確立して、分析物センサシステム７０８から分析物及び他のデータを受信すること、ならびに／またはデータを伝送することができる。
【０３４４】
しかしながら、表示デバイス７１０が分析物センサシステム７０８への接続に成功した場合であっても、分析物センサシステム７０８が、転送する準備のできたデータを有しない場合がある。そのような一事例においては、表示デバイス７１０によるデータの連続した受信の間の時間が長くなる場合がある。本開示は、分析物センサシステム７０８の分析物データの集合体とそれに接続している表示デバイス７１０へのそのようなデータの伝送との間の待ち時間を短くすることができ、一方で、分析物センサシステムについて十分に低い電力消費を維持する、接続モデルを追加的に含む。そのような被接続モデルの１つの例は、被接続モデルまたは常時接続モデルと称することができる。高レベルにおいて、被接続モデルは、分析物センサシステム７０８と表示デバイス７１０との間の最初のペアリングを含むことができ、その後に、分析物センサシステム７０８及び表示デバイス７１０は、接続が維持され、本質的に接続を閉じたり、接続解除したりしない。すなわち、接続及びデータの交換は、（例えば、図７Ａ〜７Ｂを参照して論じたような）接続／切断スキームと同様に、定期的または断続的に行われないが、代わりに、接続デバイスは、メッセージングを定期的に交換して、接続を維持する。データが（例えば、センサ４０５によって収集され、及び／またはプロセッサ４２０によって処理されて）分析物センサシステム７０８で利用できようになると、ほぼリアルタイムで表示デバイス７１０にデータを伝送することができる。この様態で、分析物データに関連する通信の全体的な精度及び応答を高める。被接続モデルと関連付けられた追加的な利点は、分析物センサシステム７０８が、分析物センサシステム７０８と接続しようとしている望ましくないデバイス（例えば、いくつかの事例において、望ましくない表示デバイス７１０）によって引き起こされる干渉をより良好に緩和することを可能にできることである。
【０３４５】
これに関して、図７Ｊは、上で暗に言及した被接続モデルの実現形態と関連して例示される、分析物センサシステム７０８と表示デバイス７１０との間で分析物データを無線通信するための方法７２２の例示的な実現形態を例示する。方法７２２は、分析物センサシステム７０８と表示デバイス７１０との間の第１の接続を確立することを含む。これは、例えば、通信セッション７２０または７６０を使用して、Ｔ間隔中に行うことができる。したがって、分析物センサシステム７０８は、表示デバイス７１０に接続することができ、よって、例えば、アプリケーション鍵情報、タイミング情報、ペアリング情報、その他の認証及び交換を生じさせることができる。
【０３４６】
その後に、通信セッション７８０は、方法７２２と関連して開始することができる。より具体的には、図７Ｊに示されるように、通信セッション７８０は、動作７９５及びそのサブ動作を含むことができる。動作７９５ａで、分析物センサシステム７０８は、表示デバイス７１０とメッセージングを定期的に交換して、該表示デバイスとの接続を維持する。例えば、そのようなメッセージは、分析物センサシステム７０８へ／から伝送し、単純に、伝送デバイスが依然として受信デバイスに接続されていることを示すことができる（例えば、「ピング」）。これは、所定の期間（例えば、２秒または任意の時間量に１回）に従って、定期的に行うことができる。この期間は、いくつかの事例において、ネットワークパラメータまたは条件、分析物センサシステム７０８に接続された表示デバイス７１０の種類または特性、データが分析物センサシステム７０８によって伝送または生成／収集されている頻度、及びその他、等の基準に従って変動させることができる。
【０３４７】
メッセージングの定期的な交換を通して、分析物センサシステム７０８と表示デバイス７１０との間の接続を維持することができ、したがって、収集された分析物データをほぼリアルタイムで交換することを可能にする。これに関して、方法７２２は、動作７９５ｃで、分析物データを伝送に利用することが可能になった時点で、分析物センサシステム７０８が表示デバイス７１０に分析物データを伝送することを含む。実施形態において、分析物データを伝送に利用することが可能になった時点で、メッセージングを定期的に交換すること（動作７９５ａ）、及び表示デバイス７１０に分析物データを伝送すること（動作７９５ｃ）を組み合わせることが、表示デバイス７１０に関連する使用選好の指示に応答して行われる。この使用選好は、動作７９５ｂで、分析物センサシステム７０８へ／から通信することができる。例えば、１つの状況において、表示デバイス７１０のユーザは、被接続モデルが接続／切断モデルよりも好ましいことを示すことができ、逆もまた同じである。例示的な実現形態において、動作７９５ｃは、例えば図７Ｅの動作７６５ａと関連して上で説明したように、分析物データを含むアドバタイズメントメッセージを伝送することを含む。これらの及び他の事項において、方法７２２は、動作７９５ｂで、分析物センサシステム７０８と表示デバイス７１０との間の接続を修正することを含むことができる。
【０３４８】
例えば、ユーザが第１の表示デバイス７１０（例えば、スマートフォン）を好み、よって、例えばそれが、分析物データを獲得するためにユーザが使用することになる唯一の表示デバイス７１０である場合、分析物センサシステム７０８は、好ましい表示デバイス７１０に接続した後に、通信セッション７８０に従って接続モードで動作することができる。ユーザの選好は、ユーザによって手動で示すことができ、または例えば本明細書で詳細に説明されるように、第１の表示デバイス７１０ならびに他のデバイスの使用に関連するデータから導出することができる。ユーザの選好を導出することは、例えば、日時、場所、無線リンク状態、パケット損失率、及びネットワークパラメータに関連するデータに基づいて行うことができる。いくつかの実施形態では、優先順位付けスキームを、多数の表示デバイス７１０に関して構成することができる。特定の表示デバイス７１０について優先順位スキームを実施するために、通信セッション７８０をその特定の表示デバイス７１０に使用することができる。いくつかの事例において、例えば、パケット損失が閾値を超えて増加した場合は、パケット損失を減少させるために、被接続モデルを使用することができる。いくつかの事例において、被接続モデルまたは接続／切断モデルは、デフォルトモードとしての役割を果たすことができ、対応する通信セッション（例えば、７２０、７２５、７４０、７８０）を用いることができる。デフォルトモードは、例えば、ユーザ入力に従って、または上で説明した種々のパラメータに適応的に基づいて選択可能とすることができる。
【０３４９】
例示のために、分析物センサシステム７０８及び第１の表示デバイス７１０は、上で説明したように接続／切断モデルを使用して分析物データを通信することができる。このシナリオにおいて、第１の表示デバイス７１０は、例えば、ユーザのスマートフォンとすることができる。分析物センサシステム７０８はまた、接続／切断モデルに従って、第２の表示デバイス７１０と分析物データを通信することもでき、該第２のデバイスは、例えば、医療用デバイス（例えば、インスリンポンプ、医療用デバイス１３６、または同類のもの）、または専用の表示デバイス（例えば、図１Ａを参照して、表示デバイス１１０等の特に分析物データを通信するために設計されたデバイス）とすることができる。次いで、ユーザは、例えばＧＵＩ７４０を介して、ユーザがスマートフォンだけを使用し、医療用デバイスを使用しない旨の指示を提供することができる。上で述べたように、これは、分析物データの通信に関連し得るアプリケーション３３０等のアプリケーションと関連してスマートフォンに提供されるＧＵＩ３４０を介して行うことができる。例えば、図３Ｅを参照して、ユーザは、オプション３１６ｅのうちの１つを選択して、表示デバイス７１０が好ましい、または好ましくないこと、及び分析物データの伝送専用とするべきである、またはするべきでないことを示すことができる。
【０３５０】
次いで、スマートフォン（または、他の種類の表示デバイス７１０）は、この実施例において、分析物センサシステム７０８にユーザの指示を伝送することができ、該指示を受信した時点で、通信セッション７８０に従って、被接続モデルの下で動作を開始することができる。図７Ｊを参照すると、ユーザの指示は、動作７９５ｂで、リクエストメッセージの形態で、表示デバイス７１０から分析物センサシステム７０８に伝送することができる。他の表示デバイス７１０（例えば、医療用デバイス１３６等の医療用デバイスを含む）は、分析物センサシステム７０８をリッスンする（すなわち、そこからメッセージを受信する）ことができるが、好ましい表示デバイス７１０−この実施例ではスマートフォン−だけが、被接続モデルの下で動作し、そのため、ほぼリアルタイムで分析物データを交換している。
【０３５１】
動作７９５ｂはまた、分析物センサシステム７０８に、動作７９５ａ中に交換された１つまたは２つ以上のメッセージが受信されたことを示すＡＣＫメッセージを送信するために使用することもできる。同様に、そのようなメッセージを予想したが受信しなかった場合、表示デバイス７１０は、動作７９５ｂと関連して否定のＡＣＫ（または、ＮＡＣＫ）を送信することができる。さらに動作７９５ｂに関して、要求、またはユーザ指示、その他は、分析物センサシステム７０８によってＡＣＫまたはＮＡＣＫすることができる。代替的または追加的に、分析物センサシステムは、動作７９５ｂに従って、要求（例えば、対案の申出）によって、表示デバイス７１０からの要求に応答することができる。
【０３５２】
一例として、他の使用選好の状況と関連して、動作７９５ａは、表示デバイス７１０が、動作７９５ａ中に生じ得るメッセージングの交換の期間またはそれに関する他の態様を修正するための要求を送信することを含むことができる。いくつかのシナリオにおいて、表示デバイス７１０は、メッセージングの交換の期間及び／またはその期間の範囲の増加／減少を要求することができる。次いで、分析物センサシステム７０８は、ＡＣＫ／ＮＡＣＫ応答を介して、この要求を拒否または受諾することができる。代替的または追加的に、分析物センサシステム７０８は、例えば、動作７９５ａにおけるメッセージングの交換について、要求された期間の範囲内の異なる期間及び／またはサブセットを使用することを含む、対案の提案に応答することができる。
【０３５３】
分析物データを伝送に利用することが可能になった時点で、メッセージングを定期的に交換すること、及び表示デバイスに分析物データを伝送することを組み合わせることが、通信セッション７８０に従って、適応的に行われる。例えば、日時に応じて、一部のユーザ及び／または表示デバイス７１０について、（例えば、本明細書で説明される通信セッションの別の形態と対照的に）通信セッション７８０に従って、被接続モデルの下で動作させることに利点があり得る。特定のユーザは、特定の日時中に、より激しいグルコース変動を経験する場合がある。グルコース変動は、例えば、特定の時間により急速に、及び／または程度が大きくなり得る。いくつかの場合において、例えば、分析物値は、必ずしもほぼリアルタイム様式で交換されるとは限らないので、そのような変動は、通信セッション７２０、７２５、及び／または７４０に従って、接続／切断モデルの下で動作する分析物センサシステム７０８によって理想的に対処されない場合がある。したがって、グルコース変動が典型的に激しい時間中に、分析物センサシステム７０８及び／または表示デバイス７１０は、通信セッション７８０に従って被接続モデルの下で動作を開始することができる。図７Ｃ及び７Ｊを参照して、一例として、これは、動作７３５と関連して動作７９５ｂを実施することによって行うことができる。この様態で、使用される接続モデルは、適応的にトグルする／切り換えることができる。
【０３５４】
別の例において、ネットワークパラメータ、ネットワーク状況、無線リンクの質、分析物センサシステム７０８に接続しようとしている、もしくはそれと通信している表示デバイス７１０の数、及び／または優先順位付けスキーム（例えば、ユーザまたは別の方法によって決定される）は、適応性に基づいて、被接続モデルの下で動作する（通信セッション７８０）ための基礎としての役割を果たすことができる。ネットワークのパラメータまたは条件に関する、及び／または無線リンクの質に関する低下は、パケット損失をもたらす場合がある。そのようなパケット損失は、上で暗に言及したように、典型的に被接続モデルほど頻繁にデータが交換されないので、接続／切断モデルの下での分析物データの交換にとってより重要であり得る。故に、ネットワークのパラメータもしくは条件及び／または無線リンクの質の悪化を緩和するために、そのような低下が検出されたときに、分析物センサシステム７０８及び表示デバイス７１０は、通信セッション７８０に従って（例えば、動作７９５ｂを介して）、被接続モデルの下で動作を開始することができる。上で述べたように、表示デバイス７１０は、ネットワークパラメータ、ネットワーク状況、及び／または無線リンクの質を監視することができる。次いで、これらの測定は、閾値と比較することができ、よって、閾値を超えることに応答して、（例えば、種々の通信セッションの間の）動作モードの切り換えを適応的に行うことができる。
【０３５５】
分析物センサシステム７０８に接続しようとしている、またはそれらと通信しているデバイスの数に関して、動作モード／接続モデルの適応は、以下のように説明することができる。多数の表示デバイス７１０が分析物センサシステム７０８からの範囲内に存在する場合があり、また、そこに接続しようとすることが干渉をもたらす場合があり、そのため、パケット損失及び／または電力消費を増加させる場合がある。そのようなパケット損失及び電力消費の増加を回避するために、多数の表示デバイス７１０が接続しようとしていても、分析物センサシステム７０８は、好ましい表示デバイス７１０との、被接続モデルの下での動作を開始することができる。
【０３５６】
これは、分析物センサシステム７０８が、そこに接続しようとする表示デバイス７１０のデバイスの数のカウントを維持し、カウントが閾値を超えた場合に、被接続モデルの下での動作に入るように、好ましい表示デバイス７１０にシグナリングすることによって行うことができる。そのようなシグナリングは、例えば、動作７９５ｂに類似して実施することができるが、上で暗に言及したように、（図７Ｃを参照して）動作７３５の一部として使用することができ、または、例えば、動作７６５ａの一部としてアドバタイズメントメッセージに含むことができ、または動作７６５ｂ（図７Ｅを参照して）の一部としてＡＣＫメッセージに含むことができる。代替的または追加的に、パケット損失は、（例えば、表示デバイス７１０及び／または分析物センサシステム７０８において）監視することができる。さらに、そのようなパケット損失源は、例えば表示デバイス７１０及び／または分析物センサシステムにおいて、決定または近似することができる。パケット損失源が、（例えば、多数の表示デバイス７１０が、分析物センサシステム７０８への接続を試みることに起因する）干渉であると決定された場合、被接続モデルの下での動作を開始することができる。
【０３５７】
ここで、好ましい表示デバイス７１０もまた、同時またはほぼ同時に決定することができ、オンザフライで決定することができ、また、ユーザの介入を伴わずに決定することができる。例えば、好ましい表示デバイス７１０は、使用頻度、以前に決定された優先順位付けスキーム、接続もしくは無線リンクの質（例えば、信号電力、チャネル損失、ビットエラー率、ＲＴＴ、ＲＳＳＩ、その他に基づく）、日時、その他に基づいて決定することができる。代替的または追加的に、ユーザは、好ましい表示デバイス７１０に関して、例えば表示デバイス７１０で動作するアプリケーション３３０の一部として、ＧＵＩ７４０を介してクエリを行うことができる。
【０３５８】
通信セッション７８０に従って確立され、維持される接続を終了することに関して、複数の技法を用いることができる。上で述べたように、動作７９５ａは、期間に従うメッセージングの交換を含むことができる。そのようなメッセージは、「ピング」メッセージとみなすことができる。
【０３５９】
そのようなメッセージングの順次交換は、第１のメッセージ、ならびに第１のメッセージ、その他に関して、第３、第４、及び第５のメッセージ、その他に関して、逐次的に伝送される第２のメッセージを含むことができる。第１のそのようなメッセージは、シーケンスにおいて次のメッセージがいつ表示デバイス７１０に伝送されるのかを示すメッセージング間隔を含むように構成することができ、または換言すれば、第１及び第２のメッセージの順次交換の間の、スケジュールされた時間量を含むことができる。
【０３６０】
このメッセージング間隔は、動作７９５ａで交換されるメッセージの間で変動させることができる。表示デバイス７１０が、予期されるメッセージング間隔内に第２のメッセージを受け取らない場合、表示デバイス７１０と分析物センサシステム７０８との間の接続を終了することができる。別の場合では、提案されたメッセージング時間間隔が、例えば動作７９５ｂで、否定応答されるか、または別様に拒絶された場合に、接続を終了することができる。すなわち、分析物センサシステム７０８及び表示デバイス７１０が、メッセージング間隔時に同意しない場合、接続を閉じることができる。ＡＣＫ／ＮＡＣＫはまた、例えば動作７９５で、各ピングメッセージ（例えば、多重化されたＡＣＫ／ＮＡＣＫ）に従って、または所定の、もしくは適応的に変動させた数のそのようなメッセージ（例えば、付属のＡＣＫ／ＮＡＣＫ）に従って、送信することができる。したがって、動作７９５ｂの態様は、動作７９５ａでのメッセージングの交換と織り交ぜることができる。
【０３６１】
実施形態において、動作７９５ａで交換されるメッセージは、タイムアウト値を含むことができる。監視タイムアウト及び関連する技法もまた、メッセージングの交換期間に関して用いることができる。例えば、タイムアウト値の終了時に、第２のメッセージを受信しなかった場合、方法７２２は、接続を終了することを含むことができる。接続を終了したときに、通信セッション７８０を終了することができる。この時点で、分析物センサシステム７０８のトランシーバ３６０及び／またはプロセッサ３８０（または図４を参照して、無線４２５及びプロセッサ４２０）を停止することができる。図７Ｃにおいて、一般に動作７４５に対応するこの期間は、Ｔ停止´ として表される。
【０３６２】
さらに通信セッション７８０に関して、現時点で、通信セッション７８０に示される種々の伝送は、必ずしも示される方向またはシーケンスに限定されとは限らないことに留意されたい。例えば、動作７９５ａは、代替的または追加的に、例えば接続を維持するために使用することができるピングまたは他のメッセージ、ならびにＡＣＫ／ＮＡＣＫ／要求メッセージを含む、表示デバイス７１０から分析物センサシステムに送信されるメッセージングを含むことができる。
【０３６３】
さらに接続モデルに関して、実施形態において、本開示の異なる接続モデルを、異なる接続デバイスに使用することができる。図３Ｃを参照すると、例えば、通信セッション７８０は、表示デバイス３１０ａ及び３１０ｂの間で用いることができ、また同時に、異なる通信セッション（例えば、７２０、７２５、７４０、その他）を、一方では表示デバイス３１０ａ及び／または３１０ｂの間で、他方では分析物センサシステム７０８に用いることができる。実施形態において、表示デバイス３１０ａ及び３１０ｂのうちの１つは、分析物センサシステム７０８に接続されていない場合があるが、それでもやはり、分析物センサシステム７０８に接続される別の表示デバイス３１０ｂまたは３１０ａを介して、分析物データを受信することができる。いくつかの事例において、これは、テザリングと称することができる。そのような構成は、例えば、図３Ｄ及び３Ｅを参照して、ＧＵＩ３４０によって提示されるサブメニュー３１４ａを使用して実施することができる。
【０３６４】
以下、図１３Ａを参照すると、方法７０４、７０６、７１２、７１４、７１６、７１８、７２２、７２４、及び７２６等の種々の方法の特徴の例示的な実現形態が例示される。１つのそのような例示的な実現形態は、分析物データを無線通信するための方法１３００の態様を含む。図１３Ａに示されるように、動作１３０５Ａで、方法１３００は、第１の間隔の間に第１の接続を確立することを含む。例えば、第１の接続は、分析物センサシステム７０８と表示デバイス７１０との間で確立することができる。第１の接続は、分析物センサシステム７０８と表示デバイス７１０の間でペアリング情報を交換するために確立することができる。いくつかの事例において、方法１３００は、動作１３０５Ｂで、例えば図１２Ｂと関連して上で説明した様式で、双方向認証を行うことを含む。動作１３０５Ｃは、分析物センサシステム７０８と表示デバイス７１０の間でメッセージを定期的に交換することによって、第１の接続を維持することを含む。動作１３０５Ｃは、図７Ｊを参照して、実施例において、動作７９５ａまたは同類のものに対応することができる。動作１３０５Ｄで、分析物センサシステム７０８及び表示デバイス７１０の接続が維持されている間、方法１３００は、分析物データを伝送に利用することが可能になった時点で、分析物センサシステム７０８が、表示デバイス７１０に分析物データを伝送することを含む。動作１３０５Ｄは、実施例において、動作７９５ｃまたは同類のものに対応することができる。
【０３６５】
実施形態において、方法１３００は、動作１３０５Ｅで、メッセージ間隔の修正に関する要求を送信することを含む。要求は、分析物センサシステム７０８から表示デバイス７１０に、またはその逆に送信することができる。動作１３０５Ｆは、メッセージ間隔の修正に関する要求の受諾または否認を受信することを含む。要求は、送信エンティティに応じて、分析物センサシステム７０８または表示デバイス７１０によって受信することができる。動作１３０５Ｇで、要求が受諾された場合、方法１３００は、要求が受諾された場合にメッセージ間隔を修正することを含むことができる。動作１３０５Ｈで、方法１３００は、第１の接続を終了すること、及び／または分析物センサシステム７０８が表示デバイス７１０と定期的にメッセージを交換することを終了することを含むことができ、よって、分析物センサシステム７０８及び表示デバイス７１０は、要求が拒否されたことに応答して、接続を維持しない。動作１３０５Ｊで、方法１３００は、タイムアウトを超えた場合に、第１の接続を終了すること、及び／または分析物センサシステム７０８が表示デバイス７１０と定期的にメッセージを交換することを終了することを含むことができる。
【０３６６】
図１３Ａをさらに参照すると、方法１３００は、動作１３０５Ｋで、第２の接続を確立することを含むことができ、第２の接続は、表示デバイス７１０と別の表示デバイス７１０との間にあり、よって、表示デバイス７１０は、接続を維持する。例えば、表示デバイス３１０ａ及び３１０ｂは、図３Ｃに示されるように接続することができる。２つの表示デバイス７１０が互いに接続されている間、動作１３０５Ｌで、分析物センサシステム７０８から、第１の表示デバイス７１０（動作１３０５Ａで、分析物センサシステム７０８と第１の接続を確立し、したがって、分析物データを受信している場合がある）及び第２の表示デバイス７１０を通して、表示情報を中継（または伝送）することができる。この様態で、第２の表示デバイス７１０は、分析物センサシステム７０８に効果的にテザリングすることができる。
【０３６７】
図７Ｋは、上に論じられる種々の接続モデルの実現形態と関連して、分析物センサシステム７０８と表示デバイス７１０との間で分析物データを無線通信するための方法７２４の例示的な実現形態を例示する。図７Ｋに示されるように、方法７２４は、通信セッション７２０を含む。通信セッション７２０は、Ｔ間隔の時間長さを有して生じる。その後、通信セッション７８０のインスタンスが生じ、上で説明した種々の潜在的な理由から接続が閉じられるまで、分析物センサシステム７０８及び表示デバイス７１０の接続を維持することができる。次いで、本明細書で説明される種々の実施形態において、Ｔ間隔と同じであり得るか、または異なり得る、Ｔ間隔´ の時間長さを有する通信セッション７２５のインスタンスが生じる。接続モデルを修正するための要求は（例えば、動作７９５ｂに従って送信する）、通信セッション７８０の一部として確立した接続を終了すること、及び例えば通信セッション７２５を開始することによって、異なる接続モデルをトリガーすることをもたらすことができる。いくつかの事例において、接続モデルは、ＧＵＩ３４０を介して手動で制御することができる。図３Ｅを参照すると、ユーザには、オプション３１６ｆを使用した接続モデルの選択を可能にするサブメニュー３１４ｆを提示することができる。
【０３６８】
以下、図１３Ｂを参照すると、方法７０４、７０６、７１２、７１４、７１６、７１８、７２２、７２４、及び７２６等の種々の方法の特徴の例示的な実現形態が例示される。１つのそのような例示的な実現形態は、分析物データを無線通信するための方法１３０２の態様を含む。図１３Ｂに示されるように、動作１３１０Ａで、方法１３０２は、分析物センサシステム７０８と表示デバイス７１０との間の第１の接続を確立することを含む。第１の接続は、分析物センサシステム７０８と表示デバイス７１０の間でペアリング情報を交換するために確立することができる。動作１３１０Ｂで、方法１３０２は、第１のモードで動作することを含む。動作１３１０Ｃで、方法１３０２は、第２のモードで動作することを含む。動作１３１０Ｄで、方法１３０２は、随意に、第１モードでの動作と第２の動作モードでの動作との間で切り替えることを含む。
【０３６９】
図１３Ｃは、方法１３０４を例示し、図１３Ｂを参照して上で述べた動作１３１０Ｂ及び１３１０Ｃに関する更なる詳細を含む。図１３Ｃに示されるように、動作１３１０Ｂは、動作１３１５Ａで、分析物センサシステム７０８及び表示デバイス７１０の接続を維持するように、分析物センサシステムと表示デバイス７１０との間でメッセージを定期的に交換することを含む。動作１３１５Ａは、図７Ｊを参照して、実施例において、動作７９５ａまたは同類のものに対応することができる。動作１３１５Ｂで、動作１３１０Ｂは、データを伝送に利用することが可能になった時点で、分析物センサシステム７０８が表示デバイス７１０に分析物データを伝送することを含む。動作１３１５Ｃは、図７Ｊを参照して、実施例において、動作７９５ｃまたは同類のものに対応することができる。動作１３１０Ｃは、動作１３１５Ｃで、分析物センサシステム７０８と表示デバイス７１０の間の第２の接続を定期的に確立することを含む。動作１３１５Ｄで、第２の接続が確立された後に、動作１３１０Ｃは、表示デバイス７１０に分析物データを伝送することを含む。動作１３１５Ｃは、図７Ｃを参照して、実施例において、動作７３５ｄまたは同類のものに対応することができる。
【０３７０】
図７Ｋを再度参照すると、いくつかの事例において、動作１３１０Ｂに従って第１のモードで動作する態様は、通信７８０に対応することができ、一方で、第２のモードで動作する態様は、通信セッション７２０及び／または７２５、その他に対応することができる。通信セッション７８０、７２５及び／もしくは本明細書で説明される他の通信セッション、または同類物のものの１つまたは２つ以上のインスタンスを有する通信セッション７２０に従うことによって、分析物データの通信中に交換されるメッセージの全体的な数（したがって、電力消費）を低減させることができる。したがって、方法７２４は、分析物データを通信するための高度に柔軟で、適合可能な技法を提供する。
【０３７１】
Ｈ．アドバタイズメントのタイミング及び構造
追加的な態様は、種々のデバイス（例えば、表示デバイス７１０）を分析物センサシステム（例えば、分析物センサシステム７０８）に接続する順序及び様態を含み、そのような表示デバイス７１０のデバイスに伝送されたアドバタイズメントメッセージの順序、タイミング、構造、及び様態に依存することができる。ここで、数字７０８及び７１０が参照されるが、本開示を研究すれば当業者が理解できるように、説明は、本明細書で説明される分析物センサシステム及び／または表示デバイスのいずれかに適用することができることに気が付くであろう。種々のデバイスに関する接続の順序付けの１つの潜在的なスキームは、以下のように説明することができる
【０３７２】
分析物センサシステム７０８は、接続に利用可能である表示デバイス７１０に、すなわち、範囲内の表示デバイス７１０にアドバタイズし、接続する。これは、例えば、アドバタイズメントメッセージを伝送することによって行うことができる。一例として、図７Ａに示される動作７０５ａを参照する。表示デバイス側で、分析物センサシステム７０８に接続しようとしている表示デバイス７１０は、典型的に、分析物センサシステム７０８または別の同様なセンサシステムへの接続をスキャンすることができる。これは、一般に、分析物センサシステム７０８、その他によってブロードキャストされているアドバタイズメントメッセージを受信し、処理して、任意のそのようなメッセージが互換の／望ましい分析物センサシステム７０８によって伝送されているかどうかを判定することを伴う。
【０３７３】
次いで、表示デバイス７１０は、分析物センサシステム７０８に接続要求を返信することによって、アドバタイズメントメッセージに応答することができる。一例として、図７Ａに示される動作７０５ｂを参照する。接続要求を受信すると、分析物センサシステム７０８は、要求を受諾、拒否、または単に無視することができる。典型的に、分析物センサシステム７０８は、一度に１つの表示デバイス７１０接続だけを提供する。したがって、接続要求を拒否または無視する１つの理由は、分析物センサシステム７０８が表示デバイス７１０に既に接続されていることである。接続要求を拒否または無視するいかなる理由もない場合、分析物センサシステム７０８は、要求を受諾し、要求を送信した表示デバイス７１０に接続することができる。例えば、動作７０５ｂは、分析物センサシステム７０８が、接続が許可されたことを示すシグナリングを表示デバイス７１０に送信することによって要求を受諾することを示す。
【０３７４】
接続されると、表示デバイス７１０及び分析物センサシステム７０８は、分析物センサシステム７０８が表示デバイス７１０に分析物データを伝送することを含む、メッセージングを交換することができる。一例として、図７Ａに示される動作７０５ｄを参照する。実施形態において、表示デバイス７１０が、予期されるまたは望まれるよりも長く分析物センサシステム７０８に接続した状態を保つことを阻止するために、分析物センサシステム７０８は、タイムアウトを実施すること、及び／またはタイムアウトを実施させることができる。すなわち、例えば、接続の持続時間に関して設定された所定の制限を存在させることができ、その終了時に、分析物センサシステム７０８への接続を終了することができる。一例として、図７Ａに示される動作７１５を参照する。これは、他の表示デバイス７１０が分析物センサシステム７０８に接続すること、または接続しようとすることを可能にすることができる。分析物センサシステム７０８は、分析物センサシステム７０８に最近接続した表示デバイス７１０のリストを維持することができる。いくつかの事例において、これは、ホワイトリストとして知られ得る。分析物センサシステム７０８は、このリストを使用して、リストに入っている（すなわち、最近接続した）表示デバイスだけが分析物センサシステム７０８に接続することを可能にすることができる。
【０３７５】
図９Ａは、本開示に従ってアドバタイズメントメッセージを伝送する一実施例を例示するタイミング図である。より具体的には、図９Ａは、表示デバイス７１０及び／または分析物表示デバイス１１０に分析物センサシステム７０８をペアリングまたは接続することと関連して使用することができる、アドバタイズメント持続時間構造９３５の例示的な一実施形態を提供する。上記と関連して、及びアドバタイズメント持続時間構造９３５の実施形態に従って、アドバタイズメントメッセージ９２０は、スケジュールに基づいて定期的に生じる時間間隔に従って送信することができる。これは、いくつかの事例において、アドバタイズメントウインドウ間隔９０５として知られ得る。この間隔のこの発生の繰り返し期間は、任意の時間とすることができるが、１つの具体的な例は、５分である。それでもやはり、アドバタイズメントウインドウ間隔は、分析物データを収集し、処理することに関する分析物センサシステム７０８の動作の性質に依存して変動するように構成または設定することができる。したがって、（この実施例では）５分毎に、アドバタイズメントメッセージが伝送される時間ウインドウが存在することになる。アドバタイズメントメッセージの時間ウインドウは、アドバタイズメントメッセージを実際に伝送することができる持続時間である。これはまた、いくつかの事例において、アドバタイズメント持続時間９１０としても知られ得る。一例として、このウインドウは、７〜２２秒の範囲とすることができる。しかしながら、本開示を研究すれば、当業者によって、アドバタイズメント持続時間のウインドウを０から任意の適切な時間量の範囲とすることができることが認識されるであろう。典型的に、ウインドウの持続時間は、アドバタイズメントウインドウ間隔９０５よりも短い。
【０３７６】
アドバタイズメント持続時間ウインドウ９１０中に、アドバタイズメントメッセージ９２０は、いくつかの事例において、必ずしもそうとは限らないが、アドバタイズメントメッセージ間隔９１５に従って定期的に伝送することができる。アドバタイズメントメッセージ間隔９１５は、順次または連続のアドバタイズメントメッセージ９２０間の時間間隔とみなすことができる。アドバタイズメント間隔９１５の１つの具体的な例示的範囲は、２０〜９０ミリ秒であるが、本開示を研究すれば、アドバタイズメントメッセージ空間９１５は、関連する状況に応じて、より長く、もしくはより短くすることができ、ならびに／または適応的に可変もしくは構成可能な長さとすることができることが認識されるであろう。アドバタイズメントウインドウ間隔が経過した後に、アドバタイズメントメッセージ９２０の伝送を再開することができ、アドバタイズメント持続時間構造９３５を（例えば、９３５´ として）繰り返すことができる。また、アドバタイズメントメッセージ間隔、アドバタイズメント持続時間の長さ、及びアドバタイズメントウインドウ間隔、のうちの１つまたは２つ以上を、アドバタイズメント持続時間構造９３５及び９３５´ の間で再構成することができることにも留意されたい。
【０３７７】
以下の議論に対する便宜上の目的で、表示デバイスは、表示デバイス７１０と称さるのに対して、分析物表示デバイスは、分析物表示デバイス１１０と称される。しかしながら、本明細書の他の場所において、表示デバイス７１０という用語は、分析物表示デバイス１１０及び医療用デバイス１３６を含む、任意の表示デバイスまたは表示デバイスの集合体を網羅するのに十分な範囲の広さであることが認識されるであろう。
【０３７８】
上で述べたアドバタイズメントウインドウ間隔９０５、アドバタイズメント持続時間９１０、及びアドバタイズメントメッセージ間隔９１５は、それぞれ、様々な要因に基づいて変動させることができる。例えば、これらのパラメータの値は、存在する表示デバイス７１０の種類及び／もしくは数に基づいて、ならびに／またはそのような表示デバイス７１０を最近どのように分析物センサシステム７０８に接続したのかに基づいて変動させることができる。これらのパラメータのこれらの値はまた、バッテリ寿命を最適化するために、接続時間の速度を上げるために、その他のために変動させることができる。減少させたアドバタイズメントウインドウ間隔９０５、増加させたアドバタイズメント持続時間９１０、及び減少させたアドバタイズメントメッセージ間隔９１５、のうちのいずれか１つは、特定の表示デバイス７１０が対象の分析物センサシステム７０８に成功裏に接続する可能性を高めることができる。しかしながら、典型的に、電力消費の増加が同時に生じる場合がある。
【０３７９】
特定の順序で表示デバイス７１０に接続するという観点から、アドバタイズメント持続時間９１０に対応する時間ウインドウ中に、分析物センサシステム７０８は、いくつかの事例において、最初に、表示デバイス７１０（例えば、スマートフォン）との接続を試み、次いで、表示デバイス１１０（例えば、分析物データを受信し、提示することを目的として設計したものとすることができる、専用のデバイス）との接続を試みることができる。この接続プロトコルによる１つの潜在的な課題は、使用される順序に関して、例えば専用の表示デバイスにするために、分析物表示デバイス１１０を分析物センサシステム７０８との使用に最適化する場合があるので、分析物表示デバイス１１０との接続と比較して、表示デバイス７１０との接続専用にするために、より長いアドバタイズメント持続時間９１０が必要になり得ることである。
【０３８０】
さらに、時として、表示デバイス７１０との接続することが困難な場合がある。表示デバイス７１０が、特に表示デバイス７１０に割り当てられたアドバタイズメント持続時間９１０の時間セグメント（図９Ａに図示せず）中に接続することができない場合、分析物表示デバイス１１０は、依然として、アドバタイズメント持続時間９１０内の他の部分または時間セグメント中に、アドバタイズメントメッセージ９２０を送信することによって、その後に接続することが可能な場合がある。しかし、いくつかの事例において、アドバタイズメント持続時間９１０内に表示デバイス７１０に割り当てられた時間セグメントは、分析物表示デバイス１１０専用の別の時間セグメントによって制限され、よって、表示デバイス７１０に接続するための追加的な時間セグメントを割り当てることが不可能な場合がある。代替的に、アドバタイズメント持続時間９１０からの追加的な時間が表示デバイス７１０に割り当てられた場合、分析物表示デバイス１１０は、接続を行うために利用できる十分な時間を残せない場合がある。
【０３８１】
故に、本開示の態様はまた、分析物表示デバイス１１０と関連するものを含む、種々の表示デバイス７１０の接続の順序を構成すること、ならびにアドバタイズメントウインドウ間隔９０５、アドバタイズメント持続時間９１０、及びアドバタイズメントメッセージ間隔９１５を構成すること、ならびにアドバタイズメントメッセージングと関連付けられた、及び／またはそれに関連する他の特徴も含む。本開示に従って種々の表示デバイス７１０及び分析物表示デバイス１１０の接続の順序を構成することは、一方では表示デバイス７１０及び分析物表示デバイス１１０、他方では分析物センサシステム７０８を含む、そのような表示デバイスの間の接続を確立する可能性を高めることができ、さらに、接続プロトコルの向上した効率のため、電力消費を低減させることができる。この様態で、分析物データに関する通信の全体的な信頼性が高まり、一方で、電力消費が減少する。これに関して、分析物表示デバイス１１０及び表示デバイス７１０に分析物センサシステム７０８を接続するための方法が提供される。
【０３８２】
図９Ｂは、本開示に従ってアドバタイズメントメッセージを伝送する一実施例を例示するタイミング図である。より具体的には、図９Ｂは、表示デバイス７１０及び／または分析物表示デバイス１１０に分析物センサシステム７０８をペアリングまたは接続することと関連して使用することができる、アドバタイズメント持続時間構造９３５ａの例示的な一実施形態を提供する。アドバタイズメント持続時間構造９３５ａの実施形態に従って、アドバタイズメント持続時間９３０の第１の時間セグメント９３０ａ中に、第１のアドバタイズメントメッセージ間隔９１５ａに従って、（例えば、対象のデバイスを表示デバイス７１０として）アドバタイズメントメッセージ９２０ａを送信することができる。アドバタイズメント持続時間９３０の第２の時間セグメント９３０ｂ中に、第２のアドバタイズメントメッセージ間隔９１５ｂに従って、（例えば、対象のデバイスを分析物表示デバイス１１０として）アドバタイズメントメッセージ９２０ｂを送信することができる。特定の実施形態において、第１の時間セグメント９３０ａは、約２０秒の長さとすることができ、第２の時間セグメント９３０ｂは、約２秒の長さとすることができる。また、この特定の実施形態ならびに他の実施形態に関して、例えば図９Ｄに関連して示されるように、第１の時間セグメント９３０ａ及び第２の時間セグメント９３０ｂは、一時的な順序に関して切り替えることができるということも認識されるであろう。
【０３８３】
アドバタイズメントウインドウ間隔９２５が経過した後に、アドバタイズメントメッセージ９２０の伝送を再開することができ、アドバタイズメント持続時間構造９３５ａを（例えば、アドバタイズメント持続時間構造９３５ａ´ として）繰り返すことができる。第１の時間セグメント９３０ａ及び第２の時間セグメント９３０ｂは、（上で暗に言及したように、特定のデバイスを対象にすることができるという可能性に関して）異なるデバイスに割り当てることができ、したがって、アドバタイズメント持続時間９３０中の異なる時点で、異なるデバイスに接続するために使用することができる。例えば、時間セグメント９３０ａは、表示デバイス７１０に割り当てることができ、第２の時間セグメント９３０ｂは、分析物表示デバイス１１０に割り当てることができる。示されるように、アドバタイズメント持続時間９３０内で、第１の時間セグメント９３０ａは、第２の時間セグメント９３０ｂに先行する。しかしながら、いくつかの事例において、第１の時間セグメント９３０ａ及び第２の時間セグメント９３０ｂは、一時的な順序に関して切り替えることができる（その事例において、分析物表示デバイス１１０及び表示デバイス７１０への割り当ても切り替えることができる）。また、アドバタイズメントメッセージ間隔、時間セグメントの長さ、アドバタイズメント持続時間の長さ、及びアドバタイズメントウインドウ間隔、のうちの１つまたは２つ以上を、アドバタイズメント持続時間構造９３５ａ及び９３５ａ´ の間で再構成することができることにも留意されたい。
【０３８４】
図９Ｃは、本開示に従ってアドバタイズメントメッセージを伝送する一実施例を例示するタイミング図である。より具体的には、図９Ｃは、分析物表示デバイス１１０及び／または表示デバイス７１０に分析物センサシステム７０８をペアリングまたは接続することと関連して使用することができる、アドバタイズメント持続時間構造９４５ａの例示的な一実施形態を提供する。図９Ｃの態様は、図９Ｂに示される態様に実質的に類似するが、図９Ｂとは異なり、図９Ｃは、固有のアドバタイズメントメッセージ（例えば、図９Ｂを参照して、９２０ａ、９２０ｂ）を示さず、多数の完全なアドバタイズメント持続時間構造９４５ａ、９４５ａ´ を示す。例えば、アドバタイズメント持続時間構造９４５ａの実施形態に従って、アドバタイズメント持続時間９５０の第１の時間セグメント９５０ａ中に、第１のアドバタイズメントメッセージ間隔（例えば、図９Ｃを参照して、アドバタイズメント間隔９１５ａ）に従って、（例えば、対象のデバイスを表示デバイス７１０として）アドバタイズメントメッセージ９５５ａを送信することができる。アドバタイズメント持続時間９５０の第２の時間セグメント９５０ｂ中に、第２のアドバタイズメントメッセージ間隔（例えば、図９Ｂを参照して、アドバタイズメント間隔９１５ｂ）に従って、（例えば、対象のデバイスを分析物表示デバイス１１０として）アドバタイズメントメッセージ９５５ｂを送信することができる。
【０３８５】
アドバタイズメントウインドウ間隔９４０が経過した後に、アドバタイズメントメッセージ９５５ａ´ 及び９５５ｂ´ の伝送を再開することができ、アドバタイズメント持続時間構造９３５ａを（例えば、９４５ａ´ として）繰り返すことができる。第１の時間セグメント９５０ａ及び第２の時間セグメント９５０ｂは、デバイスを対象にすることに関して上で暗に言及したように、異なるデバイスに割り当てることができ、したがって、アドバタイズメント持続時間９５０中の異なる時点で、異なるデバイスに接続するために使用することができる。例えば、時間セグメント９５０ａは、表示デバイス７１０に割り当てることができ、第２の時間セグメント９５０ｂは、分析物表示デバイス１１０に割り当てることができる。示されるように、アドバタイズメント持続時間９５０内で、第１の時間セグメント９５０ａは、第２の時間セグメント９５０ｂに先行する。しかしながら、いくつかの事例において、第１の時間セグメント９５０ａ及び第２の時間セグメント９５０ｂは、一時的な順序に関して切り替えることができる（その事例において、分析物表示デバイス１１０及び表示デバイス７１０への割り当ても切り替えることができる）。また、アドバタイズメントメッセージ間隔、時間セグメントの長さ、アドバタイズメント持続時間の長さ、及びアドバタイズメントウインドウ間隔、のうちの１つまたは２つ以上を、アドバタイズメント持続時間構造９４５ａ及び９４５ａ´ の間で再構成することができることにも留意されたい。
【０３８６】
図９Ｄは、本開示の実施形態に従ってアドバタイズメントメッセージを伝送する一実施例を例示するタイミング図である。より具体的には、図９Ｄは、表示デバイス７１０及び／または分析物表示デバイス１１０に分析物センサシステム７０８をペアリングまたは接続することと関連して使用することができる、アドバタイズメント持続時間構造９４５ａ及び９４５ｂの例示的な一実施形態を提供する。実施形態に従って、アドバタイズメント持続時間構造９４５ａは、図９Ｃに示される同様の番号が付された要素に実質的に類似し得る。
【０３８７】
アドバタイズメントウインドウ間隔９５０が経過した後に、アドバタイズメント持続時間９５０´ において、アドバタイズメント持続時間構造９４５ａが、アドバタイズメント持続時間構造９４５ｂに再構成されている場合がある。例えば、この再構成は、時間セグメント９５０ａ及び９５０ｂの順序をスワップすること（同様に、説明されるように、デバイスが接続のために対象にされる順序をスワップすること）を伴い得る。これに関して、アドバタイズメント持続時間構造９４５ｂは、アドバタイズメントメッセージ９５５ｂ´ が時間セグメント９５０ｂ´ において伝送されることが、アドバタイズメントメッセージ９５５ａ´ が時間セグメント９５０ａ´ において伝送されることに先行することを含むことができる。換言すれば、アドバタイズメント持続時間構造９４５ａにおいて時間セグメント９５０ａが表示デバイス７１０に割り当てられたものであり得、また、セグメント９５０ｂが分析物表示デバイス１１０に割り当てられたされたものであり得る場合、アドバタイズメント持続時間構造９４５ｂにおいて、分析物表示デバイス１１０及び表示デバイス７１０は、アドバタイズメント持続時間構造９４５ａに対する時間セグメントの割り当ての一時的な順序に関してスワップされている。順序をスワップし、アドバタイズメント持続時間９５０´ の第１の部分を表示デバイス７１０ではなく分析物表示デバイス１１０への接続に割り当てることによって、アドバタイズメント持続時間９５０´ の残りを、次いで、表示デバイス７１０へのアドバタイズ専用とすることができる（例えば、いくつかの事例において、時間セグメント９５０ａ´ は、表示デバイス７１０を分析物センサシステム７０８に接続するための追加的な時間を可能にするために拡張することができる）。また、ここで、分析物表示デバイス１１０に割り当てられた時間セグメントの長さは、典型的に、常にそうとは限らないが、表示デバイス７１０に割り当てられた時間セグメントの長さよりも短くなり得ることにも気付くであろう。
【０３８８】
また、アドバタイズメントメッセージ間隔、時間セグメントの長さ、アドバタイズメント持続時間の長さ、及びアドバタイズメントウインドウ間隔、のうちの１つまたは２つ以上が、アドバタイズメント持続時間構造９４５ａ及び９４５ｂの間で再構成される事例もあり得る。例えば、時間セグメント９５０ａ´ は、アドバタイズメント持続時間９５０´ の残り以下の時間の幅を包含するように拡張することができ、これは、同様に、アドバタイズメント持続時間構造９４５ｂと関連付けられたアドバタイズメントウインドウ間隔（図示せず）の残り以下の時間の幅まで拡張することができる。
【０３８９】
以下、図１４Ａを参照すると、方法７０４、７０６、７１２、７１４、７１６、７１８、７２２、７２４、及び７２６等の種々の方法の特徴の例示的な実現形態が例示される。１つのそのような例示的な実現形態は、分析物センサシステム７０８を、第１の表示デバイス（例えば、分析物表示デバイス１１０であり、本明細書で、ＤＤ１または表示デバイス７１０ａと称され得る）及び第２の表示デバイス（それは、例えば、スマートフォンまたは同類とすることができ、本明細書で、ＤＤ２または表示デバイス７１０ｂと称され得る）に接続するための方法１４００の態様を含む。図１４Ａに示されるように、動作１４０５Ａで、方法１４００は、分析物センサシステム７０８とＤＤ１及びＤＤ２とのペアリングを試みる際に、アドバタイズメント持続時間構造（例えば、アドバタイズメント持続時間構造９４５ａまたは同類のもの）を使用することを含む。アドバタイズメント持続時間構造に従って、アドバタイズメント持続時間（例えば、図９Ｄを参照して、アドバタイズメント持続時間構造９４５ａまたは同類のもの）は、第１の時間セグメント（例えば、時間セグメント９５０ａまたは同類のもの）及び第２の時間セグメント（例えば、時間セグメント９５０ｂまたは同類のもの）を含む。第１の時間セグメントは、ＤＤ２に割り当てられている。第２の時間セグメントは、ＤＤ１に割り当てられている。動作１４０５Ａと関連して、第１の時間セグメントは、第２の時間セグメントに先行する。
【０３９０】
動作１４０５Ｂで、方法１４００は、第２の時間セグメントが第１の時間セグメントに先行するように、アドバタイズメント持続時間構造を再構成することを含む。図９Ｄを参照すると、再構成されたアドバタイズメント持続時間構造の一実施例は、アドバタイズメント持続時間構造９４５ｂとすることができる。実施形態において、動作１４０５Ｃで、アドバタイズメント持続時間構造を再構成することは、アドバタイズメント持続時間（例えば、アドバタイズメント持続時間９５０）の残り以下の時間の幅まで、第１の時間セグメントを拡張することを伴うことができる。図９Ｅを参照すると、下でさらに詳細に説明されるように、動作１４０５Ｃはまた、アドバタイズメント持続時間構造の時間セグメントを短縮、排除、または別様には修正することを含むことができる。再構成されたアドバタイズメント持続時間構造によって、示されるように、この時点では、ＤＤ２が接続の対象になる前に、ＤＤ１がアドバタイズメントメッセージを使用して接続する対象である。
【０３９１】
図９Ｅは、本開示に従ってアドバタイズメントメッセージを伝送する一実施例を例示するタイミング図である。より具体的には、図９Ｅは、表示デバイス７１０及び／または分析物表示デバイス１１０に分析物センサシステム７０８をペアリングまたは接続することと関連して使用することができる、アドバタイズメント持続時間構造９４５ｂ´ 、９４５ｃ、及び９４５ｄの例示的な一実施形態を提供する。いくつかの事例において、アドバタイズメント持続時間構造９４５ｂ´ は、アドバタイズメント持続時間構造９４５ａと交換することができる。実施形態によれば、アドバタイズメント持続時間構造９４５ｂ´ は、図９Ｄに示される同様の番号が付された要素に実質的に類似し得るが、アドバタイズメントウインドウ間隔９４０´ は、いくつかの事例において、図９Ｃに示されるアドバタイズメントウインドウ間隔９４０の修正バージョンであり得る。
【０３９２】
アドバタイズメント持続時間構造９４５ｃの実施形態に従って、アドバタイズメント持続時間９６０の時間セグメント９５０ｂ´ ´ 中に、アドバタイズメントメッセージ９５５ｂ´ ´ を、アドバタイズメントメッセージ間隔に従って送信することができる。アドバタイズメント持続時間９６０の時間セグメント９５０ｃ中に、アドバタイズメントメッセージ間隔に従ってアドバタイズメントメッセージ９５５ｃを送信することができる。アドバタイズメント持続時間構造９４５ｄの実施形態に従って、アドバタイズメント持続時間９６０の時間セグメント９５０ｂ´ ´ ´ （本質的に、アドバタイズメント持続時間構造９４５ｄのアドバタイズメント持続時間である）中に、アドバタイズメントメッセージ間隔に従ってアドバタイズメントメッセージ９５５ｂ´ ´ ´ を送信することができる。
【０３９３】
いくつかの事例において、時間セグメント９５０ｂ´ 、９５０ｂ´ ´ 、及び９５０ｂ´ ´ ´ は、実質的に類似し得、また、同じ表示デバイスに割り当てられ得る。実施形態において、時間セグメント９５０ｂ´ 、９５０ｂ´ ´ 、及び９５０ｂ´ ´ ´ は、分析物表示デバイス１１０専用である。いくつかのそのような実施形態において、時間セグメント９５０ａ及び９５０ｃは、同じ表示デバイス、例えば、スマートフォンとすることができる表示デバイス７１０に割り当てることができる。図９Ｅに例示されるように、アドバタイズメント持続時間構造９４５ｂ´ 及び９４５ｃの間で、時間セグメント９５０ａ´ の長さは、時間セグメント９５０ｃの長さまで低減される。これは、例えば、時間セグメント９５０ａ´ 及び９５０ｃが割り当てられたものであり得る表示デバイス７１０が使用されていない（例えば、ホワイトリストにない、または、これまでに、もしくは最近分析物センサシステム７０８とペアリングされていない）場合に好都合であり得る。時間セグメント９５０ａ´ の長さを（例えば、具体的な例において、２０秒から）時間セグメント９５０ｃの長さまで（例えば、具体的な例において、７秒以下まで）低減させることによって、表示デバイス７１０に伝送されるアドバタイズメントメッセージ９５５ｃがより少なくなり、したがって、表示デバイス７１０が使用されていない可能性があるので、基本的に、信頼性にいかなる負担も伴うことなく電力を節約する。同様に、アドバタイズメント持続時間構造９４５ｄに関して、アドバタイズメント持続時間構造９４５ｂ及び９４５ｃに対して、時間セグメント９５０ａ´ 及び９５０ｃの長さがゼロまで低減され、したがって、電力消費をさらに低減させる。例示的な配置において、ＮＦＣは、１つまたは２つ以上の時間セグメントの長さを修正するための命令を伝えるために使用することができる。例えば、時間セグメント９５０ａ´ の長さが（例えば、時間セグメント９５０ｃに、またはゼロに）低減された後に、ＮＦＣを使用して、該長さをその低減以前の状態に戻すことができる。
【０３９４】
及べられるように、例示的な実現形態において、表示デバイス７１０が使用されているかどうかを判定するために、表示デバイス７１０が使用されるであろうという可能性に関するホワイトリストまたは別の指標を参考にすることができる。これに関して、ホワイトリストまたは他の指標は、分析物センサシステム７０８が特定の表示デバイス７１０及び／または分析物表示デバイス１１０とペアリングされたかどうかを示す、評価可能な値を提供することができる。例えば、表示デバイス７１０または分析物表示デバイス１１０が使用されることになる（例えば、ホワイトリストにある）場合、より長い長さを対応する時間セグメントに使用することができ、これは、表示デバイス７１０または分析物表示デバイス１１０を成功裏に接続する可能性を高めることができる。ＮＦＣを介して表示デバイス７１０または分析物表示デバイス１１０と分析物センサシステム７０８とをペアリングすることは、表示デバイス７１０または分析物表示デバイス１１０をホワイトリストに配置し、割り当てられた時間セグメントを、増加させた値に設定することをトリガーするために使用することができる。
【０３９５】
例示的な実現形態はまた、例えば、特定の時間セグメントに割り当てられたデバイスが分析物センサシステム７０８とペアリングされていない場合に、その時間セグメントをゼロ秒に設定することも含む。代替的または追加的に、他の機構を使用して、特定の時間セグメントを、いくつかの事例においてゼロ秒を含む、減少させた値に設定することができる。例えば、デバイスが分析物センサシステム７０８とペアリングされており、かつホワイトリストにある場合であっても、デバイスをホワイトリストから削除することができ、第２の時間セグメントの減少をトリガーする。これは、いくつかの事例において、ＧＵＩ３４０を介して受信したユーザ入力に基づいて行うことができる。図３Ｅを参照すると、例えば、サブメニュー３１４ｂは、ユーザが、デバイスの削除またはあるデバイスと別のデバイスとの交換を選択することができる方法を示す。
【０３９６】
以下、図１４Ｂを参照すると、方法７０４、７０６、７１２、７１４、７１６、７１８、７２２、７２４、及び７２６等の種々の方法の特徴の例示的な実現形態が例示される。１つのそのような例示的な実現形態は、分析物センサシステム７０８を第１の表示デバイス（例えば、本明細書でＤＤ１または表示デバイス７１０ａとして称され得る、分析物表示デバイス１１０）及び第２の表示デバイス（例えば、スマートフォンまたは同類のものとすることができ、また、本明細書でＤＤ２または表示デバイス７１０ｂと称され得る）に接続するための方法１４０２の態様を含む。図１４Ｂに示されるように、動作１４１０Ａで、方法１４０２は、分析物センサシステム７０８が以前にＤＤ２とペアリングされたかどうかを示す値を評価することを含む。値は、ホワイトリストまたは同類のものから導出することができる。
【０３９７】
動作１４１０Ｂで、値が、分析物センサシステム７０８がＤＤ２とペアリングされたことを示す場合、方法１４０２は、第１のアドバタイズメント持続時間（例えば、アドバタイズメント持続時間９５０´ ）の第１の時間セグメント（例えば、図９Ｅを参照して、時間セグメント９５０ａ´ ）を第１の長さに設定することを含む。動作１４１０Ｃで、値が、分析物センサシステム７０８がＤＤ２とペアリングされたことを示す場合、方法１４０２は、第１の時間セグメント中に、ＤＤ２に第１の一組のアドバタイズメントメッセージ（例えば、アドバタイズメントメッセージ９５５ａ´ ）を伝送することを含む。ここでは図９Ｅを参照しているが、（図９Ｄを参照して）アドバタイズメント持続時間構造９４５ａもまた、方法１４０２と関連して使用することができることに気付くであろう。動作１４１０Ｄで、値が、分析物センサシステム７０８がＤＤ２とペアリングされなかったことを示す場合、方法１４０２は、第１の時間セグメント（例えば、時間セグメント９５０ａ´ ）を、いくつかの事例において第１の長さよりも短い第２の長さ（例えば、アドバタイズメント持続時間９６０内の時間セグメント９５０ｃ）に設定することを含む。ここでは図９Ｅを参照しているが、（図９Ｄを参照して）アドバタイズメント持続時間構造９４５ａもまた、動作方法１４０２と関連して使用することができることに気付くであろう。
【０３９８】
実施形態において、方法１４０２は、値が、分析物センサシステム７０８がＤＤ２とペアリングされなかったことを示す場合、動作１４１０Ｅで、第１の時間セグメントの第２の長さをゼロ秒に設定することをさらに含む。例えば、これは、図９Ｅのアドバタイズメント持続時間構造９４５ｄによって例示することができる。アドバタイズメント持続時間構造９４５ｄに示されるように、ＤＤ２に割り当てられた第１の時間セグメント（例えば、時間セグメント９５０ａ´ 及び／または９５０ｃ）が排除されており、第２の時間セグメント（例えば、時間セグメント９５０ｂ´ 、９５０ｂ´ ´ 、及び／または９５０ｂ´ ´ ）だけが残っている。実施形態において、動作１４１０Ｂ及び／または１４１０Ｅは、例えばＮＦＣ等の近接度に基づく無線プロトコルを介して受信したシグナリングに応答して行うことができる。動作１４１０Ｆで、値が、分析物センサシステム７０８がＤＤ２とペアリングされなかったことを示す場合、方法１４０２は、第１の時間セグメントの長さがゼロ秒でない場合に、第２の長さの第１の時間セグメント（例えば、時間セグメント９０５ｃ）中に、ＤＤ２に第２の一組のアドバタイズメントメッセージ（例えば、アドバタイズメントメッセージ９５５ｃ）を伝送することを含む。
【０３９９】
以下、図１４Ｃを参照すると、方法７０４、７０６、７１２、７１４、７１６、７１８、７２２、７２４、及び７２６等の種々の方法の特徴の例示的な実現形態が例示される。１つのそのような例示的な実現形態は、分析物センサシステム７０８を第１の表示デバイス（例えば、本明細書でＤＤ１または表示デバイス７１０ａとして称され得る、分析物表示デバイス１１０）及び第２の表示デバイス（例えば、スマートフォンまたは同類のものとすることができ、また、本明細書でＤＤ２または表示デバイス７１０ｂと称され得る）に接続するための方法１４０４の態様を含む。図１４Ｃに示されるように、動作１４１５Ａで、方法１４０４は、アドバタイズメント持続時間（例えば、アドバタイズメント持続時間９５０）内の第１の時間セグメント（例えば、図９Ｄを参照して、時間セグメント９５０ａ）中に、第１のアドバタイズメント間隔に従って、ＤＤ２に第１の一組のアドバタイズメントメッセージ（例えば、アドバタイズメントメッセージ９５５ａ）を伝送または送信することを含む。アドバタイズメント間隔は、連続したアドバタイズメントメッセージの伝送の間の時間間隔とみなすことができる。動作１４１５Ｂで、方法１４０４は、アドバタイズメント持続時間内の第２の時間セグメント（例えば、時間セグメント９５０ｂ）中に、第２のアドバタイズメント間隔に従って、ＤＤ１に第２の一組のアドバタイズメントメッセージ（例えば、アドバタイズメントメッセージ９５５ｂ）を伝送または送信することを含む。
【０４００】
方法１４０４は、随意に、動作１４１５Ｃで、第２の時間セグメントが第１の時間セグメントに先行するように、第１及び第２の時間セグメントのシーケンスを変更することを含む。変更されたシーケンスの１つの例は、図９Ｄのアドバタイズメント持続時間構造９４５ｂで示される。シーケンスは、いくつかの事例において、分析物センサシステム７０８がＤＤ２とペアリングされているかどうかを示す値に基づいて変更することができる。代替的または追加的に、シーケンスの変更は、接続の質、日時、場所、及びバッテリ寿命、のうちの１つまたは２つ以上を示す値に基づくことができる。
【０４０１】
方法１４０４は、動作１４１５Ｄで、分析物センサシステム７０８とＤＤ１（例えば、または、分析物表示デバイス１１０）との間の、及び／または分析物センサシステム７０８とＤＤ２（例えば、または他の表示デバイス７１０）との間の接続の質の指示を取得することを含むことができる。方法１４０４はまた、動作１４１５Ｅで、第１の時間セグメント（例えば、時間セグメント９５０ａまたは同類のもの）の長さ、第１のアドバタイズメント間隔、第２の時間セグメント（例えば、時間セグメント９５０ｂまたは同類のもの）、及び／または第２のアドバタイズメント間隔、のうちの１つまたは２つ以上を修正することを含むことができる。修正は、動作１４１５Ｄで取得した質に基づくことができる。追加的または代替的に、修正は、ＤＤ１、ＤＤ２、及び／または別のソース（例えば、ユーザまたはセンサ入力）から分析物センサシステム７０８に送信されるシグナリングに基づいて開始することができる。修正は、実施形態において、接続の質、日時、場所、及びバッテリ寿命、のうちの１つまたは２つ以上を示す値に基づくことができる。
【０４０２】
以下、図１４Ｄを参照すると、動作１４１５Ｅの例示的な実施形態が例示される。動作１４２０Ａは、例えば、（図１４Ｃを参照して、動作１４１５Ｄで取得した）質の指示と、閾値とを比較することを含む。動作１４２０Ｂで、指示がＤＤ２に関連し、かつ閾値を超えた場合、動作１４１５Ｅで生じる修正は、（例えば、時間セグメント９５０ａ´ と時間セグメント９５０ｃとを比較して）第１の時間セグメントの長さを減少させること、及び／または第２のアドバタイズメント間隔を増加させることを含むことができる。しかしながら、指示がＤＤ１に関連し、かつ閾値を超えた場合、動作１４１５Ｅで生じる修正は、第２の時間セグメントの長さ（例えば、９５０ｂ´ ）を減少させること、及び／または第１のアドバタイズメント間隔を増加させることを含むことができる。
【０４０３】
動作１４２０Ｃで、指示がＤＤ２に関連し、かつ閾値未満である場合、動作１４１５Ｅで生じる修正は、（例えば、時間セグメント９５０ｃと時間セグメント９５０ａ´ とを比較して）第１の時間セグメントの長さを増加させること、及び／または第２のアドバタイズメント間隔を減少させることを含むことができる。しかしながら、指示がＤＤ１に関連し、かつ閾値未満である場合、動作１４１５Ｅで生じる修正は、第２の時間セグメント（例えば、９５０ｂ´ ）の長さを増加させること、及び／または第１のアドバタイズメント間隔を減少させることを含むことができる。指示は閾値に等しい場合に、適切な修正（かどうか）を決定するために、上の比較及びその後のアクションと関連して、ヒステリシスを用いることができる。代替的または追加的に、指示が閾値に等しい場合に、適切な修正（かどうか）は、予めプログラムされた命令、ユーザ選好、その他に基づくことができる。
【０４０４】
以下、図１４Ｅを参照すると、動作１４１５Ｄの例示的な実施形態が例示される。動作１４２５Ａは、例えば、ＲＳＳＩ及びＲＴＤＴのうちの１つまたは２つ以上の測定を行うことを含む。これは、分析物センサシステム７０８、ＤＤ１、ＤＤ２、及び／または他の表示デバイス７１０で行うことができる。動作１４２５Ｂで、動作１４１５Ｄは、測定に基づいて質を判定することを含む。
【０４０５】
図９Ｆは、本開示に従ってアドバタイズメントメッセージを伝送する一実施例を例示するタイミング図である。より具体的には、図９Ｆは、表示デバイス７１０及び／または分析物表示デバイス１１０に分析物センサシステム７０８をペアリングまたは接続することと関連して使用することができる、アドバタイズメント持続時間構造９７０ａの例示的な一実施形態を提供する。アドバタイズメント持続時間構造９７０ａの実施形態に従って、アドバタイズメント持続時間９７５の第１の時間セグメント９７５ａ中に、アドバタイズメントメッセージ間隔に従ってアドバタイズメントメッセージ９８０ａを送信することができる。アドバタイズメント持続時間９７５の時間セグメント９７５ｂ中に、アドバタイズメントメッセージ９８０ｂを、アドバタイズメントメッセージ間隔に従って送信することができる。アドバタイズメント持続時間構造９７０ａの実施形態に従って、アドバタイズメント持続時間９７５の時間セグメント９８０ｃ中に、アドバタイズメントメッセージ間隔に従ってアドバタイズメントメッセージ９８０ｃを送信することができる。
【０４０６】
上で述べたように、種々のアドバタイズメント持続時間構造と関連して、アドバタイズメント持続時間構造９７０ａのいくつかの実施形態について、時間セグメント９７５ａは、表示デバイス７１０に割り当てることができるのに対して、時間セグメント９７５ｂは、分析物表示デバイス１１０に割り当てることができる。随意に、時間セグメント９７５ｃは、表示デバイス７１０または分析物表示デバイス１１０に割り当てることができる。例えば、デバイス７１０が時間セグメント９７５ａ中に分析物センサシステム７０８への接続に失敗した場合、時間セグメント９７５ｃは、分析物センサシステム７０８を接続する追加的な機会を表示デバイス７１０に提供するように割り当てることができる。現時点で、時間セグメント９７５ａ〜ｃは、アドバタイズメント持続時間９７５内の異なるシーケンスに配設することができ、また、１つまたは２つ以上の表示デバイス７１０及び／または分析物表示デバイス１１０に割り当てることができることに留意されたい。
【０４０７】
上で述べた種々のタイミング図と関連して説明され、図９Ａ〜９Ｅに示されるように、説明されるアドバタイズメント持続時間構造の態様は、構成可能または可変とすることができる。そのような態様は、分析物センサシステム７０８またはそれに接続された遠隔デバイス（例えば、表示デバイス７１０または分析物表示デバイス１１０）によって構成することができる。例示的な実施形態において、アドバタイズメント持続時間構造内のシーケンスまたは時間セグメントの長さ、及び／またはアドバタイズメント持続時間構造の他の特性は、種々の条件または入力パラメータに基づいて構成することができる。１つのそのような条件または入力パラメータは、分析物センサシステム７０８が表示デバイス７１０または分析物表示デバイス１１０と以前にペアリングされたかどうかを示す値である。いくつかの事例において、ホワイトリストは、この目的のために維持及び／または評価することができる。別のそのような条件またはパラメータは、分析物センサシステム７０８への（例えば、表示デバイス７１０、分析物表示デバイス１１０、及び／または別の遠隔デバイスとの）接続の質である。そのような条件及びパラメータは、表示デバイス７１０及び／または分析物表示デバイス１１０によって生成し、分析物センサシステム７０８にシグナリングすることができて、または分析物センサシステム自体によって生成することができる。代替的または追加的に、多数のデバイスが、そのような条件またはパラメータを生成するために協働することができる。
【０４０８】
条件またはパラメータに基づいてアドバタイズメント持続時間構造を変動させることに関して、分析物表示デバイス１１０及び／または表示デバイス７１０に分析物センサシステム７０８を接続するための方法の実施形態は、分析物センサシステム７０８と分析物表示デバイス１１０及び／または表示デバイス７１０との間の接続の質の指示を受信することを含むことができる。本方法はまた、指示に基づいて、１つまたは２つ以上のアドバタイズメント持続時間構造の態様を修正することも含むことができる。換言すれば、例えば電力消費、エラー率、及び／または接続の可能性を制御するために、サービスの質（ＱｏＳ）を使用して、アドバタイズメントメッセージングの伝送の性質及び／またはタイミングを適応的に、またはインテリジェントに構成することができる。質の指示は、受信信号強度指示（ＲＳＳＩ）及びリターントリップ遅延時間（ＲＴＴ）のうちの１つまたは２つ以上を用いて判定されたものであり得る。
【０４０９】
一例として、表示デバイス７１０（例えば、スマートフォン）または分析物表示デバイス１１０は、ＲＳＳＩ及び／またはＲＴＴを測定すること、及び／または定量化することが可能であり得る。次いで、ＲＳＳＩもしくはＲＴＴ、または両方と、予期される値または閾値とを比較することができる。この比較は、次に、無線リンクの質を、例えば定量的に、及び／または種々の段階に従って不良〜良の程度で示すことができる。いくつかの事例において、質の指示は、いかなるデータも受信していないこと、または受信したデータが特定のエラー率であることを示すことができる。他の事例においては、特定の表示デバイス７１０及び／または１１０を選択するために、指示が分析物センサシステム７０８によって使用されることがあり得る。例えば、特定の表示デバイス７１０及び／または１１０は、リンク品質及び／またはネットワーク状況、及び同類のものにおける変動に関して、他のものよりもロバストであり得る。
【０４１０】
条件またはパラメータに基づいてアドバタイズメント持続時間構造を変動させることはまた、分析物表示デバイス１１０の場所及び表示デバイス７１０の場所、のうちの１つまたは２つ以上にも基づく（例えば、ＧＰＳ、Ａ−ＧＰＳ、及びＷｉＦｉ、その他等の、種々の場所決定信号及びモジュールにも基づく）ことができる。例示として、分析物センサシステム７０８と分析物表示デバイス１１０または表示デバイス７１０との間の接続は、デバイスの場所の関数に依存して変動し得る。したがって、場所は、接続の質の代用物として使用することができ、これら２つの関係が理解されることを想定する。最初に理解されていない場合、この関係は、デバイスが質及び場所に関する情報を追跡し、これら２つを相関させて、経時的に監視することができる。それとは関係なく、質と同様に、デバイスは、例えば電力消費、エラー率、及び／または接続の成功する可能性もしくはタイミングを制御するために、場所情報を使用して、アドバタイズメントメッセージングの性質及び／またはタイミングを適応的に、またはインテリジェントに構成することができる。
【０４１１】
さらに、場所に関連するデバイス選好が存在し得る。例えば、ユーザは、ユーザがオフィスビル内で作業しているときには、特定の表示デバイス７１０（例えば、スマートフォン）が好ましいデバイスであるが、ユーザが自宅または家の特定の室内にいるときは、別の表示デバイス（例えば、スマートウォッチまたは分析物表示デバイス１１０）が好ましいことを、手動で示すことができる。ユーザには、例えば表示デバイスで動作するアプリケーション３３０によってトリガーされるポップアップによって、そのような手動の指示を行うように促すことができる。一例として図３Ｅを参照すると、ＧＵＩ３４０は、構成パラメータに関連するサブメニュー３１４ｃを提供することができ、これが次に、そのうちの１つが場所に関連するオプション３１６ｃを含む。したがって、オプション３１６ｃを使用して、場所または任意の他の構成パラメータに関するユーザの選好に関連する手動の指示を受信することができる。
【０４１２】
代替的または追加的に、デバイスは、例えば特定の表示デバイス７１０が望ましいことを示す使用頻度に基づいて、経時的にユーザ選好を追跡し、これを、監視されている場所と比較して、任意の場所に基づくデバイス選好が存在するかどうかを判定することができる。そのような選好が存在する場合、デバイスは、デバイスの現在の場所に基づいて、アドバタイズメントメッセージングの性質及び／またはタイミングの修正をトリガーすることができる。この情報はまた、実施形態において、分析物センサシステム７０８によって取り扱うことができる。その上、例えばサーバシステム３３４等のデバイスは、そのような情報の処理を行い、選好情報を表示デバイス７１０及び／または分析物センサシステム７０８に（例えば、直接または表示デバイス７１０を介して）中継することができ、次いで、（例えば、上で説明したアドバタイジング技法をそれに用いることによって）好ましいデバイスへの接続を優先させることができる。
【０４１３】
条件またはパラメータに基づいてアドバタイズメント持続時間構造を変動させることはまた、日時にも基づくことができる。例えば、分析物センサシステム７０８と分析物表示デバイス１１０または表示デバイス７１０との接続は、日時に依存して変動させることができる。したがって、日時は、接続の質の代用物として使用することができ、これら２つの関係が理解されることを想定する。場所と同様に、最初に理解されていない場合、この関係は、デバイスが質及び日時に関する情報を追跡し、これら２つを相関させて、経時的に監視することができる。いずれにしても、質及び場所と同様に、デバイスは、例えば電力消費、エラー率、及び／または接続の可能性を制御するために、日時を使用して、アドバタイズメントメッセージングの性質及び／またはタイミングを適応的に、またはインテリジェントに構成することができる。
【０４１４】
さらに、日時に基づくデバイス選好または適応の他の理由が存在し得る。例えば、ユーザは、特定の日時については特定の表示デバイス７１０（例えば、スマートフォン）が好ましいデバイスであるが、特定の日時においては別の表示デバイス７１０（例えば、スマートウォッチまたは分析物表示デバイス１１０）が好ましいことを、手動で示すことができる。場所と関連して上で述べたように、ユーザには、例えばデバイス上で動作するアプリケーション３３０によってトリガーされるポップアップによって、そのような手動の指示を行うように促すことができる。一例として図３Ｅを参照すると、ＧＵＩ３４０は、構成パラメータに関連するサブメニュー３１４ｃを提供することができ、これが次に、そのうちの１つが時間（または日時）に関連するオプション３１６ｃを含む。したがって、オプション３１６ｃを使用して、日時に関するユーザの選好に関連する手動の指示を受信することができる。
【０４１５】
代替的または追加的に、デバイスは、例えば特定のデバイスが望ましいことを示す使用頻度に基づいて、経時的にユーザ選好を追跡し、これを日時と比較して、任意の時間に基づくデバイス選好が存在するかどうかを判定することができる。そのような選好が存在する場合、デバイスは、日時に依存して、アドバタイズメントメッセージングの性質及び／またはタイミングの修正をトリガーすることができる。この情報はまた、実施形態において、分析物センサシステム７０８によって取り扱うことができる。その上、デバイスまたは例えばサーバシステム３３４は、そのような情報を取り扱うという観点からより難しい作業を行い、選好情報を分析物センサシステム７０８に中継することができ、次いで、（例えば、上で説明したアドバタイジング技法をそれに用いることによって）好ましいデバイスへの接続を優先させることができる。
【０４１６】
いくつかの事例において、特定のイベントは、特定の日時に生じることが知られている、または決定されている場合がある。例えば、スマートフォン及び同類のもの等の表示デバイス７１０上で動作するいくつかのオペレーティングシステムは、その日の特定の時間中に定期的に更新することができる。そのような更新は、ユーザの制御の範囲内にある、または範囲内にない場合があり、また、デバイスを再起動することを含むことができる。関連付けられた再起動プロセスは、数分以上かかる場合がある。これらの種類のインスタンスにおいては、分析物センサシステム７０８を、その特定の時間に再起動していないデバイス等の異なる表示デバイス（例えば、分析物表示デバイス１１０）に接続することが好ましくなり得る。この様式で、他の表示デバイスが利用できない場合であっても、表示デバイスによって分析物データを継続して受信し、分析することができる。ここでもまた、そのようなイベントのタイミングは、ユーザが手動で示すことができ、または情報の追跡及び相関を通してデバイスによって決定することができる。
【０４１７】
条件またはパラメータに基づいてアドバタイズメント持続時間構造を変動させることはまた、分析物センサシステム７０８のバッテリ寿命にも基づくことができる。分析物センサシステムは、予測バッテリ寿命を含む、それ自体のバッテリ残量を連続的または断続的に監視し、その指示を生成することができる。いくつかの事例において、この監視は、バッテリ寿命のリアルタイムの予測を維持することができるように、通信プロセスの全体を通して行うことができる。例示的な実現形態において、分析物センサシステム７０８はまた、バッテリ寿命に影響を及ぼし得るイベントも監視する。そのようなイベントは、どのくらいの頻度で特定の表示デバイス７１０が分析物センサシステム７０８の範囲から外れ、したがって、接続に利用できないのかを含むことができる。例えば、表示デバイス７１０がしばしば範囲を外れる場合、分析物センサシステム７０８は、そのような表示デバイス７１０に対する伝送をより少なくすることができ、したがって、より長いバッテリ寿命を有すると予測することができる。その反対に、表示デバイス７１０がより頻繁に範囲内にある場合、及び／またはより頻繁に分析物センサシステム７０８への接続を要求している場合は、分析物センサシステム７０８が表示デバイス７１０により多くの伝送を行う可能性がより高くなり得る。したがって、バッテリ寿命がより短くなると予測することができる。予測バッテリ寿命の別の指標としては、アドバタイズメントウインドウ間隔、アドバタイズメント持続時間、及び／またはアドバタイズメントメッセージ間隔、ならびに時間セグメントの長さそれに関連する構成が挙げられる。それぞれの値に応じて、伝送の数を増加または減少させることができ、したがって、バッテリ寿命に影響を及ぼす。代替的または追加的に、条件またはパラメータに基づいてアドバタイズメント持続時間構造を変動させることはまた、ユーザのグルコースレベルにも、及び／または分析物センサシステムが圧迫された場合（例えば、ユーザがうつ伏せで寝ている場合）にも基づくことができる。例えば、ユーザが、「緊急の低グルコースレベル」または「間もなく緊急の低グルコースレベル」等のアラート条件を有し、ユーザが、自分の表示デバイス７１０の範囲から外れている場合、小さい通信ウインドウでは、分析物センサシステム７０８が、アラートの表示に間に合うように、表示デバイス７１０に接続するのに十分ではない場合がある。
【０４１８】
そのような一例において、分析物センサシステム７０８は、より長くアドバタイズするように、及び／またはより頻繁にアドバタイズするように、及び／またはより高い解像度間隔を有するように、及び／またはより高い伝送電力を有するように、そのアドバタイジングパターンを変更することができる。これは、分析物センサシステムが表示デバイス７１０によって検出される可能性を好都合に高めることができる。表示デバイスに接続した時点で、及び／またはアラート条件がアクティブでなった時点で、分析物センサシステムを通常のアドバタイジングパターンに戻すことができる。
【０４１９】
これに関して、アドバタイズメント持続時間構造の１つまたは２つ以上の態様を修正することは、有益に、バッテリ寿命の指示に基づくことができる。上で述べたように、アドバタイズメントメッセージの伝送等の伝送の数は、バッテリ寿命に影響を及ぼす場合がある。したがって、時間セグメント、アドバタイズメント持続時間、アドバタイズメントウインドウの間隔、及びアドバタイズメントメッセージ期間の各々も同様にバッテリ寿命に影響を及ぼす場合があり、これらの特徴を修正することは、バッテリ寿命を制御するための手段を提供することができる。他の要因もまた、バッテリ寿命の指示に基づいて構成することができる。例えば、伝送電力は、バッテリ寿命に影響を及ぼす場合があり、したがって、バッテリ電力をより正確かつ効率的に使用するように変動させることができ、したがって、バッテリ寿命を延ばすことができる。デバイスが超分析物センサシステム７０８の非常に近くにあるとき、またはフレンドリーな（非敵対的な）ネットワーク環境において動作しているとき等の状況においては、伝送電力を減少させることができ、したがって、バッテリ寿命が延びる。
【０４２０】
図９Ｆを再度参照すると、例示的な実現形態において、時間セグメント９７５ａは、時間セグメント９７５ｂに先行し、時間セグメント９７５ｂは、時間セグメント９７５ｃに先行する。しかしながら、時間セグメント９７５ａ〜ｃの順序は、所望に応じて修正することができることに留意されたい。したがって、本開示の実施形態は、時間セグメント９７５ｂが時間セグメント９７５ａに先行し、時間セグメント９７５ａが時間セグメント９７５ｃに先行するように、時間セグメント９７５ｂを構成することを含む。本明細書で開示される種々の時間セグメントの順序を修正または構成することは、入力パラメータまたは条件に基づいて行うことができる。加えて、使用される時間セグメントの数も同様に、入力パラメータまたは条件に基づくことができ、適合可能／構成可能にすることができる。
【０４２１】
例えば、高レベルにおいて、入力パラメータ（またはいくつかの事例において、一組のパラメータもしくは条件）は、特定の表示デバイス７１０（例えば、スマートフォン）を分析物センサシステム７０８に接続することがより容易に、またはより困難になる可能性が高いことを示すことができる。接続が容易になる可能性が高い場合−例えば成功する可能性がより高い、または迅速に成功する可能性がより高い場合−は、時間セグメント９７５ｃを短くすること、または放棄することができる。しかしながら、接続がより困難である可能性が高い場合、時間セグメント９７５ｃは、表示デバイス７１０が分析物センサシステム７０８に成功裏に接続するという高められた可能性を提供することができる。また、その長さ及びそこで使用されるアドバタイズメントメッセージ間隔を含む、時間セグメント９７５ｃの性質及びタイミング態様は、上で説明したパラメータ及び条件に従って修正及び／または構成することができることも認識されるであろう。
【０４２２】
本開示の実施形態と関連して上で説明したように、入力パラメータ／条件は、分析物表示デバイス１１０の場所、表示デバイス７１０の場所、及び分析物センサシステム７０８の場所、のうちの１つまたは２つ以上に基づくことができる。さらに、入力パラメータまたは条件は、分析物センサシステム７０８との接続の質の指示に基づくことができる。例えば、指示は、受信信号強度及びリターントリップ遅延時間のうちの１つまたは２つ以上に基づいて決定することができる。追加的または代替的に、入力パラメータは、日時に基づくことができる。さらに、入力パラメータは、分析物センサシステム７０８のバッテリ寿命の指示に基づくことができる。簡潔には、アドバタイズメント持続時間構造９７０ａ内の配設ならびに性質／タイミングは、種々の入力パラメータに従って構成することができ、そのような構成が適応可能である、及び／またはオンザフライで行われる場合を含む。構成はまた、所与の表示デバイス７１０上で動作するオペレーティングシステムの種類に、表示デバイス７１０の種類に、及び／または分析物センサシステム７０８に接続している、もしくは接続を試みている表示デバイス７１０の種類の組み合わせにも基づくことができる。
【０４２３】
以下、図１４Ｆを参照すると、方法７０４、７０６、７１２、７１４、７１６、７１８、７２２、７２４、及び７２６等の種々の方法の特徴の例示的な実現形態が例示される。１つのそのような例示的な実現形態は、分析物センサシステム７０８を第１の表示デバイス（例えば、本明細書でＤＤ１または表示デバイス７１０ａとして称され得る、分析物表示デバイス１１０）及び第２の表示デバイス（例えば、スマートフォンまたは同類のものとすることができ、また、本明細書でＤＤ２または表示デバイス７１０ｂと称され得る）に接続するための方法１４０６の態様を含む。図１４Ｆに示されるように、動作１４３０Ａで、方法１４０６は、アドバタイズメント持続時間（例えば、アドバタイズメント持続時間９７５）内の第１の時間セグメント（例えば、図９Ｆを参照して、時間セグメント９７５ａ）中に、ＤＤ２に第１の一組のアドバタイズメントメッセージ（例えば、アドバタイズメントメッセージ９８０ａ）を伝送することを含む。動作１４３０Ｂで、方法１４０６は、アドバタイズメント持続時間内の第２の時間セグメント（例えば、時間セグメント９７５ｂ）中に、第２の時間セグメントの長さがゼロ秒まで設定されていない場合、ＤＤ１に第２の一組のアドバタイズメントメッセージ（例えば、アドバタイズメントメッセージ９８０ｂ）を伝送することを含む。実施形態において、方法１４０６は、動作１４３０Ｇで、第２の時間セグメントの長さをゼロに設定して、ＤＤ１への接続を無効にすることを含むことができる。動作１４３０Ｆで、方法１４０６は、条件を満たした場合、アドバタイズメント持続時間内の第３の時間セグメント（例えば、時間セグメント９７５ｃ）中に、ＤＤ２に第３の一組のアドバタイズメントメッセージ（例えば、アドバタイズメントメッセージ９８０ｃ）を伝送することを含む。動作１４３０Ｈで、方法１４０６は、第２の時間セグメントが第１の時間セグメントに先行し、第１の時間セグメントが第３の時間セグメントに先行するように構成することを含むことができる。第１及び第３の時間セグメントは、ＤＤ２に割り当てることができるのに対して、第２の時間セグメントは、ＤＤ１に割り当てることができる。
【０４２４】
動作１４３０Ｆに関して、条件は、第１の時間セグメント中にＤＤ２が分析物センサシステム７０８に接続しなかった場合に満たすことができる。第１、第２、及び第３の一組アドバタイズメントメッセージは、それぞれがそれぞれのアドバタイズメント間隔を有することができる。動作１４３０Ｃで、方法１４０６は、分析物センサシステム７０８への接続の質の指示を取得することを含む。例えば、接続は、分析物センサシステム７０８と、ＤＤ１、ＤＤ２及び／もしくは他のデバイス７１０、または同類のものとの間とすることができる。動作１４３０Ｃで、方法１４０６は、指示に基づいて、条件を満たしているかどうかを判定することを含む。条件を満たしているかどうかを判定することは、実施形態において、動作１４３０Ｅで、質の指示と閾値とを比較することを含む。動作１４３０Ｃ〜Ｅを実行する方法のいくつかの例は、図１４Ｃ〜Ｅに関連して論じられる。いくつかの事例において、質に関することと代替的に、またはそれに加えて、指示は、日時、場所、バッテリ寿命、ユーザ入力、その他に少なくとも部分的に基づくことができる。
【０４２５】
Ｉ．アドバタイズメントメッセージ
図８は、本開示の種々の態様により（例えば、図７Ａを参照して、動作７０５及び同類のもので）、いくつかの事例において、２つのデバイスの間の接続を確立する目的で伝送することができるアドバタイズメントメッセージ８００の例示的な構造を例示する。いくつかの事例において、アドバタイズメントメッセージ８００は、パケットまたは広告パケットであるとみなすことができる。例示される実施例において、アドバタイズメントメッセージ８００は、行（フィールド）８００ａ〜８００ｉと、列８０５´ 、８１０´ 、及び８１５´ と、を含む。アドバタイズメントメッセージ８００は、視覚的／編成的な便宜のために、マトリックス形態で表されるが、当業者は、本開示を研究すれば、デジタル信号に関して、アドバタイズメントメッセージ８００を、例えばフィールド及びサブフィールドに従って、典型的に所定の様式で配設されるビットまたはバイトの一次元アレイによって表すことができることを認識するであろう。換言すれば、アドバタイズメントメッセージ８００のマトリックスフォーマットの行８００ａ〜ｉがスタック解除され、エンドツーエンドで連結される場合、メッセージ８００は、一次元アレイとして現れる。各フィールド８００ａ、８００ｂ、・・・、８００ｉは、アドバタイズメントメッセージ８００の行に対応するとみなすことができ、一方で、サブフィールドは、特定の行内の特定の列のセルに対応するとみなすことができる。故に、例示的な実現形態において、フィールド８００ａ内で、範囲８０５ａは、列８０５´ に対応するサブフィールドまたはセルである。
【０４２６】
列８０５´ は、例示的な実施形態において、アドレス８０５に対応する。アドレス８０５は、範囲８０５ａ〜ｉを含み、各範囲８０５ａ〜ｉは、対応するフィールドに予約されたバイトの範囲を表すことができる。各フィールド８００ａ〜ｉ内で、いくつかのバイトは、各セルに予約することができる。すなわち、例示として、１バイト（アドレス８０５ａは、バイトゼロ「０」をメッセージ８００内のフィールド８００ａのアドレスと称することができる）を、プリアンブル８１０ａに使用することができる。バイト数は、そうする必要はないが、いくつかの事例において、種々のフィールド８００ａ〜ｉ全体にわたって列の各セルについて同じとすることができる。すなわち、例示として、２バイトをアドレス８０５の各セル８０５ａ〜ｉに使用することができ、２バイトを説明８１０の各セル８１０ａ〜ｉに使用することができる。その上、可変のバイト数を、値８１５のセル８１５ａ〜ｉにおいて使用することができる。他の実施例では、異なるバイト数を使用することができ、本開示の範囲及び趣旨の範囲内で多数の変動が企図される。また、任意の数の行及び列を使用すること、当然ながら物理法則に従うこと、及びいくつかの事例においては、標準化された通信プロトコルとすることができることも認識されるであろう。
【０４２７】
図８をさらに参照すると、列８０５´ は、この実施例において、アドレス８０５に対応する。セル８０５ａ〜ｉは、それぞれ、対応するフィールド８００ａ〜ｉの長さを表す値（例えば、バイナリまたは１６進数、または同類のもの）を含むことができる。各長さは、いくつかの事例において、それぞれのフィールドの開始及び終了位置によって表すことができる。列８１０´ は、この実施例において、説明８１０に対応する。セル８１０ａ〜ｉは、それぞれ、対応するフィールド８００ａ〜ｉの説明を表す値を含むことができる。例えば、フィールド８００ａは、この実施例において、アドバタイズメントメッセージ８００のプリアンブルとして、セルの８１０ａの値によって説明される。例示される実施例の列８１５´ は、値８１５に対応する。セル８１５ａ〜ｉは、それぞれ、（例えば、アドレスまたは説明とは対照的に）対応するフィールド８００ａ〜ｉの値を表す値を含むことができる。一例として、セルの８１５ｅは、（例えば、分析物センサシステム７０８の）デバイスの名前を表す値を意味するバイトを含むことができる。ＭＡＣアドレス８１０ｄは、分析物センサシステム７０８のアドレスを含むことができる。
【０４２８】
本開示の実施形態は、メッセージ８００の態様を利用して、分析物データの無線通信に関連する態様の信頼性、速度、及び／または効率を改善することを含むことができる。いくつかの事例において、ＭＡＣアドレスフィールド８１０ｄの値８１５ｄは、特定の表示デバイス７１０または一組の表示デバイス７１０に固有に、または分析物センサシステム７０８に接続可能であり、それが対象とする他の遠隔デバイスに固有になるように、動的に構成可能とすることができる。これは、本明細書の他の場所でさらに詳細に説明される（例えば、図７Ｌを参照して、動作７３５ａ、７３５ａ´ 、７６５、及び７６５´ を参照されたい）。いくつかの事例において、分析物データ及び／または関連する制御シグナリング、ならびに同類のもの、またはその一部分は、アドバタイズメントパケット内の予約スロットに含むことができる（例えば、図７Ｅを参照して、動作７６５ａ）。例えば、分析物データ及びそのようなものは、製造データフィールド８００ｈに含むことができる。他のスロットは、種々の実現形態に従って、類似する目的に使用することができる。アドバタイズメントメッセージ８００の態様を好都合に利用する他のそのような実施形態は、本開示を研究すれば明らかになるであろう。
【０４２９】
Ｊ．アドレッシング
いくつかの伝送スキームは、多数の種類のデバイスを含む多数のデバイスに広告するときに、単一のアドレスを使用する。そのようなデバイスとしては、例えば、消費者／商業／企業デバイス（例えば、スマートウォッチ１４０及びタブレット１３０、サーバシステム１３４の表示要素、またはテレビ、自動車、航空機、もしくは他の車両の固定もしくはモバイル画面、その他）、特定用途向け表示デバイス（例えば、分析物表示デバイス１１０）、医療用デバイス１３６、その他等の、種々の種類の表示デバイス７１０を挙げることができる。アドレッシングに関して、一例として、（例えば、図７Ａを参照して、動作７０５ａで）同じＭＡＣアドレスは、ブロードキャストまたはマルチキャストされている一般的なアドバタイズメントメッセージで、そのようなデバイスに伝送することができる。
【０４３０】
いくつかの事例において、そのようなアドレッシング伝送スキームは、どのデバイスが最近接続されたかに関係なく−すなわち、デバイス（例えば、表示デバイス７１０）が、例えば分析物センサシステム７０８等のセンサシステムとすることができる伝送デバイスのホワイトリストにあり得るかどうか、及びどのデバイスかにかかわらず−用いることができる。この種類の伝送スキーム（単一アドレス）に関する１つの潜在的な課題は、多数のデバイスにアドバタイズされている共通のアドレスの使用から生じる。特に、共通のアドレスを使用することは、（例えば、図７Ａ及び７Ｌを参照して、動作７０５ｂで）多数のデバイスが同時に接続の要求に応答することになる場合があり、これは、伝送デバイスにおいて干渉が生じる場合があり、また、最終的には、データパケットのドロップ及び／または電力消費の増加につながる場合がある。
【０４３１】
故に、追加的な本開示の態様は、デバイス固有のアドバタイジングを利用することを含む。そのようなアドバタイジングは、多数のデバイスが並行して、またはほぼ並行して分析物センサシステム７０８への接続を試みることによって生じ得る干渉の可能性を低減させる。上で述べたように、そのような干渉は、データパケットのドロップにつながり、したがって、信頼性が低く、効率の低いシステムにつながる場合がある。加えて、デバイス固有のアドレッシングは、デバイス側のスキャンを、接続を試みることができる割り当てられた時間ウインドウ（例えば、図９Ｂを参照して、アドバタイズメント持続時間９３０の時間セグメント９３０ａ）に回すのではなく、デバイスが、分析物センサシステム７０８を無制限にスキャンすること、及びアドバタイズメントメッセージ（例えば、メッセージ８００）において特定のアドレス（例えば、図８を参照して、値８１５ｄを有する動的に構成可能なＭＡＣアドレス）を受信することに応答して接続の確立を試みることを可能にする。この様態で、分析物データ通信システムの全体的な柔軟性、信頼性、及び電力消費を改善することができる。
【０４３２】
これに関して、図７Ｌは、いくつかの事例においてはデバイス固有のアドバタイジングを使用することを含む、分析物センサシステム７０８と例えば表示デバイスデバイス７１０ａ及び７１０ｂとの間で分析物データを無線通信するための方法７２６の実施形態に従って行うことができる種々の動作を例示する、動作フロー図である。いくつかの事例において、表示デバイス７１０ａ及び／または表示デバイス７１０ｂは、分析物表示デバイス１１０及び医療用デバイス１３６等の特定用途向けデバイスとすることができ、またはスマートフォン及び同類のもの等の消費者デバイスとすることもできることが認識されるであろう。
【０４３３】
上で暗に言及したように、分析物センサシステム７０８のＭＡＣアドレスもしくはＢＬＥアドレス、または同類のもの（例えば、図８を参照して、ＭＡＣアドレス８１０ｄ）は、例えば動作７０５ａで、それによって伝送することができるアドバタイズメントメッセージ（例えば、アドバタイズメントメッセージ８００）で表されるように、アドバタイズメントメッセージをスキャンしている他のデバイス（例えば、表示デバイス７１０ａ、７１０ｂ、その他）によって参照されるアドレスに関して構成可能にすることができる。これを行うことができるその１つの方式は、アドバタイズメントメッセージ８００の値８１５ｄのためのスロットにアドレスを動的に書き込むことである。例えば、分析物センサシステム７０８は、医療用デバイス１３６のための第１のＭＡＣアドレス値８１５ｄ、分析物表示デバイス１１０のための第２のアドレスＭＡＣ値８１５ｄ、及び例えばスマートフォンとすることができる表示デバイス７１０ａのための第３のＭＡＣアドレス値８１５ｄを利用することができる。また、多数のデバイスに共通の一般的なＭＡＣアドレスも使用することができる。
【０４３４】
値８１５ｄのフィールド８００ｄのスロット内のデバイス固有のアドレスの伝送によって、多数のデバイスが、アドバタイズメントメッセージ８００を連続的にスキャンし、予期されるアドレス（すなわち、特定の表示デバイス７１０ａ、７１０ｂ、その他に固有のアドレス）を含むそのようなアドバタイズメントメッセージ８００を受信した時点で、分析物センサシステム７０８に接続要求を行うことができる。対照的に、単一のアドレスだけを伝送することによって、スキャンデバイスは、典型的に、単一のデバイスに割り当てられた固有の時間ウインドウに従って、接続要求に応答する。典型的に、常にそうとは限らないが、デバイス固有のアドバタイジングが行われる前に、共通のアドレスを使用した一般的なアドバタイジングを行って、１つまたは２つ以上の表示デバイス７１０ａ、７１０ｂとの接続を確立することができる。本明細書で説明されるように、他のシナリオが可能である。
【０４３５】
追加的な実施形態において、分析物センサ７０８は、単一のデバイス固有のアドレスを利用することができる。この様態においては、例えば、デバイス固有のアドレスが伝送されるときに、対象のデバイスだけが分析物センサシステム７０８への接続要求に応答するので、分析物センサシステム７０８への接続を制御及び／または制限することができる。対象のデバイスへの接続を確立した後に、そのような例示的な実施形態の分析物センサシステム７０８は、以前に使用したデバイス固有のアドレスを消去及び／または削除／交換することができ、また、新しいデバイス固有のアドレスを利用して、新しい対象のデバイスに接続することができる。この様態でデバイス固有のアドバタイジングを使用することで、一度に単一のデバイス（例えば、表示デバイス７１０）との信頼性の高い、専用の、及び／または対象の接続を可能にすることができる。
【０４３６】
図７Ｌを再度参照すると、方法７２６は、時間間隔７２８ａにおいて、動作７０５ａを含む通信セッション７２０等の通信セッション１つまたは２つ以上の態様を実施することができる。動作７０５ａに関して、通信セッション７２０のアドバタイズメント持続時間中に、それに従って送信される１つまたは２つ以上のアドバタイズメントメッセージ（例えば、アドバタイズメントメッセージ８００）は、一般的なアドバタイズメントメッセージとすることができる。換言すれば、動作７０５ａは、分析物センサシステム７０８が表示デバイス７１０ａ及び／または７１０ｂとペアリングされるか、または接続される（及び／またはそのようなデバイスをホワイトリストに入れる）前に行うことができる。このように、動作７０５ａで送信されるアドバタイズメントメッセージに含まれるアドレス８１５ｄは、この事例において、表示デバイス７１０ａ及び７１０ｂ、ならびに任意の他の受信デバイスに共通とすることができる。ここで、本明細書で説明される他の通信セッション（例えば、通信セッション７２５及び／または７３０）を同様に使用して、一般的なアドバタイズメントメッセージが伝送されるこの初期のアドバタイズメントを行うことができることに留意されたい。この通信セッションは、その後の時間間隔中に実施される通信セッションと同じであり得るか、または異なり得る。また、実施形態において、時間間隔７２８ａ（または、任意の他の時間間隔）中に接続を行う任意のデバイスをホワイトリストに入れることができることにも留意されたい。
【０４３７】
時間間隔７２８ａに関しては、多数の結果が起こり得る。第１の結果において、（例えば）動作７０５ａで送信された一般的なアドバタイズメントメッセージ（複数可）は、表示デバイス７１０ａ及び７１０ｂの両方を分析物センサシステム７０８に接続する結果になり得る（例えば、両方のデバイスが、ホワイトリストに入り得る）。例えば、通信セッション７２０中に、表示デバイス７１０ａ及び７１０ｂは、ＭＡＣアドレス値８１５ｄ内に共通のアドレスを含むアドバタイズメントメッセージ８００を受信していることがあり得る。それに応答して、表示デバイス７１０ａ及び７１０ｂは、動作７０５ｂでデータ接続を供給し、許可している場合があり、動作７０５ｃで認証を行っていることがあり得、動作７０５ｄでデータを要求し、受信していることがあり得る。
【０４３８】
このプロセス（すなわち、動作７０５）の一部として、またはそれと関連して、分析物センサシステム７０８は、表示デバイス７１０ａ及び７１０ｂにそれぞれのデバイス固有のアドレスをシグナリングすることができ、また、その後のアドバタイズメント持続時間中に、アドバタイズメントメッセージ８００の値８１５ｄのそれぞれのスロットにこれらのアドレスを書き込むことができる。次いで、例えば、時間間隔７２８ｂ及び７２８ｃと関連して例示されるように、デバイス固有のアドバタイズメントを使用することができ、動作７３５ａで、ＤＤ１  ７１０ａに固有のＭＡＣアドレスを含む１つまたは２つ以上のアドバタイズメントメッセージを送信することができる。時間間隔７２８ｂ及び／または７２８ｃに関して、動作７３５ａで送信されたアドバタイズメントメッセージ（複数可）は、ＤＤ１  ７１０ｂに固有であるように、図７Ｌでラベルが付される。さらに、表示デバイス２（７１０ｂ）は、そのようなアドバタイズメントメッセージがＤＤ１  ７１０ａにアドレッシングされていなので、該メッセージに応答しないことが認識されるであろう。このように、グラフィカル表現のために、動作７３５ａで送信されたアドバタイズメントメッセージ（複数可）は、ＤＤ１  ７１０ａだけによって受信され、ＤＤ２  ７１０ｂによって受信されないように示される。しかしながら、実際には、そのようなメッセージは、典型的に、ブロードキャストまたはマルチキャストされ、ユニキャストされないが、アドレスがＤＤ１  ７１０ａに固有である場合、ＤＤ２  ７１０ｂは、応答しない。
【０４３９】
同様に、例えば、時間間隔７２８ｅと関連して例示されるように、デバイス固有のアドバタイズメントを同じく使用することができ、動作７６５ａで、表示デバイス２（７１０ｂ）（ＤＤ２）に固有のＭＡＣアドレスを含むアドバタイズメントメッセージを送信することができる。時間間隔７２８ｅに関して、動作７６５ａで送信されるアドバタイズメントメッセージは、ＤＤ２  ７１０ｂに固有であるようにラベルが付される。さらに、ＤＤ１  ７１０ａは、そのようなアドバタイズメントメッセージがＤＤ２  ７１０ｂにアドレッシングされていないので、該メッセージに応答しないことが認識されるであろう。このように、グラフィカル表現のために、動作７６５ａで送信されるアドバタイズメントメッセージ（複数可）は、ＤＤ２  ７１０ｂ及びＤＤ１  ７１０ａだけによって受信されるように示される（すなわち、これは、ＤＤ１  ７１０ａから延在する破線の垂直線によって示されるように、時間間隔７２８ｅには存在しないことを意味する）。しかしながら、実際には、そのようなメッセージは、典型的に、ブロードキャストまたはマルチキャストされ、ユニキャストされず、したがって、ＤＤ１  ７１０ａによって受信されるが、アドレスがＤＤ２  ７１０ｂに固有である場合、ＤＤ１  ７１０ａは、応答しない。
【０４４０】
第２の結果において、時間間隔７２８ａ中に、分析物センサシステム７０８は、ＤＤ１  ７１０ａに接続するが、ＤＤ２  ７１０ｂには接続しない（例えば、ＤＤ１  ７１０ａは、ホワイトリストに入り得る）。次いで、例えば、時間間隔７２８ｂと関連して例示されるように、デバイス固有のアドバタイズメントを使用することができ、動作７３５ａで、ＤＤ１  ７１０ａに固有のＭＡＣアドレスを含む１つまたは２つ以上のアドバタイズメントメッセージを送信することができる。このシナリオと関連して用いられる実施形態において、動作７０５ａで送信される一般的なアドレスは、ＤＤ１  ７１０ａに割り当て、そこへのデバイス固有のアドバタイズメントに使用することができ、一方で、別のアドレスは、その後に、一般的なアドバタイジングまたは他の目的で使用することができる。
【０４４１】
加えて、この実施例において、時間間隔７２８ａに続いて、さらなる一般的なアドバタイズメントを、ＤＤ２  ７１０ｂへの接続を試みる際に開始することができる。例えば、時間間隔７２８ｄにおいて、動作７０５ａ´ で、共通のアドレスを含むアドバタイズメントメッセージを送信することができるが、これは、必ずしも必要としないが、時間間隔７２８ａにおいて使用したアドレスと同じとすることができる。時間間隔７２８ｄに関して、動作７０５ａ´ で送信されるアドバタイズメントメッセージ（複数可）は、一般的なものとしてラベルが付される。さらに、ＤＤ１  ７１０ａが分析物センサシステム７０８に既に接続されている（また、ホワイトリストに入っている可能性がある）ので、ＤＤ１  ７１０ａは、いくつかの事例において、そのようなアドバタイズメントメッセージに応答することができないことが認識されるであろう。このように、グラフィカル表現のために、動作７０５ａ´ で送信されるアドバタイズメントメッセージ（複数可）は、ＤＤ２  ７１０ｂ及びＤＤ１  ７１０ａだけによって受信されるように示される（すなわち、これは、ＤＤ１  ７１０ａから延在する破線の垂直線によって示されるように、時間間隔７２８ｄには存在しないことを意味する）。しかしながら、上で説明したように、実際には、そのようなメッセージは、典型的に、ブロードキャストまたはマルチキャストされ、ユニキャストされず、したがって、ＤＤ１  ７１０ａによって受信されるが、ＤＤ１  ７１０ａは、応答しない場合がある。このシナリオと関連して用いられる実施形態において、動作７０５ａ´ で送信される一般的なアドレスは、ＤＤ２  ７１０ｂに割り当て、そこへのデバイス固有のアドバタイズメントに使用することができ、一方で、別のアドレスは、その後に、一般的なアドバタイジングまたは他の目的で使用することができる。
【０４４２】
第３の結果において、時間間隔７２８ａ中に、分析物センサシステム７０８は、ＤＤ１  ７１０ｂに接続するが、ＤＤ２  ７１０ａには接続しない（例えば、ＤＤ２  ７１０ｂは、ホワイトリストに入り得る）。次いで、例えば、時間間隔７２８ｅと関連して例示されるように、デバイス固有のアドバタイズメントを使用することができ、動作７６５ａで、ＤＤ２  ７１０ｂに固有のＭＡＣアドレスを含む１つまたは２つ以上のアドバタイズメントメッセージを送信することができる。このシナリオと関連して用いられる実施形態において、動作７０５ａで送信される一般的なアドレスは、ＤＤ２  ７１０ｂに割り当て、そこへのデバイス固有のアドバタイズメントに使用することができ、一方で、別のアドレスは、その後に、一般的なアドバタイジングまたは他の目的で使用することができる。
【０４４３】
加えて、この実施例において、時間間隔７２８ａ後に、さらなる一般的なアドバタイズメントを、ＤＤ１  ７１０ａへの接続を試みる際に開始することができる。これは、図７Ｌには明確に示されていないが、これに関する１つの例示的な配置は、単に時間間隔７２８ａに示される通信セッションを繰り返すことを含むことができる。すなわち、一例として、動作７０５ａで一般的なアドバタイズメントを送信することは、通信セッション７２０または同類のものに従う。例えば、このシナリオにおいて繰り返される時間間隔７２８ａにおいて、動作７０５ａ´ で、共通のアドレスを含むアドバタイズメントメッセージを送信することができるが、これは、必ずしも必要としないが、時間間隔７２８ａにおいて最初に使用したアドレスと同じとすることができる。繰り返される時間間隔７２８ａに関して、第２のインスタンスにおいて動作７０５ａで送信されたアドバタイズメントメッセージ（複数可）は、一般的なものとしてラベルが付される。しかしながら、ＤＤ２  ７１０ｂが分析物センサシステム７０８に既に接続されている（また、ホワイトリストに入っている可能性がある）ので、ＤＤ２  ７１０ｂは、いくつかの事例において、そのようなアドバタイズメントメッセージに応答することができないことが認識されるであろう。これは、図７Ｌにおいて、必ずしもグラフィカルに表されるとは限らない。上で説明したように、そのようなメッセージは、典型的に、ブロードキャストまたはマルチキャストされ、ユニキャストされず、したがって、ＤＤ２  ７１０ｂによって受信されるが、ＤＤ２  ７１０ｂは、応答しない場合があることにも留意されたい。
【０４４４】
第４の結果において、時間間隔７２８ａ中に、分析物センサシステム７０８は、ＤＤ１  ７１０ａにも、ＤＤ２  ７１０ｂにも接続しない。ここで、さらなる一般的なアドバタイズメントを、ＤＤ１  ７１０ａ及びＤＤ２  ７１０ｂのうちの１つまたは２つ以上への接続を試みる際に開始することができる。これは、例えば、時間間隔７２８ａ（例えば、通信セッション７２０）で使用される通信セッションを繰り返すことを伴うことができる。しかしながら、他の事例においては、異なる通信セッション（例えば、通信セッション７２５、７４０、７６０）を使用することができる。他の事例において、時間間隔７２８ａにおいて使用される通信の態様は、（例えば、図９Ａ〜Ｆと関連して説明されるように）接続を行う可能性を増加させるために、修正または再構成することができる。
【０４４５】
実施形態において、分析物センサシステム７０８は、通信セッション７６０等の通信セッションを通して、ペアリングに関連する情報を受信することができる。通信セッション７６０においては、例えばＮＦＣを使用して情報を交換することができ、これは、分析物センサシステム７０８が、一般的なアドバタイジングを介して（例えば、通信セッション７２０を介して）事前に表示デバイス７１０ａ、７１０ｂに接続することなく、該表示デバイスにデバイス固有のアドバタイズメントメッセージを送信することを可能にすることができる。例えば、表示デバイス１（７１０ａ）またはＤＤ１は、通信セッション７６０に従って、分析物センサシステム７０８とそのような情報を交換することができる。
【０４４６】
このように、通信セッション７６０に続いて、例えば、例示されるように、時間間隔７２８ｂと関連して、デバイス固有のアドバタイズメントを使用することができ、動作７３５ａで、ＤＤ１  ７１０ａに固有のＭＡＣアドレスを含むアドバタイズメントメッセージを送信することができる。時間間隔７２８ｂに関して、動作７３５ａで送信されるアドバタイズメントメッセージは、ＤＤ１  ７２８ｂに固有であるようにラベルが付される。さらに、表示デバイス２（７１０ｂ）は、そのようなアドバタイズメントメッセージがＤＤ１  ７１０ａにアドレッシングされていなので、該メッセージに応答しないことが認識されるであろう。このように、グラフィカル表現のために、動作７３５ａで送信されるアドバタイズメントメッセージ（複数可）は、ＤＤ１  ７２８ｂだけによって受信されるように示される。しかしながら、実際には、そのようなメッセージは、典型的に、ブロードキャストまたはマルチキャストされ、ユニキャストされない。例示的な実現形態において、デバイス固有のアドレスは、分析物センサシステム及び１つまたは２つ以上の表示デバイス７１０ａ、７１０ｂに関して予めプログラムすることができ、したがって、デバイス固有のアドバタイジングを利用する前に、通信セッションをバイパスすることを可能にする。
【０４４７】
上記のシナリオに関して、デバイス固有のアドレスは、１つまたは２つ以上の表示デバイス７１０ａ、７１０ｂ、その他に固有とすることができる。１つまたは２つ以上の表示デバイス７１０ａ、７１０ｂ、その他は、本明細書で説明されるように、パーソナル電子デバイス、医療用デバイス、特定用途向けデバイス、その他を含む、いくつかの異なるカテゴリに及び得る。一例として、パーソナル電子デバイスとしては、スマートフォン、スマートウォッチ、タブレット、コンピュータ、及びテレビ、のうちの１つまたは２つ以上を挙げることができる。一組の表示デバイス７１０ａ、７１０ｂ、その他の１つまたは２つ以上は、分類スキームに従って定義することができる。これに関して、いくつかの事例において、デバイスのグループは、固有のアドレスによって、そのグループに識別することができる。これらのデバイスは、任意に、または様々な基準に基づいてグループ化することができる。例えば、デバイスのグループは、デバイスがウェアラブルか、ポータブルか、または据え付けか、等のデバイスの特性、個人、仕事、または家族用のデバイス等の、デバイスの持ち主、車、オフィス、自宅、仕事以外の関連するデバイス等のデバイスの使用場所、その他に基づいて形成することができる。
【０４４８】
図７Ｌ及びその上の説明を参照すると、デバイスグループを、表示デバイス７１０ａ、７１０ｂ、その他の代わりに使用することができる。例えば、第１のグループの表示デバイス７１０ａからのデバイスが、時間間隔７２８ａ中に分析物センサシステム７０８に接続するが、いかなる第２のグループの表示デバイス７１０ｂも接続していない場合、これは、上で説明した第２の結果に対応することができる。例えば、第１のグループの表示デバイス７１０ａは、消費者デバイス（例えば、スマートフォン、タブレットその他）を含むように定義することができ、一方で、第２のグループの表示デバイス７１０ｂは、特定用途向けデバイス（例えば、分析物表示デバイス１１０）及び医療用デバイス（例えば、医療用デバイス１３６）を含むように定義することができる。デバイスのグループ内では、デバイス固有のアドバタイジングもまた用いることができ−すなわち、グループ固有のアドレス、ならびにグループ内のデバイスに固有のアドレスが存在し得る。
【０４４９】
上で暗に言及したように、１つまたは２つ以上の表示デバイス７１０ａ、７１０ｂ、その他との接続を確立することは、デバイスがホワイトリスト等のリストに入ることになり、該リストは、デバイスが以前に、及び／または最近分析物センサシステム７０８に接続したことを反映する。そのようなリストは、例えば、図３Ｂを参照して、分析物センサシステム３０８の記憶装置３６５において、及び／または表示デバイス３１０（例えば、表示デバイス７１０ａ、７１０ｂ、その他のうちの１つまたは２つ以上の）の記憶装置３２５内で維持することができる。代替的または追加的に、そのようなリストは、図３Ａを参照して、サーバシステム３３４の記憶装置３３４ｂにおいて維持することができる。リストは、例えば、データベースの形態をとることができる。
【０４５０】
次いで、リストを評価して、任意の表示デバイス７１０ａ、７１０ｂ、その他がリストに含まれるかどうかを判定することができる。リストが特定の表示デバイス７１０（例えば、分析物表示デバイス１１０）を含む場合は、アドバタイズメント持続時間（例えば、アドバタイズメント持続時間９３０）の時間セグメント（例えば、図９Ｂを参照して、時間セグメント９３０ａ）を特定の表示デバイス７１０に割り当てることができる。別の表示デバイス７１０（例えば、スマートフォン）がリストに含まれる場合は、時間セグメント（例えば、時間セグメント９３０ｂ）をその表示デバイス７１０に割り当てることができる。この割り当ては、時間セグメント中にディスプレイ固有のアドバタイズメントを使用することによって達成することができる。このように、その後の時間間隔中に、固有のデバイスに割り当てられた時間セグメントについて、デバイス固有のアドバタイジングを使用することができ、よって、各表示デバイス７１０は、特に表示デバイス７１０に割り当てられた時間セグメント内でだけ接続要求を送信することによって、アドバタイズメントメッセージに応答することができる。この手法は、接続要求に関する干渉を低減させること、パケット損失を低減させること、さらには、表示デバイス７１０の分析物センサシステム７０８に成功裏に接続する可能性を高めることを支援することができる。いくつかの事例において、表示デバイス７１０の各グループについて、別々のリストを維持し、クエリを行うことができる。これは、どのデバイス固有のアドレスがアドバタイズメントメッセージに使用されるのかに応じて、時間セグメントの割り当てをオンザフライで生じさせることを可能にする。
【０４５１】
本明細書で説明されるようなディスプレイ固有のアドバタイジングの別の潜在的利点は、上で述べたように、分析物センサシステム７０８に接続している表示デバイス７１０及び他のデバイス（例えば、医療用デバイス１３６）を、接続のためのスキャンに関して、割り当てられた時間スロットに回す必要がないので、再接続を再スケジューリングするのを容易にすることができることである。むしろ、再接続のための再スケジューリングが所望される場合、分析物センサシステム７０８は、単に、対象のデバイスに固有のアドレスを含むアドバタイズメントメッセージを伝送し、そのデバイスからの応答要求を待機することができる。換言すれば、分析物センサシステム７０８は、対象の表示デバイス専用の特定の時間セグメントまで待機して、該表示デバイスにアドバタイズする必要はない。
【０４５２】
これに関して、図７Ｌをさらに参照すると、分析物センサシステム７０８は、実施形態において、表示デバイス７１０ａへの接続の予期しない損失に応答して、表示デバイス７１０ａに固有のアドレスを含む１つまたは２つ以上のアドバタイズメントメッセージを伝送することができる。同様に、分析物センサシステム７０８は、実施形態において、表示デバイス７１０ｂへの接続の予期しない損失に応答して、表示デバイス７１０ｂに固有のアドレスを含む１つまたは２つ以上のアドバタイズメントメッセージを伝送することができる。この手法は、予期せずに損失した接続を再確立するための比較的迅速な再スケジューリングを可能にすることができる。
【０４５３】
いくつかの事例において、１つまたは２つ以上のデバイス固有のアドレスを、（例えば、グループまたは個々のデバイスレベルで）アドバタイズメントメッセージで使用するために利用できる場合、デバイス固有のアドレスは、どのくらいデバイスの選好及び／または性能（例えば、接続時間／成功、信頼性、その他）に同じ影響を及ぼすのかに関することを含む、サービスの質、日時、場所、バッテリ寿命、及び同類のもの等の、１つまたは２つ以上のパラメータに関連する情報に基づいて選択することができる。
【０４５４】
以下、図１５Ａを参照すると、方法７０４、７０６、７１２、７１４、７１６、７１８、７２２、７２４、及び７２６等の種々の方法の特徴の例示的な実現形態が例示される。１つのそのような例示的な実現形態は、分析物データを無線通信するための方法１５００の態様を含む。動作１５０５Ａで、方法１５００は、第１のアドバタイズメント期間中に（例えば、図７Ｌを参照して、時間間隔７２８ａ内に）、分析物センサシステム７０８が、第１のアドレスを含む第１のアドバタイズメントメッセージを伝送することを含む。動作１５０５Ｂで、方法１５００は、分析物センサシステム７０８と分析物表示デバイス（例えば、図１を参照して、分析物表示デバイス１１０、これは、本明細書で、図７Ｌを参照して、ＤＤ１または表示デバイス７１０ａと称することができる）との間の、及び／または分析物センサシステム７０８と１つまたは２つ以上の第２の表示デバイス（例えば、表示デバイス７１０ｂ、これは、例えばスマートフォンとすることができ、ＤＤ２と称することができる）との間の、第１の接続が確立されたかどうかを判定することを含むことができる。例えば、これは、ホワイトリストまたは同類のものにアクセスすることを伴うことができる。第２のアドバタイズメント期間中（例えば、時間間隔７２８ｅ内に）、分析物センサシステム７０８とＤＤ１との間の第１の接続が確立された場合、方法１５００は、動作で１５０５Ｃで、ＤＤ２に固有の第２のアドレスを含む第２のアドバタイズメントメッセージを伝送することを含む。その上、第２のアドバタイズメント期間中に、分析物センサシステム７０８とＤＤ２との間の第２の接続が確立された場合、方法１５００は、動作１５０５Ｄで、ＤＤ１に固有の第３のアドレスを含む第３のアドバタイズメントメッセージを伝送することを含む。
【０４５５】
方法１５００の実施形態は、動作１５０５Ｅで、リストがＤＤ１及び／またはＤＤ２を含むかどうかを判定することを含む。リストがＤＤ１及びＤＤ２を含む場合、方法１５００は、動作１５０５Ｆで、ＤＤ２及び／または他の第２の表示デバイスに、第２のアドバタイズメントメッセージを伝送するための（例えば、時間間隔７２８ｅ内の）第３のアドバタイズメント期間の第１の時間セグメント（例えば、図９Ｄを参照して、時間セグメント９５０ａ）を割り当てることを含むことができる。動作１５０５Ｆに加えて、リストがＤＤ１及びＤＤ２を含む場合、方法１５００は、ＤＤ１に、第３のアドバタイズメントメッセージを伝送するための第３のアドバタイズメント期間の第２の時間セグメント（例えば、図９Ｄを参照して、時間セグメント９５０ｂ）を割り当てることを含むことができる。ここで、図７Ｌの時間間隔７２８ｅは、多数のそれぞれのデバイス固有のアドバタイズメントメッセージが対応するデバイスに送信されていることを明示的に示さないが、同じことが、方法１５００ならびに方法７２６、及び同類のものの態様と関連して企図されることに気付くであろう。すなわち、例えば、図７Ｌに示される各時間間隔７２８ａ〜ｆは、多数の時間セグメント（例えば、図９Ｄを参照されたい）を含むことができる。動作１５０５Ｇで、方法１５００は、ＤＤ１への接続の予期しない損失に応答して、（例えば、動作１５０５Ｄで）分析物センサシステム７０８が、第３のアドバタイズメントメッセージを伝送することを含むことができる。さらに、動作１５０５Ｇは、いくつかの事例において、ＤＤ２または同類のものへの接続の予期しない損失に応答して、（例えば、動作１５０５Ｃで）分析物センサシステム７０８が、第２のアドバタイズメントメッセージを伝送すること伴うことができる。いくつかの事例において、これは、不必要な遅延を伴うことなく、接続解除されたデバイスへの再接続を可能にすることができる。
【０４５６】
動作１５０５Ｈで、方法１５００は、分類スキームに従って、例えばＤＤ２及び同類のもの等の、一組の１つまたは２つ以上の第２の表示デバイスを定義することを含むことができる。この様態で、デバイスに特有のアドバタイズメントメッセージは、分類スキームに従って生成し、伝送することができる。実施形態において、第２のアドレスは、第１の一組の第２の表示デバイスに固有である。実施形態において、第４のアドレスは、第２の一組の第２の表示デバイスに固有である。実施形態において、本開示を研究すれば、当業者に明らかになるように、方法１５００は、動作１５０５Ｊで、第１及び第２の一組の第２の表示デバイスの間で、分析物センサシステム７０８への接続の相対的な質の指示、第１の一組の第２の表示デバイスの場所及び第２の一組の第２の表示デバイスの場所のうちの１つまたは２つ以上に関連する指示、日時に関連する指示、分析物センサシステム７０８のバッテリ寿命に関連する指示、その他、のうちの１つまたは２つ以上に基づいて、伝送するための第２及び第４のアドレスの間で選択することを含むことができる。
【０４５７】
以下、図１５Ｂを参照すると、方法７０４、７０６、７１２、７１４、７１６、７１８、７２２、７２４、及び７２６等の種々の方法の特徴の例示的な実現形態が例示される。１つのそのような例示的な実現形態は、分析物データを無線通信するための方法１５０２の態様を含む。
【０４５８】
動作１５１０Ｂで、方法１５０２は、第１のアドバタイズメント期間中に（例えば、図７Ｌを参照して、時間間隔７２８ｂ及び／または７２８ｅ内で）、分析物センサシステム７０８が、第１及び第２のアドバタイズメントメッセージのうちの１つを伝送することを含む。第１のアドバタイズメントメッセージは、ＤＤ２等の１つまたは２つ以上の表示デバイスに固有の第１のアドレスを含む。第２のアドバタイズメントメッセージは、ＤＤ１（例えば、分析物表示デバイス１１０）に固有の第２のアドレスを含む。動作１５１０Ｂに従って、分析物センサ７０８と１つまたは２つ以上の表示デバイス（例えば、ＤＤ２、その他）の第１の表示デバイスとの間の第１の接続が確立された場合、動作１５１０Ｃで、方法１５０２は、第１のアドバタイズメント期間（例えば、時間間隔７２８ｃ及び／または７２８ｆ）の後の第２のアドバタイズメント期間中に、第２のアドバタイズメントメッセージを伝送することを含む。動作１５１０Ｂに従って、分析物センサ７０８とＤＤ１の間の第２の接続が確立された場合、動作１５１０Ｄで、方法１５０２は、第１のアドバタイズメント期間（例えば、時間間隔７２８ｃ及び／または７２８ｆ）の後の第３のアドバタイズメント期間中に、第１のアドバタイズメントメッセージを伝送することを含む。実施形態において、動作１５１０Ａで、方法１５０２は、第１のアドバタイズメント期間の前に、ＤＤ１及び１つまたは２つ以上の表示デバイス（例えば、ＤＤ２）に関する情報を受信することを含む。
【０４５９】
動作１５０５Ｂで、方法１５００は、分析物センサシステム７０８と分析物表示デバイス（例えば、図１を参照して、分析物表示デバイス１１０、これは、本明細書で、図７Ｌを参照して、ＤＤ１または表示デバイス７１０ａと称することができる）との間の、及び／または分析物センサシステム７０８と１つまたは２つ以上の第２の表示デバイス（例えば、表示デバイス７１０ｂ、これは、例えばスマートフォンとすることができ、ＤＤ２と称することができる）との間の、第１の接続が確立されたかどうかを判定することを含むことができる。例えば、これは、ホワイトリストまたは同類のものにアクセスすることを伴うことができる。第２のアドバタイズメント期間中（例えば、時間間隔７２８ｅ内に）、分析物センサシステム７０８とＤＤ１との間の第１の接続が確立された場合、方法１５００は、動作で１５０５Ｃで、ＤＤ２に固有の第２のアドレスを含む第２のアドバタイズメントメッセージを伝送することを含む。その上、第２のアドバタイズメント期間中に、分析物センサシステム７０８とＤＤ２との間の第２の接続が確立された場合、方法１５００は、動作１５０５Ｄで、ＤＤ１に固有の第３のアドレスを含む第３のアドバタイズメントメッセージを伝送することを含む。
【０４６０】
Ｋ．指示により開始される接続
上で述べたように、いくつかの事例では、別のデバイス（例えば、表示デバイス７１０ｂまたは同類のもの）からの干渉を経験することなく、分析物センサシステム７０８を特定の表示デバイス（例えば、表示デバイス７１０ａ）に接続することが望ましい場合がある。例示の目的で、ここでは図７Ｌからの数字が参照される場合があるが、ここで参照される同じ数字を同様の構成要素が有するかどうかにかかわらず、全体を通してそのような構成要素にこの説明を適用することができることが認識されるであろう。例えば、表示デバイス７１０ａによって獲得されるデータの質、信頼性、またはスループットに基づいて、表示デバイス７１０ａ（例えば、スマートフォン）が、表示デバイス７１０ｂ（例えば、医療用デバイス１３６または分析物表示デバイス１１０）よりも好ましい場合がある。
【０４６１】
このように、分析物センサシステム７０８が排他的に表示デバイス７１０ａに効果的に接続することが望ましい場合がある。それにもかかわらず、分析物センサシステム７０８が、表示デバイス７１０ａ専用になるように効果的に切り替える際に含まれるいくらかの待ち時間が存在する場合がある。いくつかの事例において、例えば、表示デバイス７１０ｂがホワイトリスト等の好ましいデバイスと関連付けることができるリストから削除される前に、遅延が存在する場合がある（例えば、１５分後に、後続のいかなる接続も行われなかった場合、所与のデバイスが、ホワイトリストから外される、またはホワイトリストから削除される場合がある）。この遅延は、獲得されるデータの質を劣化させる場合があり、または任意の事例において、最適な、または好ましい表示デバイス７１０ａが使用されていないため、最良の可能なデータ獲得が生じることを妨げる場合がある。
【０４６２】
これに関して、本開示の態様は、入力起動の直接アドバタイズメントまたは表示切り替え（例えば、追加／除去／その他）を含む。いくつかの事例においてユーザ入力である入力を、間接的または直接的に直接アドバタイズメントを開始すること、及び／または入力（例えば、手動で受信したユーザ入力）を表示デバイス７１０ａ及び７１０ｂの間で切り替えることを可能にすることによって、よりロバストなデータセットを獲得されることができ、さらなる使い易さを達成することができる。これに関して、分析物データを無線通信するための方法が提供される。
【０４６３】
図１０Ａは、本開示の実施形態に従う、分析物データを無線通信するための方法１０００を例示する動作フロー図である。図１０Ａはまた、シーケンス図１００２において、シナリオ１００２ａ、１００２ｂ、及び１００２ｃで、表示デバイス７１０ａ（ＤＤ１）、７１０ｂ（ＤＤ２）、その他のリストが、方法１０００に従って実施することができる例示的な動作において維持することができる方法も例示する。リストは、表示デバイス７１０ａ（ＤＤ１）、７１０ｂ（ＤＤ２）、その他の全体的な選好レベルを反映することができる。例示として、全体的な選好は、１つまたは２つ以上の表示デバイス７１０ａ（ＤＤ１）、７１０ｂ（ＤＤ２）、その他の優先順位付けを含むことができる。例示的な配置において、このリストは、態様において、ホワイトリストとすること、もしくはそれを含むことができ、またはホワイトリストに類似するリストとすること、もしくはそれを含むことができる。例えば、リストは、以前に及び／または最近分析物センサシステム７０８に接続した、１つまたは２つ以上の表示デバイス７１０ａ（ＤＤ１）、７１０ｂ（ＤＤ２）、その他の表現を含むことができる。
【０４６４】
動作１００５で、方法１０００は、１つまたは２つ以上の表示デバイス７１０ａ（ＤＤ１）、７１０ｂ（ＤＤ２）、その他の選好のレベルに関する指示を受信することを含む。指示は、表示デバイス７１０ａ（ＤＤ１）、７１０ｂ（ＤＤ２）、その他上で動作するモバイルアプリケーション（例えば、分析物センサアプリケーション３３０）を介して、ユーザから受信することができる。例えば、図３Ｅを参照して、ＧＵＩ３４５のオプション３１６ｅを使用することで、ユーザは、分析物表示デバイス１１０（例えば、ＤＤ１  ７１０ａとして含むことができる）を専用にすべきかどうかを示すことができる。１つまたは２つ以上のデバイスは、同時に専用にすることができる。代替的または追加的に、ユーザは、図３Ｄ及び３Ｅに示される構成要素の「優先順位」ドロップダウンを選択することによって、表示デバイス７１０ｂの優先順位レベルを選択することができる。選択可能な優先順位オプションを、例えば、より小さい数がより高い優先順位の分類を表す、数値スケール上に提供することができる（図３Ｅに示さず）。代替的または追加的に、指示は、「交換／削除」サブメニュー３１４ｂ及びオプション３１６ｂを通して受信することができ、これは、ユーザが、特定の表示デバイス７１０ａを別のデバイスと交換すること、または表示デバイス７１０ａを完全に削除することを可能にする。実施形態において、指示は、（図３Ｄ及び３Ｅを参照して）ＧＵＩ  ３４５に示される「ホワイトリスト／ブラックリスト」フィールドを通して受信することができ、これは、手動で、デバイスをリストに／から、入れ／削除して、デバイスをブラックリスト（典型的にホワイトリストの逆のものである）に／から、入れ／削除するために使用することができる。
【０４６５】
他の事例において、指示は、１つまたは２つ以上の表示デバイス７１０ａ（ＤＤ１）、７１０ｂ（ＤＤ２）、その他によって生成及び／または維持されるパラメータに関連する情報に基づいて、自動化された様式で生成することができる。例えば、そのような情報は、どのくらいデバイスの選好及び／または性能（例えば、接続時間／成功、信頼性、その他）に同じ影響を及ぼすのかに関することを含む、サービスの質、日時、場所、バッテリ寿命、及び同類のもの等に関連し得る。これに関して、選好レベル（及びそれに関する指示）は、本明細書で説明されるネットワーク及び他の環境条件を補償することができ、ならびに／または必ずしも直接ユーザ入力を必要としないインテリジェントな様式でユーザ選好を補償することができる。例えば、ユーザ選好は、特定の日時中の、特定の場所での、特定のネットワーク状況の下での、特定のバッテリ寿命条件の下での、その他での、特定のデバイスまたはデバイスのグループの使用頻度によって収集することができる。実施形態において、指示は、例えばデバイスの使用状況及び／または選好における傾向もしくはパターンに基づいて生成することができる。そのような傾向は、表示デバイス７１０ａ、７１０ｂ、その他上で動作するアプリケーション３３０によって監視もしくは検出することができて、または分析物センサシステム７０８によって監視もしくは検出することができる。パラメータに関連する情報は、例えば、収集、監視、及び／または分析される、選好を示す、または最適な性能を示すデータとして、経時的に検出／生成することができる。
【０４６６】
シナリオ１００２ａ〜１００２ｃの各々において、動作１００５で、受信した指示は、ＤＤ２  ７１０ｂ及び／またはＤＤ１  ７１０ａに関する選好レベルを示す、例えば、例示される実施例では、ＤＤ２をリストに加えるべきであることを示す傾向がある。シナリオ１００２ａにおいて、動作１００５に対応するインスタンス１００５ａでは、ＤＤ１がリスト（例えば、ホワイトリスト）に含まれ、該リストは、維持することができ、また、表示デバイス７１０ａ（ＤＤ１）、７１０ｂ（ＤＤ２）、その他の全体的な選好レベルを反映することができる。シナリオ１００２ｂにおいて、動作１００５に対応するインスタンス１００５ｂでは、ＤＤ１及びＤＤ２がリストに含まれる。シナリオ１００２ｃにおいて、インスタンス１００５ｃでは、表示デバイス７１０ａ、７１０ｂ、その他のいずれもリストに含まれない。
【０４６７】
選好レベルに関する指示に応答して、方法１０００は、選好をサポートするプロシージャを実施することを含むことができる。方法１０００は、分析物センサシステム７０８が、プロシージャが実施されている旨の指示を含むメッセージを伝送することを含むことができる。そのようなメッセージは、ユーザに提示される通知、例えばポップアップまたはアプリケーション内の通知、または同類のものをトリガーして、維持されているリストに従って、いくつかの事例でユーザの入力に応答することを含むアクションをとることを通信すること（及び／またはそれに確認応答すること）ができる。そのような通知は、ＧＵＩ  ３４５を介して提示することができる。種々の種類のプロシージャを特定の状況に応じて実施することができる。プロシージャを実施することは、いくつかの事例において、好ましい表示デバイス７１０ａ、７１０ｂ、その他のリスト（例えば、ホワイトリスト）のメンテナンスを修正することを含む。修正は、複数の形態をとることができる。
【０４６８】
いくつかの実現形態に従ってメンテナンスリストを修正することは、１つまたは２つ以上の表示デバイス７１０ａ、７１０ｂ、その他をリストに加えることを含む。これに関して、動作１０１０で、例えば、方法１０００は、ＤＤ２  ７１０ｂに関する選好レベルを示す傾向がある（動作１００５で受信した）指示に応答して、ＤＤ２  ７１０ｂをリストに加えることを含むことができる。当然ながら、指示／選好に応じて、ＤＤ１  ７１０ａまたは別のデバイス（複数可）を加えることができる。故に、シナリオ１００２ａにおいて、動作１０１０に対応するインスタンス１０１０ａで、ＤＤ２がリストに加えられ、よって、ＤＤ１及びＤＤ２の両方がリストに含まれる。シナリオ１００２ｂにおいては、ＤＤ１及びＤＤ２の両方が既にリストに含まれているので、インスタンス１０１０ｂに関していかなる変化も生じない。シナリオ１００２ｃにおいては、インスタンス１０１０ｃで、ＤＤ２  ７１０ｂがリストに加えられている。
【０４６９】
いくつかの実現形態に従ってメンテナンスリストを修正することは、リストから１つまたは２つ以上の表示デバイス７１０ａ、７１０ｂ、その他を削除することを含む。これに関して、動作１０１５で、例えば、方法１０００は、ＤＤ２  ７１０ｂ及び／またはＤＤ１  ７１０ａに関する選好レベルを示す傾向がある（動作１００５で受信した）指示に応答して、動作１００５で、リストからＤＤ１  ７１０ａを削除することを含むことができる。当然ながら、指示／選好に応じて、ＤＤ２  ７１０ｂまたは別のデバイス（複数可）を削除することができる。ここで、指示は、専用のデバイスとしてＤＤ２  ７１０ｂを排他的に使用することが好ましい、またはＤＤ１  ７１０ｂを使用しないことが好ましい、とすることができる。故に、シナリオ１００２ａにおいて、動作１０１５に対応するインスタンス１０１５ａで、ＤＤ１  ７１０ａがリストから削除され、よって、ＤＤ２だけがリストに含まれる。同様に、シナリオ１００２ｂにおいて、ＤＤ１  ７１０ａがリストから削除され、よって、ＤＤ２だけがリストに含まれる。シナリオ１００２ｃにおいては、前もってＤＤ１  ７１０ａがリストになかったので、いかなる変化もない。実施形態において、指示は、所定の及び／もしくは構成可能な時間量にわたって、または特定のイベント（例えば、ＮＦＣ、ユーザ入力、その他を介したシグナリングの受信）が生じるまで、ＤＤ１  ７１０ａを削除させることができる。
【０４７０】
上で暗に言及したように、いくつかの実現形態に従ってメンテナンスリストを修正することは、指示がＤＤ２  ７１０ｂ（または、他のデバイス）の選好を示す傾向がある場合であっても、リストからそのようなデバイスを削除することを含む。これに関して、動作１０２０で、例えば、方法１０００は、（動作１００５で受信した）指示がＤＤ２  ７１０ｂに関する選好レベルを示す傾向がある場合であっても、ＤＤ１  ７１０ａを削除することを含むことができる。ここで、専用のデバイスとしてＤＤ２  ７１０ｂを排他的に使用することが好ましくなり得るという指示にもかかわらず、ＤＤ２  ７１０ｂをリストから削除させることができる条件が生じ得る。そのような条件としては、いくつかの例において、イベントの発生を挙げることができる。例えば、これは、デバイスが範囲から外れた場合、スイッチをオフにした場合、特定のバッテリ寿命の量よりも低くなった場合、特定の温度を超えた場合、または他の目的に使用されている場合、ユーザ入力に応答して、所定の時間量の経過に応答して、本明細書で説明される種々のパラメータに応答して、その他に応答して、リストからＤＤ２  ７１０ｂを削除することを伴うことができる。
【０４７１】
故に、シナリオ１００２ａにおいては、動作１０２０に対応するインスタンス１０２０ａで、ＤＤ２  ７１０ｂがリストから削除され、よって、リストが空になる。同様に、シナリオ１００２ｂ及び１００２ｃにおいては、ＤＤ２  ７１０ｂが削除され、よって、リストが空になる。実施形態において、所定の及び／もしくは構成可能な時間量にわたって、または特定のイベント（例えば、ＮＦＣ介して受信するシグナリング、ユーザ入力、その他）が生じるまで、ＤＤ２  ７１０ｂを削除することができる。実施形態において、リストのメンテナンスを修正することは、接続に利用できなくなる１つまたは２つ以上の表示デバイス７１０ａ及び／または７１０ｂ、その他のいずれかを、リストから削除することを可能にすることを含むことができる。これは、そのようなデバイスが、デバイスが他のデバイスよりも好ましいという指示と関連付けられているどうかにかかわらずあてはまる場合があり、また、上で述べた条件またはイベントのうちの１つまたは２つ以上に応答して生じる場合がある。
【０４７２】
方法１０００は、随意に、動作１０２５で、表示デバイス７１０ａ、７１０ｂ、その他がリストに対して加えられた、もしくは削除されたかどうか、及び／またはリストの態様が修正されたかどうかに関連する指示を含むメッセージを伝送することを含む。例示的な配置において、指示は、追加／削除されたデバイス（複数可）または修正によって影響を及ぼされたデバイス（複数可）に送信された追加／削除／修正の通知である。そのような指示または通知は、メッセージとすることができ、及び／またはユーザに提示される通知、例えばポップアップもしくはアプリケーション内の通知、または同類のもの、可聴の指示、感覚の指示、その他をトリガーして、（例えば、いくつかの事例において、ＧＵＩ３４５を介して）ユーザの指示を受信したこと、または単に維持されているリストに従ってアクションをとることを通信することができる。
【０４７３】
図１０Ｂは、本開示の実施形態に従う、分析物データを無線通信するための方法１００４を例示する動作フロー図である。図１０Ｂを参照すると、選好をサポートするプロシージャを実施する具体的な実施例が例示の目的で説明される。いくつかある特徴の中で特に、図１０Ｂは、表示デバイス７１０ａ、７１０ｂ、その他を、上で述べた理由への追加的な理由で、リストから削除することができることを例示する。そのような他の理由に関して、一例として、ユーザは、新しい電話を受信したので、古い電話を新しい電話と交換することを望み得る。
【０４７４】
このように、ユーザは、（例えば、図３Ｂ、３Ｄ、及び３Ｅを参照して、ＧＵＩ３４５を介して）手動での入力を通して、リストから古い電話を削除し、新しい電話をリストに加えることができる。故に、いくつかの事例において、また、上で述べたようにリストのメンテナンスを修正することはまた（または代替的に）、受信した指示に従って、１つまたは２つ以上の表示デバイス７１０ａ、７１０ｂ、その他をリストに加えることを含む。そのような事例において、方法１００４は、随意に、リストが修正されていたことを示す、及び／または修正の性質を示すメッセージまたは通知を伝送することを含む。ここで、通知は、方法１０００と関連して上で説明したものに類似してトリガーすることができる。デバイスは、ユーザが新しいデバイスを取得することに加えて、多くの異なるシナリオにおいて加えることができることに留意されたい。
【０４７５】
図１０Ｂを参照すると、より具体的には表示デバイスを削除及び追加するためのプロシージャを含む、選好をサポートするプロシージャを実施する具体的な実施例が例示の目的で説明される。それでもやはり、この特定の実施例の説明によって種々の変形例が包含されることが認識されるであろう。図１０Ｂはまた、シーケンス図１００６において、シナリオ１００６ａ、１００６ｂ、及び１００６ｃで、表示デバイス７１０ａ（ＤＤ１）、７１０ｂ（ＤＤ２）、その他のリストが、方法１００４に従って実施することができる例示的な動作において維持することができる方法も例示する。
【０４７６】
動作１０３０で、方法１００４は、例えば表示デバイス７１０ａから新しいデバイス（この実施例では、表示デバイス７１０ｂとは異なるデバイス）への切り替えに関する命令を受信することを含むことができる。これは、様々な方式で行うことができる。例えば、ユーザは、新しい電話（新しいデバイス）と古い電話（表示デバイス７１０ａ）とを交換することを望む場合がある。故に、方法１００４は、リストから古い電話を削除することを含むことができる。ユーザは、動作から古い電話（表示デバイス７１０ａ）を削除すること、または新しい電話と古い電話とを交換することに関連する入力を提供することができる。いくつかの事例において、これは、古い電話（表示デバイス７１０ａ）、新しい電話、または別の表示デバイス（例えば、タブレットまたは同類のもの、分析物表示デバイス１１０、その他）に提示されるＧＵＩ３４５を使用して行われる。
【０４７７】
図３Ｄを参照すると、ユーザは、例えば、表示デバイスマネージャをナビゲートし、インターフェースモジュール３９０ａ内で、デバイスの「交換／削除」に対応する構成メニュー３９５を選択することができる。図３Ｅを参照すると、次いで、ユーザの選択がサブメニュー３１４ｂをトリガーすることができ、該サブメニューは、ＤＤ１  ７１０ａと別の表示デバイスＤＤ３、または「他のデバイス」とを交換するためのオプション、または代替的に、リストからＤＤ１  ７１０ａを削除するためのオプションを表示する。「他のデバイス」は、ＤＤ１  ７１０ａが存在するデバイスを走査し、識別することによって識別することができ、また、分析物センサシステム７０８への接続を形成することが可能であり得る。また、図３Ｅに関して、オプション３１４ｂは、分析物表示デバイスに対応するが、例示する概念は、オプション３１４ｂがＤＤ１  ３９０ａにも同様に対応することができることも認識されるであろう。いくつかの事例では、ユーザ入力に基づくのではなく、図１０Ａを参照して説明される指示の生成に類似して、命令をインテリジェントに生成することができる。例えば、命令は、上で説明したパラメータに関連する情報に基づくことができる。
【０４７８】
命令を受信することに応答して、動作１０３５で、方法１００４は、いくつかの事例において、リストを修正することができるように、分析物センサシステム７０８に命令を送信することを含むことができる。遠隔デバイス（例えば、表示デバイス７１０ａ、７１０ｂ、その他、のうちの１つ）において命令を受信する場合、この送信は、リアルタイムもしくはほぼリアルタイムで、またはその後の分析物センサシステム７０８への接続中に行うことができる。命令を受信した後に、方法１００４は、動作１０３５で、命令に応答して、リストから古い電話（ＤＤ１  ７１０ａ）を削除することを含むことができる。図１０Ｂに示されるように、シナリオ１００６ａにおいて、動作１０３０に対応するインスタンス１０３０ａでは、ＤＤ１  ７１０ａがリストに存在する。インスタンス１０３５ａで、ＤＤ１  ７１０ａがリストから削除され、したがって、リストは空になる。シナリオ１００６ｂにおいて、インスタンス１０３０ｂでは、ＤＤ１  ７１０ａ及びＤＤ２  ７１０ｂがリストに存在する。インスタンス１０３５ｂで、ＤＤ１  ７１０ａがリストから削除され、ＤＤ２  ７１０ｂが該リストに残る。
【０４７９】
動作１０４０で、方法１００４は、随意に、ＤＤ１  ７１０ａ及び／または他のデバイスに削除通知を送信することを含む。例えば、次いで、分析物センサシステム７０８は、そのような通知を送信して、（動作１０３０及び１０３５で）命令を受信し、成功裏に処理した旨の確認応答を行うことができる。削除通知（または、いくつかの事例において、肯定応答メッセージ）を受信すると、ＤＤ１  ７１０ａ及び／または他のデバイスのＧＵＩ３４５または他の機構は、古い電話がリストから成功裏に削除され、新しい電話（ＤＤ３）を古い電話（ＤＤ１  ７１０ａ）の代わりにリストに加えることができることをユーザに示すことができる。この通知は、動作１０２５に関して上参照したように、視覚、音声、または感覚刺激によってユーザに提示することができる。動作１０４０は、リストを修正しないので、インスタンス１０４０ａ及び１０４０ｂにおいて示されるリストは、インスタンス１０３５ａ及び１０３５ｂにおいて示されるリストと同じである。方法１００４は、動作１０４５で、ＤＤ３にアドバタイジングすること、及び接続すること、のうちの１つまたは２つ以上を含むことができる。これは、本明細書で図７Ａ〜７Ｌ、図８、及び図９Ａ〜９Ｆを参照して説明されるように、種々の通信セッション７２０、７２５、７４０、７８０、及び／または方法７２６に従って行うことができる。図１０Ｂに示されるように、動作１０４５で生じるＤＤ３へのアドバタイズメント／接続の結果として、インスタンス１０４５ａ及び１０４５ｂで、ＤＤ３は、リストに加えられ、シナリオ１００６ａ及び１００６ｂの両方において該リストに存在する（ここでは、ＤＤ２  ７１０ｂもリストに存在する）。
【０４８０】
方法１０００及び１００４を参照すると、図１０Ａ及び１０Ｂに示され、該図とともに説明されるように、いくつかの例示的な事例で、選好をサポートするプロシージャを実施することは、分析物センサシステム７０８が、指示に従って、１つまたは２つ以上の表示デバイス７１０ａ、７１０ｂ、その他、のうちの少なくとも１つに固有のアドレスを含むアドバタイズメントメッセージを伝送することを含むことができる。これは、上で論じたデバイス固有のアドバタイズメント技法のうちの１つまたは２つ以上を利用することを伴うことができる。プロシージャを実施することは、実施形態において、分析物センサシステム７０８が、指示に従って、表示デバイス７１０ａ、７１０ｂ、その他の各々について（または、１つまたは２つ以上のそのようなデバイスのグループについて）、表示デバイスに固有の（または、グループに固有の）アドバタイズメントメッセージを伝送することを含む。
【０４８１】
この様態で、優先順位付けスキームは、分析物センサシステム７０８によって送信されるアドバタイズメントメッセージにおいて実施し、シグナリングすることができる。そのようないくつかの事例において、プロシージャを実施することは、１つまたは２つ以上の表示デバイス７１０ａ、７１０ｂ、その他の各々について、分析物センサシステム７０８が、種々のデバイスに関する優先順位付けスキームに基づく順序で、表示デバイスに固有のアドバタイズメントメッセージを伝送することを含む。例示として、優先順位付けは、例えば、ユーザが（図３Ｄ及び３Ｅを参照して）ＧＵＩ３４５に示される「優先順位」フィールドと相互作用することによって受信した指示を通して、または、本明細書で説明されるように、パラメータに関連する情報を通してより自動的／インテリジェントに確立することができる。これに関して、例えば、種々の表示デバイス７１０ａ、７１０ｂ、その他にアドバタイズするために使用される（図９Ａ〜９Ｆを参照して）アドバタイズメント持続時間構造の態様は、優先順位付けスキームに基づいて変動させることができる。実施形態において、ユーザは、例えば（図３Ｄ及び３Ｅを参照して）ＧＵＩ３４５に示される「選好」フィールドにアクセスすることによって、代替的または追加的に、デバイス固有のアドバタイズメントを手動で開始することができる。実施形態において、これは、例えば、ユーザが、（図３Ｄ及び３Ｅを参照して）ＧＵＩ３４５に示される「ホワイトリスト／ブラックリスト」フィールドにアクセスすることによって行うことができる。
【０４８２】
以下、図１６Ａを参照すると、方法７０４、７０６、７１２、７１４、７１６、７１８、７２２、７２４、７２６、１０００、及び１００４等の種々の方法の特徴の例示的な実現形態が例示される。１つのそのような例示的な実現形態は、分析物データを無線通信するための方法１６００の態様を含む。動作１６０５Ａで、方法１６００は、分析物センサシステム７０８に接続することが可能な複数の表示デバイスのうちの１つまたは２つ以上の選好レベルに関する指示を受信することを含む。実施形態において、指示は、分析物センサシステム７０８によって受信される。実施形態において、指示は、表示デバイスのうちの１つまたは２つ以上によって受信される。そのような表示デバイスとしては、例えば、（図１を参照して）分析物表示デバイス１１０、図１に示される他のデバイスのうちのいずれか（例えば、医療用デバイス１３６、サーバシステム１３４、及びＷＡＰ１３８を含む）、表示デバイス７１０、その他を挙げることができる。
【０４８３】
動作１６０５Ｂで、方法１６００は、選好をサポートするプロシージャを開始することを含むことができる。一例として、動作１６０５Ｂは、分析物センサシステム７０８及び／または表示デバイスのいずれかによって実行することができる。指示を、モバイルデバイスによって提示されるＧＵＩ３４０を介してユーザ入力の形態で受信する場合、例えば、動作１６０５Ｂは、プロシージャを開始するために、モバイルデバイス（例えば、そのトランシーバ／プロセッサ）が、ルーチンをトリガーすること、メッセージを送信すること、本明細書で説明される追加的な動作を行うこと、その他を行うことを伴うことができる。指示を、（例えば、ユーザ入力の結果としてモバイルデバイスによって送信された）メッセージの形態で分析物センサシステム７０８において受信する場合、動作１６０５Ｂは、プロシージャを開始するために、分析物センサシステム７０８が、ルーチンをトリガーすること、メッセージを送信すること、本明細書で説明される追加的な動作を行うこと、その他を行うことを伴うことができる。
【０４８４】
動作１６０５Ｃで、動作１６０５Ａで受信した指示に応答して、方法１６００は、選好をサポートするプロシージャを実施することを含む。例示的な実現形態において、動作１６０５Ｃは、分析物センサシステム７０８及び／または表示デバイスのうちの１つまたは２つ以上によって実行される。動作１６０５Ｃで、動作１６０５Ａで受信した指示に応答して、方法１６００は、選好をサポートするプロシージャを実施することを含む。動作１６０５Ｃは、動作１６０５Ｃは、分析物センサシステム７０８及び／または表示デバイスのうちの１つまたは２つ以上によって実行される。動作１６０５Ｄで、方法１６００は、プロシージャが実施されている旨の指示を含むメッセージを伝送することを含むことができる。実施することができるプロシージャの例としては、図１０Ａ及び１０Ｂを参照して上で説明したものが挙げられる。
【０４８５】
以下、図１６Ｂを参照すると、動作１６０５Ｃの例示的な実施形態−指示に応答して、選好をサポートするプロシージャを実施する−が例示される。動作１６１０Ａは、例えば、１つまたは２つ以上の表示デバイスの全体的な選好レベルのリストのメンテナンスを修正することを含む。動作１６０５Ｃの例示的な実現形態において、動作１６１０Ｂで、リストのメンテナンスを修正することは、１つまたは２つ以上の表示デバイスをリストに保持することを含むことができる。代替的または追加的に、動作１６１０Ｂで、リストのメンテナンスを修正することは、指示に従って、表示デバイスのうちの１つまたは２つ以上をリストに加えることを含むことができる。
【０４８６】
動作１６０５Ｃの実施形態において、動作１６１０Ｃで、例えば表示デバイスが接続に利用できなくなる場合、リストのメンテナンスを修正することは、表示デバイスのうちのいずれかをリストから削除することを可能にすることを含むことができる。代替的または追加的に、動作１６１０Ｃで、リストのメンテナンスを修正することは、指示に従って、表示デバイスのうちの１つまたは２つ以上をリストから削除することを含むことができる。動作１６１０Ｄで、動作１６０５Ｃは、１つまたは２つ以上の表示デバイスがリストに加えられた、またはリストから削除された旨の指示を含むメッセージを伝送することを含むことができる。リストは、表示デバイスが分析物センサシステム７０８に以前に接続したかどうかを反映することができる。例えば、リストは、ホワイトリストとすることができる。
【０４８７】
動作１６１０Ｅで、動作１６０５Ｃは、分析物センサシステム７０８が、（例えば、動作１６１０Ｂ、１６１０Ｃで）リストに加えられた、そこに維持される、そこから削除された、及び／またはリストから削除することを可能にした表示デバイスのうちの１つまたは２つ以上に固有のアドバタイズメントメッセージを伝送することを含むことができる。代替的または追加的に、動作１６１０Ｅは、選好に従って、表示デバイスのうちの１つまたは２つ以上に固有のアドバタイズメントメッセージを伝送することを伴うことができる。実施形態において、選好は、表示デバイスの優先順位付けを含む。いくつかのそのような実施形態において、動作１６１０Ｅは、優先順位付けに基づく構成を使用して、及び／または優先順位付けに基づく順序で、表示デバイスのうちの１つまたは２つ以上に固有のアドバタイズメントメッセージを伝送することを伴うことができる。
【０４８８】
Ｌ．セットアップ時間の低減
分析物データの無線通信に関して、特定の状況においては、分析物センサシステム３０８を１つまたは２つ以上の表示デバイス３１０ａ、３１０ｂ、その他に接続することと関係するセットアップ時間が存在し得る。ここで、図３Ｃ及びいくつかの事例では図７Ａ〜７Ｌからの数字のいくつかを参照するが、ここで参照される同じ数字を同様の構成要素が有するかどうかにかかわらず、全体を通してそのような構成要素にこの説明を適用することができることが認識されるであろう。
【０４８９】
いくつかの事例において、表示デバイス３１０ａは、分析物センサシステム３０８に接続するように既に構成されている場合がある。例えば、表示デバイス３１０ａは、（１）ＷｉＦｉパスワード及び他の設定、（２）分析物センサシステム７０８の識別情報（例えば、該システムと関連付けられた識別番号を含む）、（３）分析物センサシステム７０８で測定したときの、分析物レベルに関連するアラート設定、またはそれに関連する傾向、（４）以前に測定した分析物データ値のアーカイブ及び／またはそれに関連する履歴情報、（５）今度の伝送に関するスケジュール情報、（６）現在の分析物値、例えば現在の推定グルコース値（ＥＧＶ）、（７）測定されている分析物の値またはその傾向に基づくアクティブアラートに関する情報、（８）較正データ、（９）アプリケーション鍵に関する情報、暗号化スキーム、アプリケーション鍵に適用される修正、または種々の種類のデータ／デバイスのセキュリティレベルに関する情報、その他等の、一組の情報によってセットアップされている場合がある。このセットアップは、第１の無線プロトコル（例えば、ＢＬＥ）を使用して、（例えば、通信セッション７２０を使用して）通信媒体３０５ａを通じて確立された接続中に生じている場合がある。そのような一組の情報または情報のサブセットは、分析物センサシステム７０８において（例えば、図３Ｂを参照して、記憶装置３６５に）記憶することができ、また、使用される通信セッションの一部として表示デバイス３１０ａと交換することができる。
【０４９０】
表示デバイス３１０ｂへの新しい接続を形成すると、またはいくつかの事例では、該表示デバイスへの接続を初めて確立すると、分析物センサシステム３０８は、例えば（図７Ａを参照して）通信セッション７２０を使用して、表示デバイス３１０ｂに上で説明した一組の情報または情報のサブセットを伝送することができる。この伝送には通信媒体３０５ａを使用することができる。しかしながら、この手法による１つの課題は、この一組の情報または情報のサブセットの伝送に時間がかかること、及び測定されている分析物値の伝送におけるずれのためパケット損失に至る場合があることである。例えば、情報を転送することは、別の場合に分析物値の伝送に使用される１つまたは２つ以上の伝送スロットを通じて生じさせることができる。そのような伝送はまた、典型的に、電力の消費も含む。したがって、そのような情報を転送するために使用される伝送の時間及び／または数を低減させることが有益であり得る。
【０４９１】
故に、さらなる本開示の態様は、代替の無線プロトコルを使用して、接続関連のデータを伝送し、したがって、分析物センサシステムに表示デバイスを接続するためのセットアップ時間を低減させることを含む。セットアップ時間を低減させることに加えて、上で述べたように、代替の無線プロトコルを使用して接続関連のデータを転送することはまた、電力の消費を低減させること、及びデータ取り込みに関する信頼性ならびにロバスト性を高めることもできる。これに関して、分析物データを無線通信するための技法、方法、及びシステムが提供される。
【０４９２】
１つのそのような方法は、第１の無線プロトコルを介して（例えば、通信媒体３０５ａを通じて）、析物センサシステム３０８と表示デバイス３１０ａとの間で、分析物感覚のシステム３０８との接続に関連する情報を交換することを含む。例えば、本方法は、第１の無線プロトコルを介して、分析物センサシステム３０８と表示デバイス３１０ａの間の接続を確立することを含むことができる。その後に、本方法は、分析物センサシステム３０８から表示デバイス３１０ａに、接続に関する情報を転送することを含むことができる。第１の無線プロトコルは、例えば、ＢＬＥまたは任意の他の無線プロトコルとすることができる。この交換、接続、及び／または転送は、上で説明した双方向認証プロトコルの態様を使用して−例えば通信セッション７２０を使用して−達成することができる。この様態で、表示デバイス７１０ａは、上で説明した一組の情報等の、分析物センサシステム３０８との接続に関連する情報を（例えば、図３Ｂを参照して、記憶装置３２５に）記憶することができる。
【０４９３】
本方法はまた、表示デバイス３１０ｂを、（例えば、通信媒体３０５ｂを使用して）第２の無線プロトコルを介して、表示デバイス３１０ａに接続することも含むことができる。一例として、第２の無線プロトコルは、ＮＦＣまたはＷｉＦｉとすることができ、または任意の他の無線プロトコルとすることができる。加えて、本方法は、第２の無線プロトコルを使用して、表示デバイス３１０ａから表示デバイス３１０ｂに、分析物センサシステム３０８との接続に関連する情報の少なくとも一部を転送することを含むことができる。ＮＦＣは、比較的迅速に、かつより少ないステップで情報を転送するために使用することができるので、第１の無線プロファイルがＢＬＥである場合に、第２の無線プロトコルにＮＦＣを使用することは、利点を提供することができる。例えば、情報を伝送するために、伝送間隔を待機することが必要でない場合がある。むしろ、情報は、少なくともほぼリアルタイムで交換することができる。さらに、この技法は、分析物センサシステム３０８によって使用され得る伝送の数を低減させることができるという点で有益であり得る。これは、いくつかの実現形態において、分析物センサシステム３０８が厳しい電力消費要件を受けるといった理由から有益であり得る。
【０４９４】
この様態で、情報は、ＢＬＥを使用して分析物センサシステム３０８から表示デバイス３１０ｂに同じ情報を転送することと比較して、例えばＮＦＣを使用してデバイスの間でより迅速に転送することができ、分析物センサシステム３０８の電力の流出を低減させることができる。次に、表示デバイス３１０ｂは、分析物センサシステム３０８からより迅速かつ効率的にセットアップし、分析物値を受信し始めることができ、したがって、潜在的にデータ取り込みのずれを低減させる。上で述べたように、ＷｉＦｉもまた第２の無線プロトコルとして使用することができ、この状況においては、ＮＦＣと比較して長所及び短所がある。例えば、ＷｉＦｉは、ＮＦＣよりも低い範囲制限で使用することができるが、いくつかの事例においては、あまりセキュアでない場合がある。代替的または追加的に、限定されないが本明細書で通信媒体３０５または他のものを参照して説明されるプロトコル等の、ＲＦＩＤ、ＺｉｇＢｅｅ、及び／もしくは非ライセンス帯域、または他のプロトコルもまた、これらの目的に使用することができる。
【０４９５】
実施形態において、本方法は、第１の無線プロトコル（例えば、ＢＬＥ）及び（例えば、ＮＦＣを使用して）表示デバイス３１０ａから転送された情報の少なくとも一部を使用して、表示デバイス３１０ｂを分析物センサシステム３０８に接続して、分析物センサシステム３０８から分析物データを受信することを含む。これは、例えば、表示デバイス３１０ｂが、第２の無線プロトコルを使用して表示デバイス３１０ａから表示デバイス３１０ｂへ転送したアプリケーション鍵及び／または暗号化スキームに関する情報を使用して、受信した分析物値を解読することを含むことができる。同様に、トランスミッタ識別番号及び他の情報もまた使用することができる。さらに例示すると、（表示デバイス３１０ａから受信するような）以前の分析物値及びその傾向に関する履歴データは、表示デバイス３１０ｂによって使用して、セッションをバックフィルすることができ、よって、分析物値のよりロバストな履歴が表示デバイス３１０ｂにおいて提供される。
【０４９６】
別のそのような方法は、第１の無線プロトコルを介して（例えば、通信媒体３０５ａを使用して）、分析物センサシステム３０８と表示デバイス３１０ａの間の接続を確立することを含む。本方法はまた、分析物センサシステム３０８が、分析物センサシステム３０８との接続に関連する情報を表示デバイス３１０ａに転送することを含むことができる。よって、これらの動作は、上で説明した動作と実質的に類似し得る。加えて、本方法は、（例えば、通信媒体３０５ａを使用して）第１の無線プロトコルを介して、分析物センサシステム３０８を表示デバイス３１０ｂに接続することを含むことができる。第２の無線プロトコルを介して（例えば、通信媒体３０５ｂを使用して）、表示デバイス３１０ｂから情報の少なくとも一部を受信した場合、このペアリングは、分析物センサシステム３０８との接続に関連する情報の少なくとも一部を使用して容易にすることができる。故に、接続プロセスは、合理化することができ、及び／またはより効率的にすることができる。第１の無線プロトコルは、ＢＬＥとすることができ、第２の無線プロトコルは、ＮＦＣまたはＷｉＦｉとすることができる。
【０４９７】
上の方法に関して、第２の無線プロトコルはまた、表示デバイス３１０ａ及び３１０ｂ全体にわたってデータを同期することができるように、通信媒体３０５ｂを通じてデータを交換するために使用することもできる。これは、例えば、表示デバイス３１０ａにおいてトリガーしたアラートを表示デバイス３１０ｂに適用すること、またはその逆に適用することを伴うことができる。同様に、表示デバイス３１０ａにおいてアラートがクリアされた場合は、その結果として、同期によって、表示デバイス３１０ｂにおいてアラートをクリアすることを可能にすることができる。その上、一方のデバイスで入力されたユーザ選好もまた、（例えば、通信媒体３０５ｂを介して）第２の無線プロトコルを使用して、もう一方のデバイスに通信することができる。第２の無線プロトコルを使用してデバイス全体にわたって同期させることができる追加的な情報としては、どのくらいデバイスの選好に同じ影響を及ぼすのかに関することを含む、アプリケーション鍵もしくは暗号化スキームの更新／修正に関連する情報、ユーザ固有の情報、ならびにサービスの質、日時、場所、及び同類のもの等のパラメータに関連する情報を挙げることができる。
【０４９８】
Ｍ．追加的な実施形態
当業者は、本開示を研究すれば、本明細書で明示的に説明されない種々の追加的な実施形態が本開示の趣旨及び範囲の範囲内にあることを認識するであろう。
【０４９９】
図１１は、いくつかの事例において（例えば、サーバシステム３３４と関連して）コンピュータシステム常駐のプロセッサ／マイクロプロセッサ／コントローラ、本明細書で説明される表示デバイスのいずれか（例えば、表示デバイス１２０、１３０、１４０、３１０（ａ、ｂ）（７１０（ａ、ｂ）、ならびに分析物表示デバイス１１０及び医療用デバイス１３６）、及び／または分析物センサシステム８、３０８、７０８、その他、を含むことができる、例示的なコンピューティングモジュール１１００を例示する。コンピューティングモジュール１１００は、本明細書で開示されるシステム、デバイス、装置、及び方法の実施形態の種々の特徴及び／または機能を実施するために使用することができる。分析物センサシステム７０８、分析物表示デバイス１１０、表示デバイス７１０ａ、７１０ｂ、その他、サーバシステム３３４及びその構成要素、その他、の実施形態を含む、本開示の種々の図を参照して説明されるシステム、デバイス、装置、及び方法の文脈で本明細書に記載される、上で説明した実施形態に関して、当業者は、コンピューティングモジュール１１００によって実行することができるこれらの実施形態の機能に関する追加的な変形例及び詳細を認識するであろう。これに関して、本明細書で説明される種々の実施形態（例えば、システム、デバイス、及び／または装置、ならびに同類のもの）の特徴及び態様は、本開示の趣旨を逸脱しない範囲で、本明細書で説明される他の実施形態（例えば、方法、プロセス、及び／または動作、ならびに同類のもの）に関して実施することができることも当業者によって認識されるであろう。
【０５００】
本明細書で使用される場合、モジュールという用語は、本出願の１つまたは２つ以上の実施形態に従って行うことができる所与の機能ユニットを説明することができる。本明細書で使用される場合、モジュールは、任意の形態のハードウェア、ソフトウェア、またはこれらの組み合わせを利用して実施することができる。例えば、あるモジュールを形成するために、１つまたは２つ以上のプロセッサ、コントローラ、ＡＳＩＣ、ＰＬＡ、ＰＡＬ、ＣＰＬＤ、ＦＰＧＡ、論理コンポーネント、ソフトウェアルーチン、または他の機構を実装することができる。実現形態において、本明細書で説明される種々のモジュールは、離散したモジュールとして実装することができ、または説明される機能及び特徴は、１つまたは２つ以上のモジュールの間で部分的に、または全体的に共有することができる。換言すれば、この説明を読み込んだ後に、当業者には明らかなように、本明細書で説明される種々の特徴及び機能は、任意の所与のアプリケーションにおいて実施することができ、また、種々の組み合わせ及び順列で１つまたは２つ以上の別々または共有のモジュールで実施することができる。種々の特徴または機能の要素が別々のモジュールとして個別に説明または特許請求することができる場合であっても、当業者は、これらの特徴及び機能を１つまたは２つ以上の共通のソフトウェア及びハードウェア要素の間で共有することができ、また、そのような説明は、そのような特徴または機能を実施するために別々のハードウェアまたはソフトウェア構成要素を使用することを必要としない、または含意しないことを理解するであろう。
【０５０１】
アプリケーションの構成要素またはモジュールが全体的または部分的にソフトウェアを使用して実施される場合、１つの実施形態において、これらのソフトウェア要素は、本件に関して説明される機能を実行することが可能なコンピューティングまたは処理モジュールで動作するように実施することができる。１つのそのような例示的なコンピューティングモジュールが図１１に示される。種々の実施形態は、例示的なコンピューティングモジュール１１００に関して説明される。本説明を読み込んだ後に、当業者には、他のコンピューティングモジュールまたはアーキテクチャを使用してアプリケーションを実施する方法が明らかになるであろう。
【０５０２】
以下、図１１を参照すると、コンピューティングモジュール１１００は、例えば、メインフレーム、スーパーコンピュータ、ワークステーション、またはサーバ、デスクトップ、ラップトップ、ノートブック、またはタブレットコンピュータ、ハンドヘルドコンピューティングデバイス（タブレット、ＰＤＡ、スマートフォン、携帯電話、パームトップ、その他）、コンピューティングモジュール１１００が特に意図されるアプリケーション及び／または環境に依存する他の表示デバイス、特定用途向けデバイス、または他の電子デバイス、及び同類のもの、に見いだされるコンピューティングまたは処理能力を表すことができる。
【０５０３】
コンピューティングモジュール１１００は、例えば、プロセッサ１１１０等の１つまたは２つ以上のプロセッサ、マイクロプロセッサ、コントローラ、制御モジュール、または他の処理デバイス、及び回路１１０５に含むことができるもの等を含むことができる。プロセッサ１１１０は、例えばマイクロプロセッサ、コントローラ、または他の制御論理等の、専用エンジンを使用して実施することができる。例示される実施例において、プロセッサ１１１０は、回路１１０５を経由してバス１１５５に接続されるが、任意の通信媒体を使用して、コンピューティングモジュール１１００の他の構成要素との相互作用を容易にすること、または外部と通信することができる。
【０５０４】
コンピューティングモジュール１１００はまた、本明細書では単純にメモリ１１１５と称される、１つまたは２つ以上のメモリモジュールを含むことができる。例えば、情報及びプロセッサ１１１０または回路１１０５によって実行される命令を記憶するために、ランダムアクセスメモリ（ＲＡＭ）または他のダイナミックメモリを使用することができる。メインメモリ１１１５はまた、プロセッサ１１１０または回路１１０５によって実行されるべき命令の実行中に、一時的な変数または他の中間情報を記憶するために使用することもできる。コンピューティングモジュール１１００は、同様に、プロセッサ１１１０または回路１１０５のための静的な情報及び命令を記憶するための、バス１１５５に結合されたリードオンリーメモリ（ＲＯＭ）または他の静的記憶デバイスを含むことができる。
【０５０５】
コンピューティングモジュール１１００はまた、例えばメディアドライブ１１３０及びドライブユニットインターフェース１１３５を含むことができる、１つまたは２つ以上の種々の形態の情報記憶デバイス１１２０も含むことができる。メディアドライブ１１３０は、固定または取り外し可能な記憶媒体１１２５をサポートするために、ドライブまたは他の機構を含むことができる。例えば、ハードディスクドライブ、フロッピーディスクドライブ、磁気テープドライブ、光ディスクドライブ、ＣＤ、またはＤＶＤドライブ（ＲまたはＲＷ）、または他の取り外し可能なもしくは固定メディアドライブを提供することができる。故に、取り外し可能な記憶媒体１１２５としては、例えば、メディアドライブ１１３０による読み取り、書き込み、またはアクセスが行われる、ハードディスク、フロッピーディスク、磁気テープ、カートリッジ、光ディスク、ＣＤもしくはＤＶＤ、または他の固定または取り外し可能な媒体を挙げることができる。これらの例が例示するように、取り外し可能な記憶媒体１１２５としては、その中にコンピュータソフトウェアまたはデータを記憶したコンピュータ使用可能記憶媒体を挙げることができる。
【０５０６】
代替の実施形態において、情報記憶デバイス１１２０は、コンピュータプログラムまたは他の命令もしくはデータをコンピューティングモジュール１１００にロードすることを可能にするための、他の類似する手段を含むことができる。そのような手段は、例えば、固定または取り外し可能な記憶ユニット１１４０と、記憶ユニットインターフェース１１３５と、を含むことができる。そのような取り外し可能な記憶ユニット１１４０及び記憶ユニットインターフェース１１３５の例としては、プログラムカートリッジ及びカートリッジインタフェース、取り外し可能なメモリ（例えば、フラッシュメモリまたは他の取り外し可能なメモリモジュール）及びメモリスロット、ＰＣＭＣＩＡスロット及びカード、ならびに取り外し可能な記憶ユニット１１４０からコンピューティングモジュール１１００にソフトウェア及びデータを転送することを可能にする他の固定または取り外し可能な記憶ユニット１１４０及び記憶ユニットインターフェース１１３５、が挙げられる。
【０５０７】
コンピューティングモジュール１１００はまた、通信インターフェース１１５０も含むことができる。通信インターフェース１１５０は、コンピューティングモジュール１１００と外部デバイスとの間でソフトウェア及びデータを転送することを可能にするために使用することができる。通信インターフェース１１５０の例としては、モデムもしくはソフトモデム、ネットワークインターフェース（イーサネット(登録商標)、ネットワークインターフェイスカード、ＷｉＭｅｄｉａ、ＩＥＥＥ８０２．ＸＸ、または他のインターフェース）、通信ポート（例えば、ＵＳＢポート、ＩＲポート、ＲＳ２３２ポートＢｌｕｅｔｏｏｔｈ（登録商標）インターフェース、または他のポート）、または本明細書で説明される通信媒体によって動作するように構成された他の通信インターフェース、が挙げられる。通信インターフェース１１５０を介して転送されるソフトウェア及びデータは、典型的に、信号で搬送することができ、該信号は、所与の通信インターフェース１１５０によって交換することが可能な、電子信号、電磁信号（光信号を含む）、または他の信号とすることができる。これらの信号は、チャネル１１４５を介して、通信インターフェース１１５０へ／から提供することができる。チャネル１１４５は、信号を搬送することができて、また、有線または無線の通信媒体を使用して実施することができる。チャネル１１４５のいくつかの非限定的な例としては、電話回線、セルラリンクまたは他の無線リンク、ＲＦリンク、光リンク、ネットワークインターフェース、ローカルエリアまたはワイドエリアネットワーク、及び他の有線通信または無線通信チャネルが挙げられる。
【０５０８】
本文書において、「コンピュータプログラム媒体」及び「コンピュータ使用可能媒体」及び「コンピュータ可読媒体」という用語、ならびにその変形例は、一般に、例えばメインメモリ１１１５、記憶ユニットインターフェース１１３５、取り外し可能な記憶媒体１１２５、及び／またはチャネル１１４５等の、一時的または非一時的な媒体を指すために使用される。これらの及び他の種々の形態のコンピュータプログラム媒体またはコンピュータ使用可能／可読媒体は、１つまたは２つ以上の命令の１つまたは２つ以上のシーケンスを処理デバイスに搬送して実行する際に含まれ得る。媒体上で具現化されるそのような命令は、一般に、「コンピュータプログラムコード」または「コンピュータプログラム製品」または「命令」と称することができる（コンピュータプログラムまたは他のグループ化の形態で分類することができる）。例えばそのような命令がシステム、装置、もしくはデバイス、及び／または同類のものに組み込まれたときを含む、実行されたときに、そのような命令は、コンピューティングモジュール１１００、それに関連する回路、及び／またはそのもしくはそこに接続されたプロセッサが、（例えば、上で説明した、及び／または特許請求の範囲で説明される方法と関連して）本明細書で論じられる本開示の特徴または機能を行うことを可能にすることができる。
【０５０９】
種々の実施形態を、その具体的な例示的特徴を参照して説明してきた。しかしながら、添付の特許請求の範囲に記載される種々の実施形態のより広範な趣旨及び範囲から逸脱することなく、種々の修正及び変更が行われ得ることが明らかになるであろう。故に、本明細書及び図面は、限定的な意味ではなく、例示的な意味であるとみなされるべきである。
【０５１０】
種々の例示的な実施形態及び実現形態に関して上で説明したが、個々の実施形態の１つまたは２つ以上において説明する種々の特徴、態様、及び機能は、それらの適用性において、それらが説明する特定の実施形態に限定されるのではなく、代わりに、そのような実施形態が説明されるか否かを問わず、及びそのような特徴が、説明される実施形態の一部であるように提示されるか否かを問わず、単独で、または種々の組み合わせで、本出願の他の実施形態の１つまたは２つ以上に適用することができることを理解されたい。したがって、本出願の広がり及び範囲は、上で説明した例示的な実施形態のいずれによっても限定されるべきでない。
【０５１１】
本出願で使用される用語及び語句、ならびにその変化形は、別途明示されない限り、限定とは対照的な制約のないものと見なされるべきである。上記の例として、「含む（ｉｎｃｌｕｄｉｎｇ）」という用語は、「含むが、限定されない（ｉｎｃｌｕｄｉｎｇ  ｂｕｔ  ｎｏｔ  ｌｉｍｉｔｅｄ  ｔｏ）」、または同類のものとして読み取られるべきであり、「例（ｅｘａｍｐｌｅ）」という用語は、議論されている項目の網羅的または限定的リストではなく、その例示的なインスタンスを提供するために使用され、「１つの（ａまたはａｎ）」という用語は、「少なくとも１つの（ａｔ  ｌｅａｓｔ  ｏｎｅ）」、「１つまたは２つ以上（ｏｎｅ  ｏｒ  ｍｏｒｅ）」、または同類のものとして読み取られるべきであり、「従来の（ｃｏｎｖｅｎｔｉｏｎａｌ）」、「伝統的な（ｔｒａｄｉｔｉｏｎａｌ）」、「通常の（ｎｏｒｍａｌ）」、「標準的な（ｓｔａｎｄａｒｄ）」、「既知の（ｋｎｏｗｎ）」等の形容詞、及び類似する意味の用語は、説明される項目を所与の期間に限定するもの、または所与の時点で利用可能な項目に限定するものとして解釈するべきではなく、現在または将来の任意の時点に利用可能であり得る、または知られ得る、従来の、伝統的な、通常の、または標準的な技術を包含するものと読み取られるべきである。同様に、複数形は、いくつかの事例において、単数形に適用できるものとして、及び逆もまた同じものとして認識することができる。同様に、この文書が、当業者に明らかまたは公知である技術を参照する場合、そのような技術は、現在または将来の任意の時点で当業者に明らかな、または既知の技術を包含する。
【０５１２】
「１つまたは２つ以上の（ｏｎｅ  ｏｒ  ｍｏｒｅ）」、「少なくとも（ａｔ  ｌｅａｓｔ）」、「それに限定されないが（ｂｕｔ  ｎｏｔ  ｌｉｍｉｔｅｄ  ｔｏ）」、またはいくつかの事例において他の同様の語句等の、拡大語または拡大語句の存在は、そのような拡大語句が存在し得ない場合に、より幅の狭い場合が意図される、または必要とされることを意味するものと読み取られるべきではない。「モジュール」という用語の使用は、モジュールの一部として説明または特許請求される構成要素または機能が、全て共通のパッケージ内に構成されることを意味しない。実際に、制御論理であるか、回路であるか、他の構成要素であるかにかかわらず、モジュールの種々の構成要素のいずれかまたは全ては、単一のパッケージに組み合わせること、または別々に維持することができ、また、多数のグループもしくはパッケージで、または多数の場所にわたってさらに分配することができる。
【０５１３】
加えて、本明細書に記載される種々の実施形態は、例示的なブロック図、フロー図、及び他の説明図に関して説明される。本文書を読み込んだ後に当業者に明らかになるように、例示される実施形態及びそれらの種々の代替物は、例示される実施例に限定することなく実施することができる。例えば、ブロック図及びそれらの付随する説明は、特定のアーキテクチャまたは構成を義務付けるものとして解釈されるべきでない。その上、本明細書で説明される種々の方法の動作及び副動作は、必ずしも説明される、または図に示される順序に限定されるとは限らず、当業者は、本開示を研究することにより、本開示の趣旨及び範囲の範囲内にある、本明細書で説明される動作の順序の変形例を認識するであろう。
【０５１４】
加えて、本明細書で説明される方法の動作及び副動作は、本明細書で説明されるシステム、装置、デバイス、環境、及び／またはコンピューティングモジュールの、構成要素、要素、デバイス、モジュール、回路、プロセッサ、その他、のうちの１つまたは２つ以上によって、いくつかの事例において、実行または実施することができ、また、本開示の種々の図、ならびに本明細書で説明される、及び／またはそれらに関して説明される１つまたは２つ以上の副構成要素、要素、デバイス、モジュール、プロセッサ、回路、及び同類のものを参照することができる。そのような事例において、方法またはその態様の説明は、対応する構成要素、要素、その他を参照し得るが、明示的な参照が行われるかどうかにかかわらず、当業者は、本開示を研究することにより、対応する構成要素、要素、その他が使用され得るときに認識するであろう。さらに、そのような参照は、説明される方法を必ずしも参照される特定の構成要素、要素、その他に限定するとは限らないことが認識されるであろう。したがって、（副）構成要素、要素、デバイス、モジュール、及び回路、その他に関連して上で説明した、その変形例を含む、態様及び特徴は、本開示の範囲から逸脱することなく、本明細書で説明される方法と関連して説明される種々の動作に適用すること、及び逆もまた同じであることが当業者によって認識されるであろう。
【符号の説明】
【０５１５】
８  分析物センサシステム
１０  連続分析物センサ
１２  センサ電子機器モジュール
１００  システム
１１０、１２０、１３０、１４０  表示デバイス
１１２、１２２、１３２、１４２  タッチスクリーンディスプレイ
１３４  サーバシステム
１３６  医療用デバイス
１３８  無線アクセスポイント
【図１Ａ】
2019537848.tif 000003
【図１Ｂ】
2019537848.tif 000004
【図２Ａ】
2019537848.tif 000005
【図２Ｂ】
2019537848.tif 000006
【図３Ａ】
2019537848.tif 000007
【図３Ｂ】
2019537848.tif 000008
【図３Ｃ】
2019537848.tif 000009
【図３Ｄ】
2019537848.tif 000010
【図３Ｅ】
2019537848.tif 000011
【図４】
2019537848.tif 000012
【図５】
2019537848.tif 000013
【図６】
2019537848.tif 000014
【図７Ａ】
2019537848.tif 000015
【図７Ｂ】
2019537848.tif 000016
【図７Ｃ】
2019537848.tif 000017
【図７Ｄ】
2019537848.tif 000018
【図７Ｅ】
2019537848.tif 000019
【図７Ｆ】
2019537848.tif 000020
【図７Ｇ】
2019537848.tif 000021
【図７Ｈ】
2019537848.tif 000022
【図７Ｊ】
2019537848.tif 000023
【図７Ｋ】
2019537848.tif 000024
【図７Ｌ】
2019537848.tif 000025
【図８】
2019537848.tif 000026
【図９Ａ】
2019537848.tif 000027
【図９Ｂ】
2019537848.tif 000028
【図９Ｃ】
2019537848.tif 000029
【図９Ｄ】
2019537848.tif 000030
【図９Ｅ】
2019537848.tif 000031
【図９Ｆ】
2019537848.tif 000032
【図１０Ａ】
2019537848.tif 000033
【図１０Ｂ】
2019537848.tif 000034
【図１１】
2019537848.tif 000035
【図１２Ａ】
2019537848.tif 000036
【図１２Ｂ】
2019537848.tif 000037
【図１２Ｃ】
2019537848.tif 000038
【図１２Ｄ】
2019537848.tif 000039
【図１３Ａ】
2019537848.tif 000040
【図１３Ｂ】
2019537848.tif 000041
【図１３Ｃ】
2019537848.tif 000042
【図１４Ａ】
2019537848.tif 000043
【図１４Ｂ】
2019537848.tif 000044
【図１４Ｃ】
2019537848.tif 000045
【図１４Ｄ】
2019537848.tif 000046
【図１４Ｅ】
2019537848.tif 000047
【図１４Ｆ】
2019537848.tif 000048
【図１５Ａ】
2019537848.tif 000049
【図１５Ｂ】
2019537848.tif 000050
【図１６Ａ】
2019537848.tif 000051
【図１６Ｂ】
2019537848.tif 000052
【図１７】
2019537848.tif 000053
【手続補正書】
【提出日】平成31年1月22日(2019.1.22)
【手続補正１】
【補正対象書類名】特許請求の範囲
【補正対象項目名】全文
【補正方法】変更
【補正の内容】
【特許請求の範囲】
【請求項１】
分析物データを無線通信するための方法であって、前記方法が、
第１の間隔中に、分析物センサシステムと表示デバイスとの間の第１の接続を確立することと、
前記第１の接続中に、前記分析物センサシステムと前記表示デバイスとの間の認証に関連する情報を交換することと、
前記第１の間隔中に認証が行われたかどうかに関する判定を行うことと、
前記判定が、前記第１の間隔中に前記認証が行われたことを示す場合、第２の間隔中に、前記分析物センサシステムが、前記表示デバイスに暗号化された分析物値を伝送することと、を含む、方法。
【請求項２】
前記認証に関連する情報が、アプリケーション鍵を含む、請求項１に記載の方法。
【請求項３】
前記アプリケーション鍵を使用して、分析物値を暗号化し、前記暗号化された分析物値を生成することをさらに含む、請求項２に記載の方法。
【請求項４】
前記アプリケーション鍵の特性が、
前記アプリケーション鍵によって暗号化されるデータ型、
ネットワーク環境、及び
ユーザ設定、のうちの１つまたは２つ以上に基づく、請求項３に記載の方法。
【請求項５】
所定の時間量の経過、
前記分析物センサシステムまたは前記表示デバイスの再開、
別のデバイスが前記分析物センサシステムへの接続を試みることに関連するトリガー、及び
ユーザ入力、のうちの１つまたは２つ以上に応答して、前記アプリケーション鍵を修正することをさらに含む、請求項２に記載の方法。
【請求項６】
前記第２の間隔中に、
前記分析物センサシステムによって前記暗号化された分析物値を前記伝送するための、前記分析物センサシステムと前記表示デバイスとの間の第２の接続を確立することと、
前記第１の接続中に行われる前記認証に関連する情報を交換することをバイパスすることと、をさらに含む、請求項１に記載の方法。
【請求項７】
前記暗号化された分析物値の少なくとも一部分は、前記分析物センサシステムによって伝送される１つまたは２つ以上のアドバタイズメントメッセージにおいて前記表示デバイスに伝送される、請求項１に記載の方法。
【請求項８】
前記暗号化された分析物値を伝送するために使用するアドバタイズメントメッセージの数を決定することをさらに含む、請求項７に記載の方法。
【請求項９】
前記暗号化された分析物値を伝送するために使用する前記アドバタイズメントメッセージの数が１より大きいと判定された場合、前記１つまたは２つ以上のアドバタイズメントメッセージのうちの第１のものが、前記暗号化された分析物値の第１の部分と、前記１つまたは２つ以上のアドバタイズメントメッセージのうちの第２のものが、前記暗号化された分析物値の第２の部分を含む旨の指示と、を含む、請求項８に記載の方法。
【請求項１０】
前記暗号化された分析物値を伝送するために使用する前記アドバタイズメントメッセージの数が１であると判定された場合、前記１つまたは２つ以上のアドバタイズメントメッセージのうちの第１のものが、前記暗号化された分析物値を含む、請求項８に記載の方法。
【請求項１１】
前記認証に関連する情報を交換することが、双方向認証を行うことを含む、請求項１に記載の方法。
【請求項１２】
前記双方向認証を行うことが、
前記分析物センサシステムが、前記表示デバイスに第１の値を伝送することと、
前記分析物センサシステムが、前記表示デバイスから第２の値及び第３の値を受信することであって、前記第２の値が、前記第１の値及びアプリケーション鍵に基づく、受信することと、
前記分析物センサシステムが、前記第２の値を検証することと、
前記分析物センサシステムが、前記第３の値を使用して第４の値を生成することと、
前記分析物センサシステムが、検証のために、前記表示デバイスに前記第４の値を伝送することと、を含む、請求項１１に記載の方法。
【請求項１３】
前記認証に関連する情報を交換することが、
前記分析物センサシステムが、前記表示デバイスから第１の値を受信することと、
前記分析物センサシステムが、前記第１の値及びアプリケーション鍵に基づいて第２の値を生成することと、
前記分析物センサシステムが、前記表示デバイスによって検証するために、前記表示デバイスに前記第２の値を伝送することと、を含む、請求項１１に記載の方法。
【請求項１４】
前記認証に関連する情報が、前記暗号化された分析物値を生成するために使用されるアプリケーション鍵を含み、前記アプリケーション鍵を使用して、前記分析物値を暗号化し、前記暗号化された分析物値を生成することが、前記第２の間隔中に、前記認証に関連する情報を交換することをバイパスすることを可能にする、請求項６に記載の方法。
【請求項１５】
前記第１の接続を確立すること、及び前記認証に関連する情報を交換することが、第１の無線プロトコルを使用して行われ、前記表示デバイスに前記暗号化された分析物値を伝送することが、前記第１の無線プロトコルとは異なる第２の無線プロトコルを使用して行われる、請求項１に記載の方法。
【請求項１６】
前記第１の無線プロトコルを使用することが、前記第２の間隔中に、前記認証に関連する情報を交換することをバイパスすることを可能にする、請求項１５に記載の方法。
【請求項１７】
前記アプリケーション鍵が、前記表示デバイスによってサーバから受信されたものである、請求項２に記載の方法。
【請求項１８】
分析物データを無線通信するための方法であって、前記方法が、
第１の間隔中に、第１の無線プロトコルを使用して、表示デバイスと、認証情報に関連する情報の交換を行うことと、
第２の間隔中に、第２の無線プロトコルを使用して、前記表示デバイスに暗号化された分析物値を伝送することによって、前記認証に関連する情報の交換をバイパスすることであって、前記暗号化された分析物値が、前記認証に関連する情報を使用して生成されたものであり、第１の無線プロトコルが、第２の無線プロトコルとは異なる、バイパスすることと、を含む、方法。
【請求項１９】
前記第１の無線プロトコルが、ＷｉＦｉまたは近距離無線通信（ＮＦＣ）であり、前記第２の無線プロトコルが、Ｂｌｕｅｔｏｏｔｈ(登録商標)低エネルギー（ＢＬＥ）である、請求項１８に記載の方法。
【請求項２０】
前記認証に関連する情報が、アプリケーション鍵を含む、請求項１８に記載の方法。
【請求項２１】
前記表示デバイスが、サーバから前記アプリケーション鍵を受信することをさらに含む、請求項２０に記載の方法。
【請求項２２】
分析物データを無線通信するように構成された分析物センサシステムであって、前記分析物センサシステムが、
分析物センサと、
無線信号を伝送及び受信するように構成されたトランシーバと、
プロセッサであって、前記分析物センサ及び前記トランシーバに動作的に結合され、また、前記分析物センサシステムに、
第１の間隔中に、前記分析物センサシステムと表示デバイスとの間の第１の接続を確立することと、
前記第１の接続中に、前記分析物センサシステムと前記表示デバイスとの間の認証に関連する情報を交換することと、
前記第１の間隔中に認証が行われたかどうかに関する判定を行うことと、
前記判定が、前記第１の間隔中に前記認証が行われたことを示す場合に、第２の間隔中に、前記表示デバイスに暗号化された分析物値を伝送することと、を行わせるように構成されたプロセッサと、を備える、分析物センサシステム。
【請求項２３】
前記認証に関連する情報が、アプリケーション鍵を含み、前記プロセッサが、前記分析物センサシステムに、分析物値を暗号化して、前記暗号化された分析物値を生成することを行わせるようにさらに構成される、請求項２２に記載の分析物センサシステム。
【請求項２４】
前記プロセッサが、前記分析物センサシステムに、
前記第２の間隔中に、前記分析物センサシステムと前記表示デバイスとの間の第２の接続を確立することと、
前記第２の接続中に、認証に関連する情報の交換をバイパスすることと、を行わせるようにさらに構成される、請求項２２に記載の分析物センサシステム。
【請求項２５】
前記認証に関連する情報が、アプリケーション鍵を含み、前記プロセッサが、前記分析物センサシステムに、前記アプリケーション鍵を使用して、分析物値を暗号化し、前記暗号化された分析物値を生成すること、を行わせるようにさらに構成され、前記アプリケーション鍵を使用することで、前記分析物センサシステムが、前記交換をバイパスすることを可能にする、請求項２４に記載の分析物センサシステム。
【請求項２６】
分析物センサシステムと分析物データを無線通信するように構成されたモバイルデバイスであって、前記モバイルデバイスが、
ユーザインターフェースと、
無線信号を伝送及び受信するように構成されたトランシーバと、
前記ユーザインターフェース及び前記トランシーバに動作的に結合された回路と、
前記回路に動作的に結合され、命令を記憶する非一時的コンピュータ可読媒体であって、該命令が実行されたときに、前記回路に、
第１の間隔中に、前記分析物センサシステムと表示デバイスとの間の第１の接続を確立することと、
前記第１の接続中に、前記分析物センサシステムと前記モバイルデバイスとの間の認証に関連する情報を交換することと、
前記第１の間隔中に認証が行われたかどうかに関する判定を取得することと、
前記判定が、前記第１の間隔中に前記認証が行われたことを示す場合に、第２の間隔中に、前記分析物センサシステムから暗号化された分析物値を受信することと、を行わせる、非一時的コンピュータ可読媒体と、を備える、モバイルデバイス。
【請求項２７】
システムであって、
表示デバイスと、
分析物センサシステムであって、
無線信号を伝送及び受信するように構成されたトランシーバと、
プロセッサであって、分析物センサ及び前記トランシーバに動作的に結合され、また、前記分析物センサシステムに、
第１の間隔中に、前記分析物センサシステムと前記表示デバイスとの間の第１の接続を確立することと、
前記第１の接続中に、前記分析物センサシステムと前記表示デバイスとの間の認証に関連する情報を交換することと、
前記第１の間隔中に認証が行われたかどうかに関する判定を行うことと、
前記判定が、前記第１の間隔中に前記認証が行われたことを示す場合に、第２の間隔中に、前記表示デバイスに暗号化された分析物値を伝送することと、を行わせるように構成されたプロセッサと、を備える分析物センサセンサシステムと、
を備える、システム。
【請求項２８】
前記認証に関連する情報の少なくとも一部を、前記分析物センサシステム及び前記表示デバイスのうちの１つまたは２つ以上に送信するように構成されたサーバをさらに備える、請求項２７に記載のシステム。
【請求項２９】
分析物データを無線通信するための方法であって、前記方法が、
分析物センサシステムと第１の表示デバイスとの間の第１の接続を確立して、前記分析物センサシステムと前記第１の表示デバイスとの間でペアリング情報を交換することと、
前記分析物センサシステムと前記第１の表示デバイスとの間でメッセージを定期的に交換することによって、前記第１の接続を維持することと、
前記分析物センサシステム及び表示デバイスが接続を維持している間、前記分析物データを伝送に利用することが可能になった時点で、前記分析物センサシステムが、前記第１の表示デバイスに前記分析物データを伝送することと、を含む、方法。
【請求項３０】
前記第１の接続を確立することが、前記分析物センサシステムと前記第１の表示デバイスの間で双方向認証を行うことを含む、請求項２９に記載の方法。
【請求項３１】
前記双方向認証を行うことが、
前記分析物センサシステムが、前記第１の表示デバイスに第１の値を伝送することと、
前記分析物センサシステムが、前記第１の表示デバイスから第２の値及び第３の値を受信することであって、前記第２の値が、前記第１の値及びアプリケーション鍵に基づく、受信することと、
前記分析物センサシステムが、前記第２の値を検証することと、
前記分析物センサシステムが、前記第３の値を使用して第４の値を生成することと、
前記分析物センサシステムが、検証のために、前記第１の表示デバイスに前記第４の値を伝送することと、を含む、請求項３０に記載の方法。
【請求項３２】
前記分析物データを伝送に利用することが可能になった時点で、前記メッセージを定期的に交換すること、及び前記第１の表示デバイスに前記分析物データを伝送することを組み合わせることが、前記第１の表示デバイスに対するユーザ選好の指示に応答して行われる、請求項２９に記載の方法。
【請求項３３】
前記分析物データを伝送に利用することが可能になった時点で、前記メッセージを定期的に交換すること、及び前記表示デバイスに前記分析物データを伝送することを組み合わせることが、適応的に行われる、請求項２９に記載の方法。
【請求項３４】
前記分析物センサシステムと前記第１の表示デバイスとの間で定期的に交換される前記メッセージが、第１のメッセージと、第２のメッセージと、を含み、前記第１及び第２のメッセージを順次交換するように構成され、前記第１のメッセージが、前記第１のメッセージ及び第２のメッセージの前記順次交換の間のスケジュールされた時間量に対応するメッセージング間隔を含む、請求項２９に記載の方法。
【請求項３５】
前記分析物センサシステムと前記第１の表示デバイスとの間で定期的に交換される前記メッセージの各々が、次に続くメッセージが交換されるまでの時間量に対応するメッセージ間隔を含む、請求項２９に記載の方法。
【請求項３６】
前記メッセージ間隔を修正する要求を送信することをさらに含む、請求項３５に記載の方法。
【請求項３７】
前記分析物センサシステムが、前記第１の表示デバイスとメッセージを定期的に交換することを終了することをさらに含み、よって、前記分析物センサシステム及び前記表示デバイスが、前記要求が拒否されたことに応答して、接続を維持しない、請求項３６に記載の方法。
【請求項３８】
前記分析物センサシステムと前記第１の表示デバイスとの間で定期的に交換される前記メッセージの各々が、タイムアウト値を含み、前記方法が、前記分析物センサシステムが、前記第１の表示デバイスとメッセージを定期的に交換することを終了することをさらに含み、よって、第１のメッセージの次に続く前記メッセージのうちの第２のメッセージが交換される前に、前記メッセージのうちの前記第１のメッセージに含まれる前記タイムアウト値を超えた場合に、前記分析物センサシステム及び前記第１の表示デバイスが、接続を維持しない、請求項２９に記載の方法。
【請求項３９】
前記プロセッサが、前記分析物センサシステムに、
前記第１の接続を確立し、第１の無線プロトコルを使用して前記認証に関連する情報を交換することと、
第２の無線プロトコルを使用して、前記暗号化された分析物データを伝送することと、を行わせるようにさらに構成され、
前記第１の無線プロトコルが、前記第２の間隔中に、前記認証に関連する情報の交換をバイパスすることを可能にする、請求項２２に記載の分析物センサシステム。
【請求項４０】
前記第１の表示デバイス及び第２の表示デバイスが接続を維持するように、前記第１の表示デバイスが、前記第２の表示デバイスとの第２の接続を確立することと、
前記第１及び第２の表示デバイスが接続を維持している間、前記分析物センサシステムから前記分析物データを受信した後に、前記第１の表示デバイスが、前記第２の表示デバイスに、前記分析物データに関連する情報を伝送することと、をさらに含む、請求項２９に記載の方法。
【請求項４１】
分析物データを無線通信するための方法であって、前記方法が、
分析物センサシステムと第１の表示デバイスとの間の第１の接続を確立して、前記分析物センサシステムと前記第１の表示デバイスとの間でペアリング情報を交換することと、
第１のモードで動作することであって、
前記分析物センサシステム及び前記第１の表示デバイスが接続を維持するように、前記分析物センサシステムが、前記第１の表示デバイスとメッセージを定期的に交換することと、
前記分析物センサシステム及び前記第１の表示デバイスが接続を維持している間、前記分析物データを伝送に利用することが可能になった時点で、前記分析物センサシステムが、前記第１の表示デバイスに前記分析物データを伝送することと、を含む、第１のモードで動作することと、
第２のモードで動作することであって、
前記分析物センサシステムと前記第１の表示デバイスとの間の第２の接続を定期的に確立することと、
前記第２の接続が確立された後に、前記第１の表示デバイスに前記分析物データを伝送することと、を含む、第２のモードで動作することと、を含む、方法。
【請求項４２】
前記第１のモードで動作することが、
前記第１の表示デバイスの使用選好に関するユーザ入力、
日時、
場所、
パケット損失、及び
前記第１の表示デバイスを含む優先順位スキーム、のうちの１つまたは２つ以上に関連する指示に応答して生じる、請求項４１に記載の方法。
【請求項４３】
前記第２のモードで動作することが、前記分析物センサシステムが、前記分析物データを伝送しており、かつ前記第１のモードで動作していない場合に生じる、請求項４１に記載の方法。
【請求項４４】
前記第１のモードで動作している間、前記分析物センサシステムが前記第１の表示デバイスに前記分析物データを伝送することが、前記分析物センサシステムが、分析物センサシステムに接続されていない第２の表示デバイスに前記分析物データを伝送することを含む、請求項４１に記載の方法。
【請求項４５】
前記第１のモードで動作することと、前記第２のモードで動作することとの間で切り換えることをさらに含む、請求項４１に記載の方法。
【請求項４６】
分析物データを無線通信するように構成された分析物センサシステムであって、前記分析物センサシステムが、
分析物センサと、
無線信号を伝送及び受信するように構成されたトランシーバと、
プロセッサであって、前記分析物センサ及び前記トランシーバに動作的に結合され、また、前記分析物センサシステムに、
前記分析物センサシステムと第１の表示デバイスとの間の第１の接続を確立して、前記分析物センサシステムと前記第１の表示デバイスとの間でペアリング情報を交換することと、
前記分析物センサシステムと前記第１の表示デバイスとの間でメッセージを定期的に交換することによって、前記第１の接続を維持することと、
前記第１の接続中に、前記分析物データを伝送に利用することが可能になった時点で、前記第１の表示デバイスに前記分析物データを伝送することと、を行わせるように構成されたプロセッサと、を備える、分析物センサシステム。
【請求項４７】
前記プロセッサが、前記分析物センサシステムに、確立されている前記第１の接続と関連して双方向認証を行わせるようにさらに構成される、請求項４６に記載の分析物センサシステム。
【請求項４８】
前記プロセッサが、前記分析物センサシステムに、前記第１の表示デバイスのユーザ選好の指示に応答して、前記分析物データを伝送に利用することが可能になった時点で、前記第１の接続を維持して、前記第１の表示デバイスに前記分析物データを伝送させるようにさらに構成される、請求項４６に記載の分析物センサシステム。
【請求項４９】
前記プロセッサが、前記分析物センサシステムに、前記分析物データを伝送に利用することが可能になった時点で、前記第１の接続を維持して、前記第１の表示デバイスに前記分析物データを適応的に伝送させるようにさらに構成される、請求項４６に記載の分析物センサシステム。
【請求項５０】
前記分析物センサシステムと前記第１の表示デバイスとの間で定期的に交換される前記メッセージが、第１のメッセージと、第２のメッセージと、を含み、前記プロセッサが、前記分析物センサシステムに、前記第１の表示デバイスと前記第１及び第２のメッセージを順次交換させるようにさらに構成され、前記第１のメッセージが、前記第１及び第２のメッセージの前記交換の間のスケジュールされた時間量に対応するメッセージング間隔を含む、請求項４６に記載の分析物センサシステム。
【請求項５１】
システムであって、
第１の表示デバイスと、
分析物センサシステムであって、
無線信号を伝送及び受信するように構成されたトランシーバと、
プロセッサであって、分析物センサ及び前記トランシーバに動作的に結合され、また、前記分析物センサシステムに、
前記分析物センサシステムと前記第１の表示デバイスとの間の第１の接続を確立して、前記分析物センサシステムと前記第１の表示デバイスとの間でペアリング情報を交換することと、
前記分析物センサシステムと前記第１の表示デバイスとの間でメッセージを定期的に交換することによって、前記第１の接続を維持することと、
前記第１の接続中に、分析物データを伝送に利用することが可能になった時点で、前記第１の表示デバイスに前記分析物データを伝送することと、を行わせるように構成された、プロセッサと、
第２の表示デバイスと、を備え、
前記第１の表示デバイスが、
前記第１及び第２の表示デバイスの接続が維持されるように、前記第２の表示デバイスとの第２の接続を確立し、また、
前記第１及び第２の表示デバイスが接続を維持している間、前記分析物センサシステムから前記分析物データを受信した後に、前記第２の表示デバイスに、前記分析物データに関連する情報を伝送するように構成される、システム。
【請求項５２】
分析物データを無線通信するように構成された分析物センサシステムであって、前記分析物センサシステムが、
分析物センサと、
無線信号を伝送及び受信するように構成されたトランシーバと、
プロセッサであって、前記分析物センサ及び前記トランシーバに動作的に結合され、また、前記分析物センサシステムに、
前記分析物センサシステムと第１の表示デバイスとの間の第１の接続を確立して、前記分析物センサシステムと前記第１の表示デバイスとの間でペアリング情報を交換することと、
第１のモードで動作することであって、前記分析物センサシステム及び前記第１の表示デバイスの接続が維持されるように、メッセージが、前記第１の表示デバイスと定期的に交換され、前記分析物データを伝送に利用することが可能になった時点で、前記分析物センサシステムが前記第１の表示デバイスに分析物データを伝送する、第１のモードで動作することと、
第２のモードで動作することであって、前記第１の表示デバイスとの第２の接続が、前記分析物データを伝送するために定期的に確立される、第２のモードで動作することと、を行わせるように構成されたプロセッサと、を備える、分析物センサシステム。
【請求項５３】
前記分析物センサシステムが、データを伝送しており、かつ前記第１のモードで動作していない場合に、前記プロセッサが、前記分析物センサシステムを前記第２のモードで動作させるようにさらに構成される、請求項５２に記載の分析物センサシステム。
【請求項５４】
前記プロセッサが、
前記第１の表示デバイスのユーザ選好に関するユーザ入力、
日時、
場所、
パケット損失、及び
前記第１の表示デバイスを含む優先順位スキーム、のうちの１つまたは２つ以上に関連する指示に応答して、前記分析物センサシステムを前記第１のモードで動作させるようにさらに構成される、請求項５２に記載の分析物センサシステム。
【請求項５５】
分析物センサシステムを分析物表示デバイス及び第２の表示デバイスに接続するための方法であって、前記方法が、
前記分析物センサシステムと前記分析物表示デバイス及び前記第２の表示デバイスとのペアリングを試みる際に、アドバタイズメント持続時間構造を使用することであって、前記アドバタイズメント持続時間構造に従って、アドバタイズメント持続時間が、第１の時間セグメントと、第２の時間セグメントと、を含み、前記第１の時間セグメントが、前記第２の表示デバイスに割り当てられ、前記第２の時間セグメントが、前記分析物表示デバイスに割り当てられ、前記第１の時間セグメントが、前記アドバタイズメント持続時間内に前記第２の時間セグメントに先行する、アドバタイズメント持続時間構造を使用することと、
前記第２の時間セグメントが前記第１の時間セグメントに先行するように、前記アドバタイズメント持続時間構造を再構成することと、を含む、方法。
【請求項５６】
前記第１の時間セグメントが、約２０秒の長さであり、前記第２の時間セグメントが、約２秒の長さである、請求項５５に記載の方法。
【請求項５７】
前記アドバタイズメント持続時間構造を再構成することが、前記アドバタイズメント持続時間の残り以下の時間の幅まで、前記第１の時間セグメントを延長することを含む、請求項５５に記載の方法。
【請求項５８】
分析物データを無線通信するように構成された分析物センサシステムであって、前記分析物センサシステムが、
分析物センサと、
無線信号を伝送及び受信するように構成されたトランシーバと、
プロセッサであって、前記分析物センサ及び前記トランシーバに動作的に結合され、また、前記分析物センサシステムに、
前記分析物センサシステムと分析物表示デバイス及び第２の表示デバイスとのペアリングを試みる際に、アドバタイズメント持続時間構造に従って、アドバタイズメントメッセージを伝送することであって、前記アドバタイズメント持続時間構造に従って、アドバタイズメント持続時間が、第１の時間セグメントと、第２の時間セグメントと、を含み、前記第１の時間セグメントが、前記第２の表示デバイスに割り当てられ、前記第２の時間セグメントが、前記分析物表示デバイスに割り当てられ、前記第１の時間セグメントが、前記アドバタイズメント持続時間内に前記第２の時間セグメントに先行する、アドバタイズメントメッセージを伝送することと、
前記第２の時間セグメントが前記第１の時間セグメントに先行するように、前記アドバタイズメント持続時間構造を再構成することと、を行わせるように構成されたプロセッサと、を備える、分析物センサシステム。
【請求項５９】
分析物センサシステムを分析物表示デバイス及び第２の表示デバイスに接続するための方法であって、前記方法が、
前記分析物センサシステムが前記第２の表示デバイスとペアリングされたかどうかを示す値を評価することと、
前記値が、前記分析物センサシステムが前記第２の表示デバイスとペアリングされたことを示す場合、第１のアドバタイズメント持続時間の第１の時間セグメントを第１の長さに設定し、前記第１の時間セグメント中に、前記第２の表示デバイスに第１の一組のアドバタイズメントメッセージを伝送することと、
前記値が、前記分析物センサシステムが前記第２の表示デバイスとペアリングされなかったことを示す場合、前記第１の時間セグメントを第２の長さに設定し、前記第２の長さが前記第１の長さよりも短くなっており、前記第２の長さがゼロ秒でない場合、前記第１の時間セグメント中に、前記第２の表示デバイスに第２の一組のアドバタイズメントメッセージを伝送することと、を含む、方法。
【請求項６０】
前記値が、前記分析物センサシステムが前記第２の表示デバイスとペアリングされなかったことを示す場合、前記第２の長さをゼロ秒に設定することをさらに含む、請求項５９に記載の方法。
【請求項６１】
前記第２の長さが、約７秒である、請求項５９に記載の方法。
【請求項６２】
前記第１の長さが、約２０秒である、請求項６０に記載の方法。
【請求項６３】
近距離無線通信を介して受信したシグナリングに応答して、前記第１の時間セグメントを前記第１の長さに設定することをさらに含む、請求項５９に記載の方法。
【請求項６４】
前記値が、リストへのエントリであり、前記エントリが、前記第２の表示デバイスに対応する、請求項５９に記載の方法。
【請求項６５】
分析物データを無線通信するように構成された分析物センサシステムであって、前記分析物センサシステムが、
分析物センサと、
無線信号を伝送及び受信するように構成されたトランシーバと、
プロセッサであって、前記分析物センサ及び前記トランシーバに動作的に結合され、また、前記分析物センサシステムに、
前記分析物センサシステムが第２の表示デバイスとペアリングされたかどうかを示す値を評価することと、
前記値が、前記分析物センサシステムが前記第２の表示デバイスとペアリングされたことを示す場合、第１のアドバタイズメント持続時間の第１の時間セグメントを第１の長さに設定し、前記第１の時間セグメント中に、前記第２の表示デバイスに第１の一組のアドバタイズメントメッセージを伝送することと、
前記値が、前記分析物センサシステムが前記第２の表示デバイスとペアリングされなかったことを示す場合、前記第１の時間セグメントを第２の長さに設定し、前記第２の長さが、前記第１の長さよりも短くなっており、前記第２の長さがゼロ秒でない場合、前記第１の時間セグメント中に、前記第２の表示デバイスに第２の一組のアドバタイズメントメッセージを伝送することと、を行わせるように構成されたプロセッサと、を備える分析物センサシステム。
【請求項６６】
分析物センサシステムを分析物表示デバイス及び第２の表示デバイスに接続するための方法であって、前記方法が、
アドバタイズメント持続時間内の第１の時間セグメント中に、第１のアドバタイズメント間隔に従って、前記第２の表示デバイスに第１の一組のアドバタイズメントメッセージを伝送することと、
前記アドバタイズメント持続時間内の第２の時間セグメント中に、第２のアドバタイズメント間隔に従って、分析物表示デバイスに第２の一組のアドバタイズメントメッセージを伝送することと、を含み、
前記第１のアドバタイズメント間隔、前記第２のアドバタイズメント間隔、前記第１の時間セグメントの長さ、前記第２の時間セグメントの長さ、前記アドバタイズメント持続時間、及び前記第１及び第２の時間セグメントのシーケンス、のうちの１つまたは２つ以上が構成可能である、方法。
【請求項６７】
前記第１のアドバタイズメント間隔が、約２０ミリ秒〜約９０ミリ秒になるように構成可能である、請求項６６に記載の方法。
【請求項６８】
前記アドバタイズメント持続時間が、約２秒〜約９０秒で構成可能である、請求項６６に記載の方法。
【請求項６９】
前記第２の時間セグメントが前記第１の時間セグメントに先行するように、前記第１及び第２の時間セグメントの前記シーケンスを変更することをさらに含む、請求項６６に記載の方法。
【請求項７０】
前記分析物センサシステムが前記第２の表示デバイスとペアリングされたかどうかを示す値に基づいて、前記第１及び第２の時間セグメントの前記シーケンスを変更することをさらに含む、請求項６６に記載の方法。
【請求項７１】
前記分析物センサシステムと前記分析物表示デバイスとの接続の質の指示を取得することと、
前記質の前記指示に基づいて、前記第２の時間セグメントの前記長さ及び前記第２のアドバタイズメント間隔のうちの１つまたは２つ以上を修正することと、をさらに含む、請求項６６に記載の方法。
【請求項７２】
前記第２の時間セグメントの前記長さ及び前記第２のアドバタイズメント間隔のうちの１つまたは２つ以上を修正することが、前記分析物表示デバイスから受信した信号に応答して、前記分析物センサシステムによって行われる、請求項７１に記載の方法。
【請求項７３】
前記質の前記指示と閾値とを比較することをさらに含み、
前記質の前記指示が前記閾値を超えた場合、前記第２の時間セグメントの前記長さ及び前記第２のアドバタイズメント間隔のうちの１つまたは２つ以上を修正することが、
前記第２の時間セグメントの前記長さを減少させること、及び
前記第２のアドバタイズメント間隔を増加させること、のうちの１つまたは２つ以上を含み、
前記質の前記指示が、前記閾値未満であった場合、前記第２の時間セグメントの前記長さ及び前記第２のアドバタイズメント間隔のうちの１つまたは２つ以上を修正することが、
前記第２の時間セグメントの前記長さを増加させること、及び
前記第２のアドバタイズメント間隔を減少させること、のうちの１つまたは２つ以上を含む、請求項７１に記載の方法。
【請求項７４】
前記質が、受信信号強度指示（ＲＳＳＩ）及びリターントリップ遅延時間（ＲＴＤＴ）のうちの１つまたは２つ以上を使用して判定されている、請求項７１に記載の方法。
【請求項７５】
ＲＳＳＩ及びＲＴＤＴのうちの１つまたは２つ以上の測定を行うことと、
前記測定に基づいて、前記質を判定することと、をさらに含む、請求項７１に記載の方法。
【請求項７６】
前記測定を行うことが、前記分析物センサシステム及び前記分析物表示デバイスのうちの１つまたは２つ以上によって行われる、請求項７５に記載の方法。
【請求項７７】
前記分析物センサシステムと前記第２の表示デバイスとの接続の質の指示を取得することと、
前記質の前記指示に基づいて、前記第１の時間セグメントの前記長さ及び前記第１のアドバタイズメント間隔のうちの１つまたは２つ以上を修正することと、をさらに含む、請求項６６に記載の方法。
【請求項７８】
前記第１の時間セグメントの前記長さ及び前記第１のアドバタイズメント間隔のうちの１つまたは２つ以上を修正することが、前記分析物表示デバイスから受信した信号に応答して、前記分析物センサシステムによって行われる、請求項７７に記載の方法。
【請求項７９】
前記質の前記指示と閾値とを比較することをさらに含み、
前記質の前記指示が前記閾値を超えた場合、前記第１の時間セグメントの前記長さ及び前記第１のアドバタイズメント間隔のうちの１つまたは２つ以上を修正することが、
前記第１の時間セグメントの前記長さを減少させること、及び
前記第１のアドバタイズメント間隔を増加させること、のうちの１つまたは２つ以上を含み、
前記質の前記指示が、前記閾値未満であった場合、前記第１の時間セグメントの前記長さ及び前記第１のアドバタイズメント間隔のうちの１つまたは２つ以上を修正することが、
前記第１の時間セグメントの前記長さを増加させること、及び
前記第１のアドバタイズメント間隔を減少させること、のうちの１つまたは２つ以上を含む、請求項７７に記載の方法。
【請求項８０】
前記質が、ＲＳＳＩ及びＲＴＤＴのうちの１つまたは２つ以上を使用して判定されている、請求項７７に記載の方法。
【請求項８１】
ＲＳＳＩ及びＲＴＤＴのうちの１つまたは２つ以上の測定を行うことと、
前記測定に基づいて、前記質を判定することと、をさらに含む、請求項７７に記載の方法。
【請求項８２】
前記測定を行うことが、前記分析物センサシステム及び前記第２の表示デバイスのうちの１つまたは２つ以上によって行われる、請求項８１に記載の方法。
【請求項８３】
前記分析物センサシステムの場所及び前記第２の表示デバイスの場所のうちの１つまたは２つ以上に関連する指示に基づいて、前記第１の時間セグメントの前記長さ、前記第１のアドバタイズメント間隔、前記第２の時間セグメントの前記長さ、前記第２のアドバタイズメント間隔、ならびに前記第１及び第２の時間セグメントの前記シーケンス、のうちの１つまたは２つ以上を修正することをさらに含む、請求項６６に記載の方法。
【請求項８４】
前記分析物センサシステムの場所及び前記分析物表示デバイスの場所のうちの１つまたは２つ以上に関連する指示に基づいて、前記第２の時間セグメントの前記長さ、前記第２のアドバタイズメント間隔、ならびに前記第１及び第２の時間セグメントの前記シーケンス、のうちの１つまたは２つ以上を修正することをさらに含む、請求項６６に記載の方法。
【請求項８５】
日時に関連する指示に基づいて、前記第１の時間セグメントの前記長さ、前記第１のアドバタイズメント間隔、前記第２の時間セグメントの前記長さ、前記第２のアドバタイズメント間隔、ならびに前記第１及び第２の時間セグメントの前記シーケンス、のうちの１つまたは２つ以上を修正することをさらに含む、請求項６６に記載の方法。
【請求項８６】
前記分析物センサシステム用のバッテリ寿命の指示を生成することと、
前記バッテリ寿命の前記指示に基づいて、前記第１の時間セグメントの前記長さ、前記第１のアドバタイズメント間隔、前記第２の時間セグメントの前記長さ、前記第２のアドバタイズメント間隔、ならびに前記第１及び第２の時間セグメントの前記シーケンス、のうちの１つまたは２つ以上を修正することと、をさらに含む、請求項６６に記載の方法。
【請求項８７】
分析物データを無線通信するように構成された分析物センサシステムであって、前記分析物センサシステムが、
分析物センサと、
無線信号を伝送及び受信するように構成されたトランシーバと、
プロセッサであって、前記分析物センサ及び前記トランシーバに動作的に結合され、また、前記分析物センサシステムに、
アドバタイズメント持続時間内の第１の時間セグメント中に、第１のアドバタイズメント間隔に従って、第２の表示デバイスに第１の一組のアドバタイズメントメッセージを伝送することと、
前記アドバタイズメント持続時間内の第２の時間セグメント中に、第２のアドバタイズメント間隔に従って、分析物表示デバイスに第２の一組のアドバタイズメントメッセージを伝送することと、を行わせるように構成されたプロセッサと、を備え、
前記第１のアドバタイズメント間隔、前記第２のアドバタイズメント間隔、前記第１の時間セグメントの長さ、前記第２の時間セグメントの長さ、前記アドバタイズメント持続時間、ならびに前記第１及び第２の時間セグメントのシーケンス、のうちの１つまたは２つ以上が構成可能である、分析物センサシステム。
【請求項８８】
前記プロセッサが、前記分析物センサシステムに、前記第１及び第２の時間セグメントの前記シーケンスを変更させるようにさらに構成される、請求項８７に記載の分析物センサシステム。
【請求項８９】
前記分析物センサシステムが、前記第２の表示デバイスがリストに存在するかどうかを示す値に基づいて、前記第１及び第２の時間セグメントの前記シーケンスを変更する、請求項８８に記載の分析物センサシステム。
【請求項９０】
前記プロセッサが、前記分析物センサシステムに、
前記分析物表示デバイスに関連する入力パラメータの値を取得することと、
前記入力パラメータの前記値に基づいて、前記第２の時間セグメントの前記長さ及び前記第２のアドバタイズメント間隔のうちの１つまたは２つ以上を修正することと、を行わせるようにさらに構成される、請求項８７に記載の分析物センサシステム。
【請求項９１】
前記プロセッサが、前記分析物センサシステムに、
前記第２の表示デバイスに関連する入力パラメータの値を取得することと、
前記入力パラメータの前記値に基づいて、前記第１の時間セグメントの前記長さ及び前記第１のアドバタイズメント間隔のうちの１つまたは２つ以上を修正することと、を行わせるようにさらに構成される、請求項８７に記載の分析物センサシステム。
【請求項９２】
分析物センサシステムを分析物表示デバイス及び第２の表示デバイスに接続するための方法であって、前記方法が、
アドバタイズメント持続時間内の第１の時間セグメント中に、前記第２の表示デバイスに第１の一組のアドバタイズメントメッセージを伝送することと、
前記アドバタイズメント持続時間内の第２の時間セグメント中に、前記第２の時間セグメントの長さがゼロ秒に設定されていない場合、分析物表示デバイスに第２の一組のアドバタイズメントメッセージを伝送することと、
前記アドバタイズメント持続時間内の第３の時間セグメント中に、条件を満たした場合、前記第２の表示デバイスに第３の一組のアドバタイズメントメッセージを伝送することと、を含む、方法。
【請求項９３】
前記第１の一組のアドバタイズメントメッセージを伝送することが、第１のアドバタイズメント間隔に従って行われる、請求項９２に記載の方法。
【請求項９４】
前記第１のアドバタイズメント間隔が、約２０ミリ秒であり、前記第１の時間セグメントの長さが、約１０秒である、請求項９３に記載の方法。
【請求項９５】
前記第３の一組のアドバタイズメントメッセージを伝送することが、第３のアドバタイズメント間隔に従って行われる、請求項９２に記載の方法。
【請求項９６】
前記第３のアドバタイズメント間隔が、約１５２．５ミリ秒であり、前記第３の時間セグメントの長さが、約６０秒である、請求項９５に記載の方法。
【請求項９７】
前記第１の時間セグメント中に前記第２の表示デバイスが前記分析物センサシステムに接続しなかった場合に、前記条件を満たす、請求項９２に記載の方法。
【請求項９８】
前記第２の時間セグメントの前記長さをゼロに設定して、前記分析物表示デバイスへの接続を無効にすることをさらに含む、請求項９２に記載の方法。
【請求項９９】
前記分析物センサシステムと前記第２の表示デバイスとの接続の質の指示を取得することと、
前記質の前記指示に基づいて、前記条件を満たしたかどうかを判定することと、をさらに含む、請求項９２に記載の方法。
【請求項１００】
前記条件を満たしたかどうかを判定することが、前記第２の表示デバイスから受信した信号に応答して、前記分析物センサシステムによって行われる、請求項９９に記載の方法。
【請求項１０１】
前記条件を満たしたかどうかを判定することが、前記質の前記指示と閾値とを比較することを含む、請求項９９に記載の方法。
【請求項１０２】
前記質が、受信信号強度指示（ＲＳＳＩ）及びリターントリップ遅延時間（ＲＴＤＴ）のうちの１つまたは２つ以上を使用して判定されている、請求項９９に記載の方法。
【請求項１０３】
ＲＳＳＩ及びＲＴＤＴのうちの１つまたは２つ以上の測定を行うことと、
前記測定に基づいて、前記質を判定することと、をさらに含む、請求項９９に記載の方法。
【請求項１０４】
前記測定を行うことが、前記分析物センサシステム及び前記第２の表示デバイスのうちの１つまたは２つ以上によって行われる、請求項１０３に記載の方法。
【請求項１０５】
前記分析物センサシステムの場所及び前記第２の表示デバイスの場所のうちの１つまたは２つ以上に関連する指示に基づいて、前記条件を満たしたかどうかを判定することをさらに含む、請求項９２に記載の方法。
【請求項１０６】
日時に関連する指示に基づいて、前記条件を満たしたかどうかを判定することをさらに含む、請求項９２に記載の方法。
【請求項１０７】
前記分析物センサシステム用のバッテリ寿命の指示を生成することと、
前記バッテリ寿命の指示に基づいて、前記条件を満たしたかどうかを判定することと、をさらに含む、請求項９２に記載の方法。
【請求項１０８】
前記第１の時間セグメントが、前記第２の時間セグメントに先行し、前記第２の時間セグメントが、前記第３の時間セグメントに先行する、請求項９２に記載の方法。
【請求項１０９】
前記第２の時間セグメントが、前記第１の時間セグメントに先行し、前記第１の時間セグメントが、前記第３の時間セグメントに先行する、請求項９２に記載の方法。
【請求項１１０】
入力パラメータに基づいて、前記第２の時間セグメントが前記第１の時間セグメントに先行するように、及び前記第１の時間セグメントが前記第３の時間セグメントに先行するように構成することをさらに含む、請求項９２に記載の方法。
【請求項１１１】
前記入力パラメータが、前記分析物表示デバイスの場所及び前記第２の表示デバイスの場所のうちの１つまたは２つ以上に基づく、請求項１１０に記載の方法。
【請求項１１２】
前記入力パラメータが、前記分析物センサシステムとの接続の質の指示に基づく、請求項１１０に記載の方法。
【請求項１１３】
前記指示が、受信信号強度及びリターントリップ遅延時間のうちの１つまたは２つ以上に基づいて決定されている、請求項１１２に記載の方法。
【請求項１１４】
前記入力パラメータが、日時に基づく、請求項１１０に記載の方法。
【請求項１１５】
前記入力パラメータが、前記分析物センサシステムのバッテリ寿命の指示に基づく、請求項１１０に記載の方法。
【請求項１１６】
分析物データを無線通信するためのシステムであって、前記システムが、
アドバタイズメント持続時間中に、複数の表示デバイスのうちの１つまたは２つ以上に分析物センサデータ及びアドバタイズメントメッセージを伝送するように構成された、分析物センサシステムと、
前記複数の表示デバイスのうちの第２の表示デバイスであって、前記第２の表示デバイスが、前記アドバタイズメント持続時間内の第１の時間セグメント中に、前記分析物センサシステムから伝送された第１の一組のアドバタイズメントメッセージを受信し、応答するように構成された、第２の表示デバイスと、
前記複数の表示デバイスのうちの分析物表示デバイスであって、前記分析物表示デバイスが、前記アドバタイズメント持続時間内の第２の時間セグメント中に、前記第２の時間セグメントの長さがゼロ秒に設定されていない場合、前記分析物センサシステムから伝送された第２の一組のアドバタイズメントメッセージを受信し、応答するように構成された、分析物表示デバイスと、を備え、
前記第２の表示デバイスが、条件を満たした場合、前記アドバタイズメント持続時間の第３の時間セグメント中に、第３の一組のアドバタイズメントメッセージを受信するようにさらに構成される、システム。
【請求項１１７】
前記第１の時間セグメント中に前記第２の表示デバイスが前記分析物センサシステムに接続しなかった場合に、前記条件を満たす、請求項１１６に記載のシステム。
【請求項１１８】
前記分析物センサシステムが、前記第２の時間セグメントの前記長さをゼロに設定して、前記分析物表示デバイスへの接続を無効にするようにさらに構成される、請求項１１６に記載のシステム。
【請求項１１９】
前記分析物センサシステム、前記第２の表示デバイス、及び前記分析物表示デバイス、のうちの１つまたは２つ以上が、前記分析物センサシステムに対して行われる１つまたは２つ以上の接続に関する指示を取得し、前記指示に基づいて、前記条件を満たしたかどうかを判定するようにさらに構成される、請求項１１６に記載のシステム。
【請求項１２０】
前記分析物センサシステム、前記第２の表示デバイス、及び前記分析物表示デバイス、のうちの１つまたは２つ以上が、指示と閾値とを比較することによって、前記条件を満たしたかどうかを判定するようにさらに構成される、請求項１１６に記載のシステム。
【請求項１２１】
前記第１の時間セグメントが、前記第２の時間セグメントに先行し、前記第２の時間セグメントが、前記第３の時間セグメントに先行する、請求項１１６に記載のシステム。
【請求項１２２】
前記第２の時間セグメントが、前記第１の時間セグメントに先行し、前記第１の時間セグメントが、前記第３の時間セグメントに先行する、請求項１１６に記載のシステム。
【請求項１２３】
前記分析物センサシステムが、入力パラメータに基づいて、前記第２の時間セグメントを前記第１の時間セグメントに先行して配設し、前記第１の時間セグメントを前記第３の時間セグメントに先行して配設するようにさらに構成される、請求項１１６に記載のシステム。
【請求項１２４】
前記入力パラメータが、前記分析物表示デバイスの場所及び前記第２の表示デバイスの場所のうちの１つまたは２つ以上に基づく、請求項１２３に記載のシステム。
【請求項１２５】
前記入力パラメータが、前記分析物センサシステムとの接続の質、日時、及び前記分析物センサシステムのバッテリ寿命、の１つまたは２つ以上の指示に基づく、請求項１２３に記載のシステム。
【請求項１２６】
分析物データを無線通信するように構成された分析物センサシステムであって、前記分析物センサシステムが、
分析物センサと、
無線信号を伝送及び受信するように構成されたトランシーバと、
プロセッサであって、前記分析物センサ及び前記トランシーバに動作的に結合され、また、前記分析物センサシステムに、
アドバタイズメント持続時間内の第１の時間セグメント中に、第２の表示デバイスに第１の一組のアドバタイズメントメッセージを伝送することと、
前記アドバタイズメント持続時間内の第２の時間セグメント中に、前記第２の時間セグメントの長さがゼロ秒に設定されていない場合、分析物表示デバイスに第２の一組のアドバタイズメントメッセージを伝送することと、
前記アドバタイズメント持続時間内の第３の時間セグメント中に、条件を満たした場合、前記第２の表示デバイスに第３の一組のアドバタイズメントメッセージを伝送することと、を行わせるように構成されたプロセッサと、を備える、分析物センサシステム。
【請求項１２７】
前記第１の時間セグメント中に前記第２の表示デバイスが前記分析物センサシステムに接続しなかった場合に、前記条件を満たす、請求項１２６に記載の分析物センサシステム。
【請求項１２８】
前記プロセッサが、前記分析物センサシステムに、前記第２の時間セグメントの前記長さをゼロに設定させて、前記分析物表示デバイスへの接続を無効にさせるようにさらに構成される、請求項１２６に記載の分析物センサシステム。
【請求項１２９】
前記プロセッサが、前記分析物センサシステムに、前記分析物センサシステムに対して行われる１つまたは２つ以上の接続に関する指示を取得させ、前記指示に基づいて、前記条件を満たしたかどうかを判定させるようにさらに構成される、請求項１２６に記載の分析物センサシステム。
【請求項１３０】
前記プロセッサが、前記分析物センサシステムに、前記指示と閾値とを比較することによって、前記条件を満たしたかどうかを判定させるようにさらに構成される、請求項１２９に記載の分析物センサシステム。
【請求項１３１】
前記第１の時間セグメントが、前記第２の時間セグメントに先行し、前記第２の時間セグメントが、前記第３の時間セグメントに先行する、請求項１２６に記載の分析物センサシステム。
【請求項１３２】
前記第２の時間セグメントが、前記第１の時間セグメントに先行し、前記第１の時間セグメントが、前記第３の時間セグメントに先行する、請求項１２６に記載の分析物センサシステム。
【請求項１３３】
前記プロセッサが、入力パラメータに基づいて、前記第２の時間セグメントが前記第１の時間セグメントに先行するべきであること、及び前記第１の時間セグメントが前記第３の時間セグメントに先行するべきであることを示すようにさらに構成される、請求項１２６に記載の分析物センサシステム。
【請求項１３４】
前記入力パラメータが、前記分析物センサシステムの場所及び前記第２の表示デバイスの場所のうちの１つまたは２つ以上に基づく、請求項１３３に記載の分析物センサシステム。
【請求項１３５】
前記入力パラメータが、前記分析物センサシステムとの接続の質、日時、及び前記分析物センサシステムのバッテリ寿命、の１つまたは２つ以上の指示に基づく、請求項１３３に記載の分析物センサシステム。
【請求項１３６】
分析物データを無線通信するように構成された表示デバイスであって、前記表示デバイスが、
無線信号を伝送及び受信するように構成されたトランシーバと、
プロセッサであって、前記トランシーバに動作的に結合され、また、モバイルデバイスに、
アドバタイズメント持続時間内の第１の時間セグメント中に、分析物センサシステムによって送信された第１の一組のアドバタイズメントメッセージを受信し、応答することと、
前記アドバタイズメント持続時間内の第２の時間セグメント中に、前記分析物センサシステムによって送信された第２の一組のアドバタイズメントメッセージを受信するが、応答しないことと、
前記アドバタイズメント持続時間内の第３の時間セグメント中に、前記分析物センサシステムによって送信された第３の一組のアドバタイズメントメッセージを受信し、条件を満たした場合に応答することと、を行わせるように構成されたプロセッサと、を備える、表示デバイス。
【請求項１３７】
前記第１の時間セグメント中に前記表示デバイスが前記分析物センサシステムに接続しなかった場合に、前記条件を満たす、請求項１３６に記載の表示デバイス。
【請求項１３８】
前記プロセッサが、前記表示デバイスに、前記分析物センサシステムに対して行われる１つまたは２つ以上の接続に関する指示を取得させ、前記指示に基づいて、前記条件を満たしたかどうかを判定させるようにさらに構成される、請求項１３６に記載の表示デバイス。
【請求項１３９】
前記プロセッサが、前記表示デバイスに、前記指示と閾値とを比較することによって、前記条件を満たしたかどうかを判定させるようにさらに構成される、請求項１３８に記載の表示デバイス。
【請求項１４０】
前記第１の時間セグメントが、前記第２の時間セグメントに先行し、前記第２の時間セグメントが、前記第３の時間セグメントに先行する、請求項１３６に記載の表示デバイス。
【請求項１４１】
前記第２の時間セグメントが、前記第１の時間セグメントに先行し、前記第１の時間セグメントが、前記第３の時間セグメントに先行する、請求項１３６に記載の表示デバイス。
【請求項１４２】
前記プロセッサが、入力パラメータに基づいて、表示デバイスに、前記第２の時間セグメントが前記第１の時間セグメントに先行するべきであること、及び前記第１の時間セグメントが前記第３の時間セグメントに先行するべきであることを示させるようにさらに構成される、請求項１３６に記載の表示デバイス。
【請求項１４３】
前記入力パラメータが、前記表示デバイスの場所に基づく、請求項１４２に記載の表示デバイス。
【請求項１４４】
前記入力パラメータが、前記分析物センサシステムとの接続の質、日時、及び前記分析物センサシステムのバッテリ寿命、の１つまたは２つ以上の指示に基づく、請求項１４２に記載の表示デバイス。
【請求項１４５】
分析物データを無線通信するための方法であって、前記方法が、
第１のアドバタイズメント期間中に、分析物センサシステムが、第１のアドレスを含む第１のアドバタイズメントメッセージを伝送することと、
第２のアドバタイズメント期間中に、前記分析物センサシステムと分析物表示デバイスとの間の第１の接続が確立された場合、前記分析物センサシステムが、１つまたは２つ以上の第２の表示デバイスに固有の第２のアドレスを含む第２のアドバタイズメントメッセージを伝送することと、
前記第２のアドバタイズメント期間中に、前記分析物センサシステムと前記１つまたは２つ以上の第２の表示デバイスとの間の第２の接続が確立された場合、前記分析物表示デバイスに固有の第３のアドレスを含む第３のアドバタイズメントメッセージを伝送することと、を含む、方法。
【請求項１４６】
前記第１及び第２のアドバタイズメント期間が、一般的なアドバタイジング期間である、請求項１４５に記載の方法。
【請求項１４７】
前記第１のアドレスが、前記分析物表示デバイスと前記１つまたは２つ以上の第２の表示デバイスとの間で共通である、請求項１４５に記載の方法。
【請求項１４８】
リストが、前記分析物表示デバイス及び第１の表示デバイスを含むかどうかを評価することと、
前記リストが、前記分析物表示デバイス及び前記第１の表示デバイスを含む場合、
前記１つまたは２つ以上の第２の表示デバイスに、前記第２のアドバタイズメントメッセージを伝送するための第３のアドバタイジング期間の第１の時間セグメントを割り当てることと、
前記分析物表示デバイスに、前記第３のアドバタイズメントメッセージを伝送するための前記第３のアドバタイジング期間の第２の時間セグメントを割り当てることと、をさらに含む、請求項１４５に記載の方法。
【請求項１４９】
前記リストに前記分析物表示デバイスを含むことが、前記分析物センサシステムが前記分析物表示デバイスに接続したことを示し、前記リストに前記第１の表示デバイスを含むことが、前記分析物センサシステムが前記第１の表示デバイスに接続したことを示す、請求項１４８に記載の方法。
【請求項１５０】
前記１つまたは２つ以上の第２の表示デバイスが、パーソナル電子デバイスを備える、請求項１４５に記載の方法。
【請求項１５１】
前記パーソナル電子デバイスが、スマートフォン、スマートウォッチ、タブレット、コンピュータ、及びテレビ、のうちの１つまたは２つ以上を備える、請求項１５０に記載の方法。
【請求項１５２】
分類スキームに従って、一組の前記１つまたは２つ以上の第２の表示デバイスを定義することをさらに含む、請求項１４５に記載の方法。
【請求項１５３】
前記分析物表示デバイスへの接続の予期しない損失に応答して、前記分析物センサシステムが、前記第３のアドバタイズメントメッセージを伝送することと、
第１の表示デバイスへの接続の予期しない損失に応答して、前記分析物センサシステムが、前記第２のアドバタイズメントメッセージを伝送することと、をさらに含む、請求項１４５に記載の方法。
【請求項１５４】
前記第２のアドレスが、第１の一組の前記第２の表示デバイスに固有であり、第４のアドレスが、第２の一組の前記第２の表示デバイスに固有であり、前記方法が、
前記第１及び第２の一組の前記第２の表示デバイスの間で、前記分析物センサシステムへの接続の相対的な質の指示、
前記第１の一組の前記第２の表示デバイスの場所及び前記第２の一組の前記第２の表示デバイスの場所のうちの１つまたは２つ以上に関連する指示、
日時に関連する指示、及び
前記分析物センサシステムのバッテリ寿命に関連する指示、のうちの１つまたは２つ以上に基づいて、伝送するための前記第２及び第４のアドレスの間で選択することをさらに含む、請求項１４５に記載の方法。
【請求項１５５】
分析物データを無線通信するように構成された分析物センサシステムであって、前記分析物センサシステムが、
分析物センサと、
無線信号を伝送及び受信するように構成されたトランシーバと、
プロセッサであって、前記分析物センサ及び前記トランシーバに動作的に結合され、また、前記分析物センサシステムに、
第１のアドバタイズメント期間中に、第１のアドレスを含む第１のアドバタイズメントメッセージを伝送することと、
第２のアドバタイズメント期間中に、前記分析物センサシステムと分析物表示デバイスとの間の第１の接続が確立された場合、１つまたは２つ以上の第２の表示デバイスに固有の第２のアドレスを含む第２のアドバタイズメントメッセージを伝送することと、
前記第２のアドバタイズメント期間中に、前記分析物センサシステムと前記１つまたは２つ以上の第２の表示デバイスの第１の表示デバイスとの間の第２の接続が確立された場合、前記分析物表示デバイスに固有の第３のアドレスを含む第３のアドバタイズメントメッセージを伝送することと、を行わせるように構成されたプロセッサと、を備える、分析物センサシステム。
【請求項１５６】
前記第１及び第２のアドバタイズメント期間が、一般的なアドバタイジング期間である、請求項１５５に記載の分析物センサシステム。
【請求項１５７】
前記第１のアドレスが、前記分析物表示デバイスと前記１つまたは２つ以上の第２の表示デバイスとの間で共通である、請求項１５５に記載の分析物センサシステム。
【請求項１５８】
前記プロセッサが、前記分析物センサシステムに、
リストが前記分析物表示デバイス及び前記第１の表示デバイスを含むかどうかを評価させ、前記リストが前記分析物表示デバイス及び前記第１の表示デバイスを含む場合、
前記第２のアドバタイズメントメッセージを伝送するための第３のアドバタイジング期間の第１の時間セグメントを、前記１つまたは２つ以上の第２の表示デバイスに割り当てることと、
前記第３のアドバタイズメントメッセージを伝送するための前記第３のアドバタイジング期間の第２の時間セグメントを、前記分析物表示デバイスに割り当てることと、を行わせるようにさらに構成される、請求項１５５に記載の分析物センサシステム。
【請求項１５９】
リストに前記分析物表示デバイスを含むことが、前記分析物センサシステムが前記分析物表示デバイスに以前に接続したことを示し、前記リストに前記第１の表示デバイスを含むことが、前記分析物センサシステムが前記第１の表示デバイスに以前に接続したことを示す、請求項１５５に記載の分析物センサシステム。
【請求項１６０】
前記１つまたは２つ以上の第２の表示デバイスが、パーソナル電子デバイスを備える、請求項１５５に記載の分析物センサシステム。
【請求項１６１】
前記パーソナル電子デバイスが、スマートフォン、スマートウォッチ、タブレット、コンピュータ、及びテレビ、のうちの１つまたは２つ以上を備える、請求項１６０に記載の分析物センサシステム。
【請求項１６２】
前記プロセッサが、前記分析物センサシステムに、分類スキームに従って、一組の前記１つまたは２つ以上の第２の表示デバイスを定義させるようにさらに構成される、請求項１５５に記載の分析物センサシステム。
【請求項１６３】
前記プロセッサが、前記分析物センサシステムに、
前記分析物表示デバイスへの接続の予期しない損失に応答して、前記第３のアドバタイズメントメッセージを伝送することと、
前記第１の表示デバイスへの接続の予期しない損失に応答して、前記第２のアドバタイズメントメッセージを伝送することと、を行わせるようにさらに構成される、請求項１５５に記載の分析物センサシステム。
【請求項１６４】
前記第２のアドレスが、第１の一組の前記第２の表示デバイスに固有であり、第４のアドレスが、第２の一組の前記第２の表示デバイスに固有であり、前記プロセッサが、前記分析物センサシステムに、
前記第１及び第２の一組の表示デバイスの間で、前記分析物センサシステムへの接続の相対的な質の指示、
前記第１の一組の表示デバイスの場所及び前記第２の一組の表示デバイスの場所のうちの１つまたは２つ以上に関連する指示、
日時に関連する指示、及び
前記分析物センサシステムのバッテリ寿命に関連する指示、のうちの１つまたは２つ以上に基づいて、伝送するための前記第２及び第４のアドレスの間で選択させるようにさらに構成される、請求項１５５に記載の分析物センサシステム。
【請求項１６５】
分析物データを無線通信するためのシステムであって、前記システムが、
分析物表示デバイスと、
１つまたは２つ以上の第２の表示デバイスと、
分析物センサシステムであって、無線信号を処理、伝送、及び受信するように構成された回路を備え、また、前記分析物センサシステムに、
第１のアドバタイズメント期間中に、第１のアドレスを含む第１のアドバタイズメントメッセージを伝送することと、
第２のアドバタイズメント期間中に、前記分析物センサシステムと前記分析物表示デバイスとの間の第１の接続が確立された場合、前記第２の表示デバイスの１つまたは２つ以上に固有の第２のアドレスを含む第２のアドバタイズメントメッセージを伝送することと、
第２のアドバタイズメント期間中に、前記分析物センサシステムと前記１つまたは２つ以上の第２の表示デバイスの第１の表示デバイスとの間の第２の接続が確立された場合、前記分析物表示デバイスに固有の第３のアドレスを含む第３のアドバタイズメントメッセージを伝送することと、
リストが前記分析物表示デバイス及び前記第１の表示デバイスを含むかどうかを評価させ、前記リストが前記分析物表示デバイス及び前記第１の表示デバイスを含む場合、
前記第２のアドバタイズメントメッセージを伝送するための第３のアドバタイジング期間の第１の時間セグメントを、前記１つまたは２つ以上の第２の表示デバイスに割り当てることと、
前記第３のアドバタイズメントメッセージを伝送するための前記第３のアドバタイジング期間の第２の時間セグメントを、前記分析物表示デバイスに割り当てることと、を行わせるようにさらに構成された、分析物センサシステムと、を備える、システム。
【請求項１６６】
分析物データを無線通信するための方法であって、前記方法が、
第１のアドバタイズメント期間中に、分析物センサシステムが、
第１のアドレスを備え、前記第１のアドレスが１つまたは２つ以上の表示デバイスに固有である、第１のアドバタイズメントメッセージ、及び
第２のアドレスを備え、前記第２のアドレスが分析物表示デバイスに固有である、第２のアドバタイズメントメッセージ、のうちの１つを伝送することと、
前記第１のアドバタイズメント期間の後の第２のアドバタイズメント期間中に、前記分析物センサシステムと前記１つまたは２つ以上の表示デバイスの第１の表示デバイスとの間の第１の接続が確立された場合、
前記第２のアドバタイズメントメッセージを伝送することと、
前記第１のアドバタイズメント期間の後の第３のアドバタイズメント期間中に、前記分析物センサシステムと前記分析物表示デバイスとの間の第２の接続が確立された場合、
前記第１のアドバタイズメントメッセージを伝送することと、を含む、方法。
【請求項１６７】
前記第１のアドバタイズメント期間の前に、前記分析物表示デバイス及び前記１つまたは２つ以上の表示デバイスに関する情報を受信することをさらに含む、請求項１６６に記載の方法。
【請求項１６８】
前記情報を受信することが、ＮＦＣによって行われる、請求項１６６に記載の方法。
【請求項１６９】
前記情報を受信することが、前記分析物センサシステムをプログラムすることによって行われる、請求項１６６に記載の方法。
【請求項１７０】
分析物データを無線通信するための方法であって、前記方法が、
分析物センサシステムが、前記分析物センサシステムに接続することができる複数の表示デバイスのうちの１つまたは２つ以上の選好レベルに関する指示を受信することと、
前記指示に応答して、前記選好をサポートするプロシージャを実施することと、を含む、方法。
【請求項１７１】
前記分析物センサシステムが、前記プロシージャが実施されている旨の指示を含むメッセージを伝送することをさらに含む、請求項１７０に記載の方法。
【請求項１７２】
前記プロシージャを実施することが、前記１つまたは２つ以上の表示デバイスの全体的な選好レベルのリストのメンテナンスを修正することを含む、請求項１７０に記載の方法。
【請求項１７３】
前記リストの前記メンテナンスを修正することが、
前記指示に従って、前記１つまたは２つ以上の表示デバイスをリストに保持することと、
接続に利用できなくなる前記１つまたは２つ以上の表示デバイスのうちのいずれかを、前記リストから削除することを可能にすることと、を含む、請求項１７２に記載の方法。
【請求項１７４】
前記リストの前記メンテナンスを修正することが、前記指示に従って、前記複数の表示デバイスのうちの１つまたは２つ以上を前記リストに加えることを含む、請求項１７２に記載の方法。
【請求項１７５】
前記リストの前記メンテナンスを修正することが、前記指示に従って、前記複数の表示デバイスのうちの１つまたは２つ以上を前記リストから削除することを含む、請求項１７２に記載の方法。
【請求項１７６】
前記複数の表示デバイスのうちの前記１つまたは２つ以上を前記リストから削除した旨の指示を含むメッセージを伝送することをさらに含む、請求項１７５に記載の方法。
【請求項１７７】
前記リストが、前記分析物センサシステムに以前に接続した前記複数の表示デバイスのうちの１つまたは２つ以上を表す、請求項１７２に記載の方法。
【請求項１７８】
前記リストが、ホワイトリストである、請求項１７２に記載の方法。
【請求項１７９】
前記プロシージャを実施することが、前記指示に従って、前記分析物センサシステムが、前記１つまたは２つ以上の表示デバイスのうちの少なくとも１つに固有のアドレスを含むアドバタイズメントメッセージを伝送することを含む、請求項１７０に記載の方法。
【請求項１８０】
前記プロシージャを実施することが、前記指示に従って、前記分析物センサシステムが、前記１つまたは２つ以上の表示デバイスの各々について、前記表示デバイスに固有のアドバタイズメントメッセージを伝送することを含む、請求項１７０に記載の方法。
【請求項１８１】
前記選好が、前記表示デバイスの１つまたは２つ以上の優先順位付けを含む、請求項１７０に記載の方法。
【請求項１８２】
前記プロシージャを実施することが、前記優先順位付けに基づく構成を使用して、前記分析物センサシステムが、前記１つまたは２つ以上の表示デバイスの各々について、前記表示デバイスに固有のアドバタイズメントメッセージを伝送することを含む、請求項１８１に記載の方法。
【請求項１８３】
前記プロシージャを実施することが、前記優先順位付けに基づく順序で、前記分析物センサシステムが、前記１つまたは２つ以上の表示デバイスの各々について、前記表示デバイスに固有のアドバタイズメントメッセージを伝送することを含む、請求項１８１に記載の方法。
【請求項１８４】
前記指示が、前記複数の表示デバイスのうちの１つで動作するモバイルアプリケーションを介して、ユーザから受信されている、請求項１７０に記載の方法。
【請求項１８５】
前記指示が、前記複数の表示デバイスのうちの第１から第２に切り換える命令を含み、前記命令が、グラフィカルユーザインターフェース（ＧＵＩ）を介して生成されたものである、請求項１７０に記載の方法。
【請求項１８６】
分析物データを無線通信するように構成された分析物センサシステムであって、前記分析物センサシステムが、
分析物センサと、
無線信号を伝送及び受信するように構成されたトランシーバと、
プロセッサであって、前記分析物センサ及び前記トランシーバに動作的に結合され、また、前記分析物センサシステムに、
前記分析物センサシステムに接続することができる複数の表示デバイスのうちの１つまたは２つ以上の選好レベルに関する指示を受信することと、
前記指示に応答して、前記選好をサポートするプロシージャを実施することと、を行わせるように構成されたプロセッサと、を含む、分析物センサシステム。
【請求項１８７】
前記プロセッサが、前記分析物センサシステムに、前記プロシージャが実施されている旨の指示を含むメッセージを伝送させるようにさらに構成される、請求項１８６に記載の分析物センサシステム。
【請求項１８８】
前記プロシージャを実施するために、前記プロセッサが、前記分析物センサシステムに、前記１つまたは２つ以上の表示デバイスの全体的な選好レベルのリストのメンテナンスを修正させるようにさらに構成される、請求項１８６に記載の分析物センサシステム。
【請求項１８９】
前記リストの前記メンテナンスを修正するために、前記プロセッサが、
前記指示に従って、前記１つまたは２つ以上の表示デバイスをリストに保持し、
接続に利用できなくなる前記１つまたは２つ以上の表示デバイスのうちのいずれかを、前記リストから削除することを可能にするようにさらに構成される、請求項１８８に記載の分析物センサシステム。
【請求項１９０】
前記リストの前記メンテナンスを修正するために、前記プロセッサが、前記指示に従って、前記複数の表示デバイスのうちの１つまたは２つ以上を前記リストに加えるようにさらに構成される、請求項１８８に記載の分析物センサシステム。
【請求項１９１】
前記リストの前記メンテナンスを修正するために、前記プロセッサが、前記指示に従って、前記複数の表示デバイスのうちの１つまたは２つ以上を前記リストから削除するようにさらに構成される、請求項１８８に記載の分析物センサシステム。
【請求項１９２】
前記プロセッサが、前記複数の表示デバイスのうちの前記１つまたは２つ以上を前記リストから削除した旨の指示を含むメッセージを伝送するようにさらに構成される、請求項１９１に記載の分析物センサシステム。
【請求項１９３】
前記リストが、前記分析物センサシステムに以前に接続した前記複数の表示デバイスのうちの１つまたは２つ以上を表す、請求項１８８に記載の分析物センサシステム。
【請求項１９４】
前記リストが、ホワイトリストである、請求項１８８に記載の分析物センサシステム。
【請求項１９５】
前記プロシージャを実施するために、前記プロセッサが、前記指示に従って、前記１つまたは２つ以上の表示デバイスのうちの少なくとも１つに固有のアドレスを含むアドバタイズメントメッセージを伝送するようにさらに構成される、請求項１８６に記載の分析物センサシステム。
【請求項１９６】
前記プロシージャを実施するために、前記プロセッサが、前記指示に従って、前記１つまたは２つ以上の表示デバイスの各々について、前記表示デバイスに固有のアドバタイズメントメッセージを伝送するようにさらに構成される、請求項１８６に記載の分析物センサシステム。
【請求項１９７】
前記選好が、前記表示デバイスの１つまたは２つ以上の優先順位付けを含む、請求項１８６に記載の分析物センサシステム。
【請求項１９８】
前記プロシージャを実施するために、前記プロセッサが、前記優先順位付けに基づく構成に従って、前記１つまたは２つ以上の表示デバイスの各々について、前記表示デバイスに固有のアドバタイズメントメッセージを伝送するようにさらに構成される、請求項１９７に記載の分析物センサシステム。
【請求項１９９】
前記プロシージャを実施するために、前記プロセッサが、前記優先順位付けに基づく順序で、前記１つまたは２つ以上の表示デバイスの各々について、前記表示デバイスに固有のアドバタイズメントメッセージを伝送するようにさらに構成される、請求項１９７に記載の分析物センサシステム。
【請求項２００】
前記指示が、前記複数の表示デバイスのうちの１つで動作するモバイルアプリケーションを介して、ユーザから受信されている、請求項１８６に記載の分析物センサシステム。
【請求項２０１】
前記指示が、前記複数の表示デバイスのうちの第１から第２に切り換える命令を含み、前記命令が、グラフィカルユーザインターフェース（ＧＵＩ）を介して生成されたものである、請求項１８６に記載の分析物センサシステム。
【請求項２０２】
分析物データを無線通信するための方法であって、前記方法が、
モバイルデバイスが、分析物センサシステムに接続することができる複数の表示デバイスのうちの１つまたは２つ以上の選好レベルに関する指示を受信することと、
前記指示に応答して、前記選好をサポートするプロシージャを実施することと、を含む、方法。
【請求項２０３】
前記プロシージャを開始することが、前記モバイルデバイスが、前記分析物センサシステムにメッセージを伝送することを含み、前記メッセージが、前記プロシージャを実施するべきである旨の指示を含む、請求項２０２に記載の方法。
【請求項２０４】
前記モバイルデバイスが、前記プロシージャが実施されている旨の指示を含むメッセージを前記分析物センサシステムから受信することをさらに含む、請求項２０２に記載の方法。
【請求項２０５】
前記プロシージャが、前記モバイルデバイスによって表示されるＧＵＩを介して受信したユーザ入力に応答して、前記１つまたは２つ以上の表示デバイスの全体的な選好レベルのリストのメンテナンスを修正することを含む、請求項２０２に記載の方法。
【請求項２０６】
前記リストの前記メンテナンスを修正することが、前記ユーザ入力に従って、前記複数の表示デバイスのうちの１つまたは２つ以上を前記リストに加えることを含む、請求項２０５に記載の方法。
【請求項２０７】
前記リストの前記メンテナンスを修正することが、前記ユーザ入力に従って、前記複数の表示デバイスのうちの１つまたは２つ以上をリストから削除することを含む、請求項２０６に記載の方法。
【請求項２０８】
前記モバイルデバイスが、前記ユーザ入力に基づいて、前記複数の表示デバイスのうちの前記１つまたは２つ以上が前記リストに加えられた、または該リストから削除された旨の指示を含むメッセージを受信することをさらに含む、請求項２０７に記載の方法。
【請求項２０９】
前記プロシージャが、前記モバイルデバイスによって表示されるＧＵＩを介して受信したユーザ入力に基づいて、前記モバイルデバイスが、前記１つまたは２つ以上の表示デバイスの各々について、前記表示デバイスに固有のアドバタイズメントメッセージを受信することを含む、請求項２０２に記載の方法。
【請求項２１０】
前記指示が、前記モバイルデバイスで動作するモバイルアプリケーションによって前記モバイルデバイスのディスプレイに提示されるＧＵＩを介して、ユーザから受信されている、請求項２０２に記載の方法。
【請求項２１１】
前記指示が、前記複数の表示デバイスのうちの第１から第２に切り換える命令を含む、請求項２１０に記載の方法。
【請求項２１２】
前記モバイルデバイスが、前記複数の表示デバイスのうちの前記第１または前記第２のうちの１つである、請求項２１１に記載の方法。
【請求項２１３】
分析物データを無線通信するように構成されたモバイルデバイスであって、前記モバイルデバイスが、
前記モバイルデバイスのユーザにＧＵＩを提示するように構成されたディスプレイと、
無線信号を伝送及び受信するように構成されたトランシーバと、
プロセッサであって、前記ディスプレイ及び前記トランシーバに動作的に結合され、また、前記モバイルデバイスに、
分析物センサシステムに接続することができる複数の表示デバイスのうちの１つまたは２つ以上の選好レベルに関する指示を受信することと、
前記指示に応答して、前記選好をサポートするプロシージャを実施することと、を行わせるように構成されたプロセッサと、を備える、モバイルデバイス。
【請求項２１４】
前記プロセッサが、前記モバイルデバイスに、前記分析物センサシステムにメッセージを伝送させるようにさらに構成され、前記メッセージが、前記プロシージャを実施するべきである旨の指示を含む、請求項２１３に記載のモバイルデバイス。
【請求項２１５】
前記プロセッサが、前記モバイルデバイスに、前記プロシージャが実施されている旨の指示を含むメッセージを前記分析物センサシステムから受信させるようにさらに構成される、請求項２１３に記載のモバイルデバイス。
【請求項２１６】
前記プロセッサが、前記モバイルデバイスに、前記モバイルデバイスによって表示されるＧＵＩを介して受信したユーザ入力に応答して、前記１つまたは２つ以上の表示デバイスの全体的な選好レベルのリストのメンテナンスの修正を開始させるようにさらに構成される、請求項２１３に記載のモバイルデバイス。
【請求項２１７】
前記リストのメンテナンスの修正と関連して、前記プロセッサが、前記ユーザ入力に従って、前記モバイルデバイスに、前記複数の表示デバイスのうちの１つまたは２つ以上を前記リストに加えるための命令を生成させるようにさらに構成される、請求項２１６に記載のモバイルデバイス。
【請求項２１８】
前記リストのメンテナンスの修正と関連して、前記プロセッサが、前記ユーザ入力に従って、前記モバイルデバイスに、前記複数の表示デバイスのうちの１つまたは２つ以上を前記リストから削除するための命令を生成させるようにさらに構成される、請求項２１７に記載のモバイルデバイス。
【請求項２１９】
前記プロセッサが、前記モバイルデバイスに、前記ユーザ入力に基づいて、前記複数の表示デバイスのうちの前記１つまたは２つ以上が前記リストに加えられた、または該リストから削除された旨の指示を含むメッセージを受信させるようにさらに構成される、請求項２１６に記載のモバイルデバイス。
【請求項２２０】
前記リストのメンテナンスの修正と関連して、前記プロセッサが、前記ＧＵＩを介して受信したユーザ入力に基づいて、前記モバイルデバイスに、前記モバイルデバイスに固有のアドバタイズメントメッセージを受信させるようにさらに構成される、請求項２１６に記載のモバイルデバイス。
【請求項２２１】
前記指示が、前記モバイルデバイスで動作するモバイルアプリケーションによって前記モバイルデバイスのディスプレイに提示されるＧＵＩを介して、ユーザから受信されている、請求項２１３に記載のモバイルデバイス。
【請求項２２２】
前記指示が、前記複数の表示デバイスのうちの第１から第２に切り換える命令を含む、請求項２２１に記載のモバイルデバイス。
【請求項２２３】
前記モバイルデバイスが、前記複数の表示デバイスのうちの前記第１または前記第２のうちの１つである、請求項２２２に記載のモバイルデバイス。
【請求項２２４】
分析物データを無線通信するための方法であって、前記方法が、
モバイルデバイスが、分析物センサシステムに接続することができる複数の表示デバイスのうちの１つまたは２つ以上の選好レベルに関する指示を受信することと、
前記モバイルデバイスが、分析物センサシステムに前記指示を伝送することと、
前記分析物センサシステムが、前記指示を受信することと、
前記指示に応答して、前記分析物センサシステムが、前記選好をサポートするプロシージャを実施することと、を含む、方法。
【請求項２２５】
前記分析物センサシステムが、前記モバイルデバイスにメッセージを伝送することをさらに含み、前記メッセージが、前記プロシージャが実施されている旨の指示を含む、請求項２２４に記載の方法。
【請求項２２６】
前記分析物センサシステムが、前記モバイルデバイスにメッセージを伝送することをさらに含み、前記メッセージが、前記プロシージャを実施することと関連して維持されるリストに関する情報を含む、請求項２２４に記載の方法。
【請求項２２７】
前記リストが、前記分析物センサシステムのホワイトリストである、請求項２２６に記載の方法。
【請求項２２８】
前記プロシージャを実施することが、前記分析物センサシステムが、前記指示に従って、前記モバイルデバイスに固有のアドレスを含むアドバタイズメントメッセージを伝送することを含む、請求項２２４に記載の方法。
【請求項２２９】
前記複数の表示デバイスが、前記モバイルデバイスを備え、前記プロシージャを実施することが、前記指示に従って、前記分析物センサシステムが、前記１つまたは２つ以上の表示デバイスの各々について、前記表示デバイスに固有のアドバタイズメントメッセージを伝送することを含む、請求項２２４に記載の方法。
【請求項２３０】
前記選好が、前記表示デバイスの１つまたは２つ以上の優先順位付けを含む、請求項２２４に記載の方法。
【請求項２３１】
前記優先順位付けが、前記モバイルデバイスによって表示されるＧＵＩを介して受信したユーザ入力に基づいて決定される、請求項２３０に記載の方法。
【請求項２３２】
前記プロシージャを実施することが、前記優先順位付けに基づく構成を使用して、前記分析物センサシステムが、前記１つまたは２つ以上の表示デバイスの各々について、前記表示デバイスに固有のアドバタイズメントメッセージを伝送することを含む、請求項２３０に記載の方法。
【請求項２３３】
前記指示が、前記モバイルデバイスで動作するモバイルアプリケーションを介して、ユーザから受信されている、請求項２２４に記載の方法。
【請求項２３４】
前記指示が、前記複数の表示デバイスのうちの第１から第２に切り換える命令を含み、前記命令が、前記モバイルアプリケーションによって提示されるＧＵＩを使用して生成されたものである、請求項２３３に記載の方法。
【請求項２３５】
分析物データを無線通信するための方法であって、前記方法が、
第１の無線プロトコルを介して、分析物センサシステムと第１の表示デバイスとの間の第１の接続を確立することと、
前記分析物センサシステムから前記第１の表示デバイスに前記第１の接続に関連する情報を転送することと、
第２の表示デバイスが、第２の無線プロトコルを介して、前記第１の表示デバイスへの第２の接続を確立することと、
前記第２の無線プロトコルを使用して、前記第１の表示デバイスから前記第２の表示デバイスに前記第１の接続に関連する前記情報を転送することと、を含む、方法。
【請求項２３６】
前記分析物センサシステムと前記第２の表示デバイスとの間で分析物データを通信するために、前記第１の無線プロトコル及び前記第１の表示デバイスから伝送された前記情報を使用して、前記第２の表示デバイスと前記分析物センサシステムとの間の第３の接続を確立することをさらに含む、請求項２３５に記載の方法。
【請求項２３７】
前記第１の無線プロトコルが、ＢＬＥである、請求項２３５に記載の方法。
【請求項２３８】
前記第２の無線プロトコルが、ＮＦＣまたはＷｉＦｉである、請求項２３７に記載の方法。
【請求項２３９】
前記第１の接続に関連する前記情報が、
トランスミッタ識別情報、
アラート設定情報、
連続グルコース監視データの履歴、
今度の伝送のスケジュール情報、
現在のＥＧＶ、
アクティブアラートに関する情報、
較正データ、
アプリケーション鍵に関する情報、及び
暗号化に関する情報、のうちの１つまたは２つ以上を含む、請求項２３５に記載の方法。
【請求項２４０】
分析物データを無線通信するための方法であって、前記方法が、
第１の無線プロトコルを介して、分析物センサシステムと第１の表示デバイスとの間の第１の接続を確立することと、
前記分析物センサシステムが、前記第１の表示デバイスに前記第１の接続に関連する情報を転送することと、
前記分析物センサシステムが、前記第１の接続に関連する前記情報の少なくとも一部を使用して、前記第１の無線プロトコルを介して、前記分析物センサシステムと第２の表示デバイスとの間の第２の接続を確立することであって、前記第２の表示デバイスが、第２の無線プロトコルを介して、前記第１の表示デバイスから前記接続に関連する前記情報の前記少なくとも一部を受信している、第２の接続を確立することと、を含む、方法。
【請求項２４１】
前記第１の無線プロトコルが、ＢＬＥであり、前記第２の無線プロトコルが、ＮＦＣまたはＷｉＦｉである、請求項２４０に記載の方法。
【請求項２４２】
前記第１の接続に関連する前記情報が、
トランスミッタ識別情報、
アラート設定情報、
連続グルコース監視データの履歴、
今度の伝送のスケジュール情報、
現在のＥＧＶ、
アクティブアラートに関する情報、
較正データ、及び
アプリケーション鍵に関する情報、及び
暗号化に関する情報、のうちの１つまたは２つ以上を含む、請求項２４０に記載の方法。
【請求項２４３】
分析物データを無線通信するように構成された分析物センサシステムであって、前記分析物センサシステムが、
分析物センサと、
無線信号を伝送及び受信するように構成されたトランシーバと、
プロセッサであって、前記分析物センサ及び前記トランシーバに動作的に結合され、また、前記分析物センサシステムに、
第１の無線プロトコルを介して第１の表示デバイスとの第１の接続を確立することと、
前記第１の表示デバイスに前記第１の接続に関連する情報を転送することと、
前記第１の接続に関連する前記情報の少なくとも一部を使用して、前記第１の無線プロトコルを介して、第２の表示デバイスへの第２の接続を確立することであって、前記第２の表示デバイスが、第２の無線プロトコルを介して、前記第１の表示デバイスから前記第１の接続に関連する前記情報の前記少なくとも一部を受信している、第２の接続を確立することと、を含む、分析物センサシステム。
【請求項２４４】
前記第１の無線プロトコルが、ＢＬＥである、請求項２４３に記載の分析物センサシステム。
【請求項２４５】
前記第２の無線プロトコルが、ＮＦＣまたはＷｉＦｉである、請求項２４３に記載の分析物センサシステム。
【請求項２４６】
前記第１の接続に関連する前記情報が、
トランスミッタ識別情報、
アラート設定情報、
連続グルコース監視データの履歴、
今度の伝送のスケジュール情報、
現在のＥＧＶ、
アクティブアラートに関する情報、
較正データ、
アプリケーション鍵に関する情報、及び
暗号化に関する情報、のうちの１つまたは２つ以上を含む、請求項２４３に記載の分析物センサシステム。
【請求項２４７】
分析物データを無線通信するように構成されたモバイルデバイスであって、前記モバイルデバイスが、
無線信号を伝送及び受信するように構成されたトランシーバと、
プロセッサであって、前記トランシーバに動作的に結合され、また、前記モバイルデバイスに、
表示デバイスから、第１の無線プロトコルを介して、前記表示デバイスと分析物センサシステムとの間の第１の接続に関連する情報を受信することと、
前記第１の接続に関連する前記情報を使用して、第２の無線プロトコルを介して、前記分析物センサシステムとの第２の接続を確立することと、を行わせるように構成されたプロセッサと、を備える、モバイルデバイス。
【請求項２４８】
前記第１の無線プロトコルが、ＮＦＣまたはＷｉＦｉであり、前記第２の無線プロトコルが、ＢＬＥである、請求項２４７に記載のモバイルデバイス。
【請求項２４９】
前記第１の接続に関連する前記情報が、
トランスミッタ識別情報、
アラート設定情報、
連続グルコース監視データの履歴、
今度の伝送のスケジュール情報、
現在のＥＧＶ、
アクティブアラートに関する情報、
較正データ、
アプリケーション鍵に関する情報、及び
暗号化に関する情報、のうちの１つまたは２つ以上を含む、請求項２４７に記載のモバイルデバイス。
【請求項２５０】
分析物データを無線通信するための方法であって、前記方法が、
第１の無線プロトコルを介して、分析物センサシステムと第１の表示デバイスとの間の第１の接続を確立することと、
前記分析物センサシステムが、前記第１の表示デバイスに前記第１の接続に関連する情報を転送することと、
前記第１の表示デバイスが、第２の無線プロトコルを介して、第２の表示デバイスとの第２の接続を確立することと、
前記第１の表示デバイスが、前記第２の無線プロトコルを介して、前記第２の表示デバイスに前記第１の接続に関連する前記情報を転送することと、
前記分析物センサシステムが、前記第１の接続に関連する前記情報の少なくとも一部を使用して、前記第１の無線プロトコルを介して、前記分析物センサシステムと前記第２の表示デバイスとの間の第３の接続を確立することと、を含む、方法。
【請求項２５１】
前記プロシージャを実施することが、前記優先順位付けに基づく順序で、前記分析物センサシステムが、前記１つまたは２つ以上の表示デバイスの各々について、前記表示デバイスに固有のアドバタイズメントメッセージを伝送することを含む、請求項２３０に記載の方法。
【手続補正２】
【補正対象書類名】明細書
【補正対象項目名】００８９
【補正方法】変更
【補正の内容】
【００８９】
一般に適用可能であり得るが、また、第１８の態様の任意の他の実現形態と関連して特に適用可能でもある、第１８の態様の特定の実現形態において、分析物センサシステムは、第２の時間セグメントの長さをゼロに設定して、分析物表示デバイスへの接続を無効にするようにさらに構成される。
【手続補正３】
【補正対象書類名】明細書
【補正対象項目名】００９７
【補正方法】変更
【補正の内容】
【００９７】
一般に適用可能であり得るが、また、第１９の態様の任意の他の実現形態と関連して特に適用可能でもある、第１９の態様の特定の実現形態において、プロセッサは、分析物センサシステムに、第２の時間セグメントの長さをゼロに設定させて、分析物表示デバイスへの接続を無効にさせるようにさらに構成される。
【手続補正４】
【補正対象書類名】明細書
【補正対象項目名】０１２６
【補正方法】変更
【補正の内容】
【０１２６】
第２５の態様において、分析物データを無線通信するための方法は、分析物センサシステムが、分析物センサシステムに接続することができる複数の表示デバイスのうちの１つまたは２つ以上の選好レベルに関する指示を受信することを含む。指示に応答して、本方法は、選好をサポートするプロシージャを実施することを含む。指示は、複数の表示デバイスのうちの第１から第２に切り換える命令を含むことができる。命令は、グラフィカルユーザインターフェース（ＧＵＩ）を介して生成することができる。
【手続補正書】
【提出日】令和1年10月17日(2019.10.17)
【手続補正１】
【補正対象書類名】特許請求の範囲
【補正対象項目名】全文
【補正方法】変更
【補正の内容】
【特許請求の範囲】
【請求項１】
分析物データを無線通信するための方法であって、前記方法が、
分析物センサシステムの連続分析物センサを用いてホストにおける分析物値を測定することと、
前記分析物センサシステムと表示デバイスとの間の第１の接続を確立することと、
前記第１の接続中に、前記分析物センサシステムと前記表示デバイスとの間の認証に関連する情報を交換することと、
認証が行われたかどうかに関する第１の判定を行うことと、
前記第１の判定が、前記認証が行われたことを示す場合、前記分析物センサシステムによって、前記表示デバイスに暗号化された分析物値を伝送することと、
前記測定された分析物値に基づいて、前記ホストの医学的状態を示す１つ以上のアラートがトリガーされるべきかどうか第２の判定を行うことと、
前記第２の判定が、前記ホストの医学的状態を示す１つ以上のアラートがトリガーされるべきであることを示す場合、少なくとも１つのアラートをトリガーして、前記表示デバイス上に通知を提供することと、
前記第１の判定が、前記認証が行われなかったことを示す場合、前記表示デバイスへの分析物値の伝送を開始しないことと、
を含む、方法。
【請求項２】
前記分析物センサシステムが、連続グルコースセンサシステムであり、前記認証に関連する情報が、アプリケーション鍵を含む、請求項１に記載の方法。
【請求項３】
前記アプリケーション鍵を使用して、前記連続分析物センサによって測定されたグルコース値を含む分析物値を暗号化し、暗号化されたグルコース値を含む暗号化された分析物値を生成することをさらに含む、請求項２に記載の方法。
【請求項４】
前記アプリケーション鍵の特性が、
前記アプリケーション鍵によって暗号化されるデータ型、
ネットワーク環境、及び
ユーザ設定、のうちの１つまたは２つ以上に基づく、請求項３に記載の方法。
【請求項５】
所定の時間量の経過、
前記分析物センサシステムまたは前記表示デバイスの再開、
別のデバイスが前記分析物センサシステムへの接続を試みることに関連するトリガー、及び
ユーザ入力、のうちの１つまたは２つ以上に応答して、前記アプリケーション鍵を修正することをさらに含む、請求項２に記載の方法。
【請求項６】
前記分析物センサシステムによって前記暗号化された分析物値を前記伝送するための、前記分析物センサシステムと前記表示デバイスとの間の第２の接続を確立することと、
前記第１の接続中に行われる前記認証に関連する情報を交換することをバイパスすることと、をさらに含む、請求項１に記載の方法。
【請求項７】
前記暗号化された分析物値の少なくとも一部分は、前記分析物センサシステムによって伝送される１つまたは２つ以上のアドバタイズメントメッセージにおいて前記表示デバイスに伝送される、請求項１に記載の方法。
【請求項８】
前記暗号化された分析物値を伝送するために使用するアドバタイズメントメッセージの数を決定することをさらに含む、請求項７に記載の方法。
【請求項９】
前記暗号化された分析物値を伝送するために使用する前記アドバタイズメントメッセージの数が１より大きいと判定された場合、前記１つまたは２つ以上のアドバタイズメントメッセージのうちの第１のものが、前記暗号化された分析物値の第１の部分と、前記１つまたは２つ以上のアドバタイズメントメッセージのうちの第２のものが、前記暗号化された分析物値の第２の部分を含む旨の指示と、を含む、請求項８に記載の方法。
【請求項１０】
前記認証に関連する情報が、前記暗号化された分析物値を生成するために使用されるアプリケーション鍵を含み、前記アプリケーション鍵を使用して、前記分析物値を暗号化し、前記暗号化された分析物値を生成することが、前記認証に関連する情報を交換することをバイパスすることを可能にする、請求項６に記載の方法。
【請求項１１】
前記第１の接続を確立すること、及び前記認証に関連する情報を交換することが、第１の無線プロトコルを使用して行われ、前記表示デバイスに前記暗号化された分析物値を伝送することが、前記第１の無線プロトコルとは異なる第２の無線プロトコルを使用して行われる、請求項１に記載の方法。
【請求項１２】
前記第１の無線プロトコルを使用することが、前記認証に関連する情報を交換することをバイパスすることを可能にする、請求項１１に記載の方法。
【請求項１３】
前記アプリケーション鍵が、前記表示デバイスによってサーバから受信されたものである、請求項２に記載の方法。
【請求項１４】
分析物データを無線通信するための方法であって、前記方法が、
分析物センサシステムの連続分析物センサを用いてホストにおける分析物値を測定することと、
第１の無線プロトコルを使用して、表示デバイスと、認証に関連する情報の交換を行うことと、
前記測定された分析物値に基づいて、前記ホストの医学的状態を示す１つ以上のアラートがトリガーされるべきかどうか判定を行うことと、
前記判定が、前記ホストの医学的状態を示す１つ以上のアラートがトリガーされるべきであることを示す場合、少なくとも１つのアラートをトリガーして、前記表示デバイス上に通知を提供することと、
第２の無線プロトコルを使用して、前記表示デバイスに暗号化された分析物値を伝送することによって、前記認証に関連する情報の交換をバイパスすることであって、前記暗号化された分析物値が、前記認証に関連する情報を使用して生成されたものであり、第１の無線プロトコルが、第２の無線プロトコルとは異なる、バイパスすることと、前記認証に関連する情報が交換されなかった場合、前記表示デバイスへの分析物値の伝送を開始しないことと、
を含む、方法。
【請求項１５】
前記第１の無線プロトコルが、ＷｉＦｉ通信、近距離無線通信（ＮＦＣ）、およびＢｌｕｅｔｏｏｔｈ(登録商標)低エネルギー（ＢＬＥ）通信からなるグループから選択され、前記第２の無線プロトコルが、ＷｉＦｉ通信、ＮＦＣ、およびＢＬＥからなるグループから選択される、請求項１４に記載の方法。
【請求項１６】
前記分析物センサシステムが、連続グルコースセンサシステムであり、前記認証に関連する情報が、アプリケーション鍵を含む、請求項１４に記載の方法。
【請求項１７】
前記表示デバイスが、サーバから前記アプリケーション鍵を受信することをさらに含む、請求項１６に記載の方法。
【請求項１８】
分析物データを無線通信するように構成された分析物センサシステムであって、前記分析物センサシステムが、
ホストにおける分析物値を測定するように構成された分析物センサと、
無線信号を伝送及び受信するように構成されたトランシーバと、
プロセッサであって、前記分析物センサ及び前記トランシーバに動作的に結合され、また、前記分析物センサシステムに、
前記分析物センサシステムと表示デバイスとの間の第１の接続を確立することと、
前記第１の接続中に、前記分析物センサシステムと前記表示デバイスとの間の認証に関連する情報を交換することと、
認証が行われたかどうかに関する第１の判定を行うことと、
前記測定された分析物値に基づいて、前記ホストの医学的状態を示す１つ以上のアラートがトリガーされるべきかどうか第２の判定を行うことと、
前記第２の判定が、前記ホストの医学的状態を示す１つ以上のアラートがトリガーされるべきであることを示す場合、少なくとも１つのアラートをトリガーして、前記表示デバイス上に通知を提供することと、
前記第１の判定が、前記認証が行われたことを示す場合に、前記表示デバイスに暗号化された分析物値を伝送することと、前記第１の判定が、前記認証が行われなかったことを示す場合に、前記表示デバイスへの分析物値の伝送を開始しないことと、
を行わせるように構成されたプロセッサと、を備える、分析物センサシステム。
【請求項１９】
前記プロセッサが、前記分析物センサシステムに、
前記分析物センサシステムと前記表示デバイスとの間の第２の接続を確立することと、
前記第２の接続中に、認証に関連する情報の交換をバイパスすることと、を行わせるようにさらに構成される、請求項１８に記載の分析物センサシステム。
【請求項２０】
前記分析物センサシステムが、連続グルコースセンサシステムであり、前記認証に関連する情報が、アプリケーション鍵を含み、前記プロセッサが、前記分析物センサシステムに、前記アプリケーション鍵を使用して、連続分析物センサによって測定されたグルコース値を含む分析物値を暗号化し、暗号化されたグルコース値を含む暗号化された分析物値を生成すること、を行わせるようにさらに構成され、前記アプリケーション鍵を使用することで、前記分析物センサシステムが、前記交換をバイパスすることを可能にする、請求項１９に記載の分析物センサシステム。
【国際調査報告】
2019537848.tif 000054
2019537848.tif 000055
2019537848.tif 000056